(57)【要約】複数の交通機関のうちある特定の交通機関へ、利用者を誘導することのできるポイント算出装置を提供する。  ポイント算出装置は、複数の車両装置から各車両の混雑度を収集し、複数の収集装置から各列車の混雑度を収集する。ポイント算出装置は、収集した各車両の混雑度及び各列車の混雑度に基づいて、混雑度が低いほどポイントが高くなるように、列車ポイント及び車両ポイントを算出する。また、ポイント算出装置は、携帯端末より、利用者利用した車両の車両を識別する車両コードと利用した日時とからなるを示す利用情報を受信し、受信した利用情報が正当なものである場合に、利用者が利用した列車及び車両に対する列車ポイント及び車両ポイントを、携帯端末へ送信する。【特許請求の範囲】
【請求項１】
同一目的地への移動に用いられる交通機関に乗車している人の混雑度に応じて、複数の交通機関毎に、ポイントを算出するポイント算出装置であって、
前記混雑度を取得する混雑度取得手段と、
交通機関毎に、それぞれの混雑度に応じたポイントを算出する算出手段と、
交通機関に対して算出されたポイントを、当該交通機関に乗り込んだ利用者に対して割り当てるポイント割当手段と
を備えることを特徴とするポイント算出装置。
【請求項２】
前記混雑度取得手段は、各交通機関のそれぞれから混雑度を取得し、
前記算出手段は、取得した全ての混雑度を用いて、混雑度が増加する順に、ポイントが減少するように、対応する交通機関毎に、振り分けるポイントを算出する
ことを特徴とする請求項１に記載のポイント算出装置。
【請求項３】
前記算出手段は、
前記交通機関毎に振り分けるポイントの合計が、一定値となるように、交通機関毎にポイントを算出する
ことを特徴とする請求項２に記載のポイント算出装置。
【請求項４】
前記ポイント割当手段は、
算出された各ポイントを、対応する交通機関を示す機関情報と関連付けて記憶する領域を有する算出ポイント記憶部と、
算出された各ポイントのそれぞれを、対応する機関情報と関連付けて前記算出ポイント記憶部へ書き込む算出ポイント書込部と、
前記利用者が付帯する携帯型の端末装置より、前記複数の交通機関のうち、前記利用者が利用した交通機関を示す利用情報を受信する利用情報受信部と、
受信した利用情報が正当な利用情報であるか否かを決定する決定部と、
前記決定部にて正当であると決定される場合に、受信した利用情報にて示される交通機関を示す機関情報と対応付けられて記憶されているポイントを、前記算出ポイント記憶部より読み出すポイント読出部と、
ポイント読出部にて読み出したポイントを前記端末装置へ送信することにより、前記利用者へ割り当てるポイント送信部と
を備えることを特徴とする請求項３に記載のポイント算出装置。
【請求項５】
前記利用情報受信部は、利用した交通機関を識別する識別子と、秘密鍵を用いて前記識別子に対してデジタル署名を施した署名データとからなる利用情報を受信し、
前記決定部は、前記秘密鍵に対応する公開鍵を記憶しており、前記公開鍵と、受信した署名データ及び識別子とを用いて、署名検証を行い、署名検証による結果が肯定的な場合に、受信した利用情報は正当であると決定し、
前記ポイント読出部は、受信した利用情報に含まれる識別子にて示される交通機関を示す機関情報と対応付けられて記憶されているポイントを、前記算出ポイント記憶部より読み出す
ことを特徴とする請求項４に記載のポイント算出装置。
【請求項６】
前記算出手段は、
前記一定値である全体ポイントを予め記憶している全体ポイント記憶部と、
前記各交通機関のそれぞれから、ポイントを割り当てる割当人数を取得する人数取得部と、
取得した全ての混雑度に基づいて、混雑度が増加する順に、ポイントが減少するように、対応する交通機関毎に配当率を算出する第１算出部と、
前記第１算出部にて算出された各配当率と、前記全体ポイントと、取得した各割当人数とに基づいて、単位配当率をポイントへ換算した換算ポイントを算出し、各配当率毎に算出した換算ポイントを乗算して、振り分けるポイントを前記交通機関毎に算出する第２算出部と
を備えることを特徴とする請求項３に記載のポイント算出装置。
【請求項７】
前記ポイント算出装置は、さらに、
配当率を交通機関の利用者へ通知する通知装置へ、前記第１算出部にて算出された各配当率を送信する配当率送信手段
を備えることを特徴とする請求項６に記載のポイント算出装置。
【請求項８】
前記ポイント算出手段は、
前記全体ポイントを記憶している全体ポイント記憶部と、
取得した全ての混雑度を用いて、混雑度が低い交通機関から順に、高いポイントが振り分けられるように、配当率を前記交通機関毎に算出する第１算出部と、
前記第１算出部にて算出された全ての配当率に基づいて、前記交通機関毎に、前記全体ポイントから各交通機関のそれぞれに対して振り分けるポイントを算出する第２算出部と
を備えることを特徴とする請求項３に記載のポイント算出装置。
【請求項９】
前記ポイント割当手段は、
交通機関毎に設置され、当該交通機関に対応して算出されたポイントを示すポイント情報を、当該交通機関の利用者が付帯する携帯型の端末装置へ配信する配信装置へ、前記交通機関毎に算出した各ポイントのうち、少なくとも当該配信装置が設置された交通機関に対応するポイントを送信することにより、前記利用者へ割り当てる
ことを特徴とする請求項８に記載のポイント算出装置。
【請求項１０】
前記ポイント割当手段は、
前記交通機関毎に算出した各ポイントを含む配当情報を記憶する配当情報記憶部と、
携帯型の端末装置より、前記配当情報を要求する要求情報を受信する要求情報受信部と、
前記要求情報を受信すると、前記配当情報を前記端末装置へ送信することにより、前記利用者へポイントを割り当てる配当情報送信部と
を備えることを特徴とする請求項８に記載のポイント算出装置。
【請求項１１】
前記ポイント割当手段は、
割当ポイント記憶部と、
前記算出手段にて算出された各ポイントを記憶する領域を有する算出ポイント記憶部と、
前記算出手段にて算出された各ポイントを前記算出ポイント記憶部へ書き込む算出ポイント書込部と、
前記利用者が付帯する携帯型の端末装置より、前記複数の交通機関のうち、前記利用者が利用した交通機関を示す利用情報と、前記端末装置を識別する端末識別子とを受信する利用情報受信部と、
受信した利用情報が正当な利用情報であるか否かを決定する決定部と、
前記決定部にて正当であると決定される場合に、受信した利用情報にて示される交通機関に対応して算出されたポイントを、前記算出ポイント記憶部より読み出すポイント読出部と、
ポイント読出部にて読み出したポイントを、受信した端末識別子と対応付けて、前記割当ポイント記憶部へ書き込むことにより、前記利用者へ割り当てる割当ポイント書込部と
を備えることを特徴とする請求項３に記載のポイント算出装置。
【請求項１２】
前記複数の交通機関のそれぞれは、１列車を編成する各車両であり、
前記算出手段は、車両毎にポイントを算出する
ことを特徴とする請求項３に記載のポイント算出装置。
【請求項１３】
前記交通機関は、複数の車両から構成される列車であり、
前記算出手段は、列車毎にポイントを算出する
ことを特徴とする請求項３に記載のポイント算出装置。
【請求項１４】
前記複数の交通機関のそれぞれは、複数の列車それぞれを編成する各車両であり、
前記算出手段は、車両毎にポイントを算出する
ことを特徴とする請求項３に記載のポイント算出装置。
【請求項１５】
前記ポイント割当手段は、
算出された各ポイントを、対応する交通機関を示す機関情報と関連付けて記憶する領域を有する算出ポイント記憶部と、
算出された各ポイントのそれぞれを、対応する機関情報と関連付けて前記算出ポイント記憶部へ書き込む算出ポイント書込部と、
前記利用者が付帯する携帯型の端末装置より、前記複数の交通機関のうち、前記利用者が利用した交通機関と前記交通機関を利用した利用時刻とを示す利用情報と、前記利用者が前記複数の交通機関の何れかの利用が許可された時刻を示す利用許可情報とを受信する利用情報受信部と、
受信した利用情報にて示される交通機関を示す機関情報と対応付けられて記憶されているポイントを、前記利用情報にて示される利用時刻と前記利用許可情報にて示される時刻との差分に応じて重み付けを行い、重み付けされたポイントを前記端末装置へ送信することにより、前記利用者へ割り当てるポイント送信部と
を備えることを特徴とする請求項３に記載のポイント算出装置。
【請求項１６】
同一目的地への移動に用いられる交通機関に乗車している人の混雑度に応じて、ポイントを、利用者へ割り当てるポイント割当システムであって、
交通機関毎に設置され、当該交通機関の混雑度を計測する計測装置と、
前記計測装置から前記混雑度を取得し、交通機関毎に、対応する混雑度に応じてポイントを算出するポイント算出装置と、
交通機関毎に設置され、当該交通機関に対応して算出されたポイントを示すポイント情報を短距離無線により配信する配信装置と、
前記配信装置からポイント情報を、短距離無線により受信する携帯型の端末装置と
を備えることを特徴とするポイント割当システム。
【請求項１７】
前記ポイント算出装置は、
各計測装置のそれぞれから混雑度を取得し、
取得した全ての混雑度を用いて、混雑度が増加する順に、ポイントが減少するように、対応する交通機関毎に、振り分けるポイントを算出する
ことを特徴とする請求項１６に記載のポイント割当システム。
【請求項１８】
前記ポイント算出装置は、
前記交通機関毎に振り分けるポイントの合計が、一定値となるように、交通機関毎にポイントを算出する
ことを特徴とする請求項１７に記載のポイント割当システム。
【請求項１９】
前記ポイント割当システムは、さらに、
前記利用者が交通機関に乗り込むことにより、前記利用者へ割り当てられるポイントを示す割当予定ポイント情報を通知する通知装置
を備えることを特徴とする請求項１８に記載のポイント割当システム。
【請求項２０】
交通機関の混雑度を計測する計測装置であって、
前記交通機関の混雑度を計測する計測手段と、
交通機関に乗車している人の混雑度に応じて、ポイントを交通機関毎に算出するポイント算出装置へ、前記混雑度を送信する送信手段と
を備えることを特徴とする計測装置。
【請求項２１】
交通機関毎に設置され、当該交通機関に乗車している人の混雑度に応じ、ポイントを示すポイント情報を配信する配信装置であって、
ポイント情報の配信を開始するか否かを判断する配信判断手段と、
前記配信判断手段にてポイント情報の配信を開始すると判断する場合に、ポイント情報を、当該交通機関の利用者が付帯する携帯型の端末装置へ短距離無線にて配信する無線配信手段と
を備えることを特徴とする配信装置。
【請求項２２】
前記交通機関には、ドアが備え付けられており、
前記配信判断手段は、前記ドアが開いたことを検知した場合に、前記ポイント情報の配信を開始すると判断する
ことを特徴とする請求項２１に記載の配信装置。
【請求項２３】
前記ポイント情報は、当該交通機関を示すとともに、当該交通機関に対応するポイントと等価であることを示す利用情報であり、
前記無線配信手段は、前記利用情報を配信する
ことを特徴とする請求項２２に記載の配信装置。
【請求項２４】
前記配信装置は、さらに、
秘密鍵を記憶している秘密鍵記憶手段と、
前記秘密鍵を用いて前記利用情報に対してデジタル署名を施した署名データを生成する署名データ生成手段とを備え、
前記無線配信手段は、さらに、前記署名データを前記端末装置へ短距離無線にて送信する
ことを特徴とする請求項２３に記載の配信装置。
【請求項２５】
前記配信装置は、さらに、
交通機関毎にポイントを算出するポイント算出装置から、前記配信装置が設置された交通機関に対応するポイントを取得し、取得したポイントを所定の領域へ書き込むポイント書込手段を備え、
前記無線配信手段は、前記所定の領域にて記憶しているポイントを、前記ポイント情報として配信する
ことを特徴とする請求項２２に記載の配信装置。
【請求項２６】
前記配信判断手段は、
交通機関に乗車している人の混雑度に応じて、交通機関毎に、ポイントを算出するポイント算出装置にて算出された全てのポイントを含む配当情報と、前記配当情報の正当性を証明する証明情報とを、前記端末装置より受信する配当情報受信部と、
前記配当情報の正当性を検証する検証情報を記憶している検証情報記憶部と、
前記証明情報と前記検証情報とを用いて、受信した配当情報が正当な配信情報であるか否かを決定し、正当な配信情報であると決定する場合に、ポイント情報を配信するとみなす決定部とを備え、
前記無線配信手段は、前記決定部にて、受信した配当情報が正当な配信情報であると決定する場合に、受信した配当情報より前記配信装置が設置された交通機関に対応して算出されたポイントを取得し、取得したポイントをポイント情報として、前記端末装置へ短距離無線にて配信する
ことを特徴とする請求項２１に記載の配信装置。
【請求項２７】
前記証明情報は、前記ポイント算出装置にて各ポイントが算出された時の正当性を証明する第１算出時からなり、
前記検証情報は、前記ポイント算出装置にて各ポイントが算出された時の正当性を検証する第２算出時であり、
前記決定部は、前記第１算出時と前記第２算出時とが一致するか否かを判断し、前記第１算出時と前記第２算出時とが一致する場合に、受信した配当情報は正当な配信情報であると決定する
ことを特徴とする請求項２６に記載の配信装置。
【請求項２８】
前記証明情報は、秘密鍵を用いて前記配当情報に対してデジタル署名を施した署名データであり、
前記検証情報は、前記秘密鍵に対応する公開鍵であり、
前記決定部は、前記公開鍵、前記署名データ及び前記配当情報による署名検証を行い、署名検証による結果が肯定的な場合に、受信した配当情報は正当な配信情報であると決定する
ことを特徴とする請求項２６に記載の配信装置。
【請求項２９】
複数の交通機関毎に設置された配信装置のうち何れかの配信装置から、当該交通機関に乗車している人の混雑度に応じて算出されたポイントを示すポイント情報を受信する携帯型の端末装置であって、
耐タンパ性を有し、ポイント情報を記憶する領域を有するポイント情報記憶手段と、
配信装置より送信されたポイント情報を、短距離無線にて受信するポイント情報受信手段と、
受信したポイント情報を前記ポイント情報記憶手段へ書き込むか否かを判断する書込判断手段と、
前記書込判断手段による判断結果が肯定的である場合に、受信したポイント情報を前記ポイント情報記憶手段へ書き込むポイント情報書込手段と
を備えることを特徴とする端末装置。
【請求項３０】
前記ポイント情報は、当該交通機関を示すとともに、当該交通機関に対応するポイントと等価であることを示す利用情報であり、
前記ポイント情報記憶手段は、さらに、前記ポイント情報と等価であるポイントを記憶するポイント記憶領域を有し、
前記端末装置は、さらに、
前記ポイント情報記憶手段にて記憶している利用情報を、交通機関毎にポイントを算出するポイント算出装置へ送信する送信手段と、
前記ポイント算出装置から前記利用情報にて示される交通機関に対応して算出されたポイントを受信し、受信したポイントを前記ポイント記憶領域へ書き込む受信ポイント書込手段と
を備えることを特徴とする請求項２９に記載の端末装置。
【請求項３１】
前記送信手段は、当該交通機関を識別する識別子と、前記識別子に対してデジタル署名を施した署名データとからなる前記利用情報を、前記ポイント算出装置へ送信する
ことを特徴とする請求項３０に記載の端末装置。
【請求項３２】
前記端末装置は、さらに、
当該端末装置を付帯する利用者が前記複数の交通機関の何れかの利用が許可された時刻を示す利用許可情報を外部装置から受信する利用許可情報受信手段と、
利用許可情報記憶手段と、
前記利用許可情報を、前記利用許可情報記憶手段へ書き込む利用許可情報書込手段とを備え、
前記利用情報は、さらに、前記利用者が利用した交通機関の利用時刻を示し、
前記送信手段は、さらに、前記利用許可情報を送信し、
受信ポイント書込手段は、前記利用情報に対応して算出されたポイントに対して前記利用時刻と前記利用許可情報にて示される時刻との差分に応じた重み付けがなされた重み付けポイントを受信する
ことを特徴とする請求項３０に記載の端末装置。
【請求項３３】
前記ポイント情報は、交通機関毎にポイントを算出するポイント算出装置にて算出された各ポイントのうち、前記配信装置が設置された交通機関に対応して算出されたポイントであり、
前記ポイント情報受信手段は、前記配信装置から当該配信装置が設置された交通機関に対応するポイントを、短距離無線により受信する
ことを特徴とする請求項２９に記載の端末装置。
【請求項３４】
前記端末装置は、さらに、
交通機関毎にポイントを算出するポイント算出装置から、算出された各ポイントからなる配当情報と、前記配当情報の正当性を証明する証明情報とを受信する配当情報受信手段と、
受信した配当情報と証明情報とを記憶する配当情報記憶手段と、
前記配当情報記憶部に記憶されている配当情報及び証明情報を、前記配信装置へ短距離無線にて送信する配当情報送信手段とを備え、
前記ポイント情報は、前記配信装置が設置された交通機関に対して算出されたポイントであり、
前記ポイント情報受信手段は、前記配信装置より、前記配当情報に含まれる各ポイントのうち、当該配信装置が設置された交通機関に対応するポイントを受信する
ことを特徴とする請求項２９に記載の端末装置。
【請求項３５】
前記ポイント情報記憶手段は、ポイント情報にて示されるポイントを蓄積しており、
前記端末装置は、さらに、
耐タンパ性を有し、電子マネーを記憶する領域をもつ電子マネー記憶手段と、
前記ポイント情報記憶手段にて蓄積されているポイントを、電子マネーに変換する変換手段と、
変換された電子マネーを前記電子マネー記憶手段へ書き込む電子マネー書込手段と
を備えることを特徴とする請求項２９に記載の端末装置。
【請求項３６】
前記端末装置は、さらに、
前記電子マネー記憶手段にて記憶している電子マネーを用いて、商品の購入に対する支払いを、短距離無線にて行う支払制御手段
を備えることを特徴とする請求項３５に記載の端末装置。
【請求項３７】
前記ポイント情報記憶手段、前記電子マネー記憶手段、前記変換手段及び前記支払制御手段は、可搬型の記録媒体にて構成される
ことを特徴とする請求項３６に記載の端末装置。
【請求項３８】
同一目的地への移動に用いられる交通機関に乗車している人の混雑度に応じて、複数の交通機関毎に、ポイントを算出するポイント算出装置に用いられるポイント算出方法であって、
前記混雑度を取得する混雑度取得ステップと、
交通機関毎に、それぞれの混雑度に応じたポイントを算出する算出ステップと、
交通機関に対して算出されたポイントを、当該交通機関に乗り込んだ利用者に対して割り当てるポイント割当ステップと
を含むことを特徴とするポイント算出方法。
【請求項３９】
同一目的地への移動に用いられる交通機関に乗車している人の混雑度に応じて、複数の交通機関毎に、ポイントを算出するポイント算出装置に用いられるポイント算出プログラムであって、
前記混雑度を取得する混雑度取得ステップと、
交通機関毎に、それぞれの混雑度に応じたポイントを算出する算出ステップと、
交通機関に対して算出されたポイントを、当該交通機関に乗り込んだ利用者に対して割り当てるポイント割当ステップと
を含むことを特徴とするポイント算出プログラム。
【請求項４０】
同一目的地への移動に用いられる交通機関に乗車している人の混雑度に応じて、複数の交通機関毎に、ポイントを算出するポイント算出装置に用いられるポイント算出プログラムを記録しているコンピュータ読み取り可能な記録媒体であって、
前記混雑度を取得する混雑度取得ステップと、
交通機関毎に、それぞれの混雑度に応じたポイントを算出する算出ステップと、
交通機関に対して算出されたポイントを、当該交通機関に乗り込んだ利用者に対して割り当てるポイント割当ステップと
を含むことを特徴とする記録媒体。
【発明の詳細な説明】
【技術分野】
【０００１】  本発明は、利用者を混雑度の低い施設へ誘導し、施設の運用を効率よく行う技術に関する。
【背景技術】
【０００２】  利用者に対して提供される複数の施設において、施設の運用状況、設置状況、施設の人気状況及び利用時間帯などにより、各施設の混雑度が異なることがある。
例えば、鉄道会社が運行する列車において、列車の始発駅の違いや発車の時間帯の違い、乗り継ぎの関係により、各列車の混雑度が異なる。また、１つの列車においても、停車駅における階段が設置された位置の関係や、乗継駅において乗り継ぎのための連絡通路が設置された位置の関係により列車の各車両の混雑度が異なる。特許文献１においては、自由席車両が到着する際の利用状況を正確に把握することができる座席利用状況管理装置に関する技術が開示されている。
【特許文献１】特開２００３−６７５０号公報
【発明の開示】
【発明が解決しようとする課題】
【０００３】  しかしながら、上記例にて示すように、ある特定の列車や車両だけに乗客が集中すると、停車駅での乗降に時間がかかり、後続列車に遅れが生じ、列車運行に支障をきたす場合がある。また、逆に、ある特定の列車や車両に乗客を集中させたい場合もある。そのため、施設の提供者は、提供する各施設の円滑な運用を行うために、提供する各施設のうちある特定の施設へ、利用者を誘導したいという要望がある。【０００４】  そこで、本発明は、複数の交通機関のうちある特定の交通機関へ、利用者を誘導することのできるポイント算出装置、ポイント割当システム、計測装置、配信装置、端末装置、ポイント算出方法、ポイント算出プログラム及び記録媒体を提供することを目的とする。
【課題を解決するための手段】
【０００５】  上記目的を達成するために、本発明は、同一目的地への移動に用いられる交通機関に乗車している人の混雑度に応じて、複数の交通機関毎に、ポイントを算出するポイント算出装置であって、前記混雑度を取得する混雑度取得手段と、交通機関毎に、それぞれの混雑度に応じたポイントを算出する算出手段と、交通機関に対して算出されたポイントを、当該交通機関に乗り込んだ利用者に対して割り当てるポイント割当手段とを備えることを特徴とする。
【発明の効果】
【０００６】  上記に示した構成によると、ポイント算出装置は、混雑度に応じたポイントを算出することができるため、ある特定の交通機関へ利用者を誘導することができる。例えば、利用者は、交通機関ごとにポイント算出手段にて算出されたポイントのうち高いポイントが割り当てられるように、高いポイントが算出された交通機関を利用するようになる。つまり、ポイント算出装置は、ある特定の交通機関へ、利用者を誘導することができる。【０００７】  ここで、前記混雑度取得手段は、各交通機関のそれぞれから混雑度を取得し、前記算出手段は、取得した全ての混雑度を用いて、混雑度が増加する順に、ポイントが減少するように、対応する交通機関毎に、振り分けるポイントを算出するとしてもよい。
この構成によると、ポイント算出装置は、混雑が増加する順に、ポイントが減少するように、対応する交通機関毎に振り分けるポイントを算出することができる。これにより、利用者は、高いポイントが割り当てられるように、高いポイントが振り分けられた交通機関を利用するようになる。つまり、ポイント算出装置は、交通機関における混雑の緩和を行うことができる。【０００８】  ここで、前記算出手段は、前記交通機関毎に振り分けるポイントの合計が、一定値となるように、交通機関毎にポイントを算出するとしてもよい。
この構成によると、ポイント算出装置は、各交通機関に対して振り分けるポイントの合計が、一定値となるように、交通機関毎にポイントを算出することができる。これにより、ポイント算出装置は、交通機関毎に振り分けるポイントの合計は、常に一定となるので、利用者には、一定値から振り分けられたポイントが、利用者へ割り当てられることになる。つまり、算出された各ポイントの合計は、変動しないので、ポイント算出装置は、利用者に対して、いつでも公平にポイントを割り当てることができる。【０００９】  ここで、前記ポイント割当手段は、算出された各ポイントを、対応する交通機関を示す機関情報と関連付けて記憶する領域を有する算出ポイント記憶部と、算出された各ポイントのそれぞれを、対応する機関情報と関連付けて前記算出ポイント記憶部へ書き込む算出ポイント書込部と、前記利用者が付帯する携帯型の端末装置より、前記複数の交通機関のうち、前記利用者が利用した交通機関を示す利用情報を受信する利用情報受信部と、受信した利用情報が正当な利用情報であるか否かを決定する決定部と、前記決定部にて正当であると決定される場合に、受信した利用情報にて示される交通機関を示す機関情報と対応付けられて記憶されているポイントを、前記算出ポイント記憶部より読み出すポイント読出部と、ポイント読出部にて読み出したポイントを前記端末装置へ送信することにより、前記利用者へ割り当てるポイント送信部とを備えるとしてもよい。【００１０】  この構成によると、ポイント算出装置は、携帯型の端末装置より利用情報を受信し、受信した利用情報が正当であると決定する場合に、算出して記憶している各ポイントのうち、利用情報にて示される交通機関に対応するポイントを端末装置へ送信することができる。これにより、ポイント算出装置は、利用者へ、利用した交通機関に対応するポイントを割り当てることができる。【００１１】  ここで、前記利用情報受信部は、利用した交通機関を識別する識別子と、秘密鍵を用いて前記識別子に対してデジタル署名を施した署名データとからなる利用情報を受信し、前記決定部は、前記秘密鍵に対応する公開鍵を記憶しており、前記公開鍵と、受信した署名データ及び識別子とを用いて、署名検証を行い、署名検証による結果が肯定的な場合に、受信した利用情報は正当であると決定し、前記ポイント読出部は、受信した利用情報に含まれる識別子にて示される交通機関を示す機関情報と対応付けられて記憶されているポイントを、前記算出ポイント記憶部より読み出すとしてもよい。【００１２】  この構成によると、ポイント算出装置は、署名検証により、受信した利用情報が正当であるか否かを決定することができる。
ここで、前記算出手段は、前記一定値である全体ポイントを予め記憶している全体ポイント記憶部と、前記各交通機関のそれぞれから、ポイントを割り当てる割当人数を取得する人数取得部と、取得した全ての混雑度に基づいて、混雑度が増加する順に、ポイントが減少するように、対応する交通機関毎に配当率を算出する第１算出部と、前記第１算出部にて算出された各配当率と、前記全体ポイントと、取得した各割当人数とに基づいて、単位配当率をポイントへ換算した換算ポイントを算出し、各配当率毎に算出した換算ポイントを乗算して、振り分けるポイントを前記交通機関毎に算出する第２算出部とを備えるとしてもよい。【００１３】  この構成によると、ポイント算出装置は、混雑が増加する順に、ポイントが減少するように、配当率を算出し、算出した配当率、全体ポイント及び割当人数とに基づいて、交通機関毎に割り当てるポイントを算出することができる。
ここで、前記ポイント算出装置は、さらに、配当率を交通機関の利用者へ通知する通知装置へ、前記第１算出部にて算出された各配当率を送信する配当率送信手段を備えるとしてもよい。【００１４】  この構成によると、ポイント算出装置は、算出した各配当率を通知装置へ送信することができる。これにより、利用者は、通知装置により通知される各配当率を知ることにより、配当率の高い交通機関、つまり混雑度の低い交通機関を利用することができる。
ここで、前記ポイント算出手段は、前記全体ポイントを記憶している全体ポイント記憶部と、取得した全ての混雑度を用いて、混雑度が低い交通機関から順に、高いポイントが振り分けられるように、配当率を前記交通機関毎に算出する第１算出部と、前記第１算出部にて算出された全ての配当率に基づいて、前記交通機関毎に、前記全体ポイントから各交通機関のそれぞれに対して振り分けるポイントを算出する第２算出部とを備えるとしてもよい。【００１５】  この構成によると、ポイント算出装置は、混雑が増加する順に、ポイントが減少するように、配当率を算出し、算出した配当率及び全体ポイントとに基づいて、交通機関毎に振り分けるポイントを算出することができる。
ここで、前記ポイント割当手段は、交通機関毎に設置され、当該交通機関に対応して算出されたポイントを示すポイント情報を、当該交通機関の利用者が付帯する携帯型の端末装置へ配信する配信装置へ、前記交通機関毎に算出した各ポイントのうち、少なくとも当該配信装置が設置された交通機関に対応するポイントを送信することにより、前記利用者へ割り当てるとしてもよい。【００１６】  この構成によると、ポイント算出装置は、算出した各ポイントを配信装置へ送信することができる。例えば、配信装置から、当該配信装置が設置された交通機関の利用者へ、ポイントを割り当てることができるようになる。
ここで、前記ポイント割当手段は、前記交通機関毎に算出した各ポイントを含む配当情報を記憶する配当情報記憶部と、携帯型の端末装置より、前記配当情報を要求する要求情報を受信する要求情報受信部と、前記要求情報を受信すると、前記配当情報を前記端末装置へ送信することにより、前記利用者へポイントを割り当てる配当情報送信部とを備えるとしてもよい。【００１７】  この構成によると、ポイント算出装置は、携帯型の端末装置より要求情報を受信すると、算出した各ポイントを配当情報として、端末装置へ送信することができる。
ここで、前記ポイント割当手段は、割当ポイント記憶部と、前記算出手段にて算出された各ポイントを記憶する領域を有する算出ポイント記憶部と、前記算出手段にて算出された各ポイントを前記算出ポイント記憶部へ書き込む算出ポイント書込部と、前記利用者が付帯する携帯型の端末装置より、前記複数の交通機関のうち、前記利用者が利用した交通機関を示す利用情報と、前記端末装置を識別する端末識別子とを受信する利用情報受信部と、受信した利用情報が正当な利用情報であるか否かを決定する決定部と、前記決定部にて正当であると決定される場合に、受信した利用情報にて示される交通機関に対応して算出されたポイントを、前記算出ポイント記憶部より読み出すポイント読出部と、ポイント読出部にて読み出したポイントを、受信した端末識別子と対応付けて、前記割当ポイント記憶部へ書き込むことにより、前記利用者へ割り当てる割当ポイント書込部とを備えるとしてもよい。【００１８】  この構成によると、ポイント算出装置は、携帯型の端末装置より利用情報及び端末識別子を受信すると、受信した利用情報が正当な利用情報であると決定する場合に、利用情報にて示される交通機関に対応して算出されたポイントを、受信した端末識別子と対応付けて、割当ポイント記憶部へ書き込むことができる。これにより、各端末装置に対するポイントを、ポイント算出装置にて一元管理することができる。利用者側では、例えば、割り当てられたポイントを記録する記録媒体等を用いて、管理する必要がないので、記録媒体の紛失や盗難により、割り当てられたポイントを第三者によって使用される心配が無くなる。【００１９】  ここで、前記複数の交通機関のそれぞれは、１列車を編成する各車両であり、前記算出手段は、車両毎にポイントを算出するとしてもよい。
この構成によると、ポイント算出装置は、１列車の車両毎にポイントを算出することができる。これにより、利用者は、より高いポイントの割り当てを望むため、振り分けられるポイントが高い車両、つまり混雑度が低い車両へ乗車しようとすることになる。【００２０】  ここで、前記交通機関は、複数の車両から構成される列車であり、前記算出手段は、列車毎にポイントを算出するとしてもよい。
この構成によると、ポイント算出装置は、複数の列車毎にポイントを算出することができる。これにより、利用者は、より高いポイントの割り当てを望むため、振り分けられるポイントが高い列車、つまり混雑度が低い列車へ乗車しようとすることになる。【００２１】  ここで、前記複数の交通機関のそれぞれは、複数の列車それぞれを編成する各車両であり、前記算出手段は、車両毎にポイントを算出するとしてもよい。
この構成によると、ポイント算出装置は、複数の列車の車両毎にポイントを算出することができる。これにより、利用者は、より高いポイントの割り当てを望むため、複数の列車における各車両のうち、振り分けられるポイントが高い車両、つまり混雑度が低い車両へ乗車しようとすることになる。【００２２】  ここで、前記ポイント割当手段は、算出された各ポイントを、対応する交通機関を示す機関情報と関連付けて記憶する領域を有する算出ポイント記憶部と、算出された各ポイントのそれぞれを、対応する機関情報と関連付けて前記算出ポイント記憶部へ書き込む算出ポイント書込部と、前記利用者が付帯する携帯型の端末装置より、前記複数の交通機関のうち、前記利用者が利用した交通機関と、前記交通機関を利用した利用時刻とを示す利用情報と、前記利用者が複数の交通機関の何れかの利用が許可された時刻を示す利用許可情報を受信する利用情報受信部と、受信した利用情報にて示される交通機関を示す機関情報と対応付けられて記憶されているポイントを、前記利用情報にて示される利用時刻と前記利用許可情報にて示される時刻との差分に応じて重み付けを行い、重み付けされたポイントを前記端末装置へ送信することにより、前記利用者へ割り当てるポイント送信部とを備えるとしてもよい。【００２３】  この構成によると、ポイント算出装置は、利用時刻と前記利用許可情報にて示される時刻との差分に応じて重み付けを行うことができるので、重み付けによりポイントが高くように、利用者は利用する交通機関を選ぶことができる。例えば、利用許可情報は、交通機関を利用するために、利用場所へ訪れた時刻であり、利用時刻と前記利用許可情報にて示される時刻との差分は、交通機関を利用するまでの待ち時間であるとし、待ち時間が長いほど、重み付けを大きくするとする。このとき、ユーザは、混雑度の低い交通機関を待つことにより、算出されたポイントに、大きな重み付けがなされたポイントを割り当てられることができる。【００２４】  また、本発明は、同一目的地への移動に用いられる交通機関に乗車している人の混雑度に応じて、ポイントを、利用者へ割り当てるポイント割当システムであって、交通機関毎に設置され、当該交通機関の混雑度を計測する計測装置と、前記計測装置から前記混雑度を取得し、交通機関毎に、対応する混雑度に応じてポイントを算出するポイント算出装置と、交通機関毎に設置され、当該交通機関に対応して算出されたポイントを示すポイント情報を短距離無線により配信する配信装置と、前記配信装置からポイント情報を、短距離無線により受信する携帯型の端末装置とを備えることを特徴とする。【００２５】  この構成によると、ポイント割当システムは、配信装置を用いて、ポイント算出装置にて交通機関毎に算出されたポイントのうち当該配信装置が設置された交通機関に対応するポイントを示すポイント情報を端末装置へ当該交通機関内にて短距離無線により送信することができる。これにより、端末装置を付帯する利用者は、より高いポイントが割り当てられるように、割り当てられるポイントが高い交通機関を利用するようになる。つまり、ポイント割当システムは、ある特定の交通機関へ、利用者を誘導することができる。【０���２６】  ここで、前記ポイント算出装置は、各計測装置のそれぞれから混雑度を取得し、取得した全ての混雑度を用いて、混雑度が増加する順に、ポイントが減少するように、対応する交通機関毎に、振り分けるポイントを算出するとしてもよい。
この構成によると、ポイント割当システムのポイント算出装置は、混雑が増加する順に、ポイントが減少するように、交通機関毎に振り分けるポイントを算出することができる。これにより、利用者は、高いポイントが振り分けられた交通機関を利用するようになる。【００２７】  ここで、前記ポイント算出装置は、前記交通機関毎に振り分けるポイントの合計が、一定値となるように、交通機関毎にポイントを算出するとしてもよい。
この構成によると、ポイント割当システムのポイント算出装置は、各交通機関に対して振り分けるポイントの合計が、一定値となるように、交通機関毎にポイントを算出することができる。これにより、算出された各ポイントの合計は、変動しないので、ポイント算出装置は、利用者に対して、いつでも公平にポイントを割り当てることができる。【００２８】  ここで、前記ポイント割当システムは、さらに、前記利用者が交通機関に乗り込むことにより、前記利用者へ割り当てられるポイントを示す割当予定ポイント情報を通知する通知装置を備えるとしてもよい。
この構成によると、ポイント割当システムは、通知装置を用いて割当予定ポイント情報を、利用者へ通知することができる。これにより、利用者は、通知装置により通知された割当予定ポイント情報を基に、高いポイントが振り分けられている交通機関を利用するようになる。【００２９】  また、本発明は、交通機関の混雑度を計測する計測装置であって、前記交通機関の混雑度を計測する計測手段と、交通機関に乗車している人の混雑度に応じて、ポイントを交通機関毎に算出するポイント算出装置へ、前記混雑度を送信する送信手段とを備えることを特徴とする。
この構成によると、計測装置は、交通機関の混雑度を計測し、計測した混雑度をポイント算出装置へ送信することができる。【００３０】  また、本発明は、交通機関毎に設置され、当該交通機関に乗車している人の混雑度に応じ、ポイントを示すポイント情報を配信する配信装置であって、ポイント情報の配信を開始するか否かを判断する配信判断手段と、前記配信判断手段にてポイント情報の配信を開始すると判断する場合に、ポイント情報を、当該交通機関の利用者が付帯する携帯型の端末装置へ短距離無線にて配信する無線配信手段とを備えることを特徴とする。【００３１】  この構成によると、配信装置は、ポイント情報を、携帯型の端末装置へ短距離無線にて送信するので、交通機関の利用者は、携帯型の端末装置を付帯して交通機関を利用することにより、ポイント情報の配信を受けることができる。
ここで、前記交通機関には、ドアが備え付けられており、前記配信判断手段は、前記ドアが開いたことを検知した場合に、前記ポイント情報の配信を開始すると判断するとしてもよい。【００３２】  この構成によると、配信装置は、ドアが開いた場合に、ポイント情報の配信を開始すると判断するので、ドアが開いた後、交通施設に乗り込んだ利用者ヘポイント情報を配信することができる。
ここで、前記ポイント情報は、当該交通機関を示すとともに、当該交通機関に対応するポイントと等価であることを示す利用情報であり、前記無線配信手段は、前記利用情報を配信するとしてもよい。【００３３】  この構成によると、配信装置は、利用情報をポイント情報として端末装置へ送信することができる。
ここで、前記配信装置は、さらに、秘密鍵を記憶している秘密鍵記憶手段と、前記秘密鍵を用いて前記利用情報に対してデジタル署名を施した署名データを生成する署名データ生成手段とを備え、前記無線配信手段は、さらに、前記署名データを前記端末装置へ短距離無線にて送信するとしてもよい。【００３４】  この構成によると、配信装置は、さらに、利用情報に対する署名データを送信することができる。これにより、配信装置は、利用情報の正当性を高めることができる。
ここで、前記配信装置は、さらに、交通機関毎にポイントを算出するポイント算出装置から、前記配信装置が設置された交通機関に対応するポイントを取得し、取得したポイントを所定の領域へ書き込むポイント書込手段を備え、前記無線配信手段は、前記所定の領域にて記憶しているポイントを、前記ポイント情報として配信するとしてもよい。【００３５】  この構成によると、配信装置は、当該交通機関に対応して算出されたポイントをポイント情報として端末装置へ送信することができる。
ここで、前記配信判断手段は、交通機関に乗車している人の混雑度に応じて、交通機関毎に、ポイントを算出するポイント算出装置にて算出された全てのポイントを含む配当情報と、前記配当情報の正当性を証明する証明情報とを、前記端末装置より受信する配当情報受信部と、前記配当情報の正当性を検証する検証情報を記憶している検証情報記憶部と、前記証明情報と前記検証情報とを用いて、受信した配当情報が正当な配信情報であるか否かを決定し、正当な配信情報であると決定する場合に、ポイント情報を配信するとみなす決定部とを備え、前記無線配信手段は、前記決定部にて、受信した配当情報が正当な配信情報であると決定する場合に、受信した配当情報より前記配信装置が設置された交通機関に対応して算出されたポイントを取得し、取得したポイントをポイント情報として、前記端末装置へ短距離無線にて配信するとしてもよい。【００３６】  この構成によると、配信装置は、端末装置より配当情報と証明情報とを受信し、受信した証明情報と、記憶している検証情報とを用いて、受信した配信情報が正当な配信情報であると決定する場合に、受信した配当情報より当該交通機関に対応して算出されたポイントを端末装置へ送信することができる。
ここで、前記証明情報は、前記ポイント算出装置にて各ポイントが算出された時の正当性を証明する第１算出時からなり、前記検証情報は、前記ポイント算出装置にて各ポイントが算出された時の正当性を検証する第２算出時であり、前記決定部は、前記第１算出時と前記第２算出時とが一致するか否かを判断し、前記第１算出時と前記第２算出時とが一致する場合に、受信した配当情報は正当な配信情報であると決定するとしてもよい。【００３７】  この構成によると、配信装置は、第１及び第２算出時を用いて、受信した配信情報の正当性を判断することができる。例えば、第２算出日時は、各ポイントが算出された最新の日時であり、第１算出時が、第２算出時と一致する場合に、配信装置は、受信した配当情報は最新のものであると決定することができる。
ここで、前記証明情報は、秘密鍵を用いて前記配当情報に対してデジタル署名を施した署名データであり、前記検証情報は、前記秘密鍵に対応する公開鍵であり、前記決定部は、前記公開鍵、前記署名データ及び前記配当情報による署名検証を行い、署名検証による結果が肯定的な場合に、受信した配当情報は正当な配信情報であると決定するとしてもよい。【００３８】  この構成によると、配信装置は、署名検証により、受信した配信情報の正当性を判断することができる。これにより、配信情報に対するセキュリティが向上される。
また、本発明は、交通機関毎に設置された配信装置のうち何れかの配信装置から、当該交通機関に乗車している人の混雑度に応じて算出されたポイントを示すポイント情報を受信する携帯型の端末装置であって、耐タンパ性を有し、ポイント情報を記憶する領域を有するポイント情報記憶手段と、配信装置より送信されたポイント情報を、短距離無線にて受信するポイント情報受信手段と、受信したポイント情報を前記ポイント情報記憶手段へ書き込むか否かを判断する書込判断手段と、前記書込判断手段による判断結果が肯定的である場合に、受信したポイント情報を前記ポイント情報記憶手段へ書き込むポイント情報書込手段とを備えることを特徴とするを特徴とする。【００３９】  この構成によると、端末装置は、配信装置より受信したポイント情報を、耐タンパ性を有するポイント情報記憶手段へ書き込むと判断する場合に、書き込むことができる。これにより、端末装置は、ポイント情報記憶手段へ書き込んだポイント情報に対する不正なアクセスや、改ざんを防止することができる。
ここで、前記ポイント情報は、当該交通機関を示すとともに、当該交通機関に対応するポイントと等価であることを示す利用情報であり、前記ポイント情報記憶手段は、さらに、前記ポイント情報と等価であるポイントを記憶するポイント記憶領域を有し、前記端末装置は、さらに、前記ポイント情報記憶手段にて記憶している利用情報を、交通機関毎にポイントを算出するポイント算出装置へ送信する送信手段と、前記ポイント算出装置から前記利用情報にて示される交通機関に対応して算出されたポイントを受信し、受信したポイントを前記ポイント記憶領域へ書き込む受信ポイント書込手段とを備えるとしてもよい。【００４０】  この構成によると、端末装置は、配信装置から利用情報にて示される交通機関に対応して算出されたポイントを受信し、耐タンパ性を有するポイント記憶領域へ書き込むことができる。これにより、端末装置は、ポイント記憶領域へ書き込んだポイントに対する不正なアクセスや、改ざんを防止することができる。
ここで、前記送信手段は、当該交通機関を識別する識別子と、前記識別子に対してデジタル署名を施した署名データとからなる前記利用情報を、前記ポイント算出装置へ送信するとしてもよい。【００４１】  この構成によると、端末装置は、識別子と識別子に対する署名データからなる利用情報を送信するので、利用情報に対するセキュリティが向上される。
ここで、前記端末装置は、さらに、当該端末装置を付帯する利用者が複数の交通機関の何れかの利用が許可された時刻を示す利用許可情報を外部装置から受信する利用許可情報受信手段と、利用許可情報記憶手段と、前記利用許可情報を、前記利用許可情報記憶手段へ書き込む利用許可情報書込手段とを備え、前記利用情報は、さらに、前記利用者が利用した交通機関の利用時刻を示し、前記送信手段は、さらに、前記利用許可情報を送信し、受信ポイント書込手段は、前記利用情報に対応して算出されたポイントに対して前記利用時刻と前記利用許可情報にて示される時刻との差分に応じた重み付けがなされた重み付けポイントを受信するとしてもよい。【００４２】  この構成よると、端末装置は、利用時刻と利用許可情報にて示される時刻との差分に応じた重み付けがなされた重み付けポイントを受信することができる。これにより、重み付けにより配布されるポイントが高くように、利用者は、利用する交通機関を選ぶことができる。
ここで、前記ポイント情報は、交通機関毎にポイントを算出するポイント算出装置にて算出された各ポイントのうち前記配信装置が設置された交通機関に対応して算出されたポイントであり、前記ポイント情報受信手段は、前記配信装置から当該配信装置が設置された交通機関に対応するポイントを、短距離無線により受信するとしてもよい。【００４３】  この構成によると、端末装置は、配信装置から当該交通機関に対応して算出されたポイントを受信することができる。
ここで、前記端末装置は、さらに、交通機関毎にポイントを算出するポイント算出装置から、算出された各ポイントからなる配当情報と、前記配当情報の正当性を証明する証明情報とを受信する配当情報受信手段と、受信した配当情報と証明情報とを記憶する配当情報記憶手段と、前記配当情報記憶部に記憶されている配当情報及び証明情報を、前記配信装置へ短距離無線にて送信する配当情報送信手段とを備え、前記ポイント情報は、前記配信装置が設置された交通機関に対して算出されたポイントであり、前記ポイント情報受信手段は、前記配信装置より、前記配当情報に含まれる各ポイントのうち、当該配信装置が設置された交通機関に対応するポイントを受信するとしてもよい。【００４４】  この構成によると、端末装置は、配当情報のうち当該交通機関に対応して算出されたポイントを、受信することができる。
ここで、前記ポイント情報記憶手段は、ポイント情報にて示されるポイントを蓄積しており、前記端末装置は、さらに、耐タンパ性を有し、電子マネーを記憶する領域をもつ電子マネー記憶手段と、前記ポイント情報記憶手段にて蓄積されているポイントを、電子マネーに変換する変換手段と、変換された電子マネーを前記電子マネー記憶手段へ書き込む電子マネー書込手段とを備えるとしてもよい。【００４５】  この構成によると、端末装置は、蓄積されているポイントのうち、所定値の整数倍からなる所定ポイントを、電子マネーに変換し、記憶することができる。これにより、端末装置は、電子マネー記憶手段へ書き込んだ電子マネーに対する不正なアクセスや、改ざんを防止することができる。
ここで、前記端末装置は、さらに、前記電子マネー記憶手段にて記憶している電子マネーを用いて、商品の購入に対する支払いを、短距離無線にて行う支払制御手段を備えるとしてもよい。【００４６】  この構成によると、端末装置を付帯する利用者は、記憶さている電子マネーを利用して、物品の購入することができる。
ここで、前記ポイント情報記憶手段、前記電子マネー記憶手段、前記変換手段及び前記支払制御手段は、可搬型の記録媒体にて構成されるとしてもよい。
この構成によると、利用者は、記録媒体のみを付帯することにより、電子マネーを利用することができる。
【図面の簡単な説明】
【００４７】
【図１】ポイント配布システム１の全体の概要を示す図である。
【図２】収集装置１０の構成を示すブロック図である。
【図３】車両装置２０の構成を示すブロック図である。
【図４】管理装置３０の構成を示すブロック図である。
【図５】時刻表記憶部３００が有する時刻表Ｔ１００のデータ構造の一例を示す。
【図６】時刻表記憶部３００が有する時刻表Ｔ１０１のデータ構造の一例を示す。
【図７】送付情報記憶部３０１の構成を示すブロック図である。
【図８】オッズ情報記憶部３１０が有するオッズ情報テーブルＴ１１０のデータ構造の一例を示す。
【図９】ポイント記憶部３１１が有するポイントテーブルＴ１１１のデータ構造の一例を示す。
【図１０】情報表示装置４０の構成を示すブロック図である。
【図１１】記録媒体５０の構成を示すブロック図である。
【図１２】携帯端末６０の構成を示すブロック図である。
【図１３】ポイント配布システム１における情報収集処理の動作を示す流れ図である。
【図１４】ポイント配布システム１におけるポイント確定処理の動作を示す流れ図である。
【図１５】ポイント配布システム１における乗車情報収集処理の動作を示す流れ図である。
【図１６】ポイント配布システム１における乗車人数収集処理の動作を示す流れ図である。
【図１７】ポイント配布システム１における第１オッズ算出処理の動作を示す流れ図である。
【図１８】ポイント配布システム１における換算情報収集処理の動作を示す流れ図である。
【図１９】ポイント配布システム１における換算人数収集処理の動作を示す流れ図である。
【図２０】ポイント配布システム１における利用情報の配布する処理の動作を示す流れ図である。図２１へ続く。
【図２１】ポイント配布システム１における利用情報の配布する処理の動作を示す流れ図である。図２０から続く。
【図２２】ポイント配布システム１におけるポイントを配布する処理概要の動作を示す流れ図である。
【図２３】ポイント配布システム１におけるポイント配布処理の動作を示す流れ図である。
【図２４】ポイント配布システム１におけるポイント書込処理の動作を示す流れ図である。
【図２５】ポイント配布システム１におけるオッズを配信する処理概要の動作を示す流れ図である。
【図２６】ポイント配布システム１におけるオッズ配信処理の動作を示す流れ図である。
【図２７】ポイント配布システム１０００の全体の概要を示す図である。
【図２８】収集装置１０１０の構成を示すブロック図である。
【図２９】車両装置１０２０の構成を示すブロック図である。
【図３０】管理装置１０３０の構成を示すブロック図である。
【図３１】ポイント情報記憶部１３０９が有するポイントテーブルＴ１０００のデータ構造の一例を示す。
【図３２】情報表示装置１０４０の構成を示すブロック図である。
【図３３】記録媒体１０５０の構成を示すブロック図である。
【図３４】携帯端末１０６０の構成を示すブロック図である。
【図３５】ポイント配布システム１０００における情報収集処理の動作を示す流れ図である。
【図３６】ポイント配布システム１０００におけるポイント情報受取処理の動作を示す流れ図である。
【図３７】ポイント配布システム１０００におけるポイント抽出処理の動作を示す流れ図である。
【図３８】ポイント配布システム１０００におけるポイント配布処理の動作を示す流れ図である。
【図３９】ポイント配布システム２０００の全体の概要を示す図である。
【図４０】収集装置２０１０の構成を示すブロック図である。
【図４１】車両装置２０２０の構成を示すブロック図である。
【図４２】管理装置２０３０の構成を示すブロック図である。
【図４３】記録媒体２０５０の構成を示すブロック図である。
【図４４】携帯端末２０６０の構成を示すブロック図である。
【図４５】ポイント配布システム２０００における全ポイント情報の送信に係る処理の動作を示す流れ図である。
【図４６】ポイント配布システム２０００におけるポイントの配布に係る処理の動作を示す流れ図である。
【図４７】ポイント配布システム２０００におけるポイント配布処理の動作を示す流れ図である。
【図４８】ポイント配布システム２０００におけるポイント書込処理の動作を示す流れ図である。
【図４９】ポイント配布システム３０００の全体の概要を示す図である。
【図５０】ポイント配布システム４０００の全体の概要を示す図である。
【図５１】電子マネーの利用時におけるシステムの全体の概要を示す図である。
【図５２】記録媒体５０Ａの構成を示すブロック図である。
【図５３】電子マネー記憶部５１０Ａが有する管理テーブルＴ５００のデータ構造の一例を示す。
【図５４】合計ポイントを電子マネーに変換した場合、管理テーブルＴ５００から更新された管理テーブルＴ５０１の内容の一例を示す。
【図５５】電子マネーを利用する際に、利用前における管理テーブルＴ５０２の内容の一例と、利用後における管理テーブルＴ５０３の内容の一例を示す。
【図５６】変換処理の動作を示す流れ図である。
【図５７】電子マネー利用処理の動作を示す流れ図である。
【図５８】累積ポイントを利用料金の決済に用いるシステムの全体の概要を示す図である。
【図５９】記録媒体５０Ｂの構成を示すブロック図である。
【図６０】決済装置７０Ｂの構成を示すブロック図である。
【図６１】割引情報記憶部７０１Ｂが有する割引テーブルＴ６００のデータ構造の一例を示す。
【図６２】履歴情報記憶部７０２Ｂが有する履歴情報テーブルＴ７００データ構造の一例を示す。
【図６３】ポイント配布システム１ａの全体の概要を示す図である。
【図６４】情報表示装置４０ａの構成を示すブロック図である。
【符号の説明】
【００４８】１  ポイント配布システム
１０、１１  収集装置
２０〜２７  車両装置
３０  管理装置
４０、４１  情報表示装置
５０  記録媒体
６０  携帯端末
１００  列車コード記憶部
１０１  制御部
１０２  無線部
１０３  入出力部
１０４  アンテナ部
２００  車両コード記憶部
２０１  秘密鍵記憶部
２０２  乗車人数記憶部
２０３  計測部
２０４  配布部
２０５  開閉検知部
２０６  時計部
２０７  無線部
２０８  入出力部
２０９  アンテナ部
３００  時刻表記憶部
３０１  送付情報記憶部
３０２  公開鍵記憶部
３０３  オッズ算出部
３０４  時計部
３０５  ポイント送付部
３０６  無線部
３０７  送受信部
３０８  アンテナ部
３１０  オッズ情報記憶部
３１１  ポイント記憶部
４００  時刻表記憶部
４０１  時計部
４０２  制御部
４０３  表示部
４０４  受信部
５００  情報記憶部
５０１  ポイント記憶部
５０２  利用情報記憶部
５０３  利用日時記憶部
６００  識別子記憶部
６０１  制御部
６０２  入力部
６０３  表示部
６０４  第１無線部
６０５  入出力部
６０６  第１アンテナ部
６０７  第２無線部
６０８  第２アンテナ部
【発明を実施するための最良の形態】
【００４９】  １．第１の実施の形態
本発明に係る実施の形態としてのポイント配布システム１について説明する。
１．１  ポイント配布システム１の概要
ポイント配布システム１は、各列車及び各車両毎の混雑度に応じて算出されたサービスポイント（以下、単に「ポイント」という。）を利用者へ配布するシステムであり、鉄道会社にて提供されるシステムである。利用者は、ポイントを集めて、鉄道会社が提供する特典を受けることができる。特典は、例えば、回数券、プレミアムコンテンツ、グッズであり、利用者は、集めたポイントと、これら特典とを交換することができる。【００５０】  ポイント配布システム１は、図１にて示すように、列車２ａ、・・・、２ｂのそれぞれに備えられた収集装置１０、・・・、１１及び車両装置２０、２１、２２、２３、・・・、２４、２５、２６、２７と、管理装置３０と、駅３ａ、・・・、３ｂに備えられた情報表示装置４０、・・・、４１と、記録媒体５０と、携帯端末６０とから構成されている。
収集装置１０は車両装置２０、２１、２２、２３と接続されており、収集装置１１は、車両装置２４、２５、２６、２７と接続されている。【００５１】  車両装置２０は、当該車両装置２０が備え付けられた車両の混雑度を計測し、計測結果より当該車両の混雑度を示す車両換算人数を取得する。また、車両装置２０は、前回の混雑度の計測後から当該車両に乗車した人数を示す車両乗車人数をカウントする。また、車両装置２０は、乗車した利用者が付帯する携帯端末６０へ、当該車両を識別する車両コードと利用した日時とからなる利用情報と、利用情報に対してデジタル署名を施した署名データとを短距離無線により送信する。ここで、例えば、車両装置２０による利用情報及び署名データの発信は車両のドア付近（例えば、ドアより内側１ｍに位置する車両の天井）にて行われ、短距離無線の通信距離を３ｍとする。なお、車両装置２１、・・・、２７も、車両装置２０と同様の動作を行う。【００５２】  収集装置１０は、各車両装置にて取得した各車両換算人数及び各車両乗車人数より、列車全体の混雑度を示す列車換算人数及び前回の混雑度の計測後から当該列車に乗車した人数を示す列車乗車人数を算出する。なお、収集装置１１も同様の動作を行う。
管理装置３０は、各車両装置にて取得した車両換算人数及び各収集装置にて算出した列車換算人数とを用いて、列車の各車両に対して、提供するポイントのオッズを算出し、さらに、各列車に対して、提供するポイントのオッズを算出する。また、管理装置３０は、携帯端末６０よりオッズの配信要求があると、携帯端末６０へオッズの送信を行う。また、管理装置３０は、各車両乗車人数及び各列車乗車人数とを受け取ると、受け取った情報と記憶しているオッズより利用者に割り当てるポイントを算出し、記憶する。管理装置３０は、携帯端末６０よりポイント配布の要求があると、記憶しているポイントを配布する。【００５３】  情報表示装置４０、・・・、４１は、管理装置３０にて算出したオッズの情報を表示する。
携帯端末６０は、列車を利用する場合及びポイントの配布を要求する場合には、記録媒体５０が装着される。携帯端末６０は、乗車した車両に備えられた車両装置より、利用情報を無線により受信すると、受信した利用情報を記録媒体５０へ書き込む。また、携帯端末６０は、管理装置３０よりポイントを受信すると、受信したポイントを、これまでに集めたポイントに加算して、記録媒体５０へ書き込む。【００５４】  １．２  収集装置１０の構成
収集装置１０、・・・、１１は同様の構成であるため、ここでは、収集装置１０の構成について、以下に説明する。
収集装置１０は、図２に示すように、列車コード記憶部１００、制御部１０１、無線部１０２、入出力部１０３及びアンテナ部１０４から構成されている。【００５５】  収集装置１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置１０は、その機能を達成する。【００５６】  （１）列車コード記憶部１００
当該収集装置１０が備え付けられた列車を識別する列車コードを記憶している。
（２）制御部１０１
制御部１０１は、車両装置２１、・・・、２３より車両換算人数を収集及び列車換算人数を算出する。【００５７】  また、制御部１０１は、管理装置３０にて定期的（本実施の形態では、５分ごととする。）に行われるオッズの算出において、車両装置２１、・・・、２３よりオッズ算出後の５分間に各車両に乗車した車両乗車人数を収集及び当該列車の乗車した列車乗車人数を算出する。
＜車両換算人数の収集及び列車換算人数の算出＞
制御部１０１は、無線部１０２を介して、管理装置３０より列車換算人数及び車両換算人数の収集を指示する収集命令と、列車コードを受け取ると、受け取った列車コードと、列車コード記憶部１００にて記憶している列車コードとが一致するか否かを判断する。【００５８】  一致しないと判断する場合には、何も行わない。
一致すると判断する場合には、先ず、車両装置２０へ入出力部１０３を介して、車両換算人数の計測を指示する計測命令を送信する。制御部１０１は、車両装置２０より入出力部１０３を介して、各車両を識別する車両コード及び車両換算人数からなる車両換算情報を受信し、受信した車両換算情報を一時的に記憶する。制御部１０１は、上記の動作を全車両装置に対して行う。なお、車両コードの詳細については、後述する。【００５９】  制御部１０１は、全車両装置から車両換算情報を受信すると、受信した各車両換算情報の車両換算人数を全て加算して、列車換算人数を算出し、列車コードと算出した列車換算人数とからなる列車換算情報を生成する。制御部１０１は、生成した列車換算情報、記憶している各車両換算情報及び列車コードを管理装置３０へ無線部１０２を介して、無線にて送信する。【００６０】  ＜車両乗車人数の収集及び列車乗車人数の算出＞
制御部１０１は、無線部１０２を介して、管理装置３０より列車乗車人数及び車両乗車人数の通知を指示する通知命令と、列車コードを受け取ると、受け取った列車コードと、列車コード記憶部１００にて記憶している列車コードとが一致するか否かを判断する。
一致しないと判断する場合には、何も行わない。【００６１】  一致すると判断する場合には、先ず、車両装置２０へ入出力部１０３を介して、車両乗車人数の通知を指示する乗車数通知命令を送信する。制御部１０１は、車両装置２０より入出力部１０３を介して、車両コード及び車両乗車人数からなる車両乗車情報を受信し、受信した車両乗車情報を一時的に記憶する。制御部１０１は、上記の動作を全車両装置に対して行う。【００６２】  制御部１０１は、全車両装置から車両乗車情報を受信すると、受信した各車両乗車情報の車両乗車人数を全て加算して、列車乗車人数を算出し、列車コードと算出した列車乗車人数とからなる列車乗車情報を生成する。制御部１０１は、生成した列車乗車情報、記憶している各車両乗車情報及び列車コードを管理装置３０へ無線部１０２を介して、無線にて送信する。【００６３】  （３）無線部１０２
無線部１０２は、アンテナ部１０４より電力信号を受け取り、受け取った電力信号を復調し、復調した信号からパルス信号波を抽出する。抽出したパルス信号波を解読して、命令と情報とを抽出する。
抽出する命令には、収集命令及び通知命令が含まれ、抽出する情報には、列車コードが含まれる。【００６４】  また、無線部１０２は、制御部１０１より情報を受け取ると、受け取った情報に基づいて、パルス信号波を生成し、生成したパルス信号波を変調記号として、変調記号に基づいて、搬送波の振幅を変化させ、振幅の変化した搬送波をアンテナ部１０４へ出力する。
（４）入出力部１０３
入出力部１０３は、制御部１０１より受け取った命令を各車両装置へ出力する。【００６５】  また、入出力部１０３は、各車両装置より受け取った情報を制御部１０１へ出力する。
（５）アンテナ部１０４
アンテナ部１０４は、無線部１０２より振幅の変化した搬送波を受け取ると、受け取った振幅の変化した搬送波を電波として空間に放射する。
また、アンテナ部１０４は、電波を受信し、受信した電波を電力信号に変換して、電力信号を無線部１０２へ出力する。【００６６】  １．３  車両装置２０の構成
車両装置２０は、図３に示すように、車両コード記憶部２００、秘密鍵記憶部２０１、乗車人数記憶部２０２、計測部２０３、配布部２０４、開閉検知部２０５、時計部２０６、無線部２０７、入出力部２０８及びアンテナ部２０９から構成されている。
車両装置２０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、車両装置２０は、その機能を達成する。【００６７】  なお、車両装置２１、・・・、２７は、車両装置２０と同様の構成であるため、説明は省略する。
（１）車両コード記憶部２００
車両コード記憶部２００は、当該車両装置２０が備え付けられた列車の車両を識別する車両コードを記憶している。車両コードは、列車コードと車両番号とからなるコードであり、車両コードに含まれる列車コードと、当該車両装置２０と接続している収集装置１０が記憶している列車コードとは同一である。【００６８】  （２）秘密鍵記憶部２０１
秘密鍵記憶部２０１は、携帯端末６０へ利用情報を無線にて送付する場合に、送付する利用情報に対して電子署名を行うための秘密鍵を記憶している。
（３）乗車人数記憶部２０２
乗車人数記憶部２０２は、管理装置３０にてオッズ算出から次のオッズ算出までの１周期（ここでは、５分）の間に当該車両に乗車した車両乗車人数を記憶する人数記憶領域を有する。人数記憶領域の初期値「０」である。なお、以降では、オッズ算出から次のオッズ算出までの１周期を乗車記憶周期と呼ぶ。【００６９】  （４）計測部２０３
計測部２０３は、当該車両の車両重量を予め記憶している。
計測部２０３は、収集装置１０から入出力部２０８を介して、計測命令を受信すると、当該車両の重量を計測し、計測重量を取得する。計測重量より予め記憶している車両重量を差し引いて、当該車両の乗客の総重量を算出する。算出した乗客の総重量を乗客の人数に換算し、車両換算人数を取得する。計測部２０３は、車両コード記憶部２００より記憶している車両コードを読み出し、読み出した車両コードと、取得した車両換算人数とからなる車両換算情報を生成し、生成した車両換算情報を、入出力部２０８を介して収集装置１０へ送信する。ここで、換算方法は、例えば、乗客１人当たりの体重を６０Ｋｇとして、乗客の総重量を６０で割って、その商を人数として換算する。なお、小数点以下は、繰り上げる。【００７０】  計測部２０３は、収集装置１０から入出力部２０８を介して、乗車数通知命令を受信すると、乗車人数記憶部２０２にて記憶している車両乗車人数を読み出し、さらに、車両コード記憶部２００より記憶している車両コードを読み出し、読み出した乗車人数及び車両コードとからなる車両乗車情報を生成し、生成した車両乗車情報を、入出力部２０８を介して収集装置１０へ出力する。計測部２０３は、乗車人数記憶部２０２にて記憶している車両乗車人数を初期値「０」へリセットする。【００７１】  （５）配布部２０４
配布部２０４は、列車２ａが停車した駅において車両装置２０が備えられた車両に乗車した人数をカウントする期間を示すカウント期間（例えば、３分間）を予め記憶している。
配布部２０４は、当該車両のドアが開いたことを示す開状態命令を開閉検知部２０５から受け取ると、車両コード記憶部２００より車両コードを、時計部２０６より日時を、秘密鍵記憶部２０１より秘密鍵をそれぞれ読み出し、読み出した車両コード及び日時からなる利用情報を生成する。さらに、配布部２０４は、読み出した秘密鍵を用いて、生成した利用情報に対して、デジタル署名を施し、署名データを生成する。配布部２０４は、生成した利用情報及び署名データからなる組と、利用情報の配布を示す利用情報配布命令と、利用情報の配布開始を指示する配布開始命令とを無線部２０７へ出力する。【００７２】  配布部２０４は、当該車両のドアが閉まったことを示す閉状態命令を開閉検知部２０５から受け取ると、利用情報の配布終了を指示する配布終了命令を無線部２０７へ出力する。
配布終了命令を無線部２０７へ出力した後、配布部２０４は、予め記憶しているカウント期間の間、利用情報を受け取った旨を示す情報受取命令及び携帯端末６０を識別する端末識別子を携帯端末６０から無線部２０７を介して受け取るために、待ち受け状態となる。【００７３】  配布部２０４は、携帯端末６０から無線部２０７を介して、情報受取命令と端末識別子とを受け取ると、乗車人数記憶部２０２にて記憶している車両乗車人数に「１」加算して、乗車人数記憶部２０２に記憶している内容を、加算した結果へ更新する。また、配布部２０４は、情報受取命令を受信した旨を示す応答命令と、受け取った端末識別子とを無線部２０７へ出力する。【００７４】  （６）開閉検知部２０５
開閉検知部２０５は、当該車両が備えるドアの開閉を検知する。開閉検知部２０５は、ドアが開いたことを検知すると、開状態命令を配布部２０４へ出力し、ドアが閉まったことを検知すると、閉状態命令を配布部２０４へ出力する。
（７）時計部２０６
時計部２０６は、日時の計時を行う。【００７５】  （８）無線部２０７
無線部２０７は、アンテナ部２０９より電力信号を受け取り、受け取った電力信号を復調し、復調した信号からパルス信号波を抽出する。抽出したパルス信号波を解読して、命令と情報とを抽出する。
抽出する命令には、情報受取命令が含まれ、抽出する情報には、端末識別子が含まれる。【００７６】  また、無線部２０７は、配布部２０４より利用情報及び署名データからなる組と、利用情報配布命令と、配布開始命令とを受け取ると、受け取った利用情報及び署名データからなる組と利用情報配布命令とに基づいて、パルス信号波を生成し、生成したパルス信号波を変調記号として、変調記号に基づいて、搬送波の振幅を変化させ、配布部２０４より配布終了命令を受け取るまでの間、振幅の変化した搬送波をアンテナ部２０９へ出力する。【００７７】  無線部２０７は、配布部２０４より応答命令と、端末識別子とを受け取ると、受け取った応答命令と、端末識別子とに基づいて、パルス信号波を生成し、生成したパルス信号波を変調記号として、変調記号に基づいて、搬送波の振幅を変化させ、配布部２０４より配布終了命令を受け取るまでの間、振幅の変化した搬送波をアンテナ部２０９へ出力する。
（９）入出力部２０８
入出力部２０８は、計測部２０３より受け取った情報を収集装置１０へ出力する。【００７８】  また、入出力部２０８は、収集装置１０より受け取った命令を計測部２０３へ出力する。
（１０）アンテナ部２０９
アンテナ部２０９は、無線部２０７より振幅の変化した搬送波を受け取ると、受け取った振幅の変化した搬送波を電波として空間に放射する。【００７９】  また、アンテナ部２０９は、電波を受信し、受信した電波を電力信号に変換して、電力信号を無線部２０７へ出力する。
１．４  管理装置３０の構成
管理装置３０は、図４に示すように、時刻表記憶部３００、送付情報記憶部３０１、公開鍵記憶部３０２、オッズ算出部３０３、時計部３０４、ポイント送付部３０５、無線部３０６、送受信部３０７及びアンテナ部３０８から構成されている。【００８０】  管理装置３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置３０は、その機能を達成する。【００８１】  （１）時刻表記憶部３００
時刻表記憶部３００は、図５及び図６にて、一例と示すように、時刻表Ｔ１００及びＴ１０１とを記憶している。
図５に示す時刻表は、Ａ駅を始発駅とし、Ｅ駅を終着駅とする時刻表であり、図６に示す時刻表は、Ｅ駅を始発駅とし、Ａ駅を終着駅とする時刻表である。【００８２】  時刻表Ｔ１００は、列車コード及びＡ駅、Ｂ駅、Ｃ駅、Ｄ駅、・・・、Ｅ駅から構成される組を１個以上記憶する領域を有している。
列車コードは、各列車を識別するコードであり、Ａ駅、Ｂ駅、Ｃ駅、Ｄ駅、・・・、Ｅ駅は、列車コードにて示される列車が各駅を出発する時刻を示している。
なお、時刻表Ｔ１０１は、時刻表Ｔ１００と同様の構成であるため、説明は省略する。また、ここでは、便宜上、時刻表Ｔ１００を上り用の時刻表、時刻表Ｔ１０１を下り用の時刻表とする。【００８３】  （２）送付情報記憶部３０１
送付情報記憶部３０１は、図７に示すように、オッズ情報記憶部３１０及びポイント記憶部３１１とを備えている。
＜オッズ情報記憶部３１０＞
オッズ情報記憶部３１０は、図８に一例として示すように、オッズ情報テーブルＴ１１０を有している。【００８４】  オッズ情報テーブルＴ１１０は、日時、列車コード、区分、列車オッズ、車両オッズ、列車乗車人数及び車両乗車人数からなる組を１個以上記憶するための領域を有している。
日時は、列車オッズ及び車両オッズを算出した日時を示す。
列車コードは、列車を識別するコードであり、区分は、列車コードに対応する列車が上り列車であるか、下り列車であるかの区分を示す。【００８５】  列車オッズは、オッズ算出の対象となった列車を利用者が利用した場合のオッズを示す。
車両オッズは、さらに、１号車、２号車、３号車及び４号車から構成され、それぞれの項目には、利用者が当該車両を利用した場合のオッズを示す。
列車乗車人数は、乗車記憶周期中に、列車コードに対応する列車より乗車した人数を示す。【００８６】  車両乗車人数は、さらに、１号車、２号車、３号車及び４号車から構成され、それぞれの項目には、乗車記憶周期中に、当該車両へ乗車した人数を示す。
＜ポイント記憶部３１１＞
ポイント記憶部３１１は、図９に一例として示すように、ポイントテーブルＴ１１１を有している。【００８７】  ポイントテーブルＴ１１１は、日時、列車コード、列車ポイント及び車両ポイントからなる組を１個以上記憶するための領域を有している。
日時は、列車ポイント及び車両ポイントを算出した日時を示す。
列車コードは、列車を識別するコードであり、列車ポイントは、列車コードに対応する列車を利用した利用者へ割り当てるポイントを示す。【００８８】  車両ポイントは、さらに、１号車、２号車、３号車及び４号車から構成され、それぞれの項目には、当該車両を利用した利用者へ割り当てるポイントを示す。
（３）公開鍵記憶部３０２
公開鍵記憶部３０２は、各車両装置にて記憶している秘密鍵それぞれに対応する公開鍵を、各車両コードと対応付けて記憶している。【００８９】  （４）時計部３０４
時計部３０４は、日時の計時を行う。
（５）オッズ算出部３０３
オッズ算出部３０３は、各列車の列車オッズ、列車の各車両における車両オッズ、及び利用者へ割り当てる列車ポイント及び車両ポイントを算出及び携帯端末６０へオッズ情報記憶部３１０に記憶しているオッズの情報の配信を行う。【００９０】  オッズ算出部３０３は、列車ポイントを算出する際の基準となる列車基準ポイント（例えば、１０００ポイント）と、車両ポイントを算出する際の基準となる車両基準ポイント（例えば、１００ポイント）とを予め記憶している。
＜オッズ算出＞
オッズ算出部３０３は、時計部３０４にて計時される日時を監視し、オッズを算出する日時であるか否かを判断し、オッズを算出する日時であると判断する場合には、その日時を時計部３０４より取得する。【００９１】  オッズ算出部３０３は、列車運行日における１回目のオッズ算出であるか否かを判断する。この判断方法は、例えば、始発列車が出発する１分前からオッズの算出を行うとすると、時計部３０４より取得した日時（ここでは、４時５９分）により判断することができる。
オッズ算出部３０３は、１回目のオッズ算出であると判断する場合には、以下に示す動作を行い、１回目でないと判断する場合には、乗車記憶周期中に乗車した列車乗車人数及び車両乗車人数を収集して、列車ポイント及び車両ポイントを算出して、配布するポイントを確定し、その後、以下に示す動作を行う。なお、ポイントの確定については、後述する。【００９２】  オッズ算出部３０３は、時計部３０４にて取得した日時を用いて、先ず、現在運行中の列車及び現時刻から１０分以内に運行される列車の列車コードを時刻表Ｔ１００より抽出する。例えば、取得した日時が、「２００４年３月１日９時４分」である場合に、時刻表Ｔ１００より取得する列車コードは、「０５１」、「０５２」、「０５３」、「０５４」、「０５５」となる。なお、以降では、抽出した列車コードに対応する列車は、列車２ａ、・・・、列車２ｂとする。【００９３】  オッズ算出部３０３は、抽出した列車コードに対して、その列車コードに対応する列車が備える収集装置１０へ、収集命令と、その列車コードとを無線部３０６を介して送信する。オッズ算出部３０３は、収集装置１０より、列車コードと列車換算情報と列車の車両ごとの車両換算情報とを、無線部３０６を介して受信し、受信した列車コード、列車換算情報及び各車両換算情報を一時的に記憶する。オッズ算出部３０３は、時刻表Ｔ１００より抽出した全ての列車コードに対して、上記動作を行う。つまり、ここでは、収集装置１０、・・・、１１に対して上記動作を行う。【００９４】  オッズ算出部３０３は、情報の収集が完了したか否かを判断し、完了していないと判断する場合には、情報を収集していない列車コードに対して、上記に示す列車換算情報及び各車両換算情報の収集の動作を繰り返す。
情報の収集が完了したと判断する場合には、以下のようにしてオッズを算出する。オッズ算出部３０３は、先ず、一時的に記憶している全ての列車換算人数が「０」であるか否かを判断し、全てが「０」でないと判断する場合、つまり列車換算人数が「１」以上であるものが少なくとも１つ以上存在する場合には、列車換算人数が「１」以上のものを用いて、比を算出し、取得する。次に、取得した比を逆数にし、逆数にした比が、それぞれ整数となるように、各分母の最小公倍数を乗算し、乗算した結果を各列車に対する列車オッズとする。列車換算人数が「０」であるものに対しては、取得した列車オッズのうち最大となる列車オッズに「１」を加算した結果を列車換算人数が「０」である列車の列車オッズとする。【００９５】  オッズ算出部３０３は、全ての列車換算人数が「０」であると判断する場合には、各列車の列車オッズを「１」とする。
次に、各列車における車両ごとの車両オッズを算出する。オッズ算出部３０３は、抽出した各列車コードのうち１つの列車コードに対応する列車の各車両換算人数を一時的に記憶している情報より取得する。取得した各車両換算人数が全て「０」であるか否かを判断し、全てが「０」でないと判断する場合、つまり車両換算人数が「１」以上であるものが少なくとも１つ以上存在する場合には、車両換算人数が「１」以上のものを用いて、比を算出し、取得する。次に、取得した比を逆数にし、逆数にした比が、それぞれ整数となるように、各分母の最小公倍数を乗算し、乗算した結果を各車両に対する車両オッズとする。車両換算人数が「０」であるものに対しては、取得した車両オッズのうち最大となる車両オッズに「１」を加算した結果を車両換算人数が「０」である車両の車両オッズとする。オッズ算出部３０３は、取得した各車両換算人数が全て「０」であると判断する場合には、各車両の車両オッズを「１」とする。この動作を、抽出した全ての列車コードに対して行う。【００９６】  オッズ算出部３０３は、取得した日時と、列車コードと、区分（ここでは、「上り」を示す区分となる。）と、列車コードに対応する列車オッズ及び各車両の車両オッズとをオッズ情報テーブルＴ１１０へ書き込む。このとき、列車コードに対応する列車乗車人数及び車両乗車人数は、空白のままである。
オッズ算出部３０３は、オッズの情報を表示する指示を示す表示指示命令と、オッズ情報テーブルＴ１１０へ書き込んだ日時、列車コード、区分、列車オッズ及び車両オッズからなる組全てを情報表示装置４０、・・・、４１へ送受信部３０７を介して送信する。なお、以降では、オッズ情報テーブルＴ１１０へ書き込んだ日時、列車コード、列車オッズ及び車両オッズからなる組を表示情報という。【００９７】  次に、オッズ算出部３０３は、取得した日時を用いて、時刻表Ｔ１０１より、現在運行中の列車及び現時刻から１０分以内に運行される列車の列車コードを抽出し、上記と同様の動作を行い、列車オッズ、各車両の車両オッズを算出、オッズ情報テーブルＴ１１０への書き込み、及び書き込んだ全てのオッズ情報を情報表示装置４０、・・・、４１へ送信する。なお、このとき、オッズ情報テーブルＴ１１０へ書き込まれる区分は、「下り」を示す区分となる。【００９８】  （オッズ算出の具体例）
ここでは、列車２ａの各車両に対するオッズ算出の具体例を以下に示す。
車両装置２０、２１、２２、２３は、それぞれ順に１号車、２号車、３号車及び４号車に備えられている。車両装置２０、２１、２２、２３にて、生成された各車両換算情報に含まれる車両換算人数を「３０人」、「４０人」、「２０人」、「１０人」とする。【００９９】  オッズ算出部３０３は、各車両換算人数に対する比を算出し、算出結果として、「３：４：２：１」を取得する。取得した比を逆数にして、整数比に変換して、「４：３：６：１２」という結果を取得する。この結果が、各車両の車両オッズとなる。つまり、オッズ「４」は１号車の車両オッズとなり、オッズ「３」は２号車の車両オッズとなり、オッズ「６」は３号車の車両オッズとなり、オッズ「１２」は４号車の車両オッズとなる。【０１００】  また、車両装置２０、２１、２２、２３にて、生成された各車両換算情報に含まれる車両換算人数が「３０人」、「４０人」、「２０人」、「０人」である場合には、各車両オッズは、「４」、「３」、「６」、「７」となる。
＜ポイントの確定＞
オッズ算出部３０３は、１回目でないと判断すると、前回オッズ算出を行った列車の列車コードを抽出する。抽出方法の一例として、オッズ情報テーブルＴ１１０の日時が、時計部３０４より取得した日時より５分前である日時に対応する列車コードを全て抽出する。【０１０１】  なお、以降では、オッズ情報テーブルＴ１１０より抽出した列車コードに対応する列車は、列車２ａ、・・・、列車２ｂとして説明する。
オッズ算出部３０３は、抽出した列車コードに対して、その列車コードに対応する列車が備える収集装置１０へ、通知命令と、その列車コードとを無線部３０６を介して送信する。オッズ算出部３０３は、収集装置１０より列車コードと、列車乗車情報と、列車の車両ごとの車両乗車情報とを、無線部３０６を介して受信し、受信した列車コード、列車乗車情報及び各車両乗車情報を、オッズ情報テーブルＴ１１０の対応する領域へ書き込む。オッズ算出部３０３は、オッズ情報テーブルＴ１１０より抽出した全ての列車コードに対して、上記動作を行う。つまり、ここでは、収集装置１０、・・・、１１に対して上記動作を行う。【０１０２】  オッズ算出部３０３は、情報の収集が完了したか否かを判断し、完了していないと判断する場合には、情報を収集していない列車コードに対して、上記動作を繰り返す。
情報の収集が完了したと判断する場合には、今回、列車乗車情報及び各車両乗車情報の書き込みを行った全列車コードのうち、区分が「上り」である各列車コードに対して、以下のようにして利用者に割り当てるポイントを算出する。【０１０３】  オッズ算出部３０３は、先ず、列車コードに対応する列車オッズに列車乗車人数を乗算し、各乗算結果を加算する。予め記憶している列車基準ポイント（１０００ポイント）を、加算した結果で割り算を行い、その商を算出する。なお、小数点第１位を四捨五入する。これにより、オッズ「１」当たりのポイントが算出されることになる。
さらに、オッズ算出部３０３は、算出した商に、各列車オッズをそれぞれ乗算して、乗算した各結果を、各列車オッズに対応する列車ポイントとする。【０１０４】  次に、各列車における車両ごとの車両ポイントを算出する。オッズ算出部３０３は、今回、列車乗車情報及び各車両乗車情報の書き込みを行った各列車コードのうち１つの列車コードに対応する車両オッズと車両乗車人数とをオッズ情報テーブルＴ１１０より取得する。取得した車両オッズに対して、車両基準ポイントを用いて、次のようにして列車ポイントを算出する。先ず、車両オッズに車両乗車人数を乗算し、各乗算結果を加算する。車両基準ポイントを、加算した結果で割り算を行い、その商を算出する。なお、小数点第１位を四捨五入する。さらに、算出した商に、各車両オッズをそれぞれ乗算して、乗算した各結果を、各列車オッズに対応する列車ポイントとする。この動作を今回、列車乗車情報及び各車両乗車情報の書き込みを行った各列車コードの対して行い、時計部３０４より取得した日時、列車コード、算出した列車ポイント及び車両ポイントをポイントテーブルＴ１１１へ書き込む。この動作を抽出した全ての列車コードに対して行う。【０１０５】  オッズ算出部３０３は、次に、列車乗車情報及び各車両乗車情報の書き込みを行った全列車コードのうち、区分が「下り」である各列車コードに対して、上記と同様の方法にて、利用者に割り当てるポイントを算出する。
（ポイント確定の具体例）
ここでは、先に示したオッズ算出の具体例を用いて、列車２ａの各車両に対するポイントの具体例を、以下に示す。【０１０６】  車両装置２０、２１、２２、２３にて、生成された各車両乗車情報に含まれる車両乗車人数を「２人」、「０人」、「１人」、「３人」とし、オッズは、上記の具体例にて示した車両オッズ「４」、「３」、「６」、「１２」を用いる。
オッズ算出部３０３は、車両オッズに車両乗車人数を乗算し、各乗算結果を加算すると、加算結果として、「５０」を得る。次に、車両基準ポイント（１００ポイント）を加算結果「５０」で割り算を行い、商「２」を得る。オッズ算出部３０３は、商「２」に、各車両オッズをそれぞれ乗算して、各車両の車両ポイントとして、「８」、「６」、「１２」、「２４」を取得する。【０１０７】  ＜オッズの情報を携帯端末６０へ送信＞
オッズ算出部３０３は、携帯端末６０より送受信部３０７を介して、検索命令及び検索情報を受信する。オッズ算出部３０３は、受信した検索情報に含まれる上り下りを区別する情報と対応する時刻表（例えば、情報が上りを示す情報である場合には、時刻表Ｔ１００となる。）から、検索情報に含まれる利用駅において、利用時間から所定の時間内（例えば、３０分内）に、出発する列車の列車コードを全て取得する。【０１０８】  オッズ情報記憶部３１０のオッズ情報テーブルＴ１１０にて、最近に書き込まれたオッズの情報に含まれる列車コードのうち、取得した各列車コードの何れかと一致するもののみを取得する。これにより、オッズ算出部３０３は、検索条件を満たすオッズの情報をオッズ情報記憶部３１０より取得することができる。
オッズ算出部３０３は、送受信部３０７を介して携帯端末６０へ、取得したオッズの情報と、オッズの情報を送信することを示すオッズ送信命令を送信する。【０１０９】  （６）ポイント送付部３０５
ポイント送付部３０５は、携帯端末６０から送受信部３０７を介して、ポイント送付を要求する要求命令と、利用情報と利用情報に対応する署名データとを受信する。
ポイント送付部３０５は、利用情報に含まれる車両コードと対応する公開鍵を公開鍵記憶部３０２より取得し、取得した公開鍵と利用情報と署名データとを用いて、署名検証を行う。【０１１０】  署名検証により、受信した利用情報が正当な利用情報であると識別した場合には、受信した利用情報に含まれる日時以降で、その日時に一番近い日時と、列車コードと、列車ポイント及び各車両ポイントとからなる組がポイントテーブルＴ１１１に存在するか否かを判断する。
組が存在すると判断する場合には、受信した利用情報の車両コードに含まれる列車コードと対応する列車ポイントを取得し、さらに、各車両ポイントのうちで受信した車両コードに含まれる車両番号に対応する車両ポイントとを取得し、取得した各ポイントと、ポイントを送付する旨を示すポイント送付命令とを、送受信部３０７を介して携帯端末６０へ送信する。【０１１１】  組が存在しないと判断する場合には、ポイント送付部３０５は、未だポイントが確定していないとみなし、ポイントが存在しない旨を示すポイント不在情報を生成し、生成したポイント不在情報と、ポイント不在情報を送信する旨を示す不在情報送付命令とを、送受信部３０７を介して携帯端末６０へ送信する。
署名検証により、受信した利用情報が正当な利用情報でないと識別した場合、ポイント送付部３０５は、受信した情報が不正であることを示すエラー情報を生成し、生成したエラー情報と、エラー情報を送信する旨を示すエラー情報送付命令を送受信部３０７を介して携帯端末６０へ送信する。【０１１２】  （７）無線部３０６
無線部３０６は、アンテナ部３０８より電力信号を受け取り、受け取った電力信号を復調し、復調した信号からパルス信号波を抽出する。抽出したパルス信号波を解読して、情報を抽出する。
抽出する情報には、列車コード、列車換算情報、車両換算情報、列車乗車情報及び車両乗車情報が含まれる。【０１１３】  また、無線部３０６は、オッズ算出部３０３より収集命令と列車コードとを受け取ると、受け取った収集命令及び列車コードに基づいて、パルス信号波を生成し、生成したパルス信号波を変調記号として、変調記号に基づいて、搬送波の振幅を変化させ、振幅の変化した搬送波をアンテナ部３０８へ出力する。
また、無線部３０６は、オッズ算出部３０３より通知命令と列車コードとを受け取ると、受け取った通知命令及び列車コードに基づいて、パルス信号波を生成し、生成したパルス信号波を変調記号として、変調記号に基づいて、搬送波の振幅を変化させ、振幅の変化した搬送波をアンテナ部３０８へ出力する。【０１１４】  （８）送受信部３０７
送受信部３０７は、携帯端末６０よりインターネットを介して、検索命令及び検索情報を受信すると、受信した検索命令及び検索情報をオッズ算出部３０３へ出力する。
送受信部３０７は、携帯端末６０よりインターネットを介して、要求命令と利用情報と利用情報に対応する署名データとを受信すると、受信した要求命令と利用情報と署名データをポイント送付部３０５へ出力する。【０１１５】  また、送受信部３０７は、表示指示命令と、オッズ情報テーブルＴ１１０へ書き込んだ表示情報全てをオッズ算出部３０３より受け取ると、受け取った命令及び情報を情報表示装置４０、・・・、４１へインターネットを介して送信する。
送受信部３０７は、オッズ算出部３０３より、検索条件を満たすオッズの情報と、オッズ送信命令を受け取ると、受け取った命令と情報とを携帯端末６０へインターネットを介して送信する。【０１１６】  送受信部３０７は、ポイント送付部３０５より列車ポイント及び車両ポイントと、ポイント送付命令とを受け取ると、受け取った各ポイント及びポイント送付命令を携帯端末６０へインターネットを介して送信する。
送受信部３０７は、ポイント送付部３０５よりポイント不在情報及び不在情報送付命令を受け取ると、受け取ったポイント不在情報及び不在情報送付命令を、インターネットを介して送信する。【０１１７】  送受信部３０７は、ポイント送付部３０５よりエラー情報及びエラー情報送付命令を受け取ると、受け取ったエラー情報及びエラー情報送付命令を、インターネットを介して送信する。
（９）アンテナ部３０８
アンテナ部３０８は、無線部３０６より振幅の変化した搬送波を受け取ると、受け取った振幅の変化した搬送波を電波として空間に放射する。【０１１８】  また、アンテナ部３０８は、電波を受信し、受信した電波を電力信号に変換して、電力信号を無線部３０６へ出力する。
１．５  情報表示装置４０の構成
情報表示装置４０、・・・、４１は同様の構成であるため、ここでは、情報表示装置４０の構成について、以下に説明する。【０１１９】  情報表示装置４０は、図１０に示すように、時刻表記憶部４００、時計部４０１、制御部４０２、表示部４０３及び受信部４０４から構成されている。
情報表示装置４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置４０は、その機能を達成する。【０１２０】  （１）時刻表記憶部４００
時刻表記憶部４００は、管理装置３０が備える時刻表記憶部３００と同様であるため、説明は省略する。
（２）時計部４０１
時計部４０１は、日時の計時を行う。【０１２１】  （３）制御部４０２
制御部４０２は、管理装置３０より受信部４０４を介して、表示指示命令と、管理装置３０のオッズ算出部３０３がオッズ情報テーブルＴ１１０へ書き込んだ表示情報を１個以上受信する。
制御部４０２は、時刻表記憶部４００に記憶している時刻表を用いて、受信した１個以上の表示情報のうち、今後、当該情報表示装置４０が備えられた駅３ａを出発する列車の列車コードと対応する表示情報を全て抽出する。制御部４０２は、抽出した全ての表示情報を表示部４０３へ出力する。【０１２２】  （４）表示部４０３
表示部４０３は、例えば、ディスプレイを備え、制御部４０２より受け取った表示情報を表示する。
（５）受信部４０４
受信部４０４は、表示指示命令と１個以上の表示情報とを、インターネットを介して管理装置３０より受信すると、受信した命令と情報とを制御部４０２へ出力する。【０１２３】  １．６  記録媒体５０の構成
記録媒体５０は、耐タンパ性を有しており、図１１に示すように、情報記憶部５００から構成され、情報記憶部５００は、ポイント記憶部５０１、利用情報記憶部５０２及び利用日時記憶部５０３を有している。
記録媒体５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体５０は、その機能を達成する。【０１２４】  （１）ポイント記憶部５０１
ポイント記憶部５０１は、管理装置３０より配布されたポイントを累積した合計ポイントを記憶する領域を有している。
ポイント記憶部５０１にて記憶される合計ポイントの初期値は、「０」である。
（２）利用情報記憶部５０２
利用情報記憶部５０２は、車両装置２０より送信された利用情報と、その利用情報に対する署名データと、利用情報を削除するか否かを示す削除フラグとからなる組を１個以上記憶するための領域を有している。【０１２５】  ここで、削除フラグには、例えば、「０」及び「１」の何れかの値からなり、「０」である場合には、利用情報を削除しないことを示し、「１」である場合には、利用情報を削除することを示す。なお、削除フラグの初期値は「０」である。
（３）利用日時記憶部５０３
利用日時記憶部５０３は、利用者が列車を利用した最新の日時を記憶する領域を有している。【０１２６】  １．７  携帯端末６０の構成
携帯端末６０は、図１２に示すように、識別子記憶部６００、制御部６０１、入力部６０２、表示部６０３、第１無線部６０４、入出力部６０５、第１アンテナ部６０６、第２無線部６０７及び第２アンテナ部６０８から構成されている。
携帯端末６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末６０は、その機能を達成する。【０１２７】  （１）識別子記憶部６００
識別子記憶部６００は、携帯端末６０を識別する端末識別子を記憶している。
（２）制御部６０１
制御部６０１は、車両装置２０より受信した利用情報及び署名データを記録媒体５０へ書き込むか否かを判断するための基準となる基準時間（例えば、３０分）を予め記憶している。また、制御部６０１は、車両装置２０へ端末識別子と情報受取命令とを、送信する期間を示す送信期間（例えば、３分間）を予め記憶している。【０１２８】  制御部６０１は、入力部６０２よりオッズの情報の検索指示と、検索情報とを受け取ると、検索命令と受け取った検索情報とを、第１無線部６０４を介して管理装置３０へ送信する。
制御部６０１は、第１無線部６０４を介して管理装置３０よりオッズ送信命令と、管理装置３０が取得したオッズの情報とを受信すると、受信したオッズの情報を表示部６０３へ出力する。【０１２９】  制御部６０１は、第２無線部６０７を介して車両装置２０より利用情報及び署名データからなる組と利用情報配布命令とを受信すると、受信した利用情報に含まれる日時と、記録媒体５０の利用日時記憶部５０３にて記憶している日時とを比較して、基準時間内であるか否かを判断する。基準時間内であると判断する場合には、受信した利用情報及び署名データを破棄する。基準時間内ではないと判断する場合には、受信した利用情報及び署名データと、削除フラグ「０」とを、入出力部６０５を介して記録媒体５０の利用情報記憶部５０２へ書き込み、さらに、利用日時記憶部５０３にて記憶している日時から受信した利用情報に含まれる日時へと更新する。次に、制御部６０１は、識別子記憶部６００にて記憶している端末識別子を読み出し、読み出した端末識別子と情報受取命令とを、予め記憶している送信期間の間、第２無線部６０７を介して車両装置２０へ送信する。制御部６０１は、さらに、車両装置２０より第２無線部６０７を介して、応答命令及び端末識別子を受信すると、受信した端末識別子と、読み出した端末識別子とが一致するか否かを判断する。一致しないと判断する場合には、送信期間内か否かを判断し、送信期間内であると判断する場合には、再度、読み出した端末識別子と情報受取命令とを、車両装置２０へ送信する。送信期間内でないと判断する場合には、読み出した端末識別子と情報受取命令との送信を終了する。また、車両装置２０より受信した端末識別子と読み出した端末識別子とが一致する場合には、読み出した端末識別子と情報受取命令との送信を終了する。【０１３０】  制御部６０１は、入力部６０２よりポイント配布の要求指示を受け取ると、記録媒体５０より入出力部６０５を介して、利用情報記憶部５０２にて記憶している利用情報及び署名データからなる組を１個取得する。制御部６０１は、取得した組及び要求命令を、第１無線部６０４を介して管理装置３０へ送信する。制御部６０１は、管理装置３０より第１無線部６０４を介して、命令と情報とからなる組を受信すると、受信した命令が、ポイント送付命令であるか否かを判断する。制御部６０１は、受信した命令がポイント送付命令であると判断する場合には、記録媒体５０のポイント記憶部５０１にて記憶している合計ポイントに、受信した各ポイントを累積することにより、合計ポイントを更新し、送信した利用情報及び署名データに対応する削除フラグを「０」から「１」へと更新する。【０１３１】  制御部６０１は、判断結果が否定的である場合には、受信した命令がエラー情報送付命令であるか否かを判断する。エラー情報送付命令であると判断する場合には、受信したエラー情報を表示部６０３へ出力し、送信した利用情報及び署名データに対応する削除フラグを「０」から「１」へと更新する。制御部６０１は、受信した命令がエラー情報送付命令でない、つまり不在情報送付命令であると判断する場合には、受信したポイント不在情報を表示部６０３へ出力する。【０１３２】  制御部６０１���、未送信の利用情報及び署名データが、利用情報記憶部５０２に存在するか否かを判断し、存在すると判断する場合には、未送信の利用情報及び署名データからなる組を１個取得し、上記動作を行う。未送信の利用情報及び署名データが、利用情報記憶部５０２に存在しないと判断する場合には、利用情報記憶部５０２に記憶している利用情報及び署名データと、削除フラグとからなる組のうち、削除フラグが「１」である組全てを消去する。つまり、削除フラグが「０」である利用情報及び署名データとは削除されないことになる。【０１３３】  （３）入力部６０２
入力部６０２は、利用者よりオッズの情報の検索指示と、検索情報とを受け付けると、受け付けた検索指示及び検索情報を制御部６０１へ出力する。
入力部６０２は、利用者よりポイント配布の要求指示を受け付けると、受け付けた要求指示を制御部６０１へ出力する。【０１３４】  （４）表示部６０３
表示部６０３は、制御部６０１よりオッズの情報を受け取ると、受け取ったオッズの情報を表示する。
表示部６０３は、制御部６０１より、エラー情報を受け取ると、管理装置３０へ送信した利用情報及び署名データが不正である旨を示すエラーメッセージを表示する。【０１３５】  表示部６０３は、制御部６０１より、ポイント不在情報を受け取ると、管理装置３０へ送信した利用情報に対応するポイントが未確定である旨を示すポイント未確定メッセージを表示する。
（５）第１無線部６０４
第１無線部６０４は、第１アンテナ部６０６より電力信号を受け取り、受け取った電力信号を復調し、復調した信号からパルス信号波を抽出する。抽出したパルス信号波を解読して、命令及び情報を抽出し、抽出した命令及び情報を制御部６０１へ出力する。【０１３６】  抽出する命令には、オッズ送信命令、ポイント送付命令、エラー情報送付命令及び不在情報送付命令が含まれる。
第１無線部６０４は、抽出した命令がオッズ送信命令である場合に、さらに、管理装置３０が取得したオッズの情報を抽出する。第１無線部６０４は、抽出した命令がポイント送付命令である場合に、さらに、列車ポイント及び車両ポイントを抽出する。第１無線部６０４は、抽出した命令がエラー情報送付命令である場合に、さらに、エラー情報を抽出する。第１無線部６０４は、抽出した命令が不在情報送付命令である場合に、さらに、ポイント不在情報を抽出する。【０１３７】  第１無線部６０４は、制御部６０１より検索命令と検索情報とを受け取ると、受け取った検索命令と検索情報とに基づいて、パルス信号波を生成し、生成したパルス信号波を変調記号として、変調記号に基づいて、搬送波の振幅を変化させ、振幅の変化した搬送波を第１アンテナ部６０６へ出力する。
第１無線部６０４は、制御部６０１より要求命令と利用情報及び署名データとからなる組とを受け取ると、受け取った要求命令と利用情報及び署名データとからなる組とに基づいて、パルス信号波を生成し、生成したパルス信号波を変調記号として、変調記号に基づいて、搬送波の振幅を変化させ、振幅の変化した搬送波を第１アンテナ部６０６へ出力する。【０１３８】  （６）第２無線部６０７
第２無線部６０７は、第２アンテナ部６０８より電力信号を受け取り、受け取った電力信号を復調し、復調した信号からパルス信号波を抽出する。抽出したパルス信号波を解読して、命令及び情報を抽出し、抽出した命令及び情報を制御部６０１へ出力する。
抽出する命令には、利用情報配布命令及び応答命令が含まれる。【０１３９】  第２無線部６０７は、抽出した命令が利用情報配布命令である場合に、さらに、利用情報と署名データの組を抽出する。第２無線部６０７は、抽出した命令が応答命令である場合に、さらに、端末識別子を抽出する。
第２無線部６０７は、制御部６０１より情報受取命令と端末識別子とを受け取ると、受け取った情報受取命令と端末識別子とに基づいて、パルス信号波を生成し、生成したパルス信号波を変調記号として、変調記号に基づいて、搬送波の振幅を変化させ、振幅の変化した搬送波を第２アンテナ部６０８へ出力する。【０１４０】  （７）入出力部６０５
入出力部６０５は、制御部６０１と記録媒体５０との間において、情報の入出力を行う。
（８）第１アンテナ部６０６及び第２アンテナ部６０８
第１アンテナ部６０６は、第１無線部６０４より振幅の変化した搬送波を受け取ると、受け取った振幅の変化した搬送波を電波として空間に放射する。【０１４１】  また、第１アンテナ部６０６は、電波を受信し、受信した電波を電力信号に変換して、電力信号を第１無線部６０４へ出力する。
第２アンテナ部６０８は、第２無線部６０７より振幅の変化した搬送波を受け取ると、受け取った振幅の変化した搬送波を電波として空間に放射する。
また、第２アンテナ部６０８は、電波を受信し、受信した電波を電力信号に変換して、電力信号を第２無線部６０７へ出力する。【０１４２】  １．８  情報収集処理の動作
ここでは、オッズ算出時に行われる情報収集処理について、図１３に示す流れ図を用いて説明する。
管理装置３０のオッズ算出部３０３は、時計部３０４にて計時される日時を監視し、オッズを算出する日時であるか否かを判断し（ステップＳ５）、オッズを算出する日時であると判断する場合には（ステップＳ５における「ＹＥＳ」）、その日時を時計部３０４より取得する（ステップＳ１０）。オッズを算出する日時でないと判断する場合には（ステップＳ５における「ＮＯ」）、時計部３０４にて計時される日時を監視する。【０１４３】  オッズ算出部３０３は、列車運行日における１回目のオッズ算出であるか否かを判断する（ステップＳ１５）。
オッズ算出部３０３は、１回目のオッズ算出であると判断する場合には（ステップＳ１５における「ＹＥＳ」）、列車換算情報及び車両換算情報を収集対象の各列車に備えられた収集装置より収集し、収集した各情報を用いて、第１オッズ算出処理を行い（ステップＳ２５）、さらに、第２オッズ算出処理を行う（ステップＳ３０）。１回目でないと判断する場合には、乗車記憶周期中に乗車した列車乗車人数及び車両乗車人数を収集対象の各列車に備えられた収集装置より収集して、収集した各情報を用いて、ポイント確定処理を行い（ステップＳ２０）、その後、第１オッズ算出処理を行い（ステップＳ２５）、さらに、第２オッズ算出処理を行う（ステップＳ３０）。【０１４４】  １．９  ポイント確定処理の動作
ここでは、図１３にて示すポイント確定処理について、図１４に示す流れ図を用いて説明する。
オッズ算出部３０３は、前回オッズ算出を行った全ての列車コードをオッズ情報テーブルＴ１１０より抽出する（ステップＳ５０）。なお、以降では、オッズ情報テーブルＴ１１０より抽出した列車コードに対応する列車は、列車２ａ、・・・、列車２ｂとして処理の流れを説明する。【０１４５】  オッズ算出部３０３は、抽出した列車コードに対して、その列車コードに対応する列車が備える収集装置１０へ、通知命令と、その列車コードとを無線部３０６を介して送信する（ステップＳ５５）。なお、このとき、通知命令及び列車コードを受信した収集装置１０では、後述する乗車情報収集処理を行う。
オッズ算出部３０３は、収集装置１０より、列車コード、列車乗車情報及び列車の車両ごとの車両乗車情報を、無線部３０６を介して受信し、受信した列車コード、列車乗車情報及び各車両乗車情報を、オッズ情報テーブルＴ１１０の対応する領域へ書き込む（ステップＳ６０）。オッズ算出部３０３は、ステップＳ５０にて抽出した全ての列車コードに対応する列車、つまり収集装置１０、・・・、１１より、列車コード、列車乗車情報及び各車両乗車情報を受信したか否かを判断する（ステップＳ６５）。収集装置１０、・・・、１１より列車コード、列車乗車情報及び各車両乗車情報を受信していないと判断する場合には（ステップＳ６５における「ＮＯ」）、列車コード、列車乗車情報及び各車両乗車情報を受信していない列車の収集装置に対して、ステップＳ５５以降の動作を再度行う。【０１４６】  収集装置１０、・・・、１１より列車コード、列車乗車情報及び各車両乗車情報を受信したと判断する場合には（ステップＳ６５における「ＹＥＳ」）、今回、列車乗車情報及び各車両乗車情報の書き込みを行った全列車コードのうち区分が「上り」である各列車コードに対して、列車ポイント及び各車両における車両ポイントを算出し、利用者に割り当てる列車ポイント及び車両ポイントを確定し、図１３におけるステップＳ１０にて取得した日時と、列車コードと、列車コードごとに確定した列車ポイント及び各車両ポイントとをポイントテーブルＴ１１１へ書き込む。次に、今回、列車乗車情報及び各車両乗車情報の書き込みを行った全列車コードのうち区分が「下り」である各列車コードに対して、列車ポイント及び各車両における車両ポイントを算出し、利用者に割り当てる列車ポイント及び車両ポイントを確定し、図１３におけるステップＳ１０にて取得した日時と、列車コードと、列車コードごとに確定した列車ポイント及び各車両ポイントとをポイントテーブルＴ１１１へ書き込む。（ステップＳ７０）。【０１４７】  １．１０  乗車情報収集処理の動作
ここでは、収集装置１０、・・・、１１が管理装置３０より通知命令及び列車コードを受信した際に、収集装置１０、・・・、１１が行う乗車情報収集処理について、図１５に示す流れ図を用いて説明する。なお、ここでは、収集装置１０を用いて説明する。
収集装置１０の制御部１０１は、無線部１０２を介して、管理装置３０より通知命令と、列車コードを受信すると（ステップＳ１００）、受け取った列車コードと、列車コード記憶部１００にて記憶している列車コードとが一致するか否かを判断する（ステップＳ１０５）。【０１４８】  一致しないと判断する場合には（ステップＳ１０５における「ＮＯ」）、処理を終了する。
一致すると判断する場合には（ステップＳ１０５における「ＹＥＳ」）、車両装置２０、・・・、２３に対して、乗車人数収集処理を順次実行し、各車両装置より車両乗車情報を収集する（ステップＳ１１０）。【０１４９】  制御部１０１は、全車両装置から車両乗車情報を収集すると、収集した各車両乗車情報の車両乗車人数を全て加算して、列車乗車人数を算出し、列車コードと算出した列車乗車人数とからなる列車乗車情報を生成する（ステップＳ１１５）。制御部１０１は、生成した列車乗車情報、収集した各車両乗車情報及び列車コードを管理装置３０へ無線部１０２を介して、無線にて送信する（ステップＳ１２０）。【０１５０】  １．１１  乗車人数収集処理の動作
ここでは、図１５にて示す乗車人数収集処理について、図１６に示す流れ図を用いて説明する。
収集装置１０の制御部１０１は、入出力部１０３を介して車両装置２０へ、乗車数通知命令を送信する（ステップＳ１５０）。【０１５１】  車両装置２０の計測部２０３は、入出力部２０８を介して収集装置１０より、乗車数通知命令を受信すると、乗車人数記憶部２０２にて記憶している車両乗車人数を読み出し、さらに、車両コード記憶部２００より車両コードを読み出し、読み出した車両乗車人数と車両コードとからなる車両乗車情報を生成し、生成した車両乗車情報を、入出力部２０８を介して収集装置１０へ送信し（ステップＳ１５５）、乗車人数記憶部２０２にて記憶している車両乗車人数を初期値へリセットする（ステップＳ１６５）。【０１５２】  収集装置１０の制御部１０１は、車両装置２０より入出力部１０３を介して、車両乗車情報を受信し、受信した車両乗車情報を一時的に記憶する（ステップＳ１６０）。
制御部１０１は、上記の動作を車両装置２１、・・・、２３に対して順次行い、車両装置２１、・・・、２３は、車両装置２０と同様の動作を行う。
１．１２  第１オッズ算出処理の動作
ここでは、図１３にて示す第１オッズ算出処理について、図１７に示す流れ図を用いて説明する。【０１５３】  オッズ算出部３０３は、図１３におけるステップＳ１０にて取得した日時を用いて、現在運行中の列車及び現時刻から１０分以内に運行される列車の列車コードを時刻表Ｔ１００より抽出する（ステップＳ２００）。なお、以降では、時刻表Ｔ１００より抽出した列車コードに対応する列車は、列車２ａ、・・・、列車２ｂとして処理の流れを説明する。
オッズ算出部３０３は、抽出した列車コードに対して、その列車コードに対応する列車が備える収集装置１０へ、収集命令と、その列車コードとを無線部３０６を介して送信する（ステップＳ２０５）。なお、このとき、収集装置１０では、後述する換算情報収集処理を行う。【０１５４】  オッズ算出部３０３は、収集装置１０より、列車コードと列車換算情報と列車の車両ごとの車両換算情報とを、無線部３０６を介して受信し、受信した列車コード、列車換算情報及び各車両換算情報を一時的に記憶する（ステップＳ２１０）。
オッズ算出部３０３は、ステップＳ２００にて抽出した全ての列車コードに対応する列車、つまり収集装置１０、・・・、１１より、列車コード、列車換算情報及び各車両換算情報を受信したか否かを判断する（ステップＳ２１５）。収集装置１０、・・・、１１より列車コード、列車換算情報及び各車両換算情報を受信していないと判断する場合には（ステップＳ２１５における「ＮＯ」）、列車コード、列車換算情報及び各車両換算情報を受信していない列車の収集装置に対して、ステップＳ２０５以降の動作を再度行う。【０１５５】  収集装置１０、・・・、１１より列車コード、列車換算情報及び各車両換算情報を受信したと判断する場合には（ステップＳ２１５における「ＹＥＳ」）、収集対象となった各列車コードに対して、列車オッズ及び各車両における車両オッズを算出する（ステップＳ２２０）。
オッズ算出部３０３は、取得した日時と、列車コードと、列車コードに対応する列車オッズ及び各車両の車両オッズとをオッズ情報テーブルＴ１１０へ書き込み、さらに、オッズ算出部３０３は、表示指示命令と、オッズ情報テーブルＴ１１０へ書き込んだ日時、列車コード、列車オッズ及び車両オッズからなる組全てを情報表示装置４０、・・・、４１へ送受信部３０７を介して送信する（ステップＳ２２５）。【０１５６】  なお、図１３にて示す第２オッズ算出処理は、上記に示す処理の流れを、時刻表Ｔ１０１を用いて、行うことになるため、説明は省略する。
１．１３  換算情報収集処理の動作
ここでは、収集装置１０、・・・、１１が管理装置３０より収集命令及び列車コードを受信した際に、収集装置１０、・・・、１１が行う換算情報収集処理について、図１８に示す流れ図を用いて説明する。なお、ここでは、収集装置１０を用いて説明する。【０１５７】  収集装置１０の制御部１０１は、無線部１０２を介して、管理装置３０より収集命令と、列車コードを受信すると（ステップＳ２５０）、受け取った列車コードと、列車コード記憶部１００にて記憶している列車コードとが一致するか否かを判断する（ステップＳ２５５）。
一致しないと判断する場合には（ステップＳ２５５における「ＮＯ」）、処理を終了する。【０１５８】  一致すると判断する場合には（ステップＳ２５５における「ＹＥＳ」）、車両装置２０、・・・、２３に対して、換算人数収集処理を順次実行し、各車両装置より車両換算情報を収集する（ステップＳ２６０）。
制御部１０１は、全車両装置から車両換算情報を収集すると、収集した各車両換算情報の車両換算人数を全て加算して、列車換算人数を算出し、列車コードと算出した列車換算人数とからなる列車換算情報を生成する（ステップＳ２６５）。制御部１０１は、生成した列車換算情報、収集した各車両換算情報及び列車コードを管理装置３０へ無線部１０２を介して、無線にて送信する（ステップＳ２７０）。【０１５９】  １．１４  換算人数収集処理の動作
ここでは、図１８にて示す換算人数収集処理について、図１９に示す流れ図を用いて説明する。
収集装置１０の制御部１０１は、入出力部１０３を介して車両装置２０へ、計測命令を送信する（ステップＳ３００）。【０１６０】  車両装置２０の計測部２０３は、入出力部２０８を介して収集装置１０より、計測命令を受信すると、当該車両の重量を計測して計測重量を取得し、取得した計測重量より予め記憶している車両重量を差し引いて、当該車両の乗客の総重量を算出する。算出した乗客の総重量を乗客の人数に換算し、車両換算人数を取得する。計測部２０３は、車両コード記憶部２００より記憶している車両コードを読み出し、読み出した車両コードと、取得した車両換算人数とからなる車両換算情報を生成し、生成した車両換算情報を、入出力部２０８を介して収集装置１０へ送信する（ステップＳ３０５）。【０１６１】  収集装置１０の制御部１０１は、車両装置２０より入出力部１０３を介して、車両換算情報を受信し、受信した車両換算情報を一時的に記憶する（ステップＳ３１０）。
制御部１０１は、上記の動作を車両装置２１、・・・、２３に対して順次行い、車両装置２１、・・・、２３は、車両装置２０と同様の動作を行う。
１．１５  利用情報を配布する処理の動作
ここでは、車両装置２０から携帯端末６０へ利用情報を配布する処理の動作について、図２０及び図２１にて示す流れ図を用いて説明する。【０１６２】  なお、車両装置２１、・・・、２７から携帯端末６０へ利用情報を配布する場合も同様の動作である。
車両装置２０の開閉検知部２０５は、ドアが開いたことを検知すると（ステップＳ３５０における「ＹＥＳ」）、開閉検知部２０５は、開状態命令を配布部２０４へ出力し、配布部２０４は、開状態命令を開閉検知部２０５から受け取ると、車両コード記憶部２００より車両コードを、時計部２０６より日時を、秘密鍵記憶部２０１より秘密鍵をそれぞれ読み出し、読み出した車両コード及び日時からなる利用情報を生成する。さらに、配布部２０４は、読み出した秘密鍵を用いて、生成した利用情報に対して、デジタル署名を施し、署名データを生成する。配布部２０４は、生成した利用情報及び署名データからなる組と、利用情報の配布を示す利用情報配布命令と、利用情報の配布開始を指示する配布開始命令とを無線部２０７へ出力する。無線部２０７は、配布部２０４より利用情報及び署名データからなる組と、利用情報配布命令と、配布開始命令とを受け取ると、受け取った利用情報及び署名データからなる組と利用情報配布命令とを、アンテナ部２０９を介して携帯端末６０へ無線にて送信する（ステップＳ３５５）。【０１６３】  開閉検知部２０５は、ドアが閉まったことを検知すると、閉状態命令を配布部２０４へ出力し、配布部２０４は、開閉検知部２０５より閉状態命令を受け取ると、配布終了命令を無線部２０７へ出力し、無線部２０７は、配布終了命令を受け取ると、送信終了と判断し、送信を終了し（ステップＳ３６０における「ＹＥＳ」）、配布部２０４は、カウント期間の間（ステップＳ３６５における「ＹＥＳ」）、情報受取命令と、端末識別子とを受け取るための待ち受け状態となる。配布部２０４は、カウント期間を過ぎると（ステップＳ３６５における「ＮＯ」）、ステップＳ３５０へ戻る。【０１６４】  無線部２０７は、配布開始命令を受け取ってから配布終了命令を受け取るまでの間は、送信終了ではないと判断し（ステップＳ３６０における「ＮＯ」）、ステップＳ３５５にて、利用情報及び署名データからなる組と、利用情報配布命令との送信を行う。
携帯端末６０の制御部６０１は、車両装置２０より利用情報及び署名データからなる組と、利用情報配布命令とを受信すると（ステップＳ３７０）、受信した利用情報に含まれる日時と、記録媒体５０の利用日時記憶部５０３にて記憶している日時とを比較して、基準時間内であるか否かを判断する（ステップＳ３７５）。制御部６０１は、基準時間内であると判断する場合には（ステップＳ３７５における「ＹＥＳ」）、受信した利用情報及び署名データを破棄し、処理を終了する。基準時間内ではないと判断する場合には（ステップＳ３７５における「ＮＯ」）、受信した利用情報及び署名データと、削除フラグ「０」とを、入出力部６０５を介して記録媒体５０の利用情報記憶部５０２へ書き込み、さらに、利用日時記憶部５０３にて記憶している日時から受信した利用情報に含まれる日時へと更新する（ステップＳ３８０）。【０１６５】  制御部６０１は、予め記憶している送信期間内であると判断する場合には（ステップＳ３８５における「ＹＥＳ」）、識別子記憶部６００にて記憶している端末識別子を読み出し、読み出した端末識別子と情報受取命令とを、第２無線部６０７を介して車両装置２０へ送信する（ステップＳ３９０）。制御部６０１は、送信期間を過ぎたと判断する場合には（ステップＳ３８５における「ＮＯ」）、処理を終了する。【０１６６】  車両装置２０の配布部２０４は、予め記憶しているカウント期間であると判断する場合には（ステップＳ３６５における「ＹＥＳ」）、携帯端末６０から無線部２０７を介して、情報受取命令と端末識別子とを受け取ると、乗車人数記憶部２０２にて記憶している車両乗車人数に「１」加算して、乗車人数記憶部２０２に記憶している内容を、加算した結果へ更新する（ステップＳ３９５）。また、配布部２０４は、応答命令と、受け取った端末識別子とを無線部２０７を介して携帯端末６０へ送信する（ステップＳ４００）。【０１６７】  携帯端末６０の制御部６０１は、車両装置２０より第２無線部６０７を介して、応答命令及び端末識別子を受信すると（ステップＳ４０５）、受信した端末識別子と、読み出した端末識別子とが一致するか否かを判断する（ステップＳ４１０）。一致しないと判断する場合には（ステップＳ４１０における「ＮＯ」）、ステップＳ３８５へ戻り、再度処理を繰り返す。車両装置２０より受信した端末識別子と読み出した端末識別子とが一致する場合には、処理を終了する。【０１６８】  １．１６  ポイント配布の処理概要
ここでは、携帯端末６０と管理装置３０とで行われるポイント配布の処理概要について、図２２に示す流れ図を用いて説明する。
携帯端末６０の制御部６０１は、入力部６０２よりポイント配布の要求指示を受け取ると、記録媒体５０より入出力部６０５を介して、利用情報記憶部５０２にて記憶している利用情報及び署名データからなる組を１個取得し、取得した組及び要求命令を、第１無線部６０４を介して管理装置３０へ送信する（ステップＳ４５０）。【０１６９】  管理装置３０のポイント送付部３０５は、携帯端末６０から送受信部３０７を介して、要求命令と、利用情報及び署名データとの組を受信すると、ポイント配布処理を行い、処理結果として、命令と情報とを携帯端末６０へ送信する（ステップＳ４５５）。
携帯端末６０は、管理装置３０より第１無線部６０４を介して、ポイント配布処理の処理結果である命令と情報を受信すると、受信した命令と情報とを用いて、ポイント書込処理を行い（ステップＳ４６０）、ポイント書込処理終了後、未送信の利用情報及び署名データからなる組があるか否かを判断し、未送信の組があると判断する場合には（ステップＳ４６５における「ＹＥＳ」）、ステップＳ４５０へ戻り、処理を再度実行する。【０１７０】  未送信の組がないと判断する場合には（ステップＳ４６５における「ＮＯ」）、削除フラグが「１」である利用情報及び署名データ全てを利用情報記憶部５０２より消去する（ステップＳ４７０）。
１．１７  ポイント配布処理の動作
ここでは、図２２にて示すポイント配布処理の動作について、図２３に示す流れ図を用いて説明する。【０１７１】  管理装置３０のポイント送付部３０５は、携帯端末６０から送受信部３０７を介して、要求命令と、利用情報と利用情報に対応する署名データとを受信する（ステップＳ５００）。
ポイント送付部３０５は、利用情報に含まれる車両コードと対応する公開鍵を公開鍵記憶部３０２より取得し、取得した公開鍵と利用情報と署名データとを用いて、署名検証を行う（ステップＳ５０５）。【０１７２】  署名検証により、受信した利用情報が正当な利用情報であると識別した場合には（ステップＳ５０５における「ＯＫ」）、受信した利用情報に対応するポイントが確定しているか否かを判断する（ステップＳ５１０）。つまり、受信した利用情報に含まれる日時以降で、その日時に一番近い日時と、列車コードと、列車ポイント及び各車両ポイントとからなる組がポイントテーブルＴ１１１に存在するか否かを判断する。【０１７３】  ポイントが確定していると判断する場合には（ステップＳ５１０における「ＹＥＳ」）、受信した利用情報に含まれる車両コードを用いて、列車ポイント及び車両ポイントを読み出し（ステップＳ５１５）、読み出した列車ポイント及び車両ポイントと、ポイント送付命令とを、送受信部３０７を介して携帯端末６０へ送信する（ステップＳ５２０）。
ポイント送付部３０５は、署名検証により、受信した利用情報が正当な利用情報でないと識別した場合には（ステップＳ５０５における「ＮＧ」）、エラー情報を生成し、生成したエラー情報及びエラー情報送付命令を送受信部３０７を介して携帯端末６０へ送信する（ステップＳ５２５）。【０１７４】  ポイント送付部３０５は、ポイントが確定していないと判断する場合には（ステップＳ５１０における「ＮＯ」）、ポイント不在情報を生成し、生成したポイント不在情報及び不在情報送付命令を送受信部３０７を介して携帯端末６０へ送信する（ステップＳ５３０）。
１．１８  ポイント書込処理の動作
ここでは、図２２にて示すポイント書込処理の動作について、図２４に示す流れ図を用いて説明する。【０１７５】  携帯端末６０の制御部６０１は、管理装置３０より第１無線部６０４を介して、命令と情報とからなる組を受信すると（ステップＳ５５０）、受信した命令がポイント送付命令であるか否かを判断する（ステップＳ５５５）。制御部６０１は、受信した命令がポイント送付命令であると判断する場合には（ステップＳ５５５における「ＹＥＳ」）、記録媒体５０のポイント記憶部５０１にて記憶している合計ポイントに、受信した各ポイントを累積することにより、合計ポイントを更新する。さらに、制御部６０１は、図２２に示すステップＳ４５０にて送信した利用情報及び署名データに対応する削除フラグを「０」から「１」へと更新する（ステップＳ５６０）。【０１７６】  制御部６０１は、受信した命令がポイント送付命令でないと判断する場合には（ステップＳ５５５における「ＮＯ」）、受信した命令がエラー情報送付命令であるか否かの判断を行う（ステップＳ５６５）。
制御部６０１は、受信した命令がエラー情報送付命令であると判断する場合には（ステップＳ５６５における「ＹＥＳ」）、受信したエラー情報を表示部６０３へ出力し、表示部６０３は、制御部６０１よりエラー情報を受け取ると、エラーメッセージを表示する（ステップＳ５７０）。【０１７７】  制御部６０１は、受信した命令がエラー情報送付命令でない、つまり受信した命令が不在情報送付命令であると判断する場合には（ステップＳ５６５における「ＮＯ」）、受信したポイント不在情報を表示部６０３へ出力し、表示部６０３は、制御部６０１よりポイント不在情報を受け取ると、ポイント未確定メッセージを表示する（ステップＳ５７５）。【０１７８】  １．１９  オッズの配信における処理概要
ここでは、携帯端末６０と管理装置３０とで行われるオッズの配信における処理概要について、図２５に示す流れ図を用いて説明する。
携帯端末６０の制御部６０１は、入力部６０２よりオッズの情報の検索指示と、検索情報とを受け取ると、検索命令と受け取った検索情報とを、第１無線部６０４を介して管理装置３０へ送信する（ステップＳ６００）。【０１７９】  管理装置３０のオッズ算出部３０３は、携帯端末６０より送受信部３０７を介して、検索命令と検索情報とを受け取ると、オッズ配信処理を行い、検索情報の条件を満たすオッズの情報を取得し、取得したオッズの情報とオッズ送信命令とを、送受信部３０７を介して携帯端末６０へ送信する（ステップＳ６０５）。
携帯端末６０の制御部６０１は、第１無線部６０４を介して管理装置３０よりオッズ送信命令と、管理装置３０が取得したオッズの情報とを受信すると、受信したオッズの情報を表示部６０３へ出力し、表示部６０３は、制御部６０１よりオッズの情報を受け取ると、受け取ったオッズの情報を表示する（ステップＳ６１０）。【０１８０】  １．２０  オッズ配信処理の動作
ここでは、図２５にて示すオッズ配信処理の動作について、図２６に示す流れ図を用いて説明する。
オッズ算出部３０３は、携帯端末６０より送受信部３０７を介して、検索命令及び検索情報を受信すると（ステップＳ６５０）、
オッズ算出部３０３は、受信した検索情報に含まれる上り下りを区別する情報と対応する時刻表から、検索情報に含まれる利用駅において、利用時間から所定の時間内に、出発する列車の列車コードを全て取得する。オッズ算出部３０３は、オッズ情報記憶部３１０のオッズ情報テーブルＴ１１０にて、最近に書き込まれたオッズの情報に含まれる列車コードのうち、取得した各列車コードの何れかと一致するもののみを取得して、検索条件を満たすオッズの情報を抽出する（ステップＳ６５５）。【０１８１】  オッズ算出部３０３は、送受信部３０７を介して携帯端末６０へ、抽出したオッズの情報と、オッズの情報を送信することを示すオッズ送信命令を送信する（ステップＳ６６０）。
１．２１  ポイント配布の変形例
上記実施の形態では、列車ポイント及び車両ポイントの送付を管理装置３０より行ったが、ここでは、車両装置より携帯端末へ、各ポイントの配布を自動的に行うポイント配布システム１０００及び携帯端末の要求により車両装置から各ポイントの配布を行うポイント配布システム２０００について、それぞれ説明する。【０１８２】  （１）ポイント配布システム１０００について
＜ポイント配布システム１０００の構成＞
ポイント配布システム１０００は、図２７にて示すように、列車１００２ａ、・・・、１００２ｂのそれぞれに備えられた収集装置１０１０、・・・、１０１１及び車両装置１０２０、１０２１、１０２２、１０２３、・・・、１０２４、１０２５、１０２６、１０２７と、管理装置１０３０と、駅１００３ａ、・・・、１００３ｂに備えられた情報表示装置１０４０、・・・、１０４１と、記録媒体１０５０と、携帯端末１０６０とから構成されている。【０１８３】  収集装置１０１０は車両装置１０２０、１０２１、１０２２、１０２３と接続されており、収集装置１０１１は、車両装置１０２４、１０２５、１０２６、１０２７と接続されている。
車両装置１０２０は、当該車両装置１０２０が備え付けられた車両の混雑度を計測する。また、収集装置１０１０、・・・、１０１１は、列車全体の混雑度をそれぞれ計測する。【０１８４】  管理装置１０３０は、各列車の混雑度及び各車両の混雑度により、列車ごとのオッズの算出及び各車両ごとのオッズの算出を行い、算出された各オッズに基づいて、列車ポイント及び車両ポイントを確定する。
車両装置１０２０は、車両内にて、列車ポイントと、当該車両装置１０２０が備えられた車両に対応する車両ポイントとを、携帯端末１０６０へ短距離無線にて送信する。ここで、例えば、車両装置１０２０による各ポイントの発信は、車両のドア付近（例えば、ドアより内側１ｍに位置する車両の天井）にて行われ、短距離無線の通信距離は３ｍとする。【０１８５】  携帯端末１０６０は、列車を利用する場合には、記録媒体１０５０が装着される。携帯端末１０６０は、乗車した車両に備えられた車両装置１０２０より、列車ポイント及び車両ポイントを無線により受信すると、受信した各ポイントを記録媒体１０５０へ書き込む。
情報表示装置１０４０、・・・、１０４１は、管理装置１０３０より受信した情報を表示する。【０１８６】  なお、車両装置１０２１、・・・、１０２７は、車両装置１０２０と同様の動作を行う。
＜収集装置１０１０の構成＞
収集装置１０１０、・・・、１０１１は同様の構成であるため、ここでは、収集装置１０１０の構成について、以下に説明する。【０１８７】  収集装置１０１０は、図２８に示すように、列車コード記憶部１１００、制御部１１０１、無線部１１０２、入出力部１１０３及びアンテナ部１１０４から構成されている。
収集装置１０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置１０１０は、その機能を達成する。【０１８８】  （列車コード記憶部１１００）
当該収集装置１０１０が備え付けられた列車を識別する列車コードを記憶している。
（制御部１１０１）
制御部１１０１は、無線部１１０２を介して、管理装置１０３０より列車換算人数及び車両換算人数の収集を指示する収集命令と、列車コードを受け取ると、受け取った列車コードと、列車コード記憶部１１００にて記憶している列車コードとが一致するか否かを判断する。【０１８９】  一致しないと判断する場合には、何も行わない。
一致すると判断する場合には、先ず、車両装置１０２０へ入出力部１１０３を介して、車両換算人数の計測を指示する計測命令を送信する。制御部１１０１は、車両装置１０２０より入出力部１１０３を介して、各車両を識別する車両コード及び車両換算人数からなる車両換算情報を受信し、受信した車両換算情報を一時的に記憶する。制御部１１０１は、上記の動作を全車両装置に対して行う。なお、車両コードは、上記の実施の形態と同様である。【０１９０】  制御部１１０１は、当該収集装置１０１０と接続された全車両装置から車両換算情報を受信すると、受信した各車両換算情報の車両換算人数を全て加算して、列車換算人数を算出し、列車コードと算出した列車換算人数とからなる列車換算情報を生成する。制御部１１０１は、生成した列車換算情報、記憶している各車両換算情報及び列車コードを管理装置１０３０へ無線部１１０２を介して、無線にて送信する。【０１９１】  制御部１１０１は、無線部１１０２を介して管理装置１０３０より、管理装置１０３０にて確定された全ポイント情報と、ポイント情報の送信を示す送信命令とを受信する。ここで、ポイント情報とは、列車コード、列車ポイント及び各車両ごとの車両ポイントからなる情報である。
制御部１１０１は、列車コード記憶部１１００にて記憶している列車コードと一致する列車コードを含むポイント情報を、受信した全ポイント情報より抽出し、抽出したポイント情報を車両装置１０２０、１０２１、１０２２、１０２３へ出力する。【０１９２】  （無線部１１０２）
無線部１１０２は、アンテナ部１１０４より電力信号を受け取り、受け取った電力信号を復調し、復調した信号からパルス信号波を抽出する。抽出したパルス信号波を解読して、命令と情報とを抽出する。
抽出する命令には、収集命令及び送信命令が含まれ、収集命令を抽出した場合には、抽出する情報は列車コードが含まれ、送信命令を抽出した場合には、抽出する情報は管理装置１０３０にて確定された全ポイント情報が含まれる。【０１９３】  また、無線部１１０２は、制御部１１０１より情報を受け取ると、受け取った情報に基づいて、パルス信号波を生成し、生成したパルス信号波を変調記号として、変調記号に基づいて、搬送波の振幅を変化させ、振幅の変化した搬送波をアンテナ部１１０４へ出力する。
（入出力部１１０３）
入出力部１１０３は、入出力部１０３と同様であるため、説明は省略する。【０１９４】  （アンテナ部１１０４）
アンテナ部１１０４は、アンテナ部１０４と同様であるため、説明は省略する。
＜車両装置１０２０の構成＞
車両装置１０２０は、図２９に示すように、車両コード記憶部１２００、計測部１２０３、配布部１２０４、開閉検知部１２０５、時計部１２０６、無線部１２０７、入出力部１２０８、アンテナ部１２０９及びポイント記憶部１２１０から構成されている。【０１９５】  車両装置１０２０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、車両装置１０２０は、その機能を達成する。【０１９６】  なお、車両装置１０２１、・・・、１０２７は、車両装置１０２０と同様の構成であるため、説明は省略する。
（車両コード記憶部１２００）
車両コード記憶部１２００は、当該車両装置１０２０が備え付けられた列車の車両を識別する車両コードを記憶している。【０１９７】  （ポイント記憶部１２１０）
ポイント記憶部１２１０は、列車ポイントと、当該車両装置１０２０が備えられた車両に対応する車両ポイントとを記憶する領域を有している。
（時計部１２０６）
時計部１２０６は、日時の計時を行う。【０１９８】  （計測部１２０３）
計測部１２０３は、当該車両の車両重量を予め記憶している。
計測部１２０３は、収集装置１０１０から入出力部１２０８を介して、計測命令を受信すると、上記実施の形態にて示す計測部２０３と同様の動作により車両換算情報を生成し、生成した車両換算情報を、入出力部１２０８を介して収集装置１０１０へ送信する。【０１９９】  計測部１２０３は、収集装置１０１０から入出力部１２０８を介して、ポイント情報を受け取ると、車両コード記憶部１２００にて記憶している車両コードを用いて、受信したポイント情報より列車ポイント及び、当該車両装置１０２０が備えられた車両に対応する車両ポイントとを取得し、取得した列車ポイント及び車両ポイントをポイント記憶部１２１０へ書き込む。このとき、既に書き込まれている内容は上書きされる。【０２００】  （配布部１２０４）
配布部１２０４は、開状態命令を開閉検知部１２０５から受け取ると、時計部１２０６より現在の日時を取得し、さらに、ポイント記憶部１２１０にて記憶している列車ポイント及び車両ポイントを読み出し、取得した日時と、読み出した列車ポイント及び車両ポイントと、ポイント送付命令と、ポイントの配布を開始する旨を示すポイント配布開始命令とを無線部１２０７へ出力する。【０２０１】  配布部１２０４は、閉状態命令を開閉検知部１２０５から受け取ると、ポイントの配布を終了する旨を示すポイント配布終了命令を無線部１２０７へ出力する。
（開閉検知部１２０５）
開閉検知部１２０５は、上記実施の形態にて示す開閉検知部２０５と同様であるため、説明は、省略する。【０２０２】  （無線部１２０７）
無線部１２０７は、配布部１２０４より日時、列車ポイント及び車両ポイントからなる組と、ポイント送付命令と、ポイント配布開始命令とを受け取ると、受け取った日時、列車ポイント及び車両ポイントからなる組と、ポイント送付命令とに基づいて、パルス信号波を生成し、生成したパルス信号波を変調記号として、変調記号に基づいて、搬送波の振幅を変化させ、配布部１２０４よりポイント配布終了命令を受け取るまでの間、振幅の変化した搬送波をアンテナ部１２０９へ出力する。【０２０３】  （入出力部１２０８）
入出力部１２０８は、上記実施の形態にて示す入出力部２０８と同様であるため、説明は省略する。
（アンテナ部１２０９）
アンテナ部１２０９は、無線部１２０７より振幅の変化した搬送波を受け取ると、受け取った振幅の変化した搬送波を電波として空間に放射する。【０２０４】  ＜管理装置１０３０の構成＞
管理装置１０３０は、図３０に示すように、時刻表記憶部１３００、オッズ算出部１３０３、時計部１３０４、無線部１３０６、送受信部１３０７、アンテナ部１３０８及びポイント情報記憶部１３０９から構成されている。
管理装置１０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置１０３０は、その機能を達成する。【０２０５】  （時刻表記憶部１３００）
時刻表記憶部１３００は、上記実施の形態にて示す時刻表記憶部３００と同様であるため、説明は省略する。
（ポイント情報記憶部１３０９）
ポイント情報記憶部１３０９は、図３１に一例として示すように、ポイントテーブルＴ１０００を有している。【０２０６】  ポイントテーブルＴ１０００は、列車コード、列車ポイント及び車両ポイントからなる組を１以上記憶するための領域を有している。
列車コードは、列車を識別するコードであり、列車ポイントは、列車コードに対応する列車を利用した利用者へ割り当てるポイントを示す。
車両ポイントは、さらに、１号車、２号車、３号車及び４号車から構成され、それぞれの項目には、当該車両を利用した利用者へ割り当てるポイントを示す。【０２０７】  （時計部１３０４）
時計部１３０４は、日時の計時を行う。
（オッズ算出部１３０３）
オッズ算出部１３０３は、各列車の列車オッズ、列車の各車両における車両オッズ、及び利用者へ割り当てる列車ポイント及び車両ポイントを算出する。【０２０８】  オッズ算出部１３０３は、列車ポイントを算出する際の基準となる列車基準ポイント（例えば、１０００ポイント）と、車両ポイントを算出する際の基準となる車両基準ポイント（例えば、１００ポイント）とを予め記憶している。
オッズ算出部１３０３は、時計部１３０４にて計時される日時を監視し、オッズを算出する日時であるか否かを判断し、オッズを算出する日時であると判断する場合には、以下の動作を行う。【０２０９】  オッズ算出部１３０３は、現在運行中の列車及び現時刻から１０分以内に運行される列車の列車コードを時刻表記憶部１３００にて記憶している上り用時刻表より抽出する。
オッズ算出部１３０３は、上記の実施の形態と同様の動作にて、抽出した列車コードに対応する全て列車より列車換算情報及び各車両換算情報を収集し、列車オッズ及び各車両の車両オッズを算出する。【０２１０】  オッズ算出部１３０３は、算出した各列車オッズを加算し、列車基準ポイントを加算した結果で割り算を行い、商を算出する。なお、小数点第１位を四捨五入する。次に、オッズ算出部１３０３は、算出した商を、各列車オッズに乗算することにより、列車ポイントを算出する。
オッズ算出部１３０３は、各列車における車両ごとの車両ポイントを算出するため、列車コードに対応する各車両オッズを用いて、列車ポイントの算出と同様の方法にて、車両ポイントを算出する。【０２１１】  次に、オッズ算出部１３０３は、現在運行中の列車及び現時刻から１０分以内に運行される列車の列車コードを時刻表記憶部１３００にて記憶している下り用時刻表より抽出して、上記と同様の方法にて、下り用時刻表より取得した全列車コードに対応する全列車に対して、列車ポイント及び各車両ポイントとを算出する。
オッズ算出部１３０３は、列車コード、算出した列車ポイント及び車両ポイントとからなるポイント情報全てをポイントテーブルＴ１０００へ書き込む。このとき、ポイントテーブルＴ１０００に書かれていた内容は、上書きされる。【０２１２】  オッズ算出部１３０３は、ポイントテーブルＴ１０００に書き込んだ全ポイント情報を、収集装置１０１０、・・・、１０１１へ無線部１３０６を介して、無線にて送信する。さらに、オッズ算出部１３０３は、ポイントテーブルＴ１０００に書き込んだ全ポイント情報と表示指示命令とを、送受信部１３０７を介して情報表示装置１０４０、・・・、１０４１へ送信する。【０２１３】  また、オッズ算出部１３０３は、携帯端末１０６０より送受信部１３０７を介して、検索命令及び検索情報を受信すると、受信した検索情報に含まれる上り下りを区別する情報と対応する時刻表（例えば、情報が上りを示す情報である場合には、上り用の時刻表となる。）から、検索情報に含まれる利用駅において、利用時間から所定の時間内に、出発する列車の列車コードを全て取得する。オッズ算出部１３０３は、ポイントテーブルＴ１０００にて記憶している各ポイント情報に含まれる列車コードのうち、取得した各列車コードの何れかと一致するもののみを取得する。オッズ算出部１３０３は、送受信部１３０７を介して携帯端末１０６０へ、取得した全てのポイント情報とオッズ送信命令を送信する。【０２１４】  （無線部１３０６）
無線部１３０６は、アンテナ部１３０８より電力信号を受け取り、受け取った電力信号を復調し、復調した信号からパルス信号波を抽出する。抽出したパルス信号波を解読して、情報を抽出する。
抽出する情報には、列車コード、列車換算情報及び車両換算情報が含まれる。【０２１５】  また、無線部１３０６は、オッズ算出部１３０３より収集命令と列車コードとを受け取ると、受け取った収集命令及び列車コードに基づいて、パルス信号波を生成し、生成したパルス信号波を変調記号として、変調記号に基づいて、搬送波の振幅を変化させ、振幅の変化した搬送波をアンテナ部１３０８へ出力する。
（送受信部１３０７）
送受信部１３０７は、携帯端末１０６０より検索命令及び検索情報を受信すると、受信した検索命令及び検索情報をオッズ算出部１３０３へ出力する。【０２１６】  また、送受信部１３０７は、表示指示命令と、ポイントテーブルＴ１０００へ書き込んだ全ポイント情報をオッズ算出部１３０３より受け取ると、受け取った命令及び情報を情報表示装置１０４０、・・・、１０４１へインターネットを介して送信する。
送受信部１３０７は、オッズ算出部１３０３より、検索条件を満たすオッズの情報と、オッズ送信命令を受け取ると、受け取った命令と情報とを携帯端末１０６０へインターネットを介して送信する。【０２１７】  （アンテナ部１３０８）
アンテナ部１３０８は、上記実施の形態にて示すアンテナ部３０８と同様であるため、説明は省略する。
＜情報表示装置１０４０の構成＞
情報表示装置１０４０、・・・、１０４１は同様の構成であるため、ここでは、情報表示装置１０４０の構成について、以下に説明する。【０２１８】  情報表示装置１０４０は、図３２に示すように、時刻表記憶部１４００、時計部１４０１、制御部１４０２、表示部１４０３及び受信部１４０４から構成されている。
情報表示装置１０４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置１０４０は、その機能を達成する。【０２１９】  （時刻表記憶部１４００）
時刻表記憶部１４００は、管理装置１０３０が備える時刻表記憶部１３００と同様であるため、説明は省略する。
（時計部１４０１）
時計部１４０１は、日時の計時を行う。【０２２０】  （制御部１４０２）
制御部１４０２は、管理装置１０３０より受信部１４０４を介して、表示指示命令と、ポイントテーブルＴ１０００にて記憶している全ポイント情報を受信する。
制御部１４０２は、時刻表記憶部１４００に記憶している時刻表を用いて、受信した前ポイント情報のうち、今後、当該情報表示装置１０４０が備えられた駅３ａを出発する列車の列車コードと対応するポイント情報を全て抽出する。制御部１４０２は、抽出した全てのポイント情報を表示部１４０３へ出力する。【０２２１】  （表示部１４０３）
表示部１４０３は、例えば、ディスプレイを備え、制御部１４０２より受け取ったポイント情報を表示する。
（受信部１４０４）
受信部１４０４は、表示指示命令と１個以上のポイント情報とを、インターネットを介して管理装置１０３０より受信すると、受信した命令と情報とを制御部１４０２へ出力する。【０２２２】  ＜記録媒体１０５０の構成＞
記録媒体１０５０は、耐タンパ性を有しており、図３３に示すように、情報記憶部１５００から構成され、情報記憶部１５００は、ポイント記憶部１５０１及び利用日時記憶部１５０３を有している。
記録媒体１０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体１０５０は、その機能を達成する。【０２２３】  （ポイント記憶部１５０１）
ポイント記憶部１５０１は、車両装置１０２０、・・・、１０２７により配布されたポイントを累積した合計ポイントを記憶する領域を有している。
（利用日時記憶部１５０３）
利用日時記憶部１５０３は、列車を利用した最新の日時、つまりポイントを累積した最新の日時を記憶する領域を有している。【０２２４】  ＜携帯端末１０６０の構成＞
携帯端末１０６０は、図３４に示すように、制御部１６０１、入力部１６０２、表示部１６０３、第１無線部１６０４、入出力部１６０５、第１アンテナ部１６０６、第２無線部１６０７及び第２アンテナ部１６０８から構成されている。
携帯端末１０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末１０６０は、その機能を達成する。【０２２５】  （制御部１６０１）
制御部１６０１は、車両装置１０２０より受信した列車ポイント及び車両ポイントを記録媒体１０５０へ書き込むか否かを判断するための基準となる基準時間を予め記憶している。
制御部１６０１は、入力部１６０２よりオッズの情報の検索指示と、検索情報とを受け取ると、検索命令と受け取った検索情報とを、第１無線部１６０４を介して管理装置１０３０へ送信する。【０２２６】  制御部１６０１は、第１無線部１６０４を介して管理装置１０３０よりオッズ送信命令と、管理装置３０が取得したポイント情報とを受信すると、受信したポイント情報を表示部１６０３へ出力する。
制御部１６０１は、第２無線部１６０７を介して車両装置１０２０より列車ポイント、車両ポイント、日時及びポイント送付命令とを受信すると、受信した日時と、記録媒体１０５０の利用日時記憶部５０３にて記憶している日時とを比較して、基準時間内であるか否かを判断する。基準時間内であると判断する場合には、受信した各ポイント、日時及びポイント送付命令を破棄する。基準時間内ではないと判断する場合には、記録媒体１０５０のポイント記憶部１５０１にて記憶している合計ポイントに、受信した各ポイントを累積することにより、合計ポイントを更新する。【０２２７】  さらに、制御部１６０１は、利用日時記憶部１５０３にて記憶している日時から受信した日時へと更新する。これにより、利用日時記憶部１５０３にて記憶される日時は、列車を利用した最新の日時となる。
（入力部１６０２）
入力部１６０２は、利用者よりオッズの情報の検索指示と、検索情報とを受け付けると、受け付けた検索指示及び検索情報を制御部１６０１へ出力する。【０２２８】  （表示部１６０３）
表示部１６０３は、制御部１６０１よりポイント情報を受け取ると、受け取ったポイント情報を表示する。
（第１無線部１６０４）
第１無線部１６０４は、第１アンテナ部１６０６より電力信号を受け取り、受け取った電力信号を復調し、復調した信号からパルス信号波を抽出する。抽出したパルス信号波を解読して、命令及び情報を抽出し、抽出した命令及び情報を制御部１６０１へ出力する。【０２２９】  抽出する命令には、オッズ送信命令が含まれる。
第１無線部１６０４は、オッズ送信命令を抽出すると、さらに、管理装置１０３０が取得した全てのポイント情報を抽出する。
第１無線部１６０４は、制御部１６０１より検索命令と検索情報とを受け取ると、受け取った検索命令と検索情報とに基づいて、パルス信号波を生成し、生成したパルス信号波を変調記号として、変調記号に基づいて、搬送波の振幅を変化させ、振幅の変化した搬送波を第１アンテナ部１６０６へ出力する。【０２３０】  （第２無線部１６０７）
第２無線部１６０７は、第２アンテナ部１６０６より電力信号を受け取り、受け取った電力信号を復調し、復調した信号からパルス信号波を抽出する。抽出したパルス信号波を解読して、命令及び情報を抽出し、抽出した命令及び情報を制御部１６０１へ出力する。
抽出する命令には、ポイント送付命令が含まれる。【０２３１】  第２無線部１６０７は、ポイント送付命令を抽出すると、さらに、列車ポイント、車両ポイント及び日時を抽出する。
（入出力部１６０５）
入出力部１６０５は、制御部１６０１と記録媒体１０５０との間において、情報の入出力を行う。【０２３２】  （第１アンテナ部１６０６及び第２アンテナ部１６０８）
第１アンテナ部１６０６は、第１無線部１６０４より振幅の変化した搬送波を受け取ると、受け取った振幅の変化した搬送波を電波として空間に放射する。
また、第１アンテナ部１６０６は、電波を受信し、受信した電波を電力信号に変換して、電力信号を第１無線部１６０４へ出力する。【０２３３】  第２アンテナ部１６０８は、電波を受信し、受信した電波を電力信号に変換して、電力信号を第２無線部１６０７へ出力する。
＜情報収集処理の動作＞
ここでは、オッズ算出時に行われる情報収集処理について、図３５に示す流れ図を用いて説明する。【０２３４】  管理装置１０３０のオッズ算出部１３０３は、時計部１３０４にて計時される日時を監視し、オッズを算出する日時であるか否かを判断し（ステップＳ１０００）、オッズを算出する日時でないと判断する場合には（ステップＳ１０００における「ＮＯ」）、時計部１３０４にて計時される日時を監視する。
オッズ算出部１３０３は、オッズを算出する日時であると判断する場合には（ステップＳ１０００における「ＹＥＳ」）、第１オッズ算出処理を行って、上り列車に対する列車オッズ及び各車両オッズとを算出し（ステップＳ１００５）、算出した列車オッズ及び各車両オッズを用いて、上り列車に対する列車ポイント及び各車両ポイントを算出して、利用者へ配布する各ポイントを確定する（ステップＳ１０１０）。【０２３５】  オッズ算出部１３０３は、第２オッズ算出処理を行って、下り列車に対する列車オッズ及び各車両オッズとを算出し（ステップＳ１０１５）、算出した列車オッズ及び各車両オッズを用いて、下り列車に対する列車ポイント及び各車両ポイントを算出して、利用者へ配布する各ポイントを確定する（ステップＳ１０２０）。
オッズ算出部１３０３は、列車コード、算出した列車ポイント及び車両ポイントとからなる全てのポイント情報をポイントテーブルＴ１０００へ書き込み、書き込んだ全ポイント情報と送信命令とを現在運行中の列車及び１０分以内に運行開始する列車が備える各収集装置へ送信する。さらに、オッズ算出部１３０３は、表示指示命令と書き込んだ全ポイント情報とを情報表示装置１０４０、・・・、１０４１へ送信する（ステップＳ１０２５）。なお、全ポイント情報と送信命令とを受信した収集装置は、後述するポイント情報受取処理を行う。【０２３６】  ＜第１オッズ算出処理の動作＞
ここでは、図３５にて示す第１オッズ算出処理について、図１７にて示した流れ図と異なる点のみを説明する。
オッズ算出部１３０３は、図１７に示すステップＳ２００からステップＳ２２０を実行して、処理を終了する。【０２３７】  なお、図３５にて示す第２オッズ算出処理は、下り用の時刻表を用いて、図１７に示すステップＳ２００からステップＳ２２０を実行して処理を終了する。
＜換算情報収集処理の動作＞
収集装置１０１０、・・・、１０１１が管理装置１０３０より収集命令及び列車コードを受信した際に、収集装置１０１０、・・・、１０１１が行う換算情報収集処理の動作は、図１８に示す流れ図と同様であるため、説明は省略する。【０２３８】  ＜換算人数収集処理の動作＞
収集装置１０１０、・・・、１０１１が、それぞれと接続された各車両装置から車両換算情報を収集する換算人数収集処理の動作は、図１９に示す流れ図と同様であるため、説明は省略する。
＜ポイント情報受取処理＞
ここでは、収集装置１０１０、・・・、１０１１が管理装置１０３０より送信命令及び管理装置１０３０のオッズ算出部１３０３がポイントテーブルＴ１０００に書き込んだ全ポイント情報を受信した際に、収集装置１０１０、・・・、１０１１が行うポイント情報受取処理について、図３６に示す流れ図を用いて説明する。なお、ここでは、収集装置１０１０を用いて説明する。【０２３９】  収集装置１０１０の制御部１１０１は、管理装置１０３０より無線部１１０２より、送信命令及び管理装置１０３０のオッズ算出部１３０３がポイントテーブルＴ１０００に書き込んだ全ポイント情報を受信すると（ステップＳ１０５０）、受信した全ポイント情報より、列車コード記憶部１１００にて記憶している列車コードと一致する列車コードを含むポイント情報を抽出し（ステップＳ１０５５）、抽出したポイント情報を車両装置１０２０、１０２１、１０２２、１０２３へ出力する（ステップＳ１０６０）。【０２４０】  ＜ポイント抽出処理＞
ここでは、車両装置１０２０、１０２１、１０２２、１０２３、・・・、１０２４、１０２５、１０２６、１０２７のそれぞれが接続された収集装置１０１０、・・・、１０１１よりポイント情報を受け取った際に、車両装置１０２０、１０２１、１０２２、１０２３、・・・、１０２４、１０２５、１０２６、１０２７が行うポイント抽出処理について、図３７に示す流れ図を用いて説明する。なお、ここでは、車両装置１０２０を用いて説明する。【０２４１】  車両装置１０２０の計測部１２０３は、収集装置１０１０より入出力部１２０８を介して、ポイント情報を受け取ると（ステップＳ１１００）、受け取ったポイント情報に含まれる列車ポイントと、各車両ポイントのうち、車両コード記憶部１２００にて記憶している車両コードに含まれる車両番号と対応する車両ポイントとを抽出する（ステップＳ１１０５）。【０２４２】  計測部１２０３は、抽出した列車ポイント及び車両ポイントとをポイント記憶部１２１０へ書き込む（ステップＳ１１１０）。
＜ポイント配布処理の動作＞
ここでは、車両装置１０２０から携帯端末１０６０へポイントを配布する処理の動作について、図３８にて示す流れ図を用いて説明する。【０２４３】  なお、車両装置１０２１、・・・、１０２７から携帯端末１０６０へポイントを配布する場合も同様の動作である。
車両装置１０２０の開閉検知部１２０５は、ドアが開いたことを検知すると（ステップＳ１１５０における「ＹＥＳ」）、開閉検知部１２０５は、開状態命令を配布部１２０４へ出力し、配布部１２０４は、開状態命令を開閉検知部２０５から受け取ると、時計部１２０６より現在の日時を取得し、さらに、ポイント記憶部１２１０にて記憶している列車ポイント及び車両ポイントを読み出し、取得した日時と、読み出した列車ポイント及び車両ポイントと、ポイント送付命令と、ポイント配布開始命令とを無線部１２０７へ出力する。無線部１２０７は、配布部１２０４より、日時と、列車ポイント及び車両ポイントと、ポイント送付命令と、ポイント配布開始命令とを受け取ると、受け取った日時と、列車ポイント及び車両ポイントと、ポイント送付命令とを、アンテナ部１２０９を介して携帯端末１０６０へ無線にて送信する（ステップＳ１１５５）。【０２４４】  開閉検知部１２０５は、ドアが閉まったことを検知すると、閉状態命令を配布部１２０４へ出力し、配布部１２０４は、開閉検知部１２０５より閉状態命令を受け取ると、ポイント配布終了命令を無線部１２０７へ出力し、無線部１２０７は、ポイント配布終了命令を受け取ると、送信終了と判断し、送信を終了する（ステップＳ１１６０における「ＹＥＳ」）。【０２４５】  無線部１２０７は、ポイント配布開始命令を受け取ってからポイント配布終了命令を受け取るまでの間は、ドアは閉まっていないと判断し（ステップＳ１１６０における「ＮＯ」）、ステップＳ１１５５にて、日時と、列車ポイント及び車両ポイントと、ポイント送付命令との送信を行う。
携帯端末１０６０の制御部１６０１は、車両装置１０２０より日時と、列車ポイント及び車両ポイントと、ポイント送付命令とを受信すると（ステップＳ１１６５）、受信した日時と、記録媒体１０５０の利用日時記憶部１５０３にて記憶している日時とを比較して、基準時間内であるか否かを判断する（ステップＳ１１７０）。制御部１６０１は、基準時間内であると判断する場合には（ステップＳ１１７０における「ＹＥＳ」）、受信した日時と、列車ポイント及び車両ポイントと、ポイント送付命令とを破棄し、処理を終了する。基準時間内ではないと判断する場合には（ステップＳ１１７０における「ＮＯ」）、記録媒体１０５０のポイント記憶部１５０１にて記憶している合計ポイントに、受信した各ポイントを累積することにより、合計ポイントを更新する（ステップＳ１１７５）。【０２４６】  制御部１６０１は、さらに、利用日時記憶部１５０３にて記憶している日時から受信した日時へと更新する（ステップＳ１１８０）。
＜ポイント情報の配信における処理概要＞
携帯端末１０６０と管理装置１０３０とで行われるポイントの配信における処理概要は、図２５に示す流れ図と同様の処理の流れとなるため、説明は省略する。【０２４７】  ＜ポイント情報配信処理の動作＞
管理装置１０３０から携帯端末１０６０へポイント情報を配信するポイント配信処理の動作は、図２６に示す流れ図と同様の処理の流れとなるため、説明は省略する。
（２）ポイント配布システム２０００について
＜ポイント配布システム２０００の構成＞
ポイント配布システム２０００は、図３９にて示すように、列車２００２ａ、・・・、２００２ｂのそれぞれに備えられた収集装置２０１０、・・・、２１０１１及び車両装置２０２０、２０２１、２０２２、２０２３、・・・、２０２４、２１０２５、２０２６、２０２７と、管理装置２０３０と、駅２００３ａ、・・・、２００３ｂに備えられた情報表示装置２０４０、・・・、２０４１と、記録媒体２０５０と、携帯端末２０６０とから構成されている。【０２４８】  収集装置２０１０は車両装置２０２０、２０２１、２０２２、２０２３と接続されており、収集装置２０１１は、車両装置２０２４、２０２５、２０２６、２０２７と接続されている。
車両装置２０２０は、当該車両装置２０２０が備え付けられた車両の混雑度を計測する。また、収集装置２０１０、・・・、２０１１は、列車全体の混雑度をそれぞれ計測する。【０２４９】  管理装置２０３０は、各列車の混雑度及び各車両の混雑度により、列車ごとのオッズの算出及び各車両ごとのオッズの算出を行い、算出された各オッズに基づいて、列車ポイント及び車両ポイントを確定する。
携帯端末２０６０は、記録媒体２０５０が装着された状態で利用される。携帯端末２０６０は、管理装置２０３０より算出された全てのポイント情報と、利用者へ配布するポイントの更新を行った最新の日時を示す更新日時と、全ポイント情報と更新日時とに対してデジタル署名を施した署名データとを受信する。利用者は、列車の利用時に、携帯端末２０６０より乗車した車両に備えられた車両装置２０２０へ要求命令と、記憶している全ポイント情報、更新日時及び署名データとを無線にて送信する。【０２５０】  車両装置２０２０は、車両内にて、携帯端末２０６０より要求命令と、全ポイント情報、更新日時及び署名データとを短距離無線にて受信すると、署名検証を行って、全ポイント情報及び更新日時が正当なものであるか否かを判断し、正当なものであると判断する場合に、携帯端末２０６０へ列車ポイント及び車両ポイントとを短距離無線にて送信する。ここで、例えば、車両装置２０２０は携帯端末２０６０との情報の送受信は、車両のドア付近（例えば、ドアより内側１ｍに位置する車両の天井）にて行われ、短距離無線の通信距離は３ｍとする。【０２５１】  携帯端末２０６０は、車両装置２０２０より、列車ポイント及び車両ポイントを無線により受信すると、受信した各ポイントを記録媒体２０５０へ書き込む。
情報表示装置２０４０、・・・、２０４１は、管理装置２０３０より受信した情報を表示する。
なお、車両装置２０２１、・・・、２０２７は、車両装置２０２０と同様の動作を行う。【０２５２】  ＜収集装置２０１０の構成＞
収集装置２０１０、・・・、２０１１は同様の構成であるため、ここでは、収集装置２０１０の構成について、以下に説明する。
収集装置２０１０は、図４０に示すように、列車コード記憶部２１００、制御部２１０１、無線部２１０２、入出力部２１０３及びアンテナ部２１０４から構成されている。【０２５３】  収集装置２０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置２０１０は、その機能を達成する。【０２５４】  （列車コード記憶部２１００）
当該収集装置２０１０が備え付けられた列車を識別する列車コードを記憶している。
（制御部２１０１）
制御部２１０１は、無線部１１０２を介して、管理装置１０３０より列車換算人数及び車両換算人数の収集を指示する収集命令と、列車コードを受け取ると、受け取った列車コードと、列車コード記憶部１１００にて記憶している列車コードとが一致するか否かを判断する。【０２５５】  一致しないと判断する場合には、何も行わない。
一致すると判断する場合には、上記のポイント配布システム１０００にて示した収集装置１０１０の制御部１１０１と同様の動作を行い、車両装置２０２０、２０２１、２０２２、２０２３より各車両換算情報を収集し、収集した各車両換算情報と列車コードとを用いて、列車換算情報を生成し、生成した列車換算情報と、収集した車両換算情報と、列車コードとを管理装置２０３０へ無線部２１０２を介して、無線にて送信する。【０２５６】  制御部２１０１は、無線部２１０２を介して管理装置２０３０より、管理装置２０３０にてオッズの算出して、利用者へ配布するポイントの更新を行った最新の日時を示す更新日時と、更新日時の送信を示す日時送信命令とを受信する。
制御部２１０１は、更新日時を受信すると、受信した更新日時を車両装置２０２０、２０２１、２０２２、２０２３へ出力する。【０２５７】  （無線部２１０２）
無線部２１０２は、アンテナ部２１０４より電力信号を受け取り、受け取った電力信号を復調し、復調した信号からパルス信号波を抽出する。抽出したパルス信号波を解読して、命令と情報とを抽出する。
抽出する命令には、収集命令及び日時送信命令が含まれ、収集命令を抽出した場合には、抽出する情報は列車コードが含まれ、日時送信命令を抽出した場合には、抽出する情報は更新日時が含まれる。【０２５８】  また、無線部２１０２は、制御部２１０１より情報を受け取ると、受け取った情報に基づいて、パルス信号波を生成し、生成したパルス信号波を変調記号として、変調記号に基づいて、搬送波の振幅を変化させ、振幅の変化した搬送波をアンテナ部２１０４へ出力する。
（入出力部２１０３）
入出力部２１０３は、入出力部１１０３と同様であるため、説明は省略する。【０２５９】  （アンテナ部２１０４）
アンテナ部２１０４は、アンテナ部１１０４と同様であるため、説明は省略する。
＜車両装置２０２０の構成＞
車両装置２０２０は、図４１に示すように、車両コード記憶部２２００、計測部２２０３、配布部２２０４、時計部２２０６、無線部２２０７、入出力部２２０８、アンテナ部２２０９、更新日時記憶部２２１１及び公開鍵記憶部２２１２から構成されている。【０２６０】  車両装置２０２０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、車両装置２０２０は、その機能を達成する。【０２６１】  なお、車両装置２０２１、・・・、２０２７は、車両装置２０２０と同様の構成であるため、説明は省略する。
（車両コード記憶部２２００）
車両コード記憶部２２００は、当該車両装置２０２０が備え付けられた列車の車両を識別する車両コードを記憶している。【０２６２】  （更新日時記憶部２２１１）
更新日時記憶部２２１１は、管理装置２０３０にて各ポイントの更新がなされた更新日時を記憶する領域を有している。
（公開鍵記憶部２２１２）
公開鍵記憶部２２１２は、署名検証を行うための公開鍵を記憶している。【０２６３】  （時計部２２０６）
時計部２２０６は、日時の計時を行う。
（計測部２２０３）
計測部２２０３は、当該車両の車両重量を予め記憶している。
計測部２２０３は、収集装置２０１０から入出力部２２０８を介して、計測命令を受信すると、上記ポイント配布システム１０００にて示す計測部１２０３と同様の動作により車両換算情報を生成し、生成した車両換算情報を、入出力部２２０８を介して収集装置２０１０へ送信する。【０２６４】  計測部２２０３は、収集装置２０１０から入出力部２２０８を介して、更新日時を受け取ると、受け取った更新日時を更新日時記憶部２２１１へ書き込む。このとき、既に書き込まれている内容は上書きされる。
（配布部２２０４）
配布部２２０４は、携帯端末２０６０より無線部２２０７を介して、要求命令と、携帯端末２０６０が記憶している全ポイント情報と、更新日時と署名データとを受信すると、公開鍵記憶部２２１２より公開鍵を読み出し、読み出した公開鍵と、全ポイント情報と、更新日時と署名データとを用いて、署名検証を行う。なお、署名検証については、公知であるため、ここでの説明は省略する。【０２６５】  配布部２２０４は、署名検証にて、正当な全ポイント情報及び更新日時であると判断する場合には、受信した更新日時と、更新日時記憶部２２１１にて記憶している更新日時とを比較して、一致するか否かを判断する。
更新日時が一致すると判断する場合には、配布部２２０４は、受信した全ポイント情報が最新のものであるとみなし、車両コード記憶部２２００にて記憶している車両コードに含まれる列車コードと一致する列車コードを含むポイント情報を、受信した全ポイント情報より抽出する。配布部２２０４は、さらに、抽出したポイント情報より列車ポイントと、当該車両装置２０２０が備えられた車両に対応する車両ポイントとを取得し、時計部２２０６より現在の日時を取得する。配布部２２０４は、取得した日時、列車ポイント及び車両ポイントと、ポイント送付命令とを、無線部２２０７を介して携帯端末２０６０へ送信する。【０２６６】  署名検証により、受信した利用情報が正当な利用情報でないと識別した場合、及び更新日時が一致しないと判断する場合には、配布部２２０４は、エラー情報を生成し、生成したエラー情報とエラー情報送付命令とを、無線部２２０７を介して携帯端末２０６０へ送信する。
（無線部２２０７）
無線部２２０７は、アンテナ部２２０９より電力信号を受け取り、受け取った電力信号を復調し、復調した信号からパルス信号波を抽出する。抽出したパルス信号波を解読して、命令と情報とを抽出する。【０２６７】  抽出する命令には、要求命令が含まれ、抽出する情報には、携帯端末２０６０が記憶している全ポイント情報と更新日時と署名データとが含まれる。
無線部２２０７は、配布部２２０４より、時計部２２０６より取得した日時、列車ポイント及び車両ポイントからなる組と、ポイント送付命令とを受け取ると、受け取った日時、列車ポイント及び車両ポイントからなる組と、ポイント送付命令とに基づいて、パルス信号波を生成し、生成したパルス信号波を変調記号として、変調記号に基づいて、搬送波の振幅を変化させ、振幅の変化した搬送波をアンテナ部２２０９へ出力する。【０２６８】  また、無線部２２０７は、配布部２２０４より、エラー情報送付命令及びエラー情報を受け取ると、受け取ったエラー情報送付命令及びエラー情報に基づいて、パルス信号波を生成し、生成したパルス信号波を変調記号として、変調記号に基づいて、搬送波の振幅を変化させ、振幅の変化した搬送波をアンテナ部２２０９へ出力する。
（入出力部２２０８）
入出力部２２０８は、上記実施の形態にて示す入出力部１２０８と同様であるため、説明は省略する。【０２６９】  （アンテナ部２２０９）
アンテナ部２２０９は、無線部２２０７より振幅の変化した搬送波を受け取ると、受け取った振幅の変化した搬送波を電波として空間に放射する。
また、アンテナ部２２０９は、電波を受信し、受信した電波を電力信号に変換して、電力信号を無線部２２０７へ出力する。【０２７０】  ＜管理装置２０３０の構成＞
管理装置２０３０は、図４２に示すように、時刻表記憶部２３００、オッズ算出部２３０３、時計部２３０４、無線部２３０６、送受信部２３０７、アンテナ部２３０８、ポイント情報記憶部２３０９、更新日時記憶部２３１０及び秘密鍵記憶部２３１１から構成されている。【０２７１】  管理装置２０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置２０３０は、その機能を達成する。【０２７２】  （時刻表記憶部２３００）
時刻表記憶部２３００は、上記ポイント配布システム１０００にて示す時刻表記憶部１３００と同様であるため、説明は省略する。
（ポイント情報記憶部２３０９）
ポイント情報記憶部２３０９は、上記ポイント配布システム１０００にて示すポイント情報記憶部１３０９と同様であるため、説明は省略する。【０２７３】  （更新日時記憶部２３１０）
更新日時記憶部２３１０は、更新日時を記憶する領域を有している。
（秘密鍵記憶部２３１１）
秘密鍵記憶部２３１１は、署名データを生成するための秘密鍵を記憶している。
（時計部２３０４）
時計部２３０４は、日時の計時を行う。【０２７４】  （オッズ算出部２３０３）
オッズ算出部２３０３は、各列車の列車オッズ、列車の各車両における車両オッズ、及び利用者へ割り当てる列車ポイント及び車両ポイントを算出する。
オッズ算出部２３０３は、列車ポイントを算出する際の基準となる列車基準ポイント（例えば、１０００ポイント）と、車両ポイントを算出する際の基準となる車両基準ポイント（例えば、１００ポイント）とを予め記憶している。【０２７５】  オッズ算出部２３０３は、時計部２３０４にて計時される日時を監視し、オッズを算出する日時であるか否かを判断し、オッズを算出する日時であると判断する場合には、その日時を時計部２３０４より取得し、更新日時として、更新日時記憶部２３１０へ書き込む。このとき、更新日時記憶部２３１０にて記憶されている内容は上書きされる。
オッズ算出部２３０３は、オッズ算出部１３０３は、現在運行中の列車及び現時刻から１０分以内に運行される列車の列車コードを時刻表記憶部１３００にて記憶している上り用時刻表より抽出し、上記ポイント配布システム１０００にて示したオッズ算出部１３０３と同様に動作を行い、抽出した全列車コードに対応する全列車に対して、列車ポイント及び各車両ポイントを算出する。【０２７６】  次に、オッズ算出部２３０３は、現在運行中の列車及び現時刻から１０分以内に運行される列車の列車コードを時刻表記憶部２３００にて記憶している下り用時刻表より抽出して、上記と同様に、下り用時刻表より取得した全列車コードに対応する全列車に対して、列車ポイント及び各車両ポイントとを算出する。
オッズ算出部２３０３は、列車コード、算出した列車ポイント及び車両ポイントとからなるポイント情報全てをポイント情報記憶部２３０９へ書き込む。このとき、ポイント情報記憶部２３０９に書かれていた内容は、上書きされる。【０２７７】  オッズ算出部２３０３は、ポイント情報記憶部２３０９に書き込んだ全ポイント情報と表示指示命令とを、送受信部２３０７を介して情報表示装置２０４０、・・・、２０４１へ送信する。
オッズ算出部２３０３は、携帯端末２０６０より送受信部２３０７を介して、ポイント情報記憶部２３０９にて記憶している全ポイント情報の送付を要求するポイント情報要求命令を受け取ると、ポイント情報記憶部２３０９より、記憶している全ポイント情報を読み出し、更新日時記憶部２３１０より更新日時を読み出し、さらに、秘密鍵記憶部２３１１より秘密鍵を読み出す。オッズ算出部２３０３は、読み出した秘密鍵を用いて、全ポイント情報及び更新日時に対して、デジタル署名を施し、署名データを生成し、生成した署名データ、読み出した全ポイント情報及び更新日時と、ポイント情報応答命令とを、送受信部２３０７を介して携帯端末２０６０へ送信する。【０２７８】  （無線部２３０６）
無線部２３０６は、アンテナ部２３０８より電力信号を受け取り、受け取った電力信号を復調し、復調した信号からパルス信号波を抽出する。抽出したパルス信号波を解読して、情報を抽出する。
抽出する情報には、列車コード、列車換算情報及び車両換算情報が含まれる。【０２７９】  また、無線部２３０６は、オッズ算出部２３０３より収集命令と列車コードとを受け取ると、受け取った収集命令及び列車コードに基づいて、パルス信号波を生成し、生成したパルス信号波を変調記号として、変調記号に基づいて、搬送波の振幅を変化させ、振幅の変化した搬送波をアンテナ部２３０８へ出力する。
（送受信部２３０７）
送受信部２３０７は、携帯端末２０６０よりインターネットを介して、ポイント情報要求命令を受信すると、受信したポイント情報要求命令をオッズ算出部２３０３へ出力する。【０２８０】  また、送受信部２３０７は、表示指示命令と、ポイント情報記憶部２３０９へ書き込んだ全ポイント情報をオッズ算出部２３０３より受け取ると、受け取った命令及び情報を情報表示装置２０４０、・・・、２０４１へインターネットを介して送信する。
送受信部２３０７は、オッズ算出部２３０３より、署名データ、読み出した全ポイント情報及び更新日時と、ポイント情報応答命令とを受け取ると、受け取った命令と情報とを携帯端末２０６０へインターネットを介して送信する。【０２８１】  （アンテナ部２３０８）
アンテナ部２３０８は、上記実施の形態にて示すアンテナ部３０８と同様であるため、説明は省略する。
＜情報表示装置２０４０の構成＞
情報表示装置２０４０、・・・、２０４１の構成は、上記ポイント配布システム１０００にて示した情報表示装置１０４０と同様であるため、説明は省略する。【０２８２】  ＜記録媒体２０５０の構成＞
記録媒体２０５０は、耐タンパ性を有しており、図４３に示すように、情報記憶部２５００から構成され、情報記憶部２５００は、ポイント記憶部２５０１、利用情報記憶部２５０２及び利用日時記憶部２５０３を有している。
記録媒体２０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体２０５０は、その機能を達成する。【０２８３】  （ポイント記憶部２５０１）
ポイント記憶部２５０１は、車両装置２０２０、・・・、２０２７により配布されたポイントを累積した合計ポイントを記憶する領域を有している。
（利用情報記憶部２５０２）
利用情報記憶部２５０２は、管理装置２０３０より取得した全ポイント情報と、更新日時と、署名データとを記憶する領域を有している。【０２８４】  （利用日時記憶部２５０３）
利用日時記憶部２５０３は、列車を利用した最新の日時、つまりポイントを累積した最新の日時を記憶する領域を有している。
＜携帯端末２０６０の構成＞
携帯端末２０６０は、図４４に示すように、制御部２６０１、入力部２６０２、表示部２６０３、第１無線部２６０４、入出力部２６０５、第１アンテナ部２６０６、第２無線部２６０７及び第２アンテナ部２６０８から構成されている。【０２８５】  携帯端末２０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末２０６０は、その機能を達成する。【０２８６】  （制御部２６０１）
制御部２６０１は、車両装置２０２０より受信した列車ポイント及び車両ポイントを記録媒体２０５０へ書き込むか否かを判断するための基準となる基準時間を予め記憶している。
制御部２６０１は、入力部２６０２よりポイント情報を要求する指示を受け取ると、ポイント情報要求命令を、第１無線部２６０４を介して管理装置２０３０へ送信する。【０２８７】  制御部２６０１は、第１無線部２６０４を介して管理装置２０３０より、管理装置２０３０が記憶している全ポイント情報、更新日時、署名データ及びポイント情報応答命令を受信すると、受信した全ポイント情報、更新日時及び署名データを、入出力部２６０５を介して、記録媒体２０５０の利用情報記憶部２５０２へ書き込む。このとき、利用情報記憶部２５０２にて記憶している内容は上書きされる。【０２８８】  制御部２６０１は、入力部２６０２よりポイント配布の要求指示を受け取ると、記録媒体２０５０より入出力部２６０５を介して、利用情報記憶部２５０２にて記憶している全ポイント情報、更新日時及び署名データを読み出し、読み出した全ポイント情報、更新日時及び署名データと、要求命令とを、第２無線部２６０７を介して車両装置２０２０へ送信する。制御部２６０１は、車両装置２０２０より第２無線部２６０７を介して、命令と情報とからなる組を受信すると、受信した命令が、ポイント送付命令であるか否かを判断する。【０２８９】  制御部２６０１は、判断結果が肯定的である場合、つまりポイント送付命令、車両装置２０２０にて取得した日時、と列車ポイント及び車両ポイントを受信したと判断する場合には、受信した日時と、利用日時記憶部２５０３にて記憶している日時とを比較して、基準期間内であるか否かを判断する。基準期間内であると判断する場合には、受信した各ポイント、日時及びポイント送付命令を破棄し、基準期間内でないと判断する場合には、記録媒体２０５０のポイント記憶部２５０１にて記憶している合計ポイントに、受信した各ポイントを累積することにより、合計ポイントを更新する。さらに、制御部２６０１は、利用日時記憶部２５０３にて記憶している日時から受信した日時へと更新する。これにより、利用日時記憶部２５０３にて記憶される日時は、列車を利用した最新の日時となる。【０２９０】  制御部２６０１は、受信した命令がポイント送付命令でないと判断する場合、つまりエラー情報送付命令及びエラー情報を受信したと判断する場合には、受信したポイントエラー情報を表示部２６０３へ出力する。
制御部２６０１は、利用情報記憶部２５０２に記憶している内容を消去する。
（入力部２６０２）
入力部２６０２は、利用者よりポイント情報を要求する指示を受け取ると、受け付けた指示を制御部２６０１へ出力する。【０２９１】  入力部２６０２は、利用者よりポイント配布の要求指示を受け取ると、受け付けた指示を制御部２６０１へ出力する。
（表示部２６０３）
表示部２６０３は、制御部１６０１よりポイント情報を受け取ると、受け取ったポイント情報を表示する。【０２９２】  表示部２６０３は、制御部２６０１より、エラー情報を受け取ると、車両装置２０２０へ送信した情報が不正である旨を示すエラーメッセージを表示する。
（第１無線部２６０４）
第１無線部２６０４は、第１アンテナ部２６０６より電力信号を受け取り、受け取った電力信号を復調し、復調した信号からパルス信号波を抽出する。抽出したパルス信号波を解読して、命令及び情報を抽出し、抽出した命令及び情報を制御部２６０１へ出力する。【０２９３】  抽出する命令には、ポイント情報応答命令が含まれる。
第１無線部２６０４は、ポイント情報応答命令を抽出すると、さらに、全ポイント情報及び更新日時と、署名データとを抽出する。
第１無線部２６０４は、制御部２６０１よりポイント情報要求命令を受け取ると、受け取ったポイント情報要求命令に基づいて、パルス信号波を生成し、生成したパルス信号波を変調記号として、変調記号に基づいて、搬送波の振幅を変化させ、振幅の変化した搬送波を第１アンテナ部２６０６へ出力する。【０２９４】  （第２無線部２６０７）
第２無線部２６０４は、第２アンテナ部２６０８より電力信号を受け取り、受け取った電力信号を復調し、復調した信号からパルス信号波を抽出する。抽出したパルス信号波を解読して、命令及び情報を抽出し、抽出した命令及び情報を制御部２６０１へ出力する。
抽出する命令には、ポイント送付命令及びエラー情報送付命令が含まれる。【０２９５】  第２無線部２６０７は、抽出した命令がポイント送付命令である場合に、さらに、列車ポイント、車両ポイント及び日時を抽出する。第２無線部２６０７は、抽出した命令がエラー情報送付命令である場合に、さらに、エラー情報を抽出する。
第２無線部２６０７は、制御部２６０１から、記録媒体２０５０より読み出された全ポイント情報、更新日時及び署名データと、要求命令とを受け取ると、受け取った全ポイント情報、更新日時及び署名データと、要求命令とに基づいて、パルス信号波を生成し、生成したパルス信号波を変調記号として、変調記号に基づいて、搬送波の振幅を変化させ、振幅の変化した搬送波を第２アンテナ部２６０８へ出力する。【０２９６】  （入出力部２６０５）
入出力部２６０５は、制御部２６０１と記録媒体２０５０との間において、情報の入出力を行う。
（第１アンテナ部２６０６及び第２アンテナ部２６０８）
第１アンテナ部２６０６は、第１無線部２６０４より振幅の変化した搬送波を受け取ると、受け取った振幅の変化した搬送波を電波として空間に放射する。【０２９７】  また、第１アンテナ部２６０６は、電波を受信し、受信した電波を電力信号に変換して、電力信号を第１無線部２６０４へ出力する。
第２アンテナ部２６０８は、第２無線部２６０７より振幅の変化した搬送波を受け取ると、受け取った振幅の変化した搬送波を電波として空間に放射する。
また、第２アンテナ部２６０８は、電波を受信し、受信した電波を電力信号に変換して、電力信号を第２無線部２６０７へ出力する。【０２９８】  ＜情報収集処理の動作＞
ここでは、オッズ算出時に、管理装置２０３０と情報の収集対象となる各収集装置との間で行われる情報収集処理について、図３５に示す流れ図と異なる点のみを説明する。
オッズ算出部２３０３は、図３５に示すステップＳ１０００からステップＳ１０２０を実行後、列車コード、算出した列車ポイント及び車両ポイントとからなる全てのポイント情報をポイント情報記憶部２３０９へ書き込み、書き込んだ全ポイント情報と表示指示命令とを情報表示装置２０４０、・・・、２０４１へ送信する。【０２９９】  ＜ポイント情報の送受信に係る処理＞
ここでは、携帯端末２０６０と管理装置２０３０との間で行われる全ポイント情報、署名データ及び更新日時の送受信に係る処理について、図４５にて示す流れ図を用いて説明する。
携帯端末２０６０の制御部２６０１は、入力部２６０２よりポイント情報を要求する指示を受け取ると、ポイント情報要求命令を、第１無線部２６０４を介して管理装置２０３０へ送信する（ステップＳ２０００）。管理装置２０３０のオッズ算出部２３０３は、携帯端末２０６０より送受信部２３０７を介して、ポイント情報要求命令を受け取ると（ステップＳ２００５）、ポイント情報記憶部２３０９より、記憶している全ポイント情報を読み出し、更新日時記憶部２３１０より更新日時を読み出し、さらに、秘密鍵記憶部２３１１より秘密鍵を読み出す。オッズ算出部２３０３は、読み出した秘密鍵を用いて、全ポイント情報及び更新日時に対して、デジタル署名を施し、署名データを生成する（ステップＳ２０１０）。【０３００】  オッズ算出部２３０３は、生成した署名データ、読み出した全ポイント情報及び更新日時と、ポイント情報応答命令とを、送受信部２３０７を介して携帯端末２０６０へ送信する（ステップＳ２０１５）。
制御部２６０１は、第１無線部２６０４を介して管理装置２０３０より、全ポイント情報、更新日時、署名データ及びポイント情報応答命令を受信すると、受信した全ポイント情報、更新日時及び署名データを、入出力部２６０５を介して、記録媒体２０５０の利用情報記憶部２５０２へ書き込む（ステップＳ２０２０）。【０３０１】  ＜ポイントの配布に係る処理＞
ここでは、携帯端末２０６０と車両装置２０２０との間で行われる列車ポイント及び車両ポイントの配布に係る処理について、図４６にて示す流れ図を用いて説明する。
携帯端末２０６０の制御部２６０１は、入力部２６０２よりポイント配布の要求指示を受け取ると、記録媒体２０５０より入出力部２６０５を介して、利用情報記憶部２５０２にて記憶している全ポイント情報、更新日時及び署名データを読み出し、読み出した全ポイント情報、更新日時及び署名データと、要求命令とを、第２無線部２６０７を介して車両装置２０２０へ送信する（ステップＳ２０５０）。【０３０２】  車両装置２０２０の配布部２２０４は、携帯端末２０６０より無線部２２０７を介して、要求命令と、携帯端末２０６０が記憶している全ポイント情報と、更新日時と署名データとを受信すると、後述するポイント配布処理を行い、その処理結果である情報と命令を携帯端末２０６０へ送信する（ステップＳ２０５５）。
携帯端末２０６０は、車両装置より、ポイント配布処理の処理結果である情報と命令を受信すると、受信した情報及び命令を用いて、後述するポイント書込処理を行う（ステップＳ２０６０）。【０３０３】  ＜ポイント配布処理の動作＞
ここでは、図４６にて示したポイント配布処理の動作について、図４７に示す流れ図を用いて説明する。
車両装置２０２０の配布部２２０４は、携帯端末２０６０より無線部２２０７を介して、要求命令と、携帯端末２０６０が記憶している全ポイント情報と、更新日時と署名データとを受信すると（ステップＳ２１００）、公開鍵記憶部２２１２より公開鍵を読み出し、読み出した公開鍵と、全ポイント情報と、更新日時と署名データとを用いて、署名検証を行う（ステップＳ２１０５）。【０３０４】  配布部２２０４は、署名検証にて、正当な全ポイント情報及び更新日時であると判断する場合には（ステップＳ２１０５における「ＯＫ」）、受信した更新日時と、更新日時記憶部２２１１にて記憶している更新日時とを比較して、一致するか否かを判断する（ステップＳ２１１０）。
更新日時が一致すると判断する場合には（ステップＳ２１１０における「ＹＥＳ」）、配布部２２０４は、受信した全ポイント情報が最新のものであるとみなし、車両コード記憶部２２００にて記憶している車両コードに含まれる列車コードと一致する列車コードを含むポイント情報を、受信した全ポイント情報より抽出する。配布部２２０４は、さらに、抽出したポイント情報より列車ポイントと、当該車両装置２０２０が備えられた車両に対応する車両ポイントとを取得し、時計部２２０６より現在の日時を取得する（ステップＳ２１１５）。配布部２２０４は、取得した日時、列車ポイント及び車両ポイントと、ポイント送付命令とを無線部２２０７を介して、携帯端末２０６０へ送信する（ステップＳ２１２０）。【０３０５】  署名検証により、受信した利用情報が正当な利用情報でないと識別した場合（ステップＳ２１０５における「ＮＧ」）、及び更新日時が一致しないと判断する場合には（ステップＳ２１１０における「ＮＯ」）、配布部２２０４は、エラー情報を生成し、生成したエラー情報とエラー情報送付命令とを、無線部２２０７を介して携帯端末２０６０へ送信する（ステップＳ２１２５）。【０３０６】  ＜ポイント書込処理の動作＞
ここでは、図４６にて示したポイント書込処理の動作について、図４８に示す流れ図を用いて説明する。
携帯端末２０６０の制御部２６０１は、車両装置２０２０より第２無線部２６０７を介して、命令と情報とからなる組を受信すると（ステップＳ２１５０）、受信した命令が、ポイント送付命令であるか否かを判断する（ステップＳ２１５５）。【０３０７】  制御部２６０１は、判断結果が肯定的である場合、つまりポイント送付命令、車両装置２０２０にて取得した日時、と列車ポイント及び車両ポイントを受信したと判断する場合には（ステップＳ２１５５における「ＹＥＳ」）、受信した日時と、利用日時記憶部２５０３にて記憶している日時とを比較して、基準期間内であるか否かを判断する（ステップＳ２１６０）。【０３０８】  基準期間内でないと判断する場合には（ステップＳ２１６０における「ＮＯ」）、記録媒体２０５０のポイント記憶部２５０１にて記憶している合計ポイントに、受信した各ポイントを累積することにより、合計ポイントを更新し、さらに、利用日時記憶部２５０３にて記憶している日時から受信した日時へと更新し（ステップＳ２１６５）、利用情報記憶部２５０２に記憶している内容を消去する（ステップＳ２１７５）。【０３０９】  基準期間内であると判断する場合には（ステップＳ２１６０における「ＹＥＳ」）、受信した各情報及び命令を破棄し、利用情報記憶部２５０２に記憶している内容を消去する（ステップＳ２１７５）。
制御部２６０１は、受信した命令がポイント送付命令でないと判断する場合、つまりエラー情報送付命令及びエラー情報を受信したと判断する場合には（ステップＳ２１５５における「ＮＯ」）、受信したポイントエラー情報を表示部２６０３へ出力する。表示部２６０３は、制御部２６０１よりエラー情報を受け取ると、エラーメッセージを表示し（ステップＳ２１７０）、制御部２６０１は、利用情報記憶部２５０２に記憶している内容を消去する（ステップＳ２１７５）。【０３１０】  １．２２  変形例
上記に説明した実施の形態は、本発明の実施の一例であり、本発明はこの実施の形態に何ら限定されるものではなく、その旨を逸脱しない範囲において種々なる態様で実施し得るものである。以下のような場合も本発明に含まれる。
（１）車両装置２０の計測部２０３において、車両換算人数を取得する際に、計測重量を計測する代わりに、車両のドア付近に車両への乗車する人及び車両からの降車する人をそれぞれ検知する人感センサを設けて、車両換算人数を取得してもよい。計測部２０３は、最新の車両換算人数を記憶しておく。【０３１１】  （２）上記（１）において、車両乗車人数をカウントする場合には、上記の実施の形態にて示した方法でもよいし、人感センサにより検知した乗車人数を車両乗車人数として、乗車人数記憶部２０２に記憶してもよい。
なお、人感センサにより検知した乗車人数を車両乗車人数とする場合には、携帯端末と車両装置との間では、利用情報及び署名データからなる組と、利用情報配布命令のやりとりのみを行い、他の情報及び命令のやりとりは行わない。【０３１２】  （３）上記（２）において、人感センサにより検知した乗車人数を車両乗車人数とする場合に、収集装置が車両乗車情報を各車両装置より収集し、管理装置３０へ送信するタイミングは、上記実施の形態にて示すタイミングでもよいし、以下に示すタイミングでもよい。
管理装置３０は、オッズの算出日時と判断する場合に、現在の日時を取得するとともに、情報の収集対象となる全列車コードを取得する。なお、以下の説明では、収集対象となる列車コードに対応する列車は、列車２ａ、・・・、２ｂとする。【０３１３】  管理装置３０は、収集装置１０へ収集命令及び列車コードを送信する。
収集装置１０は、管理装置３０より収集命令及び列車コードを受信すると、受信した列車コードが記憶している列車コードを一致する場合に、先ず、車両装置２０へ計測命令を送信する。車両装置２０は、計測命令を収集装置１０より受け取ると、記憶している最新の車両換算人数と車両コードとを用いて、車両換算情報を生成し、さらに、乗車人数記憶部２０２に記憶している乗車人数と車両コードとを用いて、車両乗車情報を生成し、生成した車両換算情報と車両乗車情報とを収集装置１０へ送信する。【０３１４】  なお、収集装置１０は、上記の動作を車両装置２１、・・・、２３に対して順次行い、車両装置２１、・・・、２３は、車両装置２０と同様の動作を行う。
収集装置１０は、列車コードと、各車両装置より受け取った各車両換算情報及び各車両乗車情報とを用いて、列車換算情報及び列車乗車情報を生成する。収集装置１０は、先ず、列車コード、列車換算情報及び各車両換算情報を管理装置３０へ、無線にて送信する。このとき、収集装置１０は、生成した列車乗車情報及び収集した車両乗車情報は一時的に記憶しておく。【０３１５】  管理装置３０は、列車コード、列車換算情報及び各車両換算情報を受信すると、受信した列車コード、列車換算情報及び各車両換算情報を一時的に記憶し、さらに、収集装置１０へ、通知命令及び列車コードを無線にて送信する。
収集装置１０は、管理装置３０より通知命令及び列車コードを受信すると、一時的に記憶している列車乗車情報及び各車両乗車情報と、列車コードとを管理装置３０へ送信する。【０３１６】  管理装置３０は、列車２ａ、・・・、２ｂに備えられた収集装置１０、・・・、１１より、列車換算情報、車両換算情報、列車乗車情報及び各車両乗車情報を全て受信すると、オッズの算出、算出したオッズの書き込み、表示情報を情報表示装置へ送信、ポイントの確定及び確定したポイントの書き込みを行う。
ここで、情報収集時の処理の流れについて、図１３を用いて、変更点のみ説明する。管理装置３０は、ステップＳ１０にて日時の取得後、ステップＳ１５〜ステップＳ２５を実行する代わりに、オッズ算出及びポイント確定の処理を行う。【０３１７】  ここで、オッズ算出及びポイント確定の処理の流れについて、図１４及び図１７を用いて、変更点のみ説明する。管理装置３０は、ステップＳ２１０を実行後、図１４にて示すステップＳ５５、及びステップＳ６０を実行し、ステップＳ２１５を実行する。管理装置３０は、ステップＳ２２５を実行後、図１４にて示すステップＳ７０、及びステップＳ７５を実行して処理を終了する。【０３１８】  （４）上記実施の形態では、各列車に収集装置を設けたが、これに限定されない。各列車に収集装置を設けないで、各車両装置２０、・・・、２７に、管理装置３０と無線通信を行うために無線部とアンテナ部とを設けてもよい。
管理装置３０は、オッズ算出時において、情報収集の対象となる全列車コードを抽出する。なお、以下の説明では、収集対象となる列車コードに対応する列車は、列車２ａ、・・・、２ｂとする。【０３１９】  管理装置３０は、車両装置２０へ収集命令及び列車コードを送信する。
車両装置２０は、管理装置３０より収集命令及び列車コードを受信すると、受信した列車コードが記憶している車両コードに含まれる列車コードを一致する場合に、車両換算人数を取得し、取得した車両換算人数と車両コードとからなる車両換算情報を生成し、生成した車両換算情報と列車コードとを管理装置３０へ送信する。【０３２０】  管理装置３０は、車両装置２０より車両換算情報と列車コードとを受信すると、受信した車両換算情報と列車コードとを一時的に記憶する。
なお、管理装置３０は、上記の動作を車両装置２１、・・・、２３に対して順次行い、車両装置２１、・・・、２３は、車両装置２０と同様の動作を行う。
管理装置３０は、各車両装置より受け取った列車コードごとに、その列車コードに対応する各車両換算情報を用いて列車換算情報を生成する。【０３２１】  管理装置３０は、列車換算情報及び各車両換算情報を用いて、オッズを算出し、算出したオッズをオッズ情報テーブルＴ１１０へ書き込む。
管理装置３０は、ポイント確定時において、情報収集の対象となる全列車コードを抽出する。なお、以下の説明では、収集対象となる列車コードに対応する列車は、列車２ａ、・・・、２ｂとする。【０３２２】  管理装置３０は、車両装置２０へ通知命令及び列車コードを送信する。
車両装置２０は、管理装置３０より通知命令及び列車コードを受信すると、受信した列車コードが記憶している車両コードに含まれる列車コードを一致する場合に、車両乗車人数を取得し、取得した車両乗車人数と車両コードとからなる車両乗車情報を生成し、生成した車両乗車情報と列車コードとを管理装置３０へ送信する。【０３２３】  管理装置３０は、車両装置２０より車両乗車情報と列車コードとを受信すると、受信した車両乗車情報と列車コードとを一時的に記憶する。
なお、管理装置３０は、上記の動作を車両装置２１、・・・、２３に対して順次行い、車両装置２１、・・・、２３は、車両装置２０と同様の動作を行う。
管理装置３０は、各車両装置より受け取った列車コードごとに、その列車コードに対応する各車両乗車情報を用いて列車乗車情報を生成する。【０３２４】  管理装置３０は、列車乗車情報及び各車両乗車情報を用いて、利用者に割り当てる列車ポイント及び各車両ポイントを確定し、確定した各ポイントをポイントテーブルＴ１１１へ書き込む。
（５）上記実施の形態では、管理装置３０にて、情報を収集する日時の監視を行ったが、これに限定されない。【０３２５】  収集装置１０、・・・、１１にて、日時を計時する時計部を設けて、管理装置３０へ情報を送信する日時であるか否かを監視してもよい。
収集装置１０、・・・、１１及び管理装置３０の動作について、以下に説明するが、収集装置１０、・・・、１１は同様の動作を行うため、ここでは、収集装置１０及び管理装置３０を用いて説明する。【０３２６】  収集装置１０は、管理装置３０へ情報を送信する日時であると判断する場合に、車両装置２０、２１、２２、２３それぞれから、車両換算情報を収集する。収集装置１０は、収集した各車両換算情報を用いて、列車換算情報を生成し、生成した列車換算情報、収集した各車両換算情報と列車コードとを管理装置３０へ送信する。
管理装置３０は、各収集装置１０、・・・、１１より列車換算情報、各車両換算情報と列車コードとを受信すると、受信した全列車コードのうち、時刻表を用いて、現在運行中の列車の列車コード及び所定時間内に運行を開始する列車の列車コードの何れかに対応する列車コードと、その列車コードに対応する列車換算情報及び各車両換算情報を抽出する。管理装置３０は、抽出した列車コード、列車換算情報及び各車両換算情報を用いて、オッズを算出する。【０３２７】  収集装置１０は、情報の収集が２回目以上であると判断する場合には、車両装置２０、２１、２２、２３それぞれから、車両乗車情報を収集する。収集装置１０は、収集した各車両乗車情報を用いて、列車乗車情報を生成し、生成した列車乗車情報、収集した各車両乗車情報と列車コードとを管理装置３０へ送信する。
管理装置３０は、各収集装置１０、・・・、１１より列車乗車情報、各車両乗車情報と列車コードとを受信すると、受信した全列車コードのうち、前回の情報収集時にオッズを算出した各列車コードの何れかに対応する列車コードと、その列車コードに対応する列車乗車情報及び各車両乗車情報を抽出する。管理装置３０は、抽出した列車コード、列車乗車情報及び各車両乗車情報を用いて、利用者に割り当てる列車ポイント及び各車両ポイントを確定する。【０３２８】  または、管理装置３０へ情報を送信する日時であるか否かを監視を車両装置２０、２１、２２、２３、・・・、２４、２５、２６、２７にて行ってもよい。
このとき、各車両装置は、管理装置３０へ情報を送信する日時であると判断する場合に、車両換算情報をそれぞれ生成する。各車両装置は、生成した車両換算情報を接続された各収集装置へそれぞれ送信する。【０３２９】  各収集装置は、接続された各車両装置より車両換算情報をそれぞれ受信すると、受信した各車両換算情報を用いて、列車換算情報を生成し、生成した列車換算情報、受信した各車両換算情報と列車コードとを管理装置３０へ送信する。
各車両装置は、情報の収集が２回目以上であると判断する場合には、車両乗車情報を生成し、生成した車両乗車情報を接続された各収集装置へそれぞれ送信する。【０３３０】  各収集装置は、接続された各車両装置より車両乗車情報をそれぞれ受信すると、受信した各車両乗車情報を用いて、列車乗車情報を生成し、生成した列車乗車情報、受信した各車両乗車情報と列車コードとを管理装置３０へ送信する。
（６）上記実施の形態では、管理装置を１台としたが、各駅に管理装置を備えてもよい。または、管理装置と情報表示装置とを１つの装置として、各駅に備えてもよい。【０３３１】  （７）上記実施の形態にて示す情報表示装置４０、・・・、４１に、携帯端末６０へ表示情報を無線にて送信するための無線部とアンテナ部とを設けてもよい。
このとき、携帯端末６０は、情報表示装置より表示情報を受信する場合には、インターネットを介して受信するようにしてもよいし、携帯端末６０と情報表示装置との間で、直接無線通信により受信するようにしてもよい。【０３３２】  （８）上記実施の形態では、合計ポイントを記録媒体５０にて記憶し、管理したが、これに限定されない。
管理装置３０に、端末識別子と対応付けられた記憶領域を有する管理記憶部を備えて、携帯端末ごとに合計ポイントを記憶し、管理してもよい。
このとき、携帯端末６０は、管理装置３０へ送信する命令及び情報として、要求命令、利用情報及び署名データに加えて、端末識別子を送信する。【０３３３】  管理装置３０は、実施の形態と同様の動作にて、列車ポイント及び車両ポイントを読み出した場合には、受信した端末識別子と対応付けられた記憶領域へ、読み出した各ポイントを累積することにより、合計ポイントを更新する。管理装置３０は、合計ポイントの更新後、合計ポイントの更新が完了した旨の更新完了命令を携帯端末６０へ送信する。また、実施の形態と同様の動作にて、ポイント不在情報を生成した場合には、ポイント不在情報及び不在情報送付命令を携帯端末６０へ送信し、エラー情報を生成した場合には、エラー情報及びエラー情報送付命令を携帯端末６０へ送信する。【０３３４】  携帯端末６０は、管理装置３０より受信した命令が、更新完了命令であるか否かを判断し、更新完了命令を受信したと判断するには、未送信の利用情報が存在するか否かを判断し、存在する場合には、未送信の利用情報及び署名データと、要求命令と端末識別子とを管理装置３０へ送信する。携帯端末６０は、更新完了命令を受信していないと判断する場合には、受信した命令がエラー情報送付命令であるか否かを判断し、エラー情報送付命令を受信したと判断する場合には、携帯端末６０は、エラー情報送付命令とともに受信したエラー情報を用いてエラーメッセージを表示する。エラー情報送付命令を受信していないと判断する場合、つまり、ポイント不在情報及び不在情報送付命令を受信したと判断する場合には、携帯端末６０は、受信したポイント不在情報を用いてポイント不在メッセージを表示する。【０３３５】  （９）上記実施の形態では、車両換算情報の生成及び送信と、利用情報の配布とを１つの車両装置で行ったが、これに限定されない。車両装置を、車両換算情報の生成及び送信を行う装置と、利用情報の配布を行う装置とに分けてもよい。
（１０）上記実施の形態では、記録媒体５０と携帯端末６０とをそれぞれ個別の構成としたが、これに限定されない。【０３３６】  携帯端末を、上記に示す記録媒体５０と携帯端末６０とからなる端末としてもよい。これは、携帯端末６０に、情報記憶部５００と同様の構成からなり、耐タンパ性を有する記憶部を設けることで、実現できる。
（１１）列車オッズの算出を以下のようにしてもよい。
オッズ算出部３０３は、一時的に記憶している全ての列車換算人数に対して、それぞれに「１」以上である所定の数値（例えば、「１」）を加算し、加算した各結果を用いて、比を算出し、取得する。取得した比を逆数にし、逆数にした比が、それぞれ整数となるように、各分母の最小公倍数を乗算し、乗算した結果を各列車に対する列車オッズとする。ポイントの確定については、上記実施の形態と同様である。【０３３７】  一時的に記憶している全ての列車換算人数に所定の数値を加算することにより列車換算人数が「０」であるものがなくなり、この場合においても、算出される列車オッズは、混雑度が低いほど高くなる。
なお、この算出方法を、車両換算人数を用いた車両オッズの算出に適用してもよい。
（１２）列車オッズ及び列車ポイントの算出を以下のようにしてもよい。【０３３８】  オッズ算出部３０３は、一時的に記憶している全ての列車換算人数のうち列車換算人数が「１」以上のもののみで、比を算出し、取得する。次に、取得した比を逆数にし、逆数にした比が、それぞれ整数となるように、各分母の最小公倍数を乗算し、乗算した結果を各列車に対する列車オッズとする。列車換算人数が「０」であるものについては、列車オッズを「０」とする。これにより、各列車の列車オッズが算出されることになる。【０３３９】  オッズ算出部３０３は、列車オッズが「０」でない各列車コードにて、列車コードに対応する列車オッズに列車乗車人数を乗算し、各乗算結果を加算する。予め記憶している列車基準ポイントを、加算した結果で割り算を行い、その商を算出する。なお、小数点第１位を四捨五入する。さらに、算出した商に、各列車オッズをそれぞれ乗算して、乗算した各結果を、各列車オッズに対応する列車ポイントとする。列車オッズが「０」である列車コードに対しては、列車基準ポイント（１０００ポイント）を列車乗車人数で割り算を行い、商を算出して、その商を列車ポイントとする。なお、小数点第１位を四捨五入する。【０３４０】  なお、この算出方法を、車両換算人数を用いた車両オッズの算出に適用してもよい。
（１３）ポイント配布システム１０００において、上記（１２）にて示す方法にて列車オッズを算出後、列車ポイントの算出を以下のようにしてもよい。
オッズ算出部１３０３は、列車オッズが「０」である列車オッズを除く各列車オッズを加算し、列車基準ポイントを加算した結果で割り算を行い、商を算出する。なお、小数点第１位を四捨五入する。次に、オッズ算出部１３０３は、算出した商を、各列車オッズに乗算することにより、列車ポイントを算出する。列車オッズが「０」である場合には、その列車オッズに対する列車ポイントは、列車基準ポイントとする。【０３４１】  なお、この算出方法を、車両オッズを用いた車両ポイントの算出に適用してもよい。
また、上記の算出方法を、ポイント配布システム１０００において、上記（１２）にて示す方法にて列車オッズ及び車両オッズを算出して、列車ポイント及び車両ポイントを算出する際に用いてもよい。
（１４）上記実施の形態において、携帯端末６０は、受信した利用情報に含まれる日時と、記録媒体５０の利用日時記憶部５０３にて記憶している日時とを比較して、基準時間内であると判断する場合には、受信した利用情報及び署名データを破棄したが、これに限定されない。【０３４２】  携帯端末６０は、以下のような動作を行ってもよい。
携帯端末６０は、基準時間内であると判断する場合には、さらに、受信した利用情報に含まれる車両コードと、利用情報記憶部５０２にて記憶している利用情報のうち利用日時記憶部５０３にて記憶している日時に対応する利用情報に含まれる車両コードとを用いて、各車両コードに含まれる列車コードが一致するか否かを判断する。一致すると判断する場合には、受信した利用情報及び署名データを破棄し、一致しないと判断する場合には、受信した利用情報及び署名データと、削除フラグ「０」とを、利用情報記憶部５０２へ書き込み、さらに、利用日時記憶部５０３にて記憶している日時から受信した利用情報に含まれる日時へと更新する。【０３４３】  （１５）ポイント配布システム１０００において、利用日時記憶部１５０３は、列車を利用した最新の日時と、利用した列車の車両を示す車両コードとを対応付けて記憶してもよい。
このとき、携帯端末１０６０は、利用者が利用した車両装置より列車ポイント、車両ポイント、日時及びポイント送付命令に加えて、車両コードをも受信する。携帯端末１０６０は、受信した日時と、記録媒体１０５０の利用日時記憶部５０３にて記憶している日時とを比較して、基準時間内であるか否かを判断する。【０３４４】  基準時間内であると判断する場合には、さらに、利用日時記憶部５０３にて記憶している日時と対応付けて記憶している車両コードと、受信した車両コードとを用いて、各車両コードに含まれる列車コードが一致するか否かを判断する。一致すると判断する場合には、受信した利用情報及び署名データを破棄する。
基準時間内でないと判断する場合、及び各車両コードに含まれる列車コードが一致しないと判断する場合には、記録媒体１０５０のポイント記憶部１５０１にて記憶している合計ポイントに、受信した各ポイントを累積することにより、合計ポイントを更新し、利用日時記憶部１５０３にて記憶している日時及び車両コードから受信した日時及び車両コードへと更新する。【０３４５】  また、ポイント配布システム２０００においても上記と同様にしてもよい。
（１６）ポイント配布システム１において、利用情報に対する署名データを生成したが、利用情報に含まれる車両コードのみに対して、デジタル署名を施し、署名データを生成してもよい。
また、ポイント配布システム２０００において、全ポイント情報及び更新日時に対する署名データを生成したが、全ポイント情報に対して、デジタル署名を施し、署名データを生成してもよい。【０３４６】  （１７）上記実施の形態において、管理装置３０は、携帯端末６０より検索命令及び検索情報を受信し、受信した検索情報を満たすオッズの情報のみを携帯端末６０へ送信したが、これに限定されない。管理装置３０は、携帯端末６０より検索命令のみを受信し、最近に算出した全てのオッズの情報を取得し、取得した全てのオッズの情報とオッズ送信命令を送信してもよい。なお、携帯端末６０では、受信した全てのオッズの情報を表示する。【０３４７】  また、情報表示装置４０において、受信した全ての表示情報を表示してもよい。
（１８）上記実施の形態において、列車毎に、その列車における車両の車両換算情報を用いて車両オッズを算出し、算出したオッズに基づいて車両ポイントを算出したが、これに限定されない。各収集装置より収集した全ての車両の車両換算情報を用いて、車両オッズを算出し、算出したオッズに基づいて車両ポイントを算出してもよい。【０３４８】  （１９）ポイント配布システム１０００にて示すポイントの確定方法を、ポイント配布システム１に適用してもよい。
（２０）上記実施の形態では、複数の車両及び複数の列車の各混雑度を比較することにより、オッズ算出し、オッズに基づいたポイントを算出したが、これに限定されない。
他の車両の混雑度と比較することなく、１の車両に対して、当該車両の混雑度に応じたポイントを算出してもよい。【０３４９】  この場合におけるポイントの算出の一例を以下に示す。
管理装置は、車両換算人数の範囲と、その範囲に対応するポイントとからなる組を複数個記憶している車両ポイントテーブルを予め記憶している。
テーブルは、例えば、車両換算人数「１０１名〜」に対しては、ポイント「１」を対応付け、車両換算人数「８１名〜１００名」に対しては、ポイント「１０」を対応付けている。以下、「６１名〜９０名」に対しては、ポイント「２０」を、「４１名〜６０名」に対しては、ポイント「３０」を、「２１名〜４０名」に対しては、ポイント「４０」を、「０名〜２０名」に対しては、ポイント「５０」を、それぞれ対応付けている。【０３５０】  管理装置は、列車より収集した車両換算情報に含まれる車両換算人数に基づいて、記憶している車両ポイントテーブルより車両に対するポイントを取得することにより、算出する。
これにより、１の車両に対して、当該車両の混雑度に応じて、ポイントを算出することができる。【０３５１】  また、列車に対しても同様に、他の列車の混雑度と比較することなく、１の列車に対して、当該列車の混雑度に応じたポイントを算出してもよい。
この場合も、上記と同様に、管理装置は、列車換算人数の範囲と、その範囲に対応するポイントとからなる組を複数個記憶しているテーブルとを予め記憶することで、実現できる。【０３５２】  （２１）上記実施の形態及び上記変形例をそれぞれ組み合わせるとしてもよい。
１．２３  第１の実施の形態のまとめ
以上説明したように、ポイント配布システム１を用いることで、鉄道会社は、混雑度の低い列車及び車両へ乗客を誘導することができ、効率のよい列車運行が可能となる。
また、鉄道会社は、ポイント配布システム１０００及び２０００を用いても、混雑度の低い列車及び車両へ乗客を誘導することができるため、効率のよい列車運行が可能となる。【０３５３】  ２．第２の実施の形態
ここでは、第２の実施の形態として、本発明のポイント配布システムを高速道路利用に関するサービス（以下、「道路サービス」という。）へ適用した場合について説明する。
２．１  ポイント配布システム３０００の概要
道路サービスへの適用した場合のポイント配布システム３０００を図４９にて示す。【０３５４】  ポイント配布システム３０００は、道路サービスを行う会社にて提供されるシステムであり、収集装置３０１０、３０１１、管理装置３０３０、情報表示装置３０４０、記録媒体３０５０及び携帯端末３０６０から構成されている。
管理装置３０３０は、収集装置３０１０、３０１１及び情報表示装置３０４０とインターネットを介してネットワーク接続されている。【０３５５】  携帯端末３０６０は、収集装置３０１０、３０１１と無線による通信が可能であり、さらに、管理装置３０３０とインターネットを介してネットワーク接続することができる。また、携帯端末３０６０は、収集装置３０１０、３０１１と無線通信を行う際、及び管理装置３０３０とネットワーク接続を行う際には、記録媒体３０５０が装着される。
管理装置３０３０は、高速道路及び迂回路のそれぞれの混雑度を定期的に収集装置３０１０、３０１１より収集して、収集した情報を用いてオッズを算出する。また、携帯端末３０６０へポイントの配布を行う。【０３５６】  収集装置３０１０は、高速道路の入口（例えば、料金所）のゲートに備えられ、高速道路を利用する車の混雑度を計測し、車３００１がゲートを通過することを検知すると、携帯端末３０６０へ、ゲートを通過した日時及び装置識別子からなる利用情報と、その利用情報に対してデジタル署名を施した署名データとを短距離無線により送信する。ここで、短距離無線による通信距離を３ｍとする。【０３５７】  また、収集装置３０１１は、迂回路の主要位置のゲートに備えられ、迂回路を利用する車の混雑度を計測し、車３００１がゲートを通過することを検知すると、携帯端末３０６０へ、ゲートを通過した日時及び装置識別子からなる利用情報とその利用情報に対する署名データとを無線により送信する。
情報表示装置３０４０は、高速道路と迂回路との分岐点に備えられ、高速道路利用時のオッズ及び迂回路利用時のオッズを表示する。これにより、利用者は高速道路を利用するか若しくは迂回路をりようするかの選択ができるようになる。【０３５８】  ２．２  収集装置３０１０
ここでは、収集装置３０１０について説明する。なお、収集装置３０１１は、収集装置３０１０と同様であるため、説明は省略する。
収集装置３０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置３０１０は、その機能を達成する。【０３５９】  収集装置３０１０は、日時を計時する時計部を備えている。
収集装置３０１０は、当該収集装置３０１０を識別する装置識別子と、上記実施の形態と同様に署名データを生成するための秘密鍵とを記憶している。
収集装置３０１０は、管理装置３０３０にて定期的に行われるオッズの算出において、オッズ算出から次のオッズ算出までの期間に高速道路を利用した車の台数をカウントして、カウントした結果を記憶し、さらに、利用情報とその利用情報に対する署名データとを送付した件数、つまりポイントを配布する人数をカウントして、記憶する。【０３６０】  車の台数のカウントは、例えば、当該収集装置３０１０に車が通過したことを検知するセンサを備えることで可能となる。また、ポイントを配布する人数のカウントは、上記実施の形態と同様に、利用情報及び署名データを配布後、携帯端末３０６０より情報受取命令を無線にて受信することにより可能となる。
収集装置３０１０は、管理装置３０３０よりインターネットを介して、通知命令を受信すると、それまでにカウントしていた人数と装置識別子とを管理装置３０３０へインターネットを介して送信し、カウントした人数を「０」にリセットする。【０３６１】  収集装置３０１０は、管理装置３０３０よりインターネットを介して、収集命令を受信すると、それまでにカウントしていた車の台数と装置識別子とを管理装置３０３０へインターネットを介して送信し、カウントした台数を「０」にリセットする。
収集装置３０１０は、車が通過したことを検知すると、上記に示す車の台数をカウント及び記憶を行い、さらに、時計部より日時を取得し、取得した日時と記憶しいている装置識別子とを用いて、利用情報を生成し、秘密鍵を用いて、生成した利用情報に対して、デジタル署名を施して、署名データを生成し、生成した利用情報と署名データとを無線にて送信する。【０３６２】  収集装置３０１０は、携帯端末３０６０より情報受信命令と、携帯端末３０６０を識別する端末識別子とを受信すると、ポイントを配布する人数としてカウントし、カウントの結果を記憶する。さらに、収集装置３０１０は、端末識別子と応答命令とを携帯端末３０６０へ無線により送信する。
２．３  管理装置３０３０
ここでは、管理装置３０３０について説明する。【０３６３】  管理装置３０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置３０３０は、その機能を達成する。【０３６４】  管理装置３０３０は、オッズ算出日時、装置識別子、オッズからなる組を１個以上記憶するためのオッズ記憶領域と、ポイント確定日時、装置識別子、ポイントからなる組を１個以上記憶するためのポイント記憶領域とを有しており、さらに、上記実施の形態と同様に、署名検証を行うために公開鍵を記憶している。
オッズ算出日時は、オッズを算出した日時を、装置識別子は、収集装置を識別する識別子を、オッズは装置識別子に対応する収集装置が備えられた道路を利用する際のオッズをそれぞれ示す。【０３６５】  ポイント確定日時は、ポイントが確定した日時を、装置識別子は、上記と同様であり、ポイントは装置識別子に対応する収集装置が備えられた道路を利用した利用者へ割り当てるポイントをそれぞれ示す。
管理装置３０３０は、上記実施の形態と同様に、オッズを算出する日時であるか否かを判断し、オッズを算出する日時であると判断する場合には、その日時を取得する。次に、管理装置３０３０は、通知命令を収集装置３０１０、３０１１へ送信し、収集装置３０１０、３０１１より前回オッズ算出時から今回までにカウントした人数と装置識別子とを受信し、受信したそれぞれの装置識別子及び人数と、前回算出した各オッズとを用いて、上記実施の形態と同様のポイント算出方法にて、各装置識別子に対応するポイントを算出し、利用者へ割り当てるポイントを確定し、ポイントが確定した日時と装置識別子と装置識別子に対応するポイントとからなる組をポイント記憶領域へ書き込む。【０３６６】  管理装置３０３０は、さらに、収集命令を収集装置３０１０、３０１１へ送信し、収集装置３０１０、３０１１より前回オッズ算出時から今回までにカウントした車の台数と装置識別子とを受信し、受信したそれぞれの装置識別子及び車の台数を用いて、上記実施の形態と同様のオッズ算出方法にて、各装置識別子に対応するオッズを算出し、オッズを算出した日時と、装置識別子と、装置識別子に対応するオッズとからなる組をオッズ記憶領域へ書き込む。また、管理装置３０３０は、オッズ記憶領域へ書き込んだ各組を、インターネットを介して情報表示装置３０４０へ送信する。【０３６７】  管理装置３０３０は、携帯端末３０６０よりインターネットを介して、オッズの配信を要求するオッズ配信命令を受信すると、オッズ記憶領域より、受信した日時に一番近いオッズ算出日時に対応する装置識別子及びオッズからなる組を全て取得し、取得した全ての組を携帯端末３０６０へインターネットを介して送信する。
管理装置３０３０は、携帯端末３０６０よりインターネットを介して、要求命令と、利用情報と利用情報に対応する署名データとを受信すると、署名検証を行い、正当な利用情報であると判断する場合に、受信した利用情報に含まれる日時以降で、その日時に一番近いオッズ算出日時と、装置識別子と、ポイントとからなる組がポイント記憶領域に存在するか否かを判断する。【０３６８】  組が存在すると判断する場合には、受信した利用情報に含まれる装置識別子と一致するポイントを取得し、取得したポイントとポイント送付命令とを、インターネットを介して携帯端末３０６０へ送信する。
組が存在しないと判断する場合には、上記実施の形態と同様に、ポイント不在情報を生成し、生成したポイント不在情報と不在情報送付命令とを、インターネットを介して携帯端末３０６０へ送信する。また、署名検証により、受信した利用情報が正当な利用情報でないと識別した場合には、上記実施の形態と同様にエラー情報を生成し、生成したエラー情報とエラー情報送付命令とを、インターネットを介して携帯端末３０６０へ送信する。【０３６９】  ２．４  情報表示装置３０４０
ここでは、情報表示装置３０４０の構成について、以下に説明する。
情報表示装置３０４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置３０４０は、その機能を達成する。【０３７０】  情報表示装置３０４０は、管理装置３０３０よりインターネットを介して、オッズ算出日時と装置識別子と装置識別子に対応するオッズとからなる組を受信すると、受信した組を表示する。
２．５  記録媒体３０５０
ここでは、記録媒体３０５０について説明する。【０３７１】  記録媒体３０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体３０５０は、その機能を達成する。
記録媒体３０５０は、耐タンパ性を有している。【０３７２】  また、記録媒体３０５０は、管理装置３０３０より配布されたポイントを累積した合計ポイントを記憶する合計ポイント記憶領域と、収集装置３０１０及び３０１１の何れかより送信された利用情報及びその利用情報に対する署名データと、削除フラグとからなる組を１個以上記憶するための利用情報記憶領域と、利用者が高速道路及び迂回路の何れかを利用した日時を記憶する利用日時記憶領域を有している。【０３７３】  ２．６  携帯端末３０６０
携帯端末３０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末３０６０は、その機能を達成する。【０３７４】  携帯端末３０６０は、当該携帯端末３０６０を識別する端末識別子を、収集装置３０１０より受信した利用情報及び署名データを記録媒体３０５０へ書き込むか否かを判断するための基準となる基準時間を、収集装置３０１０へ端末識別子と情報受取命令とを送信する期間を示す送信期間を、それぞれ予め記憶している。
携帯端末３０６０は、利用者よりオッズの配信要求の指示を受け付けると、管理装置３０３０へインターネットを介して、オッズ配信命令を送信する。携帯端末３０６０は、オッズ算出日時、装置識別子及びオッズからなる組を１個以上受信すると、受信した１個以上の組を表示する。【０３７５】  携帯端末３０６０は、収集装置３０１０より利用情報及び署名データからなる組を無線にて受信すると、受信した利用情報に含まれる日時と、記録媒体３０５０の利用日時記憶領域にて記憶している日時とを比較して、基準時間内であるか否かを判断する。基準時間内であると判断する場合には、受信した利用情報及び署名データを破棄する。基準時間内ではないと判断する場合には、受信した利用情報及び署名データと、削除フラグ「０」とを、記録媒体３０５０の利用情報記憶領域へ書き込み、さらに、利用日時記憶領域にて記憶している日時を受信した利用情報に含まれる日時へ更新する。次に、携帯端末３０６０は、予め記憶している端末識別子を読み出し、読み出した端末識別子と情報受取命令とを、予め記憶している送信期間の間、収集装置３０１０へ無線にて送信する。携帯端末３０６０は、さらに、収集装置３０１０より無線にて、応答命令及び端末識別子を受信すると、受信した端末識別子と、読み出した端末識別子とが一致するか否かを判断する。一致しないと判断する場合には、送信期間内か否かを判断し、送信期間内であると判断する場合には、再度、読み出した端末識別子と情報受取命令とを、収集装置３０１０へ送信する。送信期間内でないと判断する場合には、読み出した端末識別子と情報受取命令との送信を終了する。また、収集装置３０１０より受信した端末識別子と読み出した端末識別子とが一致する場合には、読み出した端末識別子と情報受取命令との送信を終了する。【０３７６】  携帯端末３０６０は、利用者よりポイント配布の要求指示を受け付けると、記録媒体３０５０より、利用情報領域にて記憶している利用情報及び署名データからなる組を１個取得する。携帯端末３０６０は、取得した組を、インターネットを介して管理装置３０３０へ送信する。携帯端末３０６０は、管理装置３０３０より、命令と情報とからなる組を受信すると、受信した命令がポイント送付命令であるか否かを判断する。携帯端末３０６０は、受信した命令がポイント送付命令であると判断する場合には、記録媒体３０５０のポイント記憶領域にて記憶している合計ポイントに、受信したポイントを累積することにより、合計ポイントを更新し、送信した利用情報及び署名データに対応する削除フラグを「０」から「１」へと更新する。携帯端末３０６０は、判断結果が否定的である場合には、受信した命令がエラー情報送付命令であるか否かを判断する。エラー情報送付命令であると判断する場合には、受信したエラーメッセージを表示し、送信した利用情報及び署名データに対応する削除フラグを「０」から「１」へと更新する。携帯端末３０６０は、受信した命令がエラー情報送付命令でない、つまり不在情報送付命令であると判断する場合には、ポイント未確定メッセージ表示する。携帯端末３０６０は、未送信の利用情報及び署名データが、利用情報記憶領域に存在するか否かを判断し、存在��ると判断する場合には、未送信の利用情報及び署名データからなる組を１個取得し、上記動作を行う。未送信の利用情報及び署名データが、利用情報記憶領域に存在しないと判断する場合には、利用情報記憶領域に記憶している利用情報及び署名データと、削除フラグとからなる組のうち、削除フラグが「１」である組全てを消去する。【０３７７】  ２．７  ポイント配布システム３０００の変形例
なお、以下の場合も本発明に含まれる。
（１）上記に示す携帯端末３０６０は、車に予め備えられた車載機であってもよい。
または、携帯端末を、上記に示す記録媒体３０５０と携帯端末３０６０とからなる端末としてもよい。【０３７８】  （２）上記に示す収集装置は、３台以上あってもよい。
（３）高速道路の混雑度の計測は、渋滞の計測を行う従来方法を用いて、混雑度を計測してもよい。従来の方法とは、道路に埋めこまれた車両検知器の磁気センサで車の流れを検知する方法である。
このとき、例えば、収集装置は、渋滞の距離に応じた混雑度のレベルを記憶しておき、車両検知器を高速道路の各所に設置し、各車両検知器の検知状況に基づいて、渋滞の距離を算出し、算出した渋滞の距離よりを混雑度のレベルを取得する。管理装置は、収集装置にて取得された混雑度のレベルを用いてオッズを算出する。【０３７９】  または、渋滞の距離を用いて、車の台数を換算してもよい。管理装置は、収集装置にて換算された車の台数を用いてオッズを算出する。
（４）ポイントの配布方法は、ポイント配布システム１０００及び２０００にて示した方法を用いてもよい。
（５）ポイント配布システム３０００では、混雑度の計測と、利用情報の配布とを１つの収集装置で行ったが、これに限定されない。収集装置を、混雑度の計測及び結果の送信を行う装置と、利用情報の配布を行う装置とに分けてもよい。【０３８０】  （５）上記実施の形態及び上記変形例をそれぞれ組み合わせるとしてもよい。
２．８  第２の実施の形態のまとめ
以上説明したように、ポイント配布システム３０００を用いることで、道路サービスを提供する会社は、高速道路及び迂回路のうち空いている道路へ、運転手を誘導することができる。そのため、ポイント配布システム３０００により、道路の渋滞を緩和することができる
３．第３の実施の形態
ここでは、第３の実施の形態として、本発明のポイント配布システムをレストランなどにおける飲食に関するサービス（以下、「レストランサービス」という。）へ適用した場合について説明する。【０３８１】  ３．１  ポイント配布システム４０００の概要
レストランサービスへの適用した場合のポイント配布システム４０００を図５０にて示す。
ポイント配布システム４０００は、レストランサービスを行う会社にて提供されるシステムであり、当該会社により経営されているレストラン店舗４００１ａ、４００１ｂ、・・・、４００１ｃのそれぞれに備えられた収集装置４０１０、４０１１、・・・、４０１２及び情報表示装置４０４０、４０４１、・・・、４０４２と、管理装置４０３０と、記録媒体４０５０及び携帯端末４０６０とから構成されている。【０３８２】  管理装置４０３０は、収集装置４０１０、４０１１、・・・、４０１２及び情報表示装置４０４０、４０４１、・・・、４０４２と、インターネットを介してネットワーク接続されている。
携帯端末４０６０は、収集装置４０１０、４０１１、・・・、４０１２と無線による通信が可能であり、さらに、管理装置４０３０とインターネットを介してネットワーク接続することができる。また、携帯端末４０６０は、収集装置４０１０、４０１１、・・・、４０１２と無線通信を行う際、及び管理装置４０３０とネットワーク接続を行う際には、記録媒体４０５０が装着される。【０３８３】  管理装置４０３０は、レストラン店舗４００１ａ、４００１ｂ、・・・、４００１ｃのそれぞれの混雑度を定期的に収集装置４０１０、４０１１、・・・、４０１２より収集して、収集した情報を用いてオッズを算出する。また、携帯端末４０６０へポイントの配布を行う。
収集装置４０１０は、利用者の出入りを検知することにより混雑度を計測し、利用者が入店したことを検知すると、当該利用者が付帯する携帯端末４０６０へ、入店した日時及び装置識別子からなる利用情報と、その利用情報に対してデジタル署名を施した署名データとを短距離無線により送信する。ここで、利用情報及び署名データの発信源を店舗の出入り口付近（例えば、出入り口より内側１ｍに位置する店舗の天井）とし、通信距離を３ｍとする。また、収集装置４０１１、・・・、４０１２も、収集装置４０１０と同様の動作を行う。【０３８４】  情報表示装置４０４０は、レストラン店舗４００１ａ、４００１ｂ、・・・、４００１ｃにおける利用時のオッズを表示する。これにより、利用者はレストラン店舗４００１ａ、４００１ｂ、・・・、４００１ｃのうちどのレストラン店舗を利用するかを選択することができるようになる。
３．２  収集装置４０１０
ここでは、収集装置４０１０について説明する。なお、収集装置４０１１、・・・、４０１２は、収集装置４０１０と同様であるため、説明は省略する。【０３８５】  収集装置４０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置４０１０は、その機能を達成する。【０３８６】  収集装置４０１０は、日時を計時する時計部を備えている。
収集装置４０１０は、当該収集装置４０１０を識別する装置識別子と、上記実施の形態と同様に署名データを生成するための秘密鍵とを記憶している。
収集装置４０１０は、管理装置４０３０にて定期的に行われるオッズの算出において、オッズ算出から次のオッズ算出までの期間に、入場した利用者数と退場した利用者数のそれぞれをカウントして、レストラン店舗４００１ａ内にいる利用者の店内利用者数を算出して記憶する。さらに、利用情報とその利用情報に対する署名データとを送付した件数、つまりポイントを配布する人数をカウントして、記憶する。【０３８７】  店内利用者数のカウントは、例えば、当該収集装置４０１０に利用者の入退場を検知する人感センサを備えることで可能となる。また、ポイントを配布する配布人数のカウントは、上記実施の形態と同様に、利用情報及び署名データを配布後、携帯端末４０６０より情報受取命令を無線にて受信することにより可能となる。
収集装置４０１０は、管理装置４０３０よりインターネットを介して、通知命令を受信すると、それまでにカウントして記憶していた配布人数と装置識別子とを管理装置４０３０へインターネットを介して送信し、カウントした人数を「０」にリセットする。【０３８８】  収集装置４０１０は、管理装置４０３０よりインターネットを介して、収集命令を受信すると、それまでに記憶していた店内利用者数と装置識別子とを管理装置４０３０へインターネットを介して送信し、カウントした台数を「０」にリセットする。
収集装置４０１０は、利用者がレストラン店舗４００１ａへ入場したことを検知すると、上記に示す店内利用者の算出及び記憶を行い、さらに、時計部より日時を取得し、取得した日時と記憶しいている装置識別子とを用いて、利用情報を生成し、秘密鍵を用いて生成した利用情報に対して、デジタル署名を施して、署名データを生成し、生成した利用情報と署名データとを無線にて送信する。【０３８９】  収集装置４０１０は、携帯端末４０６０より情報受信命令と、携帯端末４０６０を識別する端末識別子とを受信すると、ポイントを配布する配布人数としてカウントし、カウントの結果を記憶する。さらに、収集装置４０１０は、端末識別子と応答命令とを携帯端末４０６０へ無線により送信する。
３．３  管理装置４０３０
ここでは、管理装置４０３０について説明する。【０３９０】  管理装置４０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置４０３０は、その機能を達成する。【０３９１】  管理装置４０３０は、オッズ算出日時、装置識別子、オッズからなる組を１個以上記憶するためのオッズ記憶領域と、ポイント確定日時、装置識別子、ポイントからなる組を１個以上記憶するためのポイント記憶領域とを有しており、さらに、上記実施の形態と同様に、署名検証を行うために公開鍵を記憶している。
オッズ算出日時は、オッズを算出した日時を、装置識別子は、収集装置を識別する識別子を、オッズは装置識別子に対応する収集装置が備えられた道路を利用する際のオッズをそれぞれ示す。【０３９２】  ポイント確定日時は、ポイントが確定した日時を、装置識別子は、上記と同様であり、ポイントは装置識別子に対応する収集装置が備えられた道路を利用した利用者へ割り当てるポイントをそれぞれ示す。
管理装置４０３０は、上記実施の形態と同様に、オッズを算出する日時であるか否かを判断し、オッズを算出する日時であると判断する場合には、その日時を取得する。次に、管理装置４０３０は、通知命令を収集装置４０１０、４０１１、・・・、４０１２へ送信し、収集装置４０１０、４０１１、・・・、４０１２のそれぞれから、配布人数と装置識別子とを受信し、受信したそれぞれの装置識別子及び配布人数と、前回算出した各オッズとを用いて、上記実施の形態と同様のポイント算出方法にて、各装置識別子に対応するポイントを算出し、利用者へ割り当てるポイントを確定し、ポイントが確定した日時と装置識別子と装置識別子に対応するポイントとからなる組をポイント記憶領域へ書き込む。【０３９３】  管理装置４０３０は、さらに、収集命令を収集装置４０１０、４０１１、・・・、４０１２へ送信し、収集装置４０１０、４０１１、・・・、４０１２のそれぞれから、店内利用者数と装置識別子とを受信し、受信したそれぞれの装置識別子及び店内利用者数を用いて、上記実施の形態と同様のオッズ算出方法にて、各装置識別子に対応するオッズを算出し、オッズを算出した日時と、装置識別子と、装置識別子に対応するオッズとからなる組をオッズ記憶領域へ書き込む。また、管理装置４０３０は、オッズ記憶領域へ書き込んだ各組を、インターネットを介して情報表示装置４０４０へ送信する。【０３９４】  管理装置４０３０は、携帯端末４０６０よりインターネットを介して、オッズの配信を要求するオッズ配信命令を受信すると、オッズ記憶領域より、受信した日時に一番近いオッズ算出日時に対応する装置識別子及びオッズからなる組を全て取得し、取得した全ての組を携帯端末４０６０へインターネットを介して送信する。
管理装置４０３０は、携帯端末４０６０よりインターネットを介して、要求命令と、利用情報と利用情報に対応する署名データとを受信すると、署名検証を行い、正当な利用情報であると判断する場合に、受信した利用情報に含まれる日時以降で、その日時に一番近いオッズ算出日時と、装置識別子と、ポイントとからなる組がポイント記憶領域に存在するか否かを判断する。【０３９５】  組が存在すると判断する場合には、受信した利用情報に含まれる装置識別子と一致するポイントを取得し、取得したポイントとポイント送付命令とを、インターネットを介して携帯端末４０６０へ送信する。
組が存在しないと判断する場合には、上記実施の形態と同様に、ポイント不在情報を生成し、生成したポイント不在情報と不在情報送付命令とを、インターネットを介して携帯端末４０６０へ送信する。また、署名検証により、受信した利用情報が正当な利用情報でないと識別した場合には、上記実施の形態と同様にエラー情報を生成し、生成したエラー情報とエラー情報送付命令とを、インターネットを介して携帯端末４０６０へ送信する。【０３９６】  ３．４  情報表示装置４０４０
ここでは、情報表示装置４０４０の構成について、以下に説明する。
情報表示装置４０４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置４０４０は、その機能を達成する。【０３９７】  情報表示装置４０４０は、管理装置４０３０よりインターネットを介して、オッズ算出日時と装置識別子と装置識別子に対応するオッズとからなる組を受信すると、受信した組を表示する。
なお、情報表示装置４０４１、・・・、４０４２は、情報表示装置４０４０と同様であるため、説明は省略する。【０３９８】  ３．５  記録媒体４０５０
ここでは、記録媒体４０５０について説明する。
記録媒体４０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体４０５０は、その機能を達成する。【０３９９】  記録媒体４０５０は、耐タンパ性を有している。
また、記録媒体４０５０は、管理装置４０３０より配布されたポイントを累積した合計ポイントを記憶する合計ポイント記憶領域と、収集装置４０１０、４０１１、・・・、４０１２の何れかより送信された利用情報及びその利用情報に対する署名データと、削除フラグとからなる組を１個以上記憶するための利用情報記憶領域と、利用者がレストラン店舗４００１ａ、４００１ｂ、・・・、４００１ｃの何れかを利用した日時を記憶する利用日時記憶領域を有している。【０４００】  ３．６  携帯端末４０６０
ここでは、携帯端末４０６０について説明する。
携帯端末４０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末４０６０は、その機能を達成する。【０４０１】  携帯端末４０６０は、当該携帯端末４０６０を識別する端末識別子を、収集装置４０１０より受信した利用情報及び署名データを記録媒体４０５０へ書き込むか否かを判断するための基準となる基準時間を、収集装置４０１０へ端末識別子と情報受取命令とを送信する期間を示す送信期間を、それぞれ予め記憶している。
携帯端末４０６０は、利用者よりオッズの配信要求の指示を受け付けると、管理装置４０３０へインターネットを介して、オッズ配信命令を送信する。携帯端末４０６０は、オッズ算出日時、装置識別子及びオッズからなる組を１個以上受信すると、受信した１個以上の組を表示する。【０４０２】  携帯端末４０６０は、収集装置４０１０より利用情報及び署名データからなる組を無線にて受信すると、受信した利用情報に含まれる日時と、記録媒体４０５０の利用日時記憶領域にて記憶している日時とを比較して、基準時間内であるか否かを判断する。基準時間内であると判断する場合には、受信した利用情報及び署名データを破棄する。基準時間内ではないと判断する場合には、受信した利用情報及び署名データと、削除フラグ「０」とを、記録媒体４０５０の利用情報記憶領域へ書き込み、さらに、利用日時記憶領域にて記憶している日時を受信した利用情報に含まれる日時へ更新する。次に、携帯端末４０６０は、予め記憶している端末識別子を読み出し、読み出した端末識別子と情報受取命令とを、予め記憶している送信期間の間、収集装置４０１０へ無線にて送信する。携帯端末４０６０は、さらに、収集装置４０１０より無線にて、応答命令及び端末識別子を受信すると、受信した端末識別子と、読み出した端末識別子とが一致するか否かを判断する。一致しないと判断する場合には、送信期間内か否かを判断し、送信期間内であると判断する場合には、再度、読み出した端末識別子と情報受取命令とを、収集装置４０１０へ送信する。送信期間内でないと判断する場合には、読み出した端末識別子と情報受取命令との送信を終了する。また、収集装置４０１０より受信した端末識別子と読み出した端末識別子とが一致する場合には、読み出した端末識別子と情報受取命令との送信を終了する。【０４０３】  携帯端末４０６０は、利用者よりポイント配布の要求指示を受け付けると、記録媒体４０５０より、利用情報領域にて記憶している利用情報及び署名データからなる組を１個取得する。携帯端末４０６０は、取得した組を、インターネットを介して管理装置４０３０へ送信する。携帯端末４０６０は、管理装置４０３０より、命令と情報とからなる組を受信すると、受信した命令がポイント送付命令であるか否かを判断する。携帯端末４０６０は、受信した命令がポイント送付命令であると判断する場合には、記録媒体４０５０のポイント記憶領域にて記憶している合計ポイントに、受信したポイントを累積することにより、合計ポイントを更新し、送信した利用情報及び署名データに対応する削除フラグを「０」から「１」へと更新する。携帯端末４０６０は、判断結果が否定的である場合には、受信した命令がエラー情報送付命令であるか否かを判断する。エラー情報送付命令であると判断する場合には、受信したエラーメッセージを表示し、送信した利用情報及び署名データに対応する削除フラグを「０」から「１」へと更新する。携帯端末４０６０は、受信した命令がエラー情報送付命令でない、つまり不在情報送付命令であると判断する場合には、ポイント未確定メッセージ表示する。携帯端末４０６０は、未送信の利用情報及び署名データが、利用情報記憶領域に存在するか否かを判断し、存在��ると判断する場合には、未送信の利用情報及び署名データからなる組を１個取得し、上記動作を行う。未送信の利用情報及び署名データが、利用情報記憶領域に存在しないと判断する場合には、利用情報記憶領域に記憶している利用情報及び署名データと、削除フラグとからなる組のうち、削除フラグが「１」である組全てを消去する。【０４０４】  ３．７  ポイント配布システム４０００の変形例
なお、以下の場合も本発明に含まれる。
（１）ポイントの配布方法は、ポイント配布システム１０００及び２０００にて示した方法を用いてもよい。
（２）ポイント配布システム４０００では、混雑度の計測と、利用情報の配布とを１つの収集装置で行ったが、これに限定されない。収集装置を、混雑度の計測及び結果の送信を行う装置と、利用情報の配布を行う装置とに分けてもよい。【０４０５】  （３）ポイント配布システム４０００をレストランサービスに適用したが、これに限定されない。ポイント配布システム４０００をテーマパークや遊園地などにおける娯楽に関するサービス（以下、「テーマパークサービス」という。）へ適用してもよい。
テーマパークサービスへの適用する場合には、テーマパークの設置された各アトラクションが、収集装置及び情報表示装置を備えるようにすればよい。【０４０６】  これにより、ある特定のアトラクションだけへの集中を避けて、他の空いているアトラクションへ客を誘導することができる。
（４）上記実施の形態では、記録媒体４０５０と携帯端末４０６０とをそれぞれ個別の構成としたが、これに限定されない。
携帯端末を、上記に示す記録媒体４０５０と携帯端末４０６０とからなる端末としてもよい。【０４０７】  （５）上記実施の形態及び上記変形例をそれぞれ組み合わせるとしてもよい。
３．８  第３の実施の形態のまとめ
以上説明したように、ポイント配布システム４０００を用いることで、レストラン店舗４００１ａ、４００１ｂ、・・・、４００１ｃを経営する会社は、ある一つのレストラン店舗に客が集中するのを避けて、客に対して、空いているレストラン店舗の利用を促すことができる。【０４０８】  ４．ポイント使用時の変形例
上記第１の実施の形態において、鉄道会社の提供する特典を受ける際に、ポイントを利用するとしたが、これに限定されない。
集めたポイントを、商品の購入に利用してもよい。例えば、蓄積したポイントを電子マネーに変換して、商品の購入に利用する。【０４０９】  また、蓄積したポイントを鉄道の利用料金決済時に利用してもよい。
なお、本発明には、商品の購入の概念に、特典等によるサービスの享受が含まれるものとする。
以下に、集めたポイントを、電子マネーとして利用する場合の変形例と、利用料金の決済時に利用する場合の変形例について説明する。【０４１０】  ４．１  電子マネーとして利用する場合
本変形例において、ポイントが配布されるまでの動作は、第１の実施の形態と同様であるため、説明は省略する。
ここでは、第１の実施の形態と異なる点を中心に説明する。
本変形例では、記録媒体の構成が、第１の実施の形態とは異なり、他の装置については、第１の実施の形態と同様であるため、以降の説明において、必要であれば第１の実施の形態にて示した装置を用いて説明する。【０４１１】  電子マネー利用時のシステムは、図５１に示すように、記録媒体５０Ａ、決済装置７０Ａ及び鉄道会社が管理するサーバ装置７５Ａから構成されている。
決済装置７０Ａは、電子マネーの利用が可能な店舗に設置され、ユーザが購入する商品に対して、電子マネーによる決済を行う。また、決済装置７０Ａは、サーバ装置７５Ａとインターネットによりネットワーク接続されている。【０４１２】  （１）概要
記録媒体５０Ａは、列車を利用する場合及びポイントの配布を要求する場合には、携帯端末６０に装着される。携帯端末６０は、乗車した車両に備えられた車両装置より、利用情報を無線により受信すると、受信した利用情報を記録媒体５０Ａへ書き込む。また、携帯端末６０は、管理装置３０よりポイントを受信すると、受信したポイントとポイント書込命令を記録媒体５０Ａへ出力することにより、受信したポイントをこれまでに集めたポイントに累積する。また、携帯端末６０は、図２２に示すステップＳ４７０の処理の後、ポイント書込終了命令を記録媒体５０Ａへ出力する。【０４１３】  ユーザは、電子マネーを利用する場合には、記録媒体５０Ａを、決済装置７０Ａに備え付けられた、短距離無線を行うセンサ７００Ａに近づけることにより、記録媒体５０Ａに記録されている電子マネーを利用する。
なお、記録媒体５０Ａは、携帯端末６０に装着された場合には、携帯端末６０より電力は供給される。また、電子マネー利用時には、記録媒体５０Ａは、決済装置７０Ａから短距離無線により電力信号を受け取り、受け取った電力信号を電荷して、内部に電力供給する。【０４１４】  （２）記録媒体５０Ａ
記録媒体５０Ａは、図５２にて示すように、情報記憶部５００Ａ、電子マネー記憶部５１０Ａ、識別子記憶部５１１Ａ、ポイント変換部５１２Ａ、入出力部５１３Ａ、支払制御部５１４Ａ及び無線制御部５１５Ａから構成されている。
記録媒体５０Ａは、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体５０Ａは、その機能を達成する。【０４１５】  ＜情報記憶部５００Ａ＞
情報記憶部５００Ａは、耐タンパ性を有しており、図示はしていないが、ポイント記憶部５０１Ａ、利用情報記憶部５０２Ａ及び利用日時記憶部５０３Ａを有している。
ポイント記憶部５０１Ａ、利用情報記憶部５０２Ａ及び利用日時記憶部５０３Ａのそれぞれは、第１の実施の形態にて示すポイント記憶部５０１、利用情報記憶部５０２及び利用日時記憶部５０３と同様であるため、説明は省略する。【０４１６】  ＜電子マネー記憶部５１０Ａ＞
電子マネー記憶部５１０Ａは、耐タンパ性を有しており、管理テーブルＴ５００を有している。
管理テーブルＴ５００は、一例として図５３に示すように、金額種別と、個数とからなる組を複数記憶する領域を有している。【０４１７】  金額種別は、管理する電子マネーの金額を示す。ここでは、管理する電子マネーの金額は、１００００円、５０００円、１０００円、５００円、１００円及び１円である。
個数は、対応する金額種別にて示される金額を１個とした場合の数を示す。例えば、金額種別「１０００円」の個数が「２」である場合には、２０００円分の電子マネーが管理されていることを示す。ここで、各個数の初期値は、０である。図５３にて示す管理テーブルＴ５００は、電子マネーとして利用できる金額がないことを示している。【０４１８】  ＜識別子記憶部５１１Ａ＞
識別子記憶部５１１Ａは、耐タンパ性を有しており、当該記録媒体５０Ａを識別する記録媒体ＩＤを予め記憶している。
＜ポイント変換部５１２Ａ＞
ポイント変換部５１２Ａは、耐タンパ性を有しており、ポイントの書き込み、及び合計ポイントから電子マネーへの変換を行う。【０４１９】  ポイント変換部５１２Ａは、ポイント書込命令とポイントとを、入出力部５１３Ａを介して携帯端末６０より受け取ると、受け取ったポイントを、ポイント記憶部５０１Ａに記憶しているポイントに加算する。
ポイント変換部５１２Ａは、携帯端末６０よりポイント書込完了命令を受け取ると、ポイント記憶部５０１Ａにて記憶している合計ポイント数が、所定のポイント数（例えば、１０００ポイント）以上であるか否かを判断する。所定のポイント数以上であると判断する場合には、所定のポイント数（１０００ポイント）ごとに所定の金額（例えば、１０００円）へと変換し、変換結果に基づいて、管理テーブルＴ５００を更新する。【０４２０】  また、ポイント変換部５１２Ａは、電子マネーに変換されたポイント数を、記憶しているポイント数から減算し、減算結果をポイント記憶部５０１Ａに記憶する。
ポイント変換部５１２Ａは、記憶しているポイント数が、所定のポイント数以上でないと判断する場合には、電子マネーへの変換は行わない。
例えば、ポイント記憶部５０１Ａにて記憶しているポイントが１３００ポイントである場合について説明する。ポイント変換部５１２Ａは、１０００ポイントを、電子マネー「１０００円」に変換し、金額種別「１０００円」の個数に「１」を加算し、管理テーブルＴ５００を更新する。ポイント変換部５１２Ａは、電子マネーの変換に使用した１０００ポイントを、記憶している１３００ポイントから減算し、ポイント記憶部５０１Ａの記憶内容を減算結果「３００」に更新する。ここで、図５４にて示す管理テーブルＴ５０１は、１０００ポイントが電子マネー「１０００円」に変換された場合に、図５３にて示す管理テーブルＴ５００からの更新結果である。【０４２１】  なお、ここでは、合計ポイント数から電子マネーへ変換する際に、ポイント変換部５１２Ａは、管理テーブルＴ５００を更新するとしたが、これに限定されない。少なくとも１つ以上の金額種別に対する個数が１以上である管理テーブルに対して更新を行ってもよい。
＜入出力部５１３Ａ＞
入出力部５１３Ａは、携帯端末６０より受け取った情報を、ポイント変換部５１２Ａを介して、情報記憶部５００Ａへ出力する。【０４２２】  入出力部５１３Ａは、情報記憶部５００Ａにて記憶している情報を、携帯端末６０へ出力する。
＜支払制御部５１４Ａ＞
支払制御部５１４Ａは、電子マネーの利用時における動作の制御を行う。
支払制御部５１４Ａは、決済装置７０Ａから無線制御部５１５Ａを介して、利用した金額を示す金額情報と、支払いの要求を示す支払要求命令とを受け取る。【０４２３】  支払制御部５１４Ａは、受け取った金額情報にて示される金額が、電子マネー記憶部５０１Ａにて記憶している金額以下であるか否か、つまり金額情報にて示される金額の支払いが、記憶している電子マネーを用いて支払い可能であるか否かを判断する。
金額情報にて示される金額が、記憶している金額以下であると判断する、つまり支払い可能であると判断する場合に、支払制御部５１４Ａは、識別子記憶部５１１Ａにて記憶している記録媒体ＩＤを読み出し、読み出した記録媒体ＩＤと、電子マネーによる支払いが可能であることを示す支払応答命令とを、無線制御部５１５Ａを介して決済装置７０Ａへ送信する。支払制御部５１４Ａは、電子マネー記憶部５０１Ａにて記憶している金額から、金額情報にて示される金額を減算し、電子マネー記憶部５０１Ａの記憶内容を、減算結果となるように更新する。【０４２４】  金額情報にて示される金額が、記憶している金額より多いと判断する、つまり支払い不可能であると判断する場合に、支払制御部５１４Ａは、電子マネーによる支払いが不可能であることを示す支払不能命令を、無線制御部５１５Ａを介して決済装置７０Ａへ送信する。
ここで、電子マネーを利用する場合の具体例を以下に示す。【０４２５】  記録媒体５０Ａは、図５５（ａ）に示す管理テーブルＴ５０２を、電子マネー記憶部５０１Ａにて記憶している。管理テーブルＴ５０２は、電子マネーとして、３０００円を管理していることを示している。
ユーザが、１５７５円分の買い物をし、電子マネーにてその支払いを行う。
支払制御部５１４Ａは、決済装置７０Ａから、金額「１５７５円」を示す金額情報と、支払要求命令とを受け取ると、電子マネーによる支払いが可能であるか否かを判断する。この場合、金額情報にて示される金額「１５７５円」は、記憶している金額「３０００円」以下であるので、支払制御部５１４Ａは、電子マネーによる支払いが可能であると判断する。【０４２６】  支払制御部５１４Ａは、記録媒体ＩＤと、支払応答命令とを決済装置７０Ａへ送信する。支払制御部５１４Ａは、電子マネー記憶部５０１Ａにて記憶している金額「３０００円」から、金額情報にて示される金額「１５７５円」を減算し、電子マネー記憶部５０１Ａの記憶内容を、減算結果「１４２５円」となるように更新する。つまり、支払制御部５１４Ａは、金額種別「１０００円」の個数が「１」、金額種別「１００円」の個数が「４」、及び金額種別「１円」の個数が「２５」となるように、管理テーブルＴ５０２から図５５（ｂ）にて示す管理テーブルＴ５０３へと更新する。【０４２７】  ＜無線制御部５１５Ａ＞
無線制御部５１５Ａは、例えば、無線ＩＤタグであり、アンテナ部５１６Ａを具備している。
アンテナ部５１６Ａは、受信アンテナであり、電波を受信し、受信した電波を電力信号に変換する。また、受信した電波を反射（再放射）する。【０４２８】  無線制御部５１５Ａは、アンテナ部５１６Ａにて変換された電力信号から、支払要求命令と、金額情報とを抽出し、抽出した支払要求命令と、金額情報とを支払制御部５１４Ａへ出力する。
無線制御部５１５Ａは、支払制御部５１４Ａより支払応答命令と記録媒体ＩＤとを受け取ると、支払応答命令と記録媒体ＩＤとからなるビット列を生成し、生成したビット列に含まれるビット（０又は１）に応じて、アンテナ部５１６Ａが有するインピーダンスを切り換える。これにより、無線制御部５１５Ａは、アンテナ部５１６Ａを用いて、決済装置７０Ａへ、支払応答命令と記録媒体ＩＤとを送信することができる。【０４２９】  無線制御部５１５Ａは、支払制御部５１４Ａより支払不能命令を受け取ると、支払不能命令からなるビット列を生成し、生成したビット列に含まれるビット（０又は１）に応じて、アンテナ部５１６Ａが有するインピーダンスを切り換える。これにより、無線制御部５１５Ａは、アンテナ部５１６Ａを用いて、決済装置７０Ａへ、支払不能命令を送信することができる。【０４３０】  （３）決済装置７０Ａ
決済装置７０Ａは、短距離無線を行うセンサ７００Ａを用いて、記録媒体５０Ａへ金額情報と支払要求命令とを送信する。
決済装置７０Ａは、センサ７００Ａを用いて、記録媒体５０Ａから支払応答命令と記録媒体ＩＤとを受け取ると、支払い金額の決済を行い、決済された金額と記録媒体ＩＤとを対応付けて記憶する。【０４３１】  決済装置７０Ａは、センサ７００Ａを用いて、記録媒体５０Ａから支払不能命令を受け取ると、電子マネーによる支払いができない旨を示すメッセージを表示し、決済装置の操作者へ通知する。
決済装置７０Ａは、記憶している決済された金額と記録媒体ＩＤとを、例えば、毎月所定日に、鉄道会社にて管理されるサーバ装置７５Ａへ通知する。【０４３２】  （４）サーバ装置７５Ａ
サーバ装置７５Ａは、記録媒体ＩＤと、記録媒体ＩＤにより識別される記録媒体の所有者（購入者）の情報とを対応付けて管理している。ここで、所有者の情報とは、例えば、所有者の名前、住所、年齢などである。
サーバ装置７５Ａは、決済装置７０Ａより通知された、決済された金額と記録媒体ＩＤを管理している。【０４３３】  所有者の情報及び決済された金額のそれぞれは、記録媒体ＩＤと対応付けがされているため、サーバ装置７５Ａは、決済された金額と所有者の情報とを対応付けることができる。つまり、サーバ装置７５Ａは、ユーザ毎に、利用した電子マネーの金額を管理することができる。
なお、上記に示すサーバ装置７５Ａの機能を、管理装置３０に含ませてもよい。【０４３４】  （５）電子マネーへの変換する際の動作
ここでは、蓄積されたポイントを電子マネーに変換する際に行われる変換処理について、図５６にて示す流れ図を用いて説明する。なお、変換処理に動作は、例えば、図２２に示すステップＳ４７０の後に行われる。
ポイント変換部５１２Ａは、携帯端末６０よりポイント書込完了命令を受け取ると（ステップＳ３０００）、ポイント記憶部５０１Ａにて記憶しているポイント数が、所定数（例えば、１０００ポイント）以上であるか否かを判断する（ステップＳ３００５）。所定数以上であると判断する場合には（ステップＳ３００５における「ＹＥＳ」）、所定のポイント数（１０００ポイント）ごとに所定の金額（例えば、１０００円）へと変換する（ステップＳ３０１０）。【０４３５】  ポイント変換部５１２Ａは、変換結果に基づいて、管理テーブルＴ５００を更新する（ステップＳ３０１５）。
また、ポイント変換部５１２Ａは、電子マネーに変換されたポイント数を、記憶しているポイント数から減算し、減算結果をポイント記憶部５０１Ａに記憶する（ステップＳ３０２０）。【０４３６】  ポイント変換部５１２Ａは、記憶しているポイント数が、所定のポイント数以上でないと判断する場合には（ステップＳ３００５における「ＮＯ」）、処理を終了する。
なお、ここでは、合計ポイント数から電子マネーへ変換する際に、ポイント変換部５１２Ａは、管理テーブルＴ５００を更新するとしたが、これに限定されない。少なくとも１つ以上の金額種別に対する個数が１以上である管理テーブルに対して更新を行ってもよい。【０４３７】  （６）電子マネー利用時の動作
ここでは、蓄積された電子マネーを利用する際に行われる電子マネー利用処理について、図５７にて示す流れ図を用いて説明する。
支払制御部５１４Ａは、決済装置７０Ａから無線制御部５１５Ａを介して、金額情報と、支払要求命令とを受け取る（ステップＳ３５００）。【０４３８】  支払制御部５１４Ａは、電子マネー記憶部５１０Ａにて記憶している電子マネーを用いて支払い可能であるか否かを判断する（ステップＳ３５０５）。
支払い可能であると判断する場合に（ステップＳ３５０５における「ＹＥＳ」）、支払制御部５１４Ａは、識別子記憶部５１１Ａにて記憶している記録媒体ＩＤを読み出し（ステップＳ３５１０）、読み出した記録媒体ＩＤと、支払応答命令とを、無線制御部５１５Ａを介して決済装置７０Ａへ送信する（ステップＳ３５１５）。支払制御部５１４Ａは、電子マネー記憶部５０１Ａにて記憶している金額から、金額情報にて示される金額を減算し、電子マネー記憶部５０１Ａの記憶内容を、減算結果となるように更新する（ステップＳ３５２０）。【０４３９】  支払い不可能であると判断する場合に（ステップＳ３５０５における「ＮＯ」）、支払制御部５１４Ａは、支払不能命令を、無線制御部５１５Ａを介して決済装置７０Ａへ送信する（ステップＳ３５２５）。
（７）変形例
鉄道会社が運営する列車の運賃の支払いを電子マネーにて行ってもよい。【０４４０】  蓄積されたポイント数を電子マネーへと変換する動作は、上記と同様であるため、説明は省略する。
ここでは、電子マネーの利用時の動作について、上記と異なる点を中心に、以下に説明する。
鉄道会社が運営する各駅には、改札装置が備え付けられている。【０４４１】  改札装置は、ユーザが駅の改札へ入場する際に、記録媒体５０Ａへ当該駅の名称を識別する駅ＩＤを書き込む書込装置と、改札口の出場側には、列車の運賃を決済する運賃決済装置とゲートとから構成されている。
ユーザに対して改札の通過が許可される場合には、ゲートは開かれ、通過が拒否される場合には、ゲートは閉じられる。【０４４２】  また、記録媒体５０Ａは、駅ＩＤを記憶する領域を有している。
ユーザは、改札口からプラットホームへ入場する際には、記録媒体５０Ａを書込装置のセンサへ近づける。
書込装置は、記録媒体５０Ａへ駅ＩＤを送信することにより、記録媒体５０Ａへ駅ＩＤを書き込む。【０４４３】  記録媒体５０Ａは、書込装置より駅ＩＤを受け取ると、受け取った駅ＩＤを記憶する。
ユーザは、プラットホームから改札口を通過する際には、記録媒体５０Ａを運賃決済装置のセンサへ近づける。
記録媒体５０Ａは、記憶している駅ＩＤを運賃決済装置へ送信する。
運賃決済装置は、記録媒体５０Ａより駅ＩＤを受け取ると、受け取った駅ＩＤにて示される駅から当該運賃決済装置が備えられた駅までの運賃（金額）を決定し、決定された金額を示す金額情報と、支払要求情報とを送信する。【０４４４】  記録媒体５０Ａは、金額情報及び支払要求情報とを受け取ると、上記と同様の動作を行う。
運賃決済装置は、記録媒体５０Ａより支払応答命令と記録媒体ＩＤとを受け取ると、上記と同様の動作を行い、さらに、改札装置に備え付けられたゲートを開き、ユーザの通過を許可する。運賃決済装置は、記録媒体５０Ａより支払不能命令を受け取ると、上記と同様の動作を行い、さらに、ゲートを閉め、ユーザの通過を拒否する。【０４４５】  ４．２  鉄道の利用料金決済時に利用する場合
本変形例において、ポイントが配布されるまでの動作は、第１の実施の形態と同様であるため、説明は省略する。
ここでは、第１の実施の形態と異なる点を中心に説明する。
本変形例では、記録媒体の構成が、第１の実施の形態とは異なり、他の装置については、第１の実施の形態と同様であるため、以降の説明において、必要であれば第１の実施の形態にて示した装置を用いて説明する。【０４４６】  本変形例におけるシステムは、図５８にて示すように記録媒体５０Ｂ、決済装置７０Ｂ及び改札装置８０Ｂから構成される。
決済装置７０Ｂは、鉄道の利用料金の決済を行う。改札装置８０Ｂは、ユーザが改札口からプラットホームへ入場する際、入場に係る動作の制御と、ユーザがプラットホームから出場する際、出場に係る動作の制御とを行う。また、改札装置８０Ｂは、決済装置７０Ｂとインターネットによりネットワーク接続されている。【０４４７】  （１）概要
記録媒体５０Ｂは、列車を利用する場合及びポイントの配布を要求する場合には、携帯端末６０に装着される。携帯端末６０は、乗車した車両に備えられた車両装置より、利用情報を無線により受信すると、受信した利用情報を記録媒体５０Ｂへ書き込む。また、携帯端末６０は、管理装置３０よりポイントを受信すると、受信したポイントとポイント書込命令を記録媒体５０Ｂへ出力することにより、受信したポイントをこれまでに集めたポイントに累積する。【０４４８】  ユーザは、駅の改札からプラットホームへ入場する場合には、記録媒体５０Ｂを、改札装置８０Ｂに備え付けられた、短距離無線を行う第１センサ８００Ｂに近づけることにより、改札装置８０Ｂは、当該装置が備え付けられた駅を識別する駅ＩＤを記録媒体５０Ａに記録する。
ユーザは、プラットホームから改札口を通過する際には、記録媒体５０Ｂを改札装置８０Ｂの第２センサ８０１Ｂへ近づけることにより、記録媒体５０Ｂは、記憶している合計ポイントと、記憶している駅ＩＤと、当該記録媒体５０Ｂを識別する記録媒体ＩＤとを改札装置８０Ｂへ送信する。【０４４９】  改札装置８０Ｂは、記録媒体５０Ｂから合計ポイントと、駅ＩＤと、記録媒体ＩＤとを受け取ると、受け取った駅ＩＤと、当該改札装置８０Ｂが備え付けられた駅に対応する駅ＩＤとからなる利用区間情報を生成し、生成した利用区間情報と、合計ポイントと、記録媒体ＩＤとを利用料金の決済を行う決済装置７０Ｂへ送信する。
決済装置７０Ｂは、記録媒体ＩＤごとに、合計ポイントと、所定の期間内に鉄道を利用した際の利用料金とを記録している。決済装置７０Ｂは、改札装置８０Ｂから、利用区間情報と、合計ポイントと、記録媒体ＩＤとを受信すると、受信した利用区間情報から利用料金を決定し、決定した利用料金を、受信した記録媒体ＩＤに対応付けて記録する。また、決済装置７０Ｂは、記録している合計ポイントに、受信したポイントを加算し、記憶内容を加算結果へと更新する。【０４５０】  決済装置７０Ｂは、毎月所定の日に、記録している利用料金の決済を行う。このとき、記録している合計ポイントに応じて利用料金の割引を行う。
なお、記録媒体５０Ｂは、携帯端末６０に装着された場合には、携帯端末６０より電力は供給される。また、記録媒体５０Ｂは、改札装置８０Ｂから短距離無線により電力信号を受け取り、受け取った電力信号を電荷して、内部に電力供給する。【０４５１】  （２）記録媒体５０Ｂ
記録媒体５０Ｂは、図５９にて示すように、情報記憶部５００Ｂ、駅ＩＤ記憶部５２０Ｂ、識別子記憶部５２１Ｂ、ポイント書込部５２２Ｂ、入出力部５２３Ｂ、制御部５２４Ｂ及び無線制御部５１５Ｂから構成されている。
記録媒体５０Ｂは、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体５０Ｂは、その機能を達成する。【０４５２】  ＜情報記憶部５００Ｂ＞
情報記憶部５００Ｂは、耐タンパ性を有し、図示はしていないが、ポイント記憶部５０１Ｂ、利用情報記憶部５０２Ｂ及び利用日時記憶部５０３Ｂを有している。
ポイント記憶部５０１Ｂ、利用情報記憶部５０２Ｂ及び利用日時記憶部５０３Ｂのそれぞれは、第１の実施の形態にて示すポイント記憶部５０１、利用情報記憶部５０２及び利用日時記憶部５０３と同様であるため、説明は省略する。【０４５３】  ＜駅ＩＤ記憶部５２０Ｂ＞
駅ＩＤ記憶部５２０Ｂは、耐タンパ性を有し、改札装置８０Ｂの第１センサ８００Ｂから送信された駅ＩＤを記憶するための領域を有している。
＜識別子記憶部５２１Ｂ＞
識別子記憶部５２１Ｂは、耐タンパ性を有し、当該記録媒体５０Ｂを識別する記録媒体ＩＤを予め記憶している。【０４５４】  ＜ポイント書込部５２２Ｂ＞
ポイント書込部５２２Ｂは、耐タンパ性を有し、ポイントの書き込みを行う。
ポイント書込部５２２Ｂは、ポイント書込命令とポイントとを、入出力部５２３Ｂを介して携帯端末６０より受け取ると、受け取ったポイントを、ポイント記憶部５０１Ｂに記憶しているポイントに加算する。【０４５５】  ＜入出力部５２３Ｂ＞
入出力部５２３Ｂは、携帯端末６０より受け取った情報を、ポイント書込部５２２Ｂを介して、情報記憶部５００Ｂへ出力する。
入出力部５２３Ｂは、情報記憶部５００Ｂにて記憶している情報を、携帯端末６０へ出力する。【０４５６】  ＜制御部５２４Ｂ＞
制御部５２４Ｂは、列車利用時における動作の制御を行う。
制御部５２４Ｂは、改札装置８０Ｂの第１センサ８００Ｂから無線制御部５２５Ｂを介して、駅ＩＤと、ＩＤ送信命令とを受け取ると、受け取った駅ＩＤを駅ＩＤ記憶部５２０Ｂへ書き込む。【０４５７】  制御部５２４Ｂは、改札装置８０Ｂの第２センサ８０１Ｂから、駅ＩＤの送信を要求する駅ＩＤ要求命令を受け取ると、駅ＩＤ、記録媒体ＩＤ及び合計ポイントのそれぞれを、駅ＩＤ記憶部５２０Ｂ、識別子記憶部５２１Ｂ及びポイント記憶部５０１Ｂから読み出し、読み出した駅ＩＤ、記録媒体ＩＤ及び合計ポイントと、駅ＩＤ応答命令とを、無線制御部５２５Ｂを介して改札装置８０Ｂへ送信する。【０４５８】  ＜無線制御部５２５Ｂ＞
無線制御部５２５Ｂは、例えば、無線ＩＤタグであり、アンテナ部５２６Ｂを具備している。
アンテナ部５２６Ｂは、受信アンテナであり、電波を受信し、受信した電波を電力信号に変換する。また、受信した電波を反射（再放射）する。【０４５９】  無線制御部５２５Ｂは、アンテナ部５２６Ｂにて変換された電力信号から、駅ＩＤと、ＩＤ送信命令とを抽出すると、抽出した駅ＩＤとＩＤ送信命令とを制御部５２４Ｂへ出力する。
無線制御部５２５Ｂは、アンテナ部５２６Ｂにて変換された電力信号から、駅ＩＤ要求命令を抽出すると、抽出した駅ＩＤ要求命令とを制御部５２４Ｂへ出力する。【０４６０】  無線制御部５２５Ｂは、制御部５２４Ｂより駅ＩＤ応答命令と、駅ＩＤ、記録媒体ＩＤ及び合計ポイントとを受け取ると、受け取った命令と情報とからなるビット列を生成し、生成したビット列に含まれるビット（０又は１）に応じて、アンテナ部５２６Ｂが有するインピーダンスを切り換える。これにより、無線制御部５２５Ｂは、アンテナ部５２６Ｂを用いて、改札装置８０Ｂへ、駅ＩＤ応答命令と、駅ＩＤ、記録媒体ＩＤ及び合計ポイントとを送信することができる。【０４６１】  （３）改札装置８０Ｂ
改札装置８０Ｂは、当該装置が備え付けられた駅を示す駅ＩＤを予め記憶している。
改札装置８０Ｂは、第１センサ８００Ｂを用いて、記録媒体５０Ｂへ駅ＩＤと、ＩＤ送信命令とを送信する。
改札装置８０Ｂは、第２センサ８０１Ｂを用いて、記録媒体５０Ｂへ駅ＩＤ要求命令を送信する。【０４６２】  改札装置８０Ｂは、記録媒体５０Ｂから第２センサ８０１Ｂを用いて、駅ＩＤ、記録媒体ＩＤ及び合計ポイントと、駅ＩＤ応答命令とを受信すると、当該装置にて記憶している駅ＩＤを読み出し、読み出した駅ＩＤと受信した駅ＩＤとからなる利用区間情報を生成し、生成した利用区間情報と、受信した記録媒体ＩＤと、合計ポイントを決済装置７０Ｂへ送信する。【０４６３】  （５）決済装置７０Ｂ
決済装置７０Ｂは、図６０に示すように、割引情報記憶部７０１Ｂ、履歴情報記憶部７０２Ｂ、時計部７０３Ｂ、制御部７０４Ｂ及び通信部７０５Ｂから構成されている。
決済装置７０Ｂは、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、決済装置７０Ｂは、その機能を達成する。【０４６４】  なお、決済装置７０Ｂは、記録媒体ＩＤと、記録媒体ＩＤにより識別される記録媒体５０Ｂの所有者（購入者）の情報とを対応付けて管理しているとする。ここで、所有者の情報とは、所有者の名前、住所、決済された利用料金を支払うために予め指定された銀行の口座などである。
＜割引情報記憶部７０１Ｂ＞
割引情報記憶部７０１Ｂは、図６１に示すように、割引テーブルＴ６００を有している。【０４６５】  割引テーブルＴ６００は、ポイント数と割引率とからなる組を複数記憶する領域を有している。
ポイント数は、蓄積されたポイント数の範囲を示しており、ここでは、０〜５００、５０１〜１０００、１００１〜１５００、１５０１〜２０００及び２００１〜の５つの範囲により区分けされている。【０４６６】  割引率は、蓄積されたポイント数に応じて利用料金の割引を行う際の割り引きの割合を示している。例えば、蓄積されたポイント数が、０〜５００ポイントの範囲にある場合には、利用料金の割引率は「０％」であり、割引はされない。また、蓄積されたポイント数が、５０１〜１０００ポイントの範囲にある場合には、利用料金の割引率は「５％」となる。【０４６７】  ＜履歴情報記憶部７０２Ｂ＞
履歴情報記憶部７０２Ｂは、図６２にて示すように、記録媒体ＩＤ毎に合計ポイント及び利用金額を管理する履歴情報テーブルＴ７００を有している。
履歴情報テーブルＴ７００は、管理対象である記録媒体ＩＤを記録する領域Ｔ７０１と、領域Ｔ７０１に対応する累積ポイント数を記録する領域Ｔ７０２と、利用状況を記録する領域Ｔ７０３とから構成される。ここで、領域Ｔ７０２に記録される初期値は、０である。【０４６８】  領域Ｔ７０３は、利用日及び利用料金とからなる組を複数記憶するための領域を有している。なお、以降において、利用日及び利用料金とからなる組を利用状況という。
利用日は、改札装置８０Ｂから各情報を受信した日付を示し、利用料金は、改札装置から受信した利用区間情報に対応する金額を示す。
なお、以降では、記録媒体５０Ｂの記録媒体ＩＤを「ＩＤ１」として説明する。【０４６９】  ＜時計部７０３Ｂ＞
時計部７０３Ｂは、日時の計時を行う。
＜制御部７０４Ｂ＞
制御部７０４Ｂは、履歴情報テーブルＴ７００の更新、及び毎月の所定日に利用料金の決済に係る動作を行う。【０４７０】  制御部７０４Ｂは、改札装置８０Ｂより通信部７０５Ｂを介して、利用区間情報と、受信した記録媒体ＩＤと、合計ポイントとを受信する。
制御部７０４Ｂは、受信した記録媒体ＩＤに対応する履歴情報テーブルＴ７００を、履歴情報記憶部７０２Ｂから読み出す。
制御部７０４Ｂは、受信した利用区間情報に基づいて、利用区間における利用料金を決定する。【０４７１】  制御部７０４Ｂは、時計部７０３Ｂから現在の日付を取得し、取得した日付を利用日として、決定した利用料金と対応付けて、読み出した履歴情報テーブルＴ７００の領域Ｔ７０３に記録する。
制御部７０４Ｂは、受信した合計ポイントを、読み出した履歴情報テーブルＴ７００の累積ポイント数に加算し、領域Ｔ７０２に記録されている内容を、加算結果へと更新する。【０４７２】  これにより、受信した記録媒体ＩＤに対応する履歴情報テーブルＴ７００の更新を行うことができる。
また、制御部７０４Ｂは、時計部７０３Ｂにて計時される日時を監視しており、毎月、所定の日時（例えば、毎月１日の午前２時）になると、前月分の利用料金の決済に係る処理を行う。【０４７３】  以下に、決済に係る処理について、図６２に示す履歴情報テーブルＴ７００を用いて、説明する。
制御部７０４Ｂは、前月分の利用状況群を取得する。例えば、前月分（例えば、２月分）の決済に係る処理を行う場合には、利用状況群Ｔ７０４を取得する。
制御部７０４Ｂは、取得した利用状況群Ｔ７０４を用いて、利用金額の合計（５４００円）を算出する。【０４７４】  さらに、制御部７０４Ｂは、履歴情報テーブルＴ７００より累積ポイント数（５２０ポイント）を取得する。
制御部７０４Ｂは、取得した累積ポイント（５２０ポイント）と、割引テーブルＴ６００とを用いて、割引率を決定する。この場合、割引率は、５％となる。
制御部７０４Ｂは、決定された割引率と、算出した合計金額とを用いて、決済される金額（５１３０円）を算出する。【０４７５】  制御部７０４Ｂは、決済される金額の算出後、累積ポイント数を初期値「０」に更新する。
以降、鉄道会社は、決済装置７０Ｂにて算出された決済金額を、記録媒体ＩＤ「ＩＤ１」にて示される記録媒体５０Ｂの所有者に請求するための手続きを行う。若しくは、所有者より予め指定された銀行の口座より、決済された金額を引き落とすための手続きを行う。【０４７６】  ＜通信部７０５Ｂ＞
通信部７０５Ｂは、改札装置８０Ｂよりインターネットを介して、利用区間情報と、受信した記録媒体ＩＤと、合計ポイントとを受け取ると、受け取った利用区間情報と、受信した記録媒体ＩＤと、合計ポイントとを制御部７０４Ｂへ出力する。
（６）変形例
上記の変形例では、累積したポイント数を利用料金の決済時に利用したが、これに限定されない。【０４７７】  記録媒体５０Ｂに記録されている合計ポイントを利用して、所定ポイント数以上のポイントを持つ利用者のみが通過できる優先改札を通過できるようにしてもよい。これにより、混雑時でも、スムーズな改札の通過が可能となる。このとき、合計ポイントから所定のポイント数を減算して合計ポイントを更新してもよいし、更新しなくてもよい。
または、記録媒体５０Ｂに記録されている合計ポイントを利用して、所定ポイント数以上のポイントを持つ利用者のみが通過できる優先乗り換えゲートを通過できるようにしてもよい。このとき、上記と同様に、合計ポイントを更新してもよいし、更新しなくてもよい。【０４７８】  または、記録媒体５０Ｂに記録されている合計ポイントを用いて、鉄道会社が運用する駐輪場を利用できるようにしてもよい。このとき、上記と同様に、合計ポイントを更新してもよいし、更新しなくてもよい。
または、合計ポイントを電子マネーに変換し、変換した電子マネーを用いて、駐輪場を利用できるようにしてもよい。合計ポイントを電子マネーへ変換する方法は、上記４．１にて示しているため、説明は省略する。【０４７９】  また、決済装置７０Ｂの機能を、管理装置３０に含ませてもよい。
４．３  その他の変形例
以下のような場合も、本発明に含まれる。
（１）上記にて示した割引テーブルＴ６００において、予め定められたポイント数の範囲と割引率とを対応付けたが、これに限定されない。【０４８０】  予め定められたポイント数と割引率とを対応付けてもよい。このとき、決済装置７０Ｂは、決済金額を算出後、累積ポイントから、決済金額の算出の際に適用した割引率に対応するポイント数を減算し、その結果を累積ポイントとして更新する。
例えば、５００ポイント、１０００ポイント、１５００ポイント及び２０００ポイントのそれぞれに対して、割引率「５％」、「１０％」、「１５％」及び「２０％」を対応付ける。履歴情報テーブルＴ７００の累積ポイントが５２０ポイントである場合には、割引率「５％」が適用され、決済金額が算出された後、決済装置７０Ｂは、５２０ポイントから５００ポイントを減算し、減算結果「２０ポイント」を累積ポイントとして更新する。【０４８１】  （２）上記にて示した割引テーブルＴ６００において、予め定められたポイント数の範囲と割引率とを対応付けたが、これに限定されない。
ポイント数の範囲と値引きする金額とを対応付けてもよい。
例えば、０〜５００、５０１〜１０００、１００１〜１５００、１５０１〜２０００及び２００１〜のそれぞれに、値引きする金額０円、１００円、２００円、３００円及び４００円を対応付けてもよい。【０４８２】  または、予め定められたポイント数と、値引きする金額とを対応付けてもよい。
（３）上記にて示す記録媒体５０Ａが、支払可否の判断を行ったが、これに限定されない。支払可否の判断を、決済装置７０Ａにて行ってもよい。
このとき、記録媒体５０Ａは、支払要求命令を決済装置７０Ａから受け取ると、電子マネー記憶部５１０Ａにて記憶している電子マネーの金額と、識別子記憶部５１１Ａにて記憶している記録媒体ＩＤとを、決済装置７０Ａへ送信する。【０４８３】  決済装置７０Ａは、電子マネーによる支払いが可能であるか否かを判断する。
支払いが可能であると判断する場合には、決済を行い、電子マネーよる支払い後の残金を算出し、算出した残金を記録媒体５０Ａへ送信し、決済された金額と記録媒体ＩＤとを対応付けて記憶する。支払いが不能であるとあると判断する場合には、その旨のメッセージを、決済装置７０Ａの操作者へ通知する。【０４８４】  記録媒体５０Ａは、残金を受け取ると、電子マネー記憶部５１０Ａの記録内容を受け取った残金へと更新する。
（４）上記にて示す決済装置７０Ｂにおいて、利用区間に対する利用料金を算出したが、これに限定されない。
改札装置８０Ｂにて利用料金を算出してもよい。このとき、改札装置８０Ｂは、算出した利用料金と、記録媒体５０Ｂより受け取った合計ポイント及び記録媒体ＩＤとを、決済装置７０Ｂへ送信する。【０４８５】  決済装置７０Ｂは、改札装置８０Ｂより、利用料金と合計ポイントと記録媒体ＩＤとを受け取ると、受け取った各情報を用いて、履歴情報テーブルＴ７００を更新する。
（５）上記実施の形態において、情報記憶部は、耐タンパ性を有しているとしたが、これに限定されない。
情報記憶部は、耐タンパ性を有していなくてもよい。このとき、情報記憶部にて記憶される各情報の安全性を高めるために、記憶される各情報を、共通鍵暗号により暗号化して記憶する。記録媒体は、共通鍵暗号に用いる秘密鍵を、耐タンパ性を有する記憶領域に記憶する。記録媒体は、秘密鍵を用いて、暗号化された情報を復号することにより、情報記憶部にて記憶されている情報を利用することができる。【０４８６】  また、電子マネー記憶部も同様に、耐タンパ性を有しなくてもよい。このとき、電子マネー記憶部の記憶内容の安全性を高めるために、上記と同様の構成を用いてもよい。
また、識別子記憶部も同様に、耐タンパ性を有しなくてもよい。このとき、識別子記憶部に記憶の記憶内容の安全性を高めるために、上記と同様の構成を用いてもよい。
（６）記録媒体５０Ｂと携帯端末６０とをそれぞれ個別の構成としたが、これに限定されない。携帯端末を、記録媒体５０Ｂと携帯端末６０とからなる端末としてもよい。【０４８７】  （７）電子マネーによる支払いを行う際に、記録媒体５０Ａを決済装置７０Ａのセンサ７００Ａへ近づけたが、これに限定されない。
記録媒体５０Ａが装着された携帯端末６０を決済装置７０Ａへ近づけることにより、電子マネーによる支払いを行ってもよい。
このとき、無線制御部５１５Ａは、携帯端末６０が有してもよい。または、無線制御部５１５Ａ及び支払制御部５１４Ａは、携帯端末６０が有してもよい。【０４８８】  また、ポイント変換部５１２Ａは、携帯端末６０が有してもよい。
（８）記録媒体５０Ｂを改札装置８０Ｂの第１センサ８００Ｂ及び第２センサ８０１Ｂへ近づけることにより、改札の入出場を行ったが、これに限定されない。
記録媒体５０Ｂが装着された携帯端末６０を改札装置８０Ｂの第１センサ８００Ｂ及び第２センサ８０１Ｂへ近づけることにより、改札の入出場を行ってもよい。【０４８９】  このとき、無線制御部５２５Ｂは、携帯端末６０が有してもよい。または、無線制御部５２５Ａ及び制御部５２４Ｂは、携帯端末６０が有してもよい。
また、ポイント書込部５２２Ｂは、携帯端末６０が有してもよい。
（９）電子マネーの利用時のシステムにおいて、記録媒体５０Ａが行う、合計ポイントから電子マネーへの変換の動作は、ユーザ操作によって、その動作を開始してもよい。ユーザの操作は、記録媒体５０Ａが携帯端末６０へ装着された後、携帯端末６０から行われる。【０４９０】  （１０）記録媒体５０Ａにおいて、支払い不可能であると判断する場合に、支払不能命令を決済装置７０Ａへ送信したが、これに限定されない。
記録媒体５０Ａは、支払不可能であると判断する場合には、金額情報にて示される金額から、記憶している電子マネーの金額を減算し、その結果を不足金額として、支払不能命令と、記録媒体ＩＤともに決済装置７０Ａへ送信する。記録媒体５０Ａは、電子マネー記憶部５０１Ａにて記憶している金額を「０」へと更新する。【０４９１】  決済装置５０Ａは、記録媒体５０Ａより受信した不足金額を、操作者へ通知する。
操作者は、不足金額分の現金を利用者から受け取ると、決済装置７０Ａを操作することにより、受け取った旨の受取指示を決済装置７０Ａへ与える。
決済装置７０Ａは、受取指示を操作者より受け取ると、支払い金額の決済を行い、決済に使われた電子マネーの金額と記録媒体ＩＤとを対応付けて記憶する。なお、決済に使われた電子マネーの金額は、決済される金額から不足金額を減算することで得られる。【０４９２】  ５．その他の変形例
なお、本発明を上記の実施の形態に基づいて説明してきたが、本発明は、上記の実施の形態に限定されないのはもちろんである。以下のような場合も本発明に含まれる。
（１）本発明における施設の概念は、上記の実施の形態にて示す鉄道サービスにおける列車及び車両、道路サービスにおける高速道路と迂回路、レストランサービスにおけるレストラン店舗及びテーマパークサービスにおけるアトラクションを含むものとする。【０４９３】  （２）上記に示す携帯端末の一例としてＰＤＡとしたが、これに限定されない。携帯端末の他の例として、携帯電話機や、ポイント配布システムに用いられる専用端末などであってもいよい。
（３）上記実施の形態において、管理装置は、ある時間における各施設の混雑度に対するポイントを算出したが、これに限定されない。【０４９４】  管理装置は、１施設にて、１日の運用時間内における所定時間毎の時間帯（例えば、３時間毎の時間帯）における混雑度によるポイントを算出するとしてもよい。管理装置は、１施設にて計測した混雑度を時間帯毎に記憶しておき、施設の運用当日に、前日に計測され、記憶している１施設の各時間帯の混雑度を用いて、１施設の各時間帯におけるポイントを算出してもよい。【０４９５】  （４）上記実施の形態及び変形例において、ネットワーク接続の一例として、インターネットを利用したが、これに限定されない。各装置間において情報の伝送が可能な電気通信回線であればよい。
（５）ポイント配布システム１は、対象となる交通機関を列車としたが、これに限定されない。【０４９６】  対象となる交通機関は、路線バスなど定期的に運行される交通機関であればよい。
また、ポイント配布システム１０００、及び２０００に適用する交通機関も同様に、路線バスなど定期的に運行される交通機関であってもよい。
（６）上記実施の形態及び変形例において、管理装置は、交通機関の混雑度が高くなると配布するポイントを低くしたが、これに限定されない。管理装置は、混雑度が高くなると、配布するポイントを高くしてもよい。【０４９７】  （７）上記第１の実施の形態において、管理装置は、「上り／下り」の区分ごとに、配布するポイントを算出したが、これに限定されない。管理装置は、他の区分ごとに配布するポイントを算出してもよい。
例えば、管理装置は、同じ種類の列車（普通／急行／特急などの区分）ごとに配布するポイントを算出してもよいし、同一の停車駅を持つ列車ごとに配布するポイントを算出するとしてもよい。【０４９８】  （８）上記ポイント使用時の変形例において、ポイント変換部は、１０００ポイントごとに、１０００円の電子マネーに変換したが、これに限定されない。
ポイント変換部は、蓄積したポイントをそのまま電子マネーに変換してもよい。つまり、ポイント変換部は、１ポイントを１円の電子マネーとして変換してもよい。
また、ポイント変換部は、蓄積したポイントを電子マネーへ変換する際に、予め定められた変換レートに従って、蓄積したポイントを電子マネーへ変換してもよい。【０４９９】  （９）上記実施の形態において、ユーザに配布するポイントを列車等の混雑度のみで判断したが、これに限定されない。
例えば、乗ることのできる列車を見過ごし、以降に到着する列車に乗った場合により、高いポイントを付与するとしてもよい。これにより、偶然空いている列車の乗車したユーザと、空いている列車を待ったユーザとに付与するポイントに差をつけることができ、ポイントをより公平に配布することができる。【０５００】  以下、第１の実施の形態を基に、本変形例について説明する。なお、以下において、ユーザは駅３ａより上り列車２ａの車両装置２０が設置されている車両に乗車するものとする。
先ず、携帯端末６０は、ユーザが駅３ａに到着すると、駅３ａに設置された計時装置より駅到着時刻情報を受信する。ここで、計時装置は、例えば、情報表示装置４０や改札装置の一部として実現してもよいし、独立した１つの装置として実現してもよい。以下では、計時装置は、情報表示装置４０の一部であるとして説明する。【０５０１】  本変形例におけるポイント配布システム１ａは、図６３にて示すように、第１の実施の形態にて示すポイント配布システム１の構成のうち、情報表示装置４０を、計時装置を含む情報表示装置４０ａに置き換えた構成である。ポイント配布システム１と異なる点は、携帯端末６０は、情報表示装置４０ａと通信を行う点である。
本変形例における情報表示装置４０ａは、図６４に示すように、時刻表記憶部４００ａ、時計部４０１ａ、制御部４０２ａ、表示部４０３ａ、受信部４０４ａ及び通信部４０５ａから構成されている。【０５０２】  情報表示装置４０ａは、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置４０ａは、その機能を達成する。【０５０３】  なお、時刻表記憶部４００ａ、時計部４０１ａ、制御部４０２ａ、表示部４０３ａ及び受信部４０４ａは、それぞれ第１の実施の形態にて示す時刻表記憶部４００、時計部４０１、制御部４０２、表示部４０３及び受信部４０４と同様であるため、説明は省略する。
通信部４０５ａはアンテナを有しており、携帯端末６０と通信を行う。通信部４０５ａは、携帯端末６０から時刻送信命令を受信すると、時計部４０１ａから現在の時刻情報を取得して、取得した時刻情報を携帯端末６０へ送信する。【０５０４】  携帯端末６０は、時刻送信命令を情報表示装置４０ａへ送信すると、情報表示装置４０ａから、時刻情報を受信し、受信した時刻情報を駅到着時刻情報として、記録媒体５０へ記憶する。
携帯端末６０は、ユーザが列車２ａに乗車する際に、車両装置２０より利用情報を取得して記録媒体５０へ記録する。なお、この動作については、第１の実施の形態と同様であるため、説明は省略する。【０５０５】  以下、ポイント配布時の動作ついて、説明する。
携帯端末６０は、駅到着時刻情報と、利用情報とを、管理装置３０へ送信する。
管理装置３０は、携帯端末６０から駅到着時刻情報を利用情報とを受信すると、受信した利用情報より、車両装置２０が設置されている車両を利用した日時（以下、「利用時刻情報」という。）を取得する。管理装置３０は、取得した利用時刻情報と、受信した駅到着時刻情報との差分を算出し、差分が大きいほどユーザに配布するポイントが高くなるように、予め記憶しているポイントに所定に重み付けを行い配布するポイントを算出する。管理装置３０は、算出されたポイントを携帯端末６０へ送信する。重み付けの具体例としては、差分、つまり駅到着から列車を利用するまでの待ち時間が１０分である場合には、通常の２倍のポイントをユーザに配布し、差分が１５分である場合には、通常の３倍のポイントをユーザに配布する等である。【０５０６】  携帯端末６０は、ポイント（この場合、重み付けがなされたポイント）を受信すると、受信したポイントを記録媒体５０へ記録する。
なお、情報表示装置４０ａは、重み付けを考慮したオッズを表示してもよい。具体的には、駅３ａより出発する列車のそれぞれについて、その列車を待てば何倍のポイントが付与されるのかという情報を表示してもよいし、表示されるオッズの数値自体を何倍かして表示してもよい。【０５０７】  また、上記変形例では、ユーザが列車を待った時間に応じて重み付けを行ったが、これに限定されない。例えば、駅に到着してから、何本の列車を待ったかによって重み付けを行ってもよい。この場合、情報表示装置４０ａは、駅到着時刻情報を、携帯端末６０へ送信する代わりに、ユーザが駅３ａに到着した時点で、最初に乗ることのできる列車の列車コード（以下、「乗車可能列車コード」という。）を携帯端末６０へ送信する。携帯端末６０は、情報表示装置４０ａから乗車可能列車コードを受信すると、受信した乗車可能列車コードを、記録媒体５０へ記録する。ポイント配布時において、携帯端末６０は、乗車可能列車コードと、利用情報とを管理装置３０へ送信する。管理装置３０は、携帯端末６０から乗車可能列車コードと、利用情報とを受信すると、受信した利用情報に含まれる列車コードを取得し、取得した列車コードと、受信した乗車可能列車コードとを、時刻表（ここでは、時刻表Ｔ１００）を用いて比較することにより、ユーザが駅に到着してから何本の列車を待ったのかを算出する。【０５０８】  また、上記変形例において、管理装置３０は算出した待ち時間や、待った列車の本数に応じたポイントの配布要求の正当性を検証してもよい。具体的には、待ち時間が現実的にはありえない時間である場合には（待ち時間がマイナスの値である場合や、２４時間以上である場合）、配布の要求を拒絶するなどである。
また、上記変形例において、所定時間列車を待っていないユーザや、待った列車の本数が０本であるユーザに対してはポイントを配布しないとしてもよい。【０５０９】  また、上記変形例において、重み付けの例としてポイントを整数倍する方法をとっているが、これに限定されない。所定のポイント数を加えたポイントを配布するなどとしてもよい。さらに、重みの付け方を、列車の利用時刻に応じて変化させてもよい。この場合、例えば、列車が空いている昼間に待つよりも、混雑している朝に待ったユーザへ高いポイントを配布するなどの制御が可能となる。【０５１０】  また、上記変形例では、ポイントの重み付けをポイント配布時に行ったが、これに限定されない。ポイントの確定処理時に、算出したポイントに待ち時間ごとの重み付けを行い、待ち時間と重み付けされたポイントとを対応付けて記憶する。ポイント配布処理時には、算出した待ち時間に対応するポイントを検索して配布するとしてもよい。
また、上記変形例では、携帯端末６０は、駅到着時間情報及び利用時刻情報を管理装置３０へ送信したが、これに限定されない。携帯端末６０は、駅到着時間情報及び利用時刻情から待ち時間を算出し、算出した時間を待ち時間情報として、利用時刻情報の代わりに待ち時間情報が付与された利用情報を管理装置３０に送信してもよい。【０５１１】  また、上記の変形例は、第１の実施の形態の変形として説明したが、これらに限られるものではなく、第２の実施の形態や他の変形例にも適用できることは言うまでもない。
（１０）本発明は、上記に示す方法であるとしてもよい。また、これらの方法をコンピュータにより実現するコンピュータプログラムであるとしてもよいし、前記コンピュータプログラムからなるデジタル信号であるとしてもよい。【０５１２】  また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。【０５１３】  また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。【０５１４】  また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１１）上記実施の形態及び上記変形例をそれぞれ組み合わせるとしてもよい。
６．まとめ
以上、説明したように、本発明のポイント配布システムは、利用者が利用する施設の混雑度が低いほどオッズが高くなるように、各施設の利用に対するオッズを算出し、算出したオッズに基づいて、利用者へ割り当てるポイントを設定し、設定したポイントを利用者へ配布する。これにより、利用者をオッズが高い施設、つまり混雑度が低い施設へ誘導することができ、各施設間での混雑度が均一化されるようになるため、各施設の効率のよい利用がなされることになる。【０５１５】  また、本発明は、提供者が運用する施設の混雑状況に応じたポイントを配布するポイント配布システムであって、前記施設に設置され、当該施設の混雑度を定期的に計測する計測装置と、前記計測装置から前記混雑度を取得し、取得した各混雑度に基づいて、混雑度が低いほど配布するポイントが高くなるように、配布する時間帯毎にポイントを算出するポイント算出装置と、前記施設に設置され、配布する時間帯に対応して算出されるポイントを示す施設ポイント情報を、前記配布する時間帯の間、短距離無線により配信する配信装置と、前記配信装置から配布する時間帯に対応する施設ポイント情報を、前記配布する時間帯内において短距離無線により受信する携帯型の端末装置とを備えることを特徴とする。【０５１６】  この構成によると、ポイント配布システムは、ポイント算出装置を用いて配布する時間帯毎に対応するポイントを算出し、配信装置を用いて配布する時間帯に対応するポイントを示す施設ポイント情報を端末装置へ当該施設内にて短距離無線により送信することができる。これにより、端末装置を付帯する利用者は、より高いポイントの配布を受けようとするため、配布されるポイントが高い時間帯、つまり混雑度が低い時間帯に訪れるようになる。【０５１７】  また、本発明は、提供者が運用する複数の施設の混雑が緩和されるように利用者を誘導する利用者誘導システムであって、施設毎に設置され、当該施設の混雑度を計測する計測装置と、各計測装置から前記混雑度を取得し、取得した各混雑度に基づいて、混雑度が低いほど配布するポイントが高くなるように、前記複数の施設毎にポイントを算出するポイント算出装置と、施設毎に設置され、当該施設に対応して算出されるポイントを示す施設ポイント情報を短距離無線により配信する配信装置と、前記配信装置から施設ポイント情報を、短距離無線により受信する携帯型の端末装置とを備えることを特徴とする。【０５１８】  この構成によると、利用者誘導システムは、配信装置を用いて、ポイント算出装置にて施設毎に算出されたポイントのうち当該配信装置が設置された施設に対応するポイントを示す施設ポイント情報を端末装置へ当該施設内にて短距離無線により送信することができる。これにより、端末装置を付帯する利用者は、より高いポイントの配布を受けようとするため、配布されるポイントが高い施設、つまり混雑度が低い施設へ訪れるようになる。そのため、提供者は、利用者誘導システムを用いることにより、混雑度の低い施設へ利用者を誘導することができる。
【産業上の利用可能性】
【０５１９】  上記において説明したポイント配布システムは、利用者に対して施設利用のサービスを提供する産業において、経営的、つまり反復的かつ継続的に利用されうる。
【図１】
2005098697.tif 000002
【図２】
2005098697.tif 000003
【図３】
2005098697.tif 000004
【図４】
2005098697.tif 000005
【図５】
2005098697.tif 000006
【図６】
2005098697.tif 000007
【図７】
2005098697.tif 000008
【図８】
2005098697.tif 000009
【図９】
2005098697.tif 000010
【図１０】
2005098697.tif 000011
【図１１】
2005098697.tif 000012
【図１２】
2005098697.tif 000013
【図１３】
2005098697.tif 000014
【図１４】
2005098697.tif 000015
【図１５】
2005098697.tif 000016
【図１６】
2005098697.tif 000017
【図１７】
2005098697.tif 000018
【図１８】
2005098697.tif 000019
【図１９】
2005098697.tif 000020
【図２０】
2005098697.tif 000021
【図２１】
2005098697.tif 000022
【図２２】
2005098697.tif 000023
【図２３】
2005098697.tif 000024
【図２４】
2005098697.tif 000025
【図２５】
2005098697.tif 000026
【図２６】
2005098697.tif 000027
【図２７】
2005098697.tif 000028
【図２８】
2005098697.tif 000029
【図２９】
2005098697.tif 000030
【図３０】
2005098697.tif 000031
【図３１】
2005098697.tif 000032
【図３２】
2005098697.tif 000033
【図３３】
2005098697.tif 000034
【図３４】
2005098697.tif 000035
【図３５】
2005098697.tif 000036
【図３６】
2005098697.tif 000037
【図３７】
2005098697.tif 000038
【図３８】
2005098697.tif 000039
【図３９】
2005098697.tif 000040
【図４０】
2005098697.tif 000041
【図４１】
2005098697.tif 000042
【図４２】
2005098697.tif 000043
【図４３】
2005098697.tif 000044
【図４４】
2005098697.tif 000045
【図４５】
2005098697.tif 000046
【図４６】
2005098697.tif 000047
【図４７】
2005098697.tif 000048
【図４８】
2005098697.tif 000049
【図４９】
2005098697.tif 000050
【図５０】
2005098697.tif 000051
【図５１】
2005098697.tif 000052
【図５２】
2005098697.tif 000053
【図５３】
2005098697.tif 000054
【図５４】
2005098697.tif 000055
【図５５】
2005098697.tif 000056
【図５６】
2005098697.tif 000057
【図５７】
2005098697.tif 000058
【図５８】
2005098697.tif 000059
【図５９】
2005098697.tif 000060
【図６０】
2005098697.tif 000061
【図６１】
2005098697.tif 000062
【図６２】
2005098697.tif 000063
【図６３】
2005098697.tif 000064
【図６４】
2005098697.tif 000065
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
同一目的地への移動に用いられる交通機関に乗車している人の混雑度に応じて、複数の交通機関毎に、ポイントを算出するポイント算出装置であって、
前記混雑度を取得する混雑度取得手段と、
交通機関毎に、それぞれの混雑度に応じたポイントを算出する算出手段と、
交通機関に対して算出されたポイントを、当該交通機関に乗り込んだ利用者に対して割り当てるポイント割当手段と
を備えることを特徴とするポイント算出装置。
【請求項２】
前記混雑度取得手段は、各交通機関のそれぞれから混雑度を取得し、
前記算出手段は、取得した全ての混雑度を用いて、混雑度が増加する順に、ポイントが減少するように、対応する交通機関毎に、振り分けるポイントを算出する
ことを特徴とする請求項１に記載のポイント算出装置。
【請求項３】
前記算出手段は、
前記交通機関毎に振り分けるポイントの合計が、一定値となるように、交通機関毎にポイントを算出する
ことを特徴とする請求項２に記載のポイント算出装置。
【請求項４】
前記ポイント割当手段は、
算出された各ポイントを、対応する交通機関を示す機関情報と関連付けて記憶する領域を有する算出ポイント記憶部と、
算出された各ポイントのそれぞれを、対応する機関情報と関連付けて前記算出ポイント記憶部へ書き込む算出ポイント書込部と、
前記利用者が付帯する携帯型の端末装置より、前記複数の交通機関のうち、前記利用者が利用した交通機関を示す利用情報を受信する利用情報受信部と、
受信した利用情報が正当な利用情報であるか否かを決定する決定部と、
前記決定部にて正当であると決定される場合に、受信した利用情報にて示される交通機関を示す機関情報と対応付けられて記憶されているポイントを、前記算出ポイント記憶部より読み出すポイント読出部と、
ポイント読出部にて読み出したポイントを前記端末装置へ送信することにより、前記利用者へ割り当てるポイント送信部と
を備えることを特徴とする請求項３に記載のポイント算出装置。
【請求項５】
前記利用情報受信部は、利用した交通機関を識別する識別子と、秘密鍵を用いて前記識別子に対してデジタル署名を施した署名データとからなる利用情報を受信し、
前記決定部は、前記秘密鍵に対応する公開鍵を記憶しており、前記公開鍵と、受信した署名データ及び識別子とを用いて、署名検証を行い、署名検証による結果が肯定的な場合に、受信した利用情報は正当であると決定し、
前記ポイント読出部は、受信した利用情報に含まれる識別子にて示される交通機関を示す機関情報と対応付けられて記憶されているポイントを、前記算出ポイント記憶部より読み出す
ことを特徴とする請求項４に記載のポイント算出装置。
【請求項６】
前記算出手段は、
前記一定値である全体ポイントを予め記憶している全体ポイント記憶部と、
前記各交通機関のそれぞれから、ポイントを割り当てる割当人数を取得する人数取得部と、
取得した全ての混雑度に基づいて、混雑度が増加する順に、ポイントが減少するように、対応する交通機関毎に配当率を算出する第１算出部と、
前記第１算出部にて算出された各配当率と、前記全体ポイントと、取得した各割当人数とに基づいて、単位配当率をポイントへ換算した換算ポイントを算出し、各配当率毎に算出した換算ポイントを乗算して、振り分けるポイントを前記交通機関毎に算出する第２算出部と
を備えることを特徴とする請求項３に記載のポイント算出装置。
【請求項７】
前記ポイント算出装置は、さらに、
配当率を交通機関の利用者へ通知する通知装置へ、前記第１算出部にて算出された各配当率を送信する配当率送信手段
を備えることを特徴とする請求項６に記載のポイント算出装置。
【請求項８】
前記ポイント算出手段は、
前記全体ポイントを記憶している全体ポイント記憶部と、
取得した全ての混雑度を用いて、混雑度が低い交通機関から順に、高いポイントが振り分けられるように、配当率を前記交通機関毎に算出する第１算出部と、
前記第１算出部にて算出された全ての配当率に基づいて、前記交通機関毎に、前記全体ポイントから各交通機関のそれぞれに対して振り分けるポイントを算出する第２算出部と
を備えることを特徴とする請求項３に記載のポイント算出装置。
【請求項９】
前記ポイント割当手段は、
交通機関毎に設置され、当該交通機関に対応して算出されたポイントを示すポイント情報を、当該交通機関の利用者が付帯する携帯型の端末装置へ配信する配信装置へ、前記交通機関毎に算出した各ポイントのうち、少なくとも当該配信装置が設置された交通機関に対応するポイントを送信することにより、前記利用者へ割り当てる
ことを特徴とする請求項８に記載のポイント算出装置。
【請求項１０】
前記ポイント割当手段は、
前記交通機関毎に算出した各ポイントを含む配当情報を記憶する配当情報記憶部と、
携帯型の端末装置より、前記配当情報を要求する要求情報を受信する要求情報受信部と、
前記要求情報を受信すると、前記配当情報を前記端末装置へ送信することにより、前記利用者へポイントを割り当てる配当情報送信部と
を備えることを特徴とする請求項８に記載のポイント算出装置。
【請求項１１】
前記ポイント割当手段は、
割当ポイント記憶部と、
前記算出手段にて算出された各ポイントを記憶する領域を有する算出ポイント記憶部と、
前記算出手段にて算出された各ポイントを前記算出ポイント記憶部へ書き込む算出ポイント書込部と、
前記利用者が付帯する携帯型の端末装置より、前記複数の交通機関のうち、前記利用者が利用した交通機関を示す利用情報と、前記端末装置を識別する端末識別子とを受信する利用情報受信部と、
受信した利用情報が正当な利用情報であるか否かを決定する決定部と、
前記決定部にて正当であると決定される場合に、受信した利用情報にて示される交通機関に対応して算出されたポイントを、前記算出ポイント記憶部より読み出すポイント読出部と、
ポイント読出部にて読み出したポイントを、受信した端末識別子と対応付けて、前記割当ポイント記憶部へ書き込むことにより、前記利用者へ割り当てる割当ポイント書込部と
を備えることを特徴とする請求項３に記載のポイント算出装置。
【請求項１２】
前記複数の交通機関のそれぞれは、１列車を編成する各車両であり、
前記算出手段は、車両毎にポイントを算出する
ことを特徴とする請求項３に記載のポイント算出装置。
【請求項１３】
前記交通機関は、複数の車両から構成される列車であり、
前記算出手段は、列車毎にポイントを算出する
ことを特徴とする請求項３に記載のポイント算出装置。
【請求項１４】
前記複数の交通機関のそれぞれは、複数の列車それぞれを編成する各車両であり、
前記算出手段は、車両毎にポイントを算出する
ことを特徴とする請求項３に記載のポイント算出装置。
【請求項１５】
前記ポイント割当手段は、
算出された各ポイントを、対応する交通機関を示す機関情報と関連付けて記憶する領域を有する算出ポイント記憶部と、
算出された各ポイントのそれぞれを、対応する機関情報と関連付けて前記算出ポイント記憶部へ書き込む算出ポイント書込部と、
前記利用者が付帯する携帯型の端末装置より、前記複数の交通機関のうち、前記利用者が利用した交通機関と前記交通機関を利用した利用時刻とを示す利用情報と、前記利用者が前記複数の交通機関の何れかの利用が許可された時刻を示す利用許可情報とを受信する利用情報受信部と、
受信した利用情報にて示される交通機関を示す機関情報と対応付けられて記憶されているポイントを、前記利用情報にて示される利用時刻と前記利用許可情報にて示される時刻との差分に応じて重み付けを行い、重み付けされたポイントを前記端末装置へ送信することにより、前記利用者へ割り当てるポイント送信部と
を備えることを特徴とする請求項３に記載のポイント算出装置。
【請求項１６】
同一目的地への移動に用いられる交通機関に乗車している人の混雑度に応じて、ポイントを、利用者へ割り当てるポイント割当システムであって、
交通機関毎に設置され、当該交通機関の混雑度を計測する計測装置と、
前記計測装置から前記混雑度を取得し、交通機関毎に、対応する混雑度に応じてポイントを算出するポイント算出装置と、
交通機関毎に設置され、当該交通機関に対応して算出されたポイントを示すポイント情報を短距離無線により配信する配信装置と、
前記配信装置からポイント情報を、短距離無線により受信する携帯型の端末装置と
を備えることを特徴とするポイント割当システム。
【請求項１７】
前記ポイント算出装置は、
各計測装置のそれぞれから混雑度を取得し、
取得した全ての混雑度を用いて、混雑度が増加する順に、ポイントが減少するように、対応する交通機関毎に、振り分けるポイントを算出する
ことを特徴とする請求項１６に記載のポイント割当システム。
【請求項１８】
前記ポイント算出装置は、
前記交通機関毎に振り分けるポイントの合計が、一定値となるように、交通機関毎にポイントを算出する
ことを特徴とする請求項１７に記載のポイント割当システム。
【請求項１９】
前記ポイント割当システムは、さらに、
前記利用者が交通機関に乗り込むことにより、前記利用者へ割り当てられるポイントを示す割当予定ポイント情報を通知する通知装置
を備えることを特徴とする請求項１８に記載のポイント割当システム。
【請求項２０】
交通機関の混雑度を計測する計測装置であって、
前記交通機関の混雑度を計測する計測手段と、
交通機関に乗車している人の混雑度に応じて、ポイントを交通機関毎に算出するポイント算出装置へ、前記混雑度を送信する送信手段と
を備えることを特徴とする計測装置。
【請求項２１】
交通機関毎に設置され、当該交通機関に乗車している人の混雑度に応じ、ポイントを示すポイント情報を配信する配信装置であって、
ポイント情報の配信を開始するか否かを判断する配信判断手段と、
前記配信判断手段にてポイント情報の配信を開始すると判断する場合に、ポイント情報を、当該交通機関の利用者が付帯する携帯型の端末装置へ短距離無線にて配信する無線配信手段と
を備えることを特徴とする配信装置。
【請求項２２】
前記交通機関には、ドアが備え付けられており、
前記配信判断手段は、前記ドアが開いたことを検知した場合に、前記ポイント情報の配信を開始すると判断する
ことを特徴とする請求項２１に記載の配信装置。
【請求項２３】
前記ポイント情報は、当該交通機関を示すとともに、当該交通機関に対応するポイントと等価であることを示す利用情報であり、
前記無線配信手段は、前記利用情報を配信する
ことを特徴とする請求項２２に記載の配信装置。
【請求項２４】
前記配信装置は、さらに、
秘密鍵を記憶している秘密鍵記憶手段と、
前記秘密鍵を用いて前記利用情報に対してデジタル署名を施した署名データを生成する署名データ生成手段とを備え、
前記無線配信手段は、さらに、前記署名データを前記端末装置へ短距離無線にて送信する
ことを特徴とする請求項２３に記載の配信装置。
【請求項２５】
前記配信装置は、さらに、
交通機関毎にポイントを算出するポイント算出装置から、前記配信装置が設置された交通機関に対応するポイントを取得し、取得したポイントを所定の領域へ書き込むポイント書込手段を備え、
前記無線配信手段は、前記所定の領域にて記憶しているポイントを、前記ポイント情報として配信する
ことを特徴とする請求項２２に記載の配信装置。
【請求項２６】
前記配信判断手段は、
交通機関に乗車している人の混雑度に応じて、交通機関毎に、ポイントを算出するポイント算出装置にて算出された全てのポイントを含む配当情報と、前記配当情報の正当性を証明する証明情報とを、前記端末装置より受信する配当情報受信部と、
前記配当情報の正当性を検証する検証情報を記憶している検証情報記憶部と、
前記証明情報と前記検証情報とを用いて、受信した配当情報が正当な配信情報であるか否かを決定し、正当な配信情報であると決定する場合に、ポイント情報を配信するとみなす決定部とを備え、
前記無線配信手段は、前記決定部にて、受信した配当情報が正当な配信情報であると決定する場合に、受信した配当情報より前記配信装置が設置された交通機関に対応して算出されたポイントを取得し、取得したポイントをポイント情報として、前記端末装置へ短距離無線にて配信する
ことを特徴とする請求項２１に記載の配信装置。
【請求項２７】
前記証明情報は、前記ポイント算出装置にて各ポイントが算出された時の正当性を証明する第１算出時からなり、
前記検証情報は、前記ポイント算出装置にて各ポイントが算出された時の正当性を検証する第２算出時であり、
前記決定部は、前記第１算出時と前記第２算出時とが一致するか否かを判断し、前記第１算出時と前記第２算出時とが一致する場合に、受信した配当情報は正当な配信情報であると決定する
ことを特徴とする請求項２６に記載の配信装置。
【請求項２８】
前記証明情報は、秘密鍵を用いて前記配当情報に対してデジタル署名を施した署名データであり、
前記検証情報は、前記秘密鍵に対応する公開鍵であり、
前記決定部は、前記公開鍵、前記署名データ及び前記配当情報による署名検証を行い、署名検証による結果が肯定的な場合に、受信した配当情報は正当な配信情報であると決定する
ことを特徴とする請求項２６に記載の配信装置。
【請求項２９】
複数の交通機関毎に設置された配信装置のうち何れかの配信装置から、当該交通機関に乗車している人の混雑度に応じて算出されたポイントを示すポイント情報を受信する携帯型の端末装置であって、
耐タンパ性を有し、ポイント情報を記憶する領域を有するポイント情報記憶手段と、
配信装置より送信されたポイント情報を、短距離無線にて受信するポイント情報受信手段と、
受信したポイント情報を前記ポイント情報記憶手段へ書き込むか否かを判断する書込判断手段と、
前記書込判断手段による判断結果が肯定的である場合に、受信したポイント情報を前記ポイント情報記憶手段へ書き込むポイント情報書込手段と
を備えることを特徴とする端末装置。
【請求項３０】
前記ポイント情報は、当該交通機関を示すとともに、当該交通機関に対応するポイントと等価であることを示す利用情報であり、
前記ポイント情報記憶手段は、さらに、前記ポイント情報と等価であるポイントを記憶するポイント記憶領域を有し、
前記端末装置は、さらに、
前記ポイント情報記憶手段にて記憶している利用情報を、交通機関毎にポイントを算出するポイント算出装置へ送信する送信手段と、
前記ポイント算出装置から前記利用情報にて示される交通機関に対応して算出されたポイントを受信し、受信したポイントを前記ポイント記憶領域へ書き込む受信ポイント書込手段と
を備えることを特徴とする請求項２９に記載の端末装置。
【請求項３１】
前記送信手段は、当該交通機関を識別する識別子と、前記識別子に対してデジタル署名を施した署名データとからなる前記利用情報を、前記ポイント算出装置へ送信する
ことを特徴とする請求項３０に記載の端末装置。
【請求項３２】
前記端末装置は、さらに、
当該端末装置を付帯する利用者が前記複数の交通機関の何れかの利用が許可された時刻を示す利用許可情報を外部装置から受信する利用許可情報受信手段と、
利用許可情報記憶手段と、
前記利用許可情報を、前記利用許可情報記憶手段へ書き込む利用許可情報書込手段とを備え、
前記利用情報は、さらに、前記利用者が利用した交通機関の利用時刻を示し、
前記送信手段は、さらに、前記利用許可情報を送信し、
受信ポイント書込手段は、前記利用情報に対応して算出されたポイントに対して前記利用時刻と前記利用許可情報にて示される時刻との差分に応じた重み付けがなされた重み付けポイントを受信する
ことを特徴とする請求項３０に記載の端末装置。
【請求項３３】
前記ポイント情報は、交通機関毎にポイントを算出するポイント算出装置にて算出された各ポイントのうち、前記配信装置が設置された交通機関に対応して算出されたポイントであり、
前記ポイント情報受信手段は、前記配信装置から当該配信装置が設置された交通機関に対応するポイントを、短距離無線により受信する
ことを特徴とする請求項２９に記載の端末装置。
【請求項３４】
前記端末装置は、さらに、
交通機関毎にポイントを算出するポイント算出装置から、算出された各ポイントからなる配当情報と、前記配当情報の正当性を証明する証明情報とを受信する配当情報受信手段と、
受信した配当情報と証明情報とを記憶する配当情報記憶手段と、
前記配当情報記憶部に記憶されている配当情報及び証明情報を、前記配信装置へ短距離無線にて送信する配当情報送信手段とを備え、
前記ポイント情報は、前記配信装置が設置された交通機関に対して算出されたポイントであり、
前記ポイント情報受信手段は、前記配信装置より、前記配当情報に含まれる各ポイントのうち、当該配信装置が設置された交通機関に対応するポイントを受信する
ことを特徴とする請求項２９に記載の端末装置。
【請求項３５】
前記ポイント情報記憶手段は、ポイント情報にて示されるポイントを蓄積しており、
前記端末装置は、さらに、
耐タンパ性を有し、電子マネーを記憶する領域をもつ電子マネー記憶手段と、
前記ポイント情報記憶手段にて蓄積されているポイントを、電子マネーに変換する変換手段と、
変換された電子マネーを前記電子マネー記憶手段へ書き込む電子マネー書込手段と
を備えることを特徴とする請求項２９に記載の端末装置。
【請求項３６】
前記端末装置は、さらに、
前記電子マネー記憶手段にて記憶している電子マネーを用いて、商品の購入に対する支払いを、短距離無線にて行う支払制御手段
を備えることを特徴とする請求項３５に記載の端末装置。
【請求項３７】
前記ポイント情報記憶手段、前記電子マネー記憶手段、前記変換手段及び前記支払制御手段は、可搬型の記録媒体にて構成される
ことを特徴とする請求項３６に記載の端末装置。
【請求項３８】
同一目的地への移動に用いられる交通機関に乗車している人の混雑度に応じて、複数の交通機関毎に、ポイントを算出するポイント算出装置に用いられるポイント算出方法であって、
前記混雑度を取得する混雑度取得ステップと、
交通機関毎に、それぞれの混雑度に応じたポイントを算出する算出ステップと、
交通機関に対して算出されたポイントを、当該交通機関に乗り込んだ利用者に対して割り当てるポイント割当ステップと
を含むことを特徴とするポイント算出方法。
【請求項３９】
同一目的地への移動に用いられる交通機関に乗車している人の混雑度に応じて、複数の交通機関毎に、ポイントを算出するポイント算出装置に用いられるポイント算出プログラムであって、
前記混雑度を取得する混雑度取得ステップと、
交通機関毎に、それぞれの混雑度に応じたポイントを算出する算出ステップと、
交通機関に対して算出されたポイントを、当該交通機関に乗り込んだ利用者に対して割り当てるポイント割当ステップと
を含むことを特徴とするポイント算出プログラム。
【請求項４０】
同一目的地への移動に用いられる交通機関に乗車している人の混雑度に応じて、複数の交通機関毎に、ポイントを算出するポイント算出装置に用いられるポイント算出プログラムを記録しているコンピュータ読み取り可能な記録媒体であって、
前記混雑度を取得する混雑度取得ステップと、
交通機関毎に、それぞれの混雑度に応じたポイントを算出する算出ステップと、
交通機関に対して算出されたポイントを、当該交通機関に乗り込んだ利用者に対して割り当てるポイント割当ステップと
を含むことを特徴とする記録媒体。
【手続補正２】
【補正対象書類名】明細書
【補正対象項目名】全文
【補正方法】変更
【補正の内容】
【書類名】明細書
【発明の名称】  ポイント算出装置及びポイント割当システム
【技術分野】
【０００１】
本発明は、利用者を混雑度の低い施設へ誘導し、施設の運用を効率よく行う技術に関する。
【背景技術】
【０００２】
利用者に対して提供される複数の施設において、施設の運用状況、設置状況、施設の人気状況及び利用時間帯などにより、各施設の混雑度が異なることがある。
例えば、鉄道会社が運行する列車において、列車の始発駅の違いや発車の時間帯の違い、乗り継ぎの関係により、各列車の混雑度が異なる。また、１つの列車においても、停車駅における階段が設置された位置の関係や、乗継駅において乗り継ぎのための連絡通路が設置された位置の関係により列車の各車両の混雑度が異なる。特許文献１においては、自由席車両が到着する際の利用状況を正確に把握することができる座席利用状況管理装置に関する技術が開示されている。
【特許文献１】
特開２００３−６７５０号公報
【発明の開示】
【発明が解決しようとする課題】
【０００３】
しかしながら、上記例にて示すように、ある特定の列車や車両だけに乗客が集中すると、停車駅での乗降に時間がかかり、後続列車に遅れが生じ、列車運行に支障をきたす場合がある。また、逆に、ある特定の列車や車両に乗客を集中させたい場合もある。そのため、施設の提供者は、提供する各施設の円滑な運用を行うために、提供する各施設のうちある特定の施設へ、利用者を誘導したいという要望がある。
【０００４】
そこで、本発明は、複数の交通機関のうちある特定の交通機関へ、利用者を誘導することのできるポイント算出装置、ポイント割当システム、計測装置、配信装置、端末装置、ポイント算出方法、ポイント算出プログラム及び記録媒体を提供することを目的とする。
【課題を解決するための手段】
【０００５】
上記目的を達成するために、本発明は、同一目的地への移動に用いられる交通機関に乗車している人の混雑度に応じて、複数の交通機関毎に、ポイントを算出するポイント算出装置であって、前記混雑度を取得する混雑度取得手段と、交通機関毎に、それぞれの混雑度に応じたポイントを算出する算出手段と、交通機関に対して算出されたポイントを、当該交通機関に乗り込んだ利用者に対して割り当てるポイント割当手段とを備えることを特徴とする。
【発明の効果】
【０００６】
上記に示した構成によると、ポイント算出装置は、混雑度に応じたポイントを算出することができるため、ある特定の交通機関へ利用者を誘導することができる。例えば、利用者は、交通機関ごとにポイント算出手段にて算出されたポイントのうち高いポイントが割り当てられるように、高いポイントが算出された交通機関を利用するようになる。つまり、ポイント算出装置は、ある特定の交通機関へ、利用者を誘導することができる。
【０００７】
ここで、前記混雑度取得手段は、各交通機関のそれぞれから混雑度を取得し、前記算出手段は、取得した全ての混雑度を用いて、混雑度が増加する順に、ポイントが減少するように、対応する交通機関毎に、振り分けるポイントを算出するとしてもよい。
この構成によると、ポイント算出装置は、混雑が増加する順に、ポイントが減少するように、対応する交通機関毎に振り分けるポイントを算出することができる。これにより、利用者は、高いポイントが割り当てられるように、高いポイントが振り分けられた交通機関を利用するようになる。つまり、ポイント算出装置は、交通機関における混雑の緩和を行うことができる。
【０００８】
ここで、前記算出手段は、前記交通機関毎に振り分けるポイントの合計が、一定値となるように、交通機関毎にポイントを算出するとしてもよい。
この構成によると、ポイント算出装置は、各交通機関に対して振り分けるポイントの合計が、一定値となるように、交通機関毎にポイントを算出することができる。これにより、ポイント算出装置は、交通機関毎に振り分けるポイントの合計は、常に一定となるので、利用者には、一定値から振り分けられたポイントが、利用者へ割り当てられることになる。つまり、算出された各ポイントの合計は、変動しないので、ポイント算出装置は、利用者に対して、いつでも公平にポイントを割り当てることができる。
【０００９】
ここで、前記ポイント割当手段は、算出された各ポイントを、対応する交通機関を示す機関情報と関連付けて記憶する領域を有する算出ポイント記憶部と、算出された各ポイントのそれぞれを、対応する機関情報と関連付けて前記算出ポイント記憶部へ書き込む算出ポイント書込部と、前記利用者が付帯する携帯型の端末装置より、前記複数の交通機関のうち、前記利用者が利用した交通機関を示す利用情報を受信する利用情報受信部と、受信した利用情報が正当な利用情報であるか否かを決定する決定部と、前記決定部にて正当であると決定される場合に、受信した利用情報にて示される交通機関を示す機関情報と対応付けられて記憶されているポイントを、前記算出ポイント記憶部より読み出すポイント読出部と、ポイント読出部にて読み出したポイントを前記端末装置へ送信することにより、前記利用者へ割り当てるポイント送信部とを備えるとしてもよい。
【００１０】
この構成によると、ポイント算出装置は、携帯型の端末装置より利用情報を受信し、受信した利用情報が正当であると決定する場合に、算出して記憶している各ポイントのうち、利用情報にて示される交通機関に対応するポイントを端末装置へ送信することができる。これにより、ポイント算出装置は、利用者へ、利用した交通機関に対応するポイントを割り当てることができる。
【００１１】
ここで、前記利用情報受信部は、利用した交通機関を識別する識別子と、秘密鍵を用いて前記識別子に対してデジタル署名を施した署名データとからなる利用情報を受信し、前記決定部は、前記秘密鍵に対応する公開鍵を記憶しており、前記公開鍵と、受信した署名データ及び識別子とを用いて、署名検証を行い、署名検証による結果が肯定的な場合に、受信した利用情報は正当であると決定し、前記ポイント読出部は、受信した利用情報に含まれる識別子にて示される交通機関を示す機関情報と対応付けられて記憶されているポイントを、前記算出ポイント記憶部より読み出すとしてもよい。
【００１２】
この構成によると、ポイント算出装置は、署名検証により、受信した利用情報が正当であるか否かを決定することができる。
ここで、前記算出手段は、前記一定値である全体ポイントを予め記憶している全体ポイント記憶部と、前記各交通機関のそれぞれから、ポイントを割り当てる割当人数を取得する人数取得部と、取得した全ての混雑度に基づいて、混雑度が増加する順に、ポイントが減少するように、対応する交通機関毎に配当率を算出する第１算出部と、前記第１算出部にて算出された各配当率と、前記全体ポイントと、取得した各割当人数とに基づいて、単位配当率をポイントへ換算した換算ポイントを算出し、各配当率毎に算出した換算ポイントを乗算して、振り分けるポイントを前記交通機関毎に算出する第２算出部とを備えるとしてもよい。
【００１３】
この構成によると、ポイント算出装置は、混雑が増加する順に、ポイントが減少するように、配当率を算出し、算出した配当率、全体ポイント及び割当人数とに基づいて、交通機関毎に割り当てるポイントを算出することができる。
ここで、前記ポイント算出装置は、さらに、配当率を交通機関の利用者へ通知する通知装置へ、前記第１算出部にて算出された各配当率を送信する配当率送信手段を備えるとしてもよい。
【００１４】
この構成によると、ポイント算出装置は、算出した各配当率を通知装置へ送信することができる。これにより、利用者は、通知装置により通知される各配当率を知ることにより、配当率の高い交通機関、つまり混雑度の低い交通機関を利用することができる。
ここで、前記ポイント算出手段は、前記全体ポイントを記憶している全体ポイント記憶部と、取得した全ての混雑度を用いて、混雑度が低い交通機関から順に、高いポイントが振り分けられるように、配当率を前記交通機関毎に算出する第１算出部と、前記第１算出部にて算出された全ての配当率に基づいて、前記交通機関毎に、前記全体ポイントから各交通機関のそれぞれに対して振り分けるポイントを算出する第２算出部とを備えるとしてもよい。
【００１５】
この構成によると、ポイント算出装置は、混雑が増加する順に、ポイントが減少するように、配当率を算出し、算出した配当率及び全体ポイントとに基づいて、交通機関毎に振り分けるポイントを算出することができる。
ここで、前記ポイント割当手段は、交通機関毎に設置され、当該交通機関に対応して算出されたポイントを示すポイント情報を、当該交通機関の利用者が付帯する携帯型の端末装置へ配信する配信装置へ、前記交通機関毎に算出した各ポイントのうち、少なくとも当該配信装置が設置された交通機関に対応するポイントを送信することにより、前記利用者へ割り当てるとしてもよい。
【００１６】
この構成によると、ポイント算出装置は、算出した各ポイントを配信装置へ送信することができる。例えば、配信装置から、当該配信装置が設置された交通機関の利用者へ、ポイントを割り当てることができるようになる。
ここで、前記ポイント割当手段は、前記交通機関毎に算出した各ポイントを含む配当情報を記憶する配当情報記憶部と、携帯型の端末装置より、前記配当情報を要求する要求情報を受信する要求情報受信部と、前記要求情報を受信すると、前記配当情報を前記端末装置へ送信することにより、前記利用者へポイントを割り当てる配当情報送信部とを備えるとしてもよい。
【００１７】
この構成によると、ポイント算出装置は、携帯型の端末装置より要求情報を受信すると、算出した各ポイントを配当情報として、端末装置へ送信することができる。
ここで、前記ポイント割当手段は、割当ポイント記憶部と、前記算出手段にて算出された各ポイントを記憶する領域を有する算出ポイント記憶部と、前記算出手段にて算出された各ポイントを前記算出ポイント記憶部へ書き込む算出ポイント書込部と、前記利用者が付帯する携帯型の端末装置より、前記複数の交通機関のうち、前記利用者が利用した交通機関を示す利用情報と、前記端末装置を識別する端末識別子とを受信する利用情報受信部と、受信した利用情報が正当な利用情報であるか否かを決定する決定部と、前記決定部にて正当であると決定される場合に、受信した利用情報にて示される交通機関に対応して算出されたポイントを、前記算出ポイント記憶部より読み出すポイント読出部と、ポイント読出部にて読み出したポイントを、受信した端末識別子と対応付けて、前記割当ポイント記憶部へ書き込むことにより、前記利用者へ割り当てる割当ポイント書込部とを備えるとしてもよい。
【００１８】
この構成によると、ポイント算出装置は、携帯型の端末装置より利用情報及び端末識別子を受信すると、受信した利用情報が正当な利用情報であると決定する場合に、利用情報にて示される交通機関に対応して算出されたポイントを、受信した端末識別子と対応付けて、割当ポイント記憶部へ書き込むことができる。これにより、各端末装置に対するポイントを、ポイント算出装置にて一元管理することができる。利用者側では、例えば、割り当てられたポイントを記録する記録媒体等を用いて、管理する必要がないので、記録媒体の紛失や盗難により、割り当てられたポイントを第三者によって使用される心配が無くなる。
【００１９】
ここで、前記複数の交通機関のそれぞれは、１列車を編成する各車両であり、前記算出手段は、車両毎にポイントを算出するとしてもよい。
この構成によると、ポイント算出装置は、１列車の車両毎にポイントを算出することができる。これにより、利用者は、より高いポイントの割り当てを望むため、振り分けられるポイントが高い車両、つまり混雑度が低い車両へ乗車しようとすることになる。
【００２０】
ここで、前記交通機関は、複数の車両から構成される列車であり、前記算出手段は、列車毎にポイントを算出するとしてもよい。
この構成によると、ポイント算出装置は、複数の列車毎にポイントを算出することができる。これにより、利用者は、より高いポイントの割り当てを望むため、振り分けられるポイントが高い列車、つまり混雑度が低い列車へ乗車しようとすることになる。
【００２１】
ここで、前記複数の交通機関のそれぞれは、複数の列車それぞれを編成する各車両であり、前記算出手段は、車両毎にポイントを算出するとしてもよい。
この構成によると、ポイント算出装置は、複数の列車の車両毎にポイントを算出することができる。これにより、利用者は、より高いポイントの割り当てを望むため、複数の列車における各車両のうち、振り分けられるポイントが高い車両、つまり混雑度が低い車両へ乗車しようとすることになる。
【００２２】
ここで、前記ポイント割当手段は、算出された各ポイントを、対応する交通機関を示す機関情報と関連付けて記憶する領域を有する算出ポイント記憶部と、算出された各ポイントのそれぞれを、対応する機関情報と関連付けて前記算出ポイント記憶部へ書き込む算出ポイント書込部と、前記利用者が付帯する携帯型の端末装置より、前記複数の交通機関のうち、前記利用者が利用した交通機関と、前記交通機関を利用した利用時刻とを示す利用情報と、前記利用者が複数の交通機関の何れかの利用が許可された時刻を示す利用許可情報を受信する利用情報受信部と、受信した利用情報にて示される交通機関を示す機関情報と対応付けられて記憶されているポイントを、前記利用情報にて示される利用時刻と前記利用許可情報にて示される時刻との差分に応じて重み付けを行い、重み付けされたポイントを前記端末装置へ送信することにより、前記利用者へ割り当てるポイント送信部とを備えるとしてもよい。
【００２３】
この構成によると、ポイント算出装置は、利用時刻と前記利用許可情報にて示される時刻との差分に応じて重み付けを行うことができるので、重み付けによりポイントが高くように、利用者は利用する交通機関を選ぶことができる。例えば、利用許可情報は、交通機関を利用するために、利用場所へ訪れた時刻であり、利用時刻と前記利用許可情報にて示される時刻との差分は、交通機関を利用するまでの待ち時間であるとし、待ち時間が長いほど、重み付けを大きくするとする。このとき、ユーザは、混雑度の低い交通機関を待つことにより、算出されたポイントに、大きな重み付けがなされたポイントを割り当てられることができる。
【００２４】
また、本発明は、同一目的地への移動に用いられる交通機関に乗車している人の混雑度に応じて、ポイントを、利用者へ割り当てるポイント割当システムであって、交通機関毎に設置され、当該交通機関の混雑度を計測する計測装置と、前記計測装置から前記混雑度を取得し、交通機関毎に、対応する混雑度に応じてポイントを算出するポイント算出装置と、交通機関毎に設置され、当該交通機関に対応して算出されたポイントを示すポイント情報を短距離無線により配信する配信装置と、前記配信装置からポイント情報を、短距離無線により受信する携帯型の端末装置とを備えることを特徴とする。
【００２５】
この構成によると、ポイント割当システムは、配信装置を用いて、ポイント算出装置にて交通機関毎に算出されたポイントのうち当該配信装置が設置された交通機関に対応するポイントを示すポイント情報を端末装置へ当該交通機関内にて短距離無線により送信することができる。これにより、端末装置を付帯する利用者は、より高いポイントが割り当てられるように、割り当てられるポイントが高い交通機関を利用するようになる。つまり、ポイント割当システムは、ある特定の交通機関へ、利用者を誘導することができる。
【００２６】
ここで、前記ポイント算出装置は、各計測装置のそれぞれから混雑度を取得し、取得した全ての混雑度を用いて、混雑度が増加する順に、ポイントが減少するように、対応する交通機関毎に、振り分けるポイントを算出するとしてもよい。
この構成によると、ポイント割当システムのポイント算出装置は、混雑が増加する順に、ポイントが減少するように、交通機関毎に振り分けるポイントを算出することができる。これにより、利用者は、高いポイントが振り分けられた交通機関を利用するようになる。
【００２７】
ここで、前記ポイント算出装置は、前記交通機関毎に振り分けるポイントの合計が、一定値となるように、交通機関毎にポイントを算出するとしてもよい。
この構成によると、ポイント割当システムのポイント算出装置は、各交通機関に対して振り分けるポイントの合計が、一定値となるように、交通機関毎にポイントを算出することができる。これにより、算出された各ポイントの合計は、変動しないので、ポイント算出装置は、利用者に対して、いつでも公平にポイントを割り当てることができる。
【００２８】
ここで、前記ポイント割当システムは、さらに、前記利用者が交通機関に乗り込むことにより、前記利用者へ割り当てられるポイントを示す割当予定ポイント情報を通知する通知装置を備えるとしてもよい。
この構成によると、ポイント割当システムは、通知装置を用いて割当予定ポイント情報を、利用者へ通知することができる。これにより、利用者は、通知装置により通知された割当予定ポイント情報を基に、高いポイントが振り分けられている交通機関を利用するようになる。
【００２９】
また、本発明は、交通機関の混雑度を計測する計測装置であって、前記交通機関の混雑度を計測する計測手段と、交通機関に乗車している人の混雑度に応じて、ポイントを交通機関毎に算出するポイント算出装置へ、前記混雑度を送信する送信手段とを備えることを特徴とする。
この構成によると、計測装置は、交通機関の混雑度を計測し、計測した混雑度をポイント算出装置へ送信することができる。
【００３０】
また、本発明は、交通機関毎に設置され、当該交通機関に乗車している人の混雑度に応じ、ポイントを示すポイント情報を配信する配信装置であって、ポイント情報の配信を開始するか否かを判断する配信判断手段と、前記配信判断手段にてポイント情報の配信を開始すると判断する場合に、ポイント情報を、当該交通機関の利用者が付帯する携帯型の端末装置へ短距離無線にて配信する無線配信手段とを備えることを特徴とする。
【００３１】
この構成によると、配信装置は、ポイント情報を、携帯型の端末装置へ短距離無線にて送信するので、交通機関の利用者は、携帯型の端末装置を付帯して交通機関を利用することにより、ポイント情報の配信を受けることができる。
ここで、前記交通機関には、ドアが備え付けられており、前記配信判断手段は、前記ドアが開いたことを検知した場合に、前記ポイント情報の配信を開始すると判断するとしてもよい。
【００３２】
この構成によると、配信装置は、ドアが開いた場合に、ポイント情報の配信を開始すると判断するので、ドアが開いた後、交通施設に乗り込んだ利用者へポイント情報を配信することができる。
ここで、前記ポイント情報は、当該交通機関を示すとともに、当該交通機関に対応するポイントと等価であることを示す利用情報であり、前記無線配信手段は、前記利用情報を配信するとしてもよい。
【００３３】
この構成によると、配信装置は、利用情報をポイント情報として端末装置へ送信することができる。
ここで、前記配信装置は、さらに、秘密鍵を記憶している秘密鍵記憶手段と、前記秘密鍵を用いて前記利用情報に対してデジタル署名を施した署名データを生成する署名データ生成手段とを備え、前記無線配信手段は、さらに、前記署名データを前記端末装置へ短距離無線にて送信するとしてもよい。
【００３４】
この構成によると、配信装置は、さらに、利用情報に対する署名データを送信することができる。これにより、配信装置は、利用情報の正当性を高めることができる。
ここで、前記配信装置は、さらに、交通機関毎にポイントを算出するポイント算出装置から、前記配信装置が設置された交通機関に対応するポイントを取得し、取得したポイントを所定の領域へ書き込むポイント書込手段を備え、前記無線配信手段は、前記所定の領域にて記憶しているポイントを、前記ポイント情報として配信するとしてもよい。
【００３５】
この構成によると、配信装置は、当該交通機関に対応して算出されたポイントをポイント情報として端末装置へ送信することができる。
ここで、前記配信判断手段は、交通機関に乗車している人の混雑度に応じて、交通機関毎に、ポイントを算出するポイント算出装置にて算出された全てのポイントを含む配当情報と、前記配当情報の正当性を証明する証明情報とを、前記端末装置より受信する配当情報受信部と、前記配当情報の正当性を検証する検証情報を記憶している検証情報記憶部と、前記証明情報と前記検証情報とを用いて、受信した配当情報が正当な配信情報であるか否かを決定し、正当な配信情報であると決定する場合に、ポイント情報を配信するとみなす決定部とを備え、前記無線配信手段は、前記決定部にて、受信した配当情報が正当な配信情報であると決定する場合に、受信した配当情報より前記配信装置が設置された交通機関に対応して算出されたポイントを取得し、取得したポイントをポイント情報として、前記端末装置へ短距離無線にて配信するとしてもよい。
【００３６】
この構成によると、配信装置は、端末装置より配当情報と証明情報とを受信し、受信した証明情報と、記憶している検証情報とを用いて、受信した配信情報が正当な配信情報であると決定する場合に、受信した配当情報より当該交通機関に対応して算出されたポイントを端末装置へ送信することができる。
ここで、前記証明情報は、前記ポイント算出装置にて各ポイントが算出された時の正当性を証明する第１算出時からなり、前記検証情報は、前記ポイント算出装置にて各ポイントが算出された時の正当性を検証する第２算出時であり、前記決定部は、前記第１算出時と前記第２算出時とが一致するか否かを判断し、前記第１算出時と前記第２算出時とが一致する場合に、受信した配当情報は正当な配信情報であると決定するとしてもよい。
【００３７】
この構成によると、配信装置は、第１及び第２算出時を用いて、受信した配信情報の正当性を判断することができる。例えば、第２算出日時は、各ポイントが算出された最新の日時であり、第１算出時が、第２算出時と一致する場合に、配信装置は、受信した配当情報は最新のものであると決定することができる。
ここで、前記証明情報は、秘密鍵を用いて前記配当情報に対してデジタル署名を施した署名データであり、前記検証情報は、前記秘密鍵に対応する公開鍵であり、前記決定部は、前記公開鍵、前記署名データ及び前記配当情報による署名検証を行い、署名検証による結果が肯定的な場合に、受信した配当情報は正当な配信情報であると決定するとしてもよい。
【００３８】
この構成によると、配信装置は、署名検証により、受信した配信情報の正当性を判断することができる。これにより、配信情報に対するセキュリティが向上される。
また、本発明は、交通機関毎に設置された配信装置のうち何れかの配信装置から、当該交通機関に乗車している人の混雑度に応じて算出されたポイントを示すポイント情報を受信する携帯型の端末装置であって、耐タンパ性を有し、ポイント情報を記憶する領域を有するポイント情報記憶手段と、配信装置より送信されたポイント情報を、短距離無線にて受信するポイント情報受信手段と、受信したポイント情報を前記ポイント情報記憶手段へ書き込むか否かを判断する書込判断手段と、前記書込判断手段による判断結果が肯定的である場合に、受信したポイント情報を前記ポイント情報記憶手段へ書き込むポイント情報書込手段とを備えることを特徴とするを特徴とする。
【００３９】
この構成によると、端末装置は、配信装置より受信したポイント情報を、耐タンパ性を有するポイント情報記憶手段へ書き込むと判断する場合に、書き込むことができる。これにより、端末装置は、ポイント情報記憶手段へ書き込んだポイント情報に対する不正なアクセスや、改ざんを防止することができる。
ここで、前記ポイント情報は、当該交通機関を示すとともに、当該交通機関に対応するポイントと等価であることを示す利用情報であり、前記ポイント情報記憶手段は、さらに、前記ポイント情報と等価であるポイントを記憶するポイント記憶領域を有し、前記端末装置は、さらに、前記ポイント情報記憶手段にて記憶している利用情報を、交通機関毎にポイントを算出するポイント算出装置へ送信する送信手段と、前記ポイント算出装置から前記利用情報にて示される交通機関に対応して算出されたポイントを受信し、受信したポイントを前記ポイント記憶領域へ書き込む受信ポイント書込手段とを備えるとしてもよい。
【００４０】
この構成によると、端末装置は、配信装置から利用情報にて示される交通機関に対応して算出されたポイントを受信し、耐タンパ性を有するポイント記憶領域へ書き込むことができる。これにより、端末装置は、ポイント記憶領域へ書き込んだポイントに対する不正なアクセスや、改ざんを防止することができる。
ここで、前記送信手段は、当該交通機関を識別する識別子と、前記識別子に対してデジタル署名を施した署名データとからなる前記利用情報を、前記ポイント算出装置へ送信するとしてもよい。
【００４１】
この構成によると、端末装置は、識別子と識別子に対する署名データからなる利用情報を送信するので、利用情報に対するセキュリティが向上される。
ここで、前記端末装置は、さらに、当該端末装置を付帯する利用者が複数の交通機関の何れかの利用が許可された時刻を示す利用許可情報を外部装置から受信する利用許可情報受信手段と、利用許可情報記憶手段と、前記利用許可情報を、前記利用許可情報記憶手段へ書き込む利用許可情報書込手段とを備え、前記利用情報は、さらに、前記利用者が利用した交通機関の利用時刻を示し、前記送信手段は、さらに、前記利用許可情報を送信し、受信ポイント書込手段は、前記利用情報に対応して算出されたポイントに対して前記利用時刻と前記利用許可情報にて示される時刻との差分に応じた重み付けがなされた重み付けポイントを受信するとしてもよい。
【００４２】
この構成よると、端末装置は、利用時刻と利用許可情報にて示される時刻との差分に応じた重み付けがなされた重み付けポイントを受信することができる。これにより、重み付けにより配布されるポイントが高くように、利用者は、利用する交通機関を選ぶことができる。
ここで、前記ポイント情報は、交通機関毎にポイントを算出するポイント算出装置にて算出された各ポイントのうち前記配信装置が設置された交通機関に対応して算出されたポイントであり、前記ポイント情報受信手段は、前記配信装置から当該配信装置が設置された交通機関に対応するポイントを、短距離無線により受信するとしてもよい。
【００４３】
この構成によると、端末装置は、配信装置から当該交通機関に対応して算出されたポイントを受信することができる。
ここで、前記端末装置は、さらに、交通機関毎にポイントを算出するポイント算出装置から、算出された各ポイントからなる配当情報と、前記配当情報の正当性を証明する証明情報とを受信する配当情報受信手段と、受信した配当情報と証明情報とを記憶する配当情報記憶手段と、前記配当情報記憶部に記憶されている配当情報及び証明情報を、前記配信装置へ短距離無線にて送信する配当情報送信手段とを備え、前記ポイント情報は、前記配信装置が設置された交通機関に対して算出されたポイントであり、前記ポイント情報受信手段は、前記配信装置より、前記配当情報に含まれる各ポイントのうち、当該配信装置が設置された交通機関に対応するポイントを受信するとしてもよい。
【００４４】
この構成によると、端末装置は、配当情報のうち当該交通機関に対応して算出されたポイントを、受信することができる。
ここで、前記ポイント情報記憶手段は、ポイント情報にて示されるポイントを蓄積しており、前記端末装置は、さらに、耐タンパ性を有し、電子マネーを記憶する領域をもつ電子マネー記憶手段と、前記ポイント情報記憶手段にて蓄積されているポイントを、電子マネーに変換する変換手段と、変換された電子マネーを前記電子マネー記憶手段へ書き込む電子マネー書込手段とを備えるとしてもよい。
【００４５】
この構成によると、端末装置は、蓄積されているポイントのうち、所定値の整数倍からなる所定ポイントを、電子マネーに変換し、記憶することができる。これにより、端末装置は、電子マネー記憶手段へ書き込んだ電子マネーに対する不正なアクセスや、改ざんを防止することができる。
ここで、前記端末装置は、さらに、前記電子マネー記憶手段にて記憶している電子マネーを用いて、商品の購入に対する支払いを、短距離無線にて行う支払制御手段を備えるとしてもよい。
【００４６】
この構成によると、端末装置を付帯する利用者は、記憶さている電子マネーを利用して、物品の購入することができる。
ここで、前記ポイント情報記憶手段、前記電子マネー記憶手段、前記変換手段及び前記支払制御手段は、可搬型の記録媒体にて構成されるとしてもよい。
この構成によると、利用者は、記録媒体のみを付帯することにより、電子マネーを利用することができる。
【発明を実施するための最良の形態】
【００４９】
１．第１の実施の形態
本発明に係る実施の形態としてのポイント配布システム１について説明する。
１．１  ポイント配布システム１の概要
ポイント配布システム１は、各列車及び各車両毎の混雑度に応じて算出されたサービスポイント（以下、単に「ポイント」という。）を利用者へ配布するシステムであり、鉄道会社にて提供されるシステムである。利用者は、ポイントを集めて、鉄道会社が提供する特典を受けることができる。特典は、例えば、回数券、プレミアムコンテンツ、グッズであり、利用者は、集めたポイントと、これら特典とを交換することができる。
【００５０】
ポイント配布システム１は、図１にて示すように、列車２ａ、・・・、２ｂのそれぞれに備えられた収集装置１０、・・・、１１及び車両装置２０、２１、２２、２３、・・・、２４、２５、２６、２７と、管理装置３０と、駅３ａ、・・・、３ｂに備えられた情報表示装置４０、・・・、４１と、記録媒体５０と、携帯端末６０とから構成されている。
収集装置１０は車両装置２０、２１、２２、２３と接続されており、収集装置１１は、車両装置２４、２５、２６、２７と接続されている。
【００５１】
車両装置２０は、当該車両装置２０が備え付けられた車両の混雑度を計測し、計測結果より当該車両の混雑度を示す車両換算人数を取得する。また、車両装置２０は、前回の混雑度の計測後から当該車両に乗車した人数を示す車両乗車人数をカウントする。また、車両装置２０は、乗車した利用者が付帯する携帯端末６０へ、当該車両を識別する車両コードと利用した日時とからなる利用情報と、利用情報に対してデジタル署名を施した署名データとを短距離無線により送信する。ここで、例えば、車両装置２０による利用情報及び署名データの発信は車両のドア付近（例えば、ドアより内側１ｍに位置する車両の天井）にて行われ、短距離無線の通信距離を３ｍとする。なお、車両装置２１、・・・、２７も、車両装置２０と同様の動作を行う。
【００５２】
収集装置１０は、各車両装置にて取得した各車両換算人数及び各車両乗車人数より、列車全体の混雑度を示す列車換算人数及び前回の混雑度の計測後から当該列車に乗車した人数を示す列車乗車人数を算出する。なお、収集装置１１も同様の動作を行う。
管理装置３０は、各車両装置にて取得した車両換算人数及び各収集装置にて算出した列車換算人数とを用いて、列車の各車両に対して、提供するポイントのオッズを算出し、さらに、各列車に対して、提供するポイントのオッズを算出する。また、管理装置３０は、携帯端末６０よりオッズの配信要求があると、携帯端末６０へオッズの送信を行う。また、管理装置３０は、各車両乗車人数及び各列車乗車人数とを受け取ると、受け取った情報と記憶しているオッズより利用者に割り当てるポイントを算出し、記憶する。管理装置３０は、携帯端末６０よりポイント配布の要求があると、記憶しているポイントを配布する。
【００５３】
情報表示装置４０、・・・、４１は、管理装置３０にて算出したオッズの情報を表示する。
携帯端末６０は、列車を利用する場合及びポイントの配布を要求する場合には、記録媒体５０が装着される。携帯端末６０は、乗車した車両に備えられた車両装置より、利用情報を無線により受信すると、受信した利用情報を記録媒体５０へ書き込む。また、携帯端末６０は、管理装置３０よりポイントを受信すると、受信したポイントを、これまでに集めたポイントに加算して、記録媒体５０へ書き込む。
【００５４】
１．２  収集装置１０の構成
収集装置１０、・・・、１１は同様の構成であるため、ここでは、収集装置１０の構成について、以下に説明する。
収集装置１０は、図２に示すように、列車コード記憶部１００、制御部１０１、無線部１０２、入出力部１０３及びアンテナ部１０４から構成されている。
【００５５】
収集装置１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置１０は、その機能を達成する。
【００５６】
（１）列車コード記憶部１００
当該収集装置１０が備え付けられた列車を識別する列車コードを記憶している。
（２）制御部１０１
制御部１０１は、車両装置２１、・・・、２３より車両換算人数を収集及び列車換算人数を算出する。
【００５７】
また、制御部１０１は、管理装置３０にて定期的（本実施の形態では、５分ごととする。）に行われるオッズの算出において、車両装置２１、・・・、２３よりオッズ算出後の５分間に各車両に乗車した車両乗車人数を収集及び当該列車の乗車した列車乗車人数を算出する。
＜車両換算人数の収集及び列車換算人数の算出＞
制御部１０１は、無線部１０２を介して、管理装置３０より列車換算人数及び車両換算人数の収集を指示する収集命令と、列車コードを受け取ると、受け取った列車コードと、列車コード記憶部１００にて記憶している列車コードとが一致するか否かを判断する。
【００５８】
一致しないと判断する場合には、何も行わない。
一致すると判断する場合には、先ず、車両装置２０へ入出力部１０３を介して、車両換算人数の計測を指示する計測命令を送信する。制御部１０１は、車両装置２０より入出力部１０３を介して、各車両を識別する車両コード及び車両換算人数からなる車両換算情報を受信し、受信した車両換算情報を一時的に記憶する。制御部１０１は、上記の動作を全車両装置に対して行う。なお、車両コードの詳細については、後述する。
【００５９】
制御部１０１は、全車両装置から車両換算情報を受信すると、受信した各車両換算情報の車両換算人数を全て加算して、列車換算人数を算出し、列車コードと算出した列車換算人数とからなる列車換算情報を生成する。制御部１０１は、生成した列車換算情報、記憶している各車両換算情報及び列車コードを管理装置３０へ無線部１０２を介して、無線にて送信する。
【００６０】
＜車両乗車人数の収集及び列車乗車人数の算出＞
制御部１０１は、無線部１０２を介して、管理装置３０より列車乗車人数及び車両乗車人数の通知を指示する通知命令と、列車コードを受け取ると、受け取った列車コードと、列車コード記憶部１００にて記憶している列車コードとが一致するか否かを判断する。
一致しないと判断する場合には、何も行わない。
【００６１】
一致すると判断する場合には、先ず、車両装置２０へ入出力部１０３を介して、車両乗車人数の通知を指示する乗車数通知命令を送信する。制御部１０１は、車両装置２０より入出力部１０３を介して、車両コード及び車両乗車人数からなる車両乗車情報を受信し、受信した車両乗車情報を一時的に記憶する。制御部１０１は、上記の動作を全車両装置に対して行う。
【００６２】
制御部１０１は、全車両装置から車両乗車情報を受信すると、受信した各車両乗車情報の車両乗車人数を全て加算して、列車乗車人数を算出し、列車コードと算出した列車乗車人数とからなる列車乗車情報を生成する。制御部１０１は、生成した列車乗車情報、記憶している各車両乗車情報及び列車コードを管理装置３０へ無線部１０２を介して、無線にて送信する。
【００６３】
（３）無線部１０２
無線部１０２は、アンテナ部１０４より電力信号を受け取り、受け取った電力信号を復調し、復調した信号からパルス信号波を抽出する。抽出したパルス信号波を解読して、命令と情報とを抽出する。
抽出する命令には、収集命令及び通知命令が含まれ、抽出する情報には、列車コードが含まれる。
【００６４】
また、無線部１０２は、制御部１０１より情報を受け取ると、受け取った情報に基づいて、パルス信号波を生成し、生成したパルス信号波を変調記号として、変調記号に基づいて、搬送波の振幅を変化させ、振幅の変化した搬送波をアンテナ部１０４へ出力する。
（４）入出力部１０３
入出力部１０３は、制御部１０１より受け取った命令を各車両装置へ出力する。
【００６５】
また、入出力部１０３は、各車両装置より受け取った情報を制御部１０１へ出力する。
（５）アンテナ部１０４
アンテナ部１０４は、無線部１０２より振幅の変化した搬送波を受け取ると、受け取った振幅の変化した搬送波を電波として空間に放射する。
また、アンテナ部１０４は、電波を受信し、受信した電波を電力信号に変換して、電力信号を無線部１０２へ出力する。
【００６６】
１．３  車両装置２０の構成
車両装置２０は、図３に示すように、車両コード記憶部２００、秘密鍵記憶部２０１、乗車人数記憶部２０２、計測部２０３、配布部２０４、開閉検知部２０５、時計部２０６、無線部２０７、入出力部２０８及びアンテナ部２０９から構成されている。
車両装置２０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、車両装置２０は、その機能を達成する。
【００６７】
なお、車両装置２１、・・・、２７は、車両装置２０と同様の構成であるため、説明は省略する。
（１）車両コード記憶部２００
車両コード記憶部２００は、当該車両装置２０が備え付けられた列車の車両を識別する車両コードを記憶している。車両コードは、列車コードと車両番号とからなるコードであり、車両コードに含まれる列車コードと、当該車両装置２０と接続している収集装置１０が記憶している列車コードとは同一である。
【００６８】
（２）秘密鍵記憶部２０１
秘密鍵記憶部２０１は、携帯端末６０へ利用情報を無線にて送付する場合に、送付する利用情報に対して電子署名を行うための秘密鍵を記憶している。
（３）乗車人数記憶部２０２
乗車人数記憶部２０２は、管理装置３０にてオッズ算出から次のオッズ算出までの１周期（ここでは、５分）の間に当該車両に乗車した車両乗車人数を記憶する人数記憶領域を有する。人数記憶領域の初期値「０」である。なお、以降では、オッズ算出から次のオッズ算出までの１周期を乗車記憶周期と呼ぶ。
【００６９】
（４）計測部２０３
計測部２０３は、当該車両の車両重量を予め記憶している。
計測部２０３は、収集装置１０から入出力部２０８を介して、計測命令を受信すると、当該車両の重量を計測し、計測重量を取得する。計測重量より予め記憶している車両重量を差し引いて、当該車両の乗客の総重量を算出する。算出した乗客の総重量を乗客の人数に換算し、車両換算人数を取得する。計測部２０３は、車両コード記憶部２００より記憶している車両コードを読み出し、読み出した車両コードと、取得した車両換算人数とからなる車両換算情報を生成し、生成した車両換算情報を、入出力部２０８を介して収集装置１０へ送信する。ここで、換算方法は、例えば、乗客１人当たりの体重を６０Ｋｇとして、乗客の総重量を６０で割って、その商を人数として換算する。なお、小数点以下は、繰り上げる。
【００７０】
計測部２０３は、収集装置１０から入出力部２０８を介して、乗車数通知命令を受信すると、乗車人数記憶部２０２にて記憶している車両乗車人数を読み出し、さらに、車両コード記憶部２００より記憶している車両コードを読み出し、読み出した乗車人数及び車両コードとからなる車両乗車情報を生成し、生成した車両乗車情報を、入出力部２０８を介して収集装置１０へ出力する。計測部２０３は、乗車人数記憶部２０２にて記憶している車両乗車人数を初期値「０」へリセットする。
【００７１】
（５）配布部２０４
配布部２０４は、列車２ａが停車した駅において車両装置２０が備えられた車両に乗車した人数をカウントする期間を示すカウント期間（例えば、３分間）を予め記憶している。
配布部２０４は、当該車両のドアが開いたことを示す開状態命令を開閉検知部２０５から受け取ると、車両コード記憶部２００より車両コードを、時計部２０６より日時を、秘密鍵記憶部２０１より秘密鍵をそれぞれ読み出し、読み出した車両コード及び日時からなる利用情報を生成する。さらに、配布部２０４は、読み出した秘密鍵を用いて、生成した利用情報に対して、デジタル署名を施し、署名データを生成する。配布部２０４は、生成した利用情報及び署名データからなる組と、利用情報の配布を示す利用情報配布命令と、利用情報の配布開始を指示する配布開始命令とを無線部２０７へ出力する。
【００７２】
配布部２０４は、当該車両のドアが閉まったことを示す閉状態命令を開閉検知部２０５から受け取ると、利用情報の配布終了を指示する配布終了命令を無線部２０７へ出力する。
配布終了命令を無線部２０７へ出力した後、配布部２０４は、予め記憶しているカウント期間の間、利用情報を受け取った旨を示す情報受取命令及び携帯端末６０を識別する端末識別子を携帯端末６０から無線部２０７を介して受け取るために、待ち受け状態となる。
【００７３】
配布部２０４は、携帯端末６０から無線部２０７を介して、情報受取命令と端末識別子とを受け取ると、乗車人数記憶部２０２にて記憶している車両乗車人数に「１」加算して、乗車人数記憶部２０２に記憶している内容を、加算した結果へ更新する。また、配布部２０４は、情報受取命令を受信した旨を示す応答命令と、受け取った端末識別子とを無線部２０７へ出力する。
【００７４】
（６）開閉検知部２０５
開閉検知部２０５は、当該車両が備えるドアの開閉を検知する。開閉検知部２０５は、ドアが開いたことを検知すると、開状態命令を配布部２０４へ出力し、ドアが閉まったことを検知すると、閉状態命令を配布部２０４へ出力する。
（７）時計部２０６
時計部２０６は、日時の計時を行う。
【００７５】
（８）無線部２０７
無線部２０７は、アンテナ部２０９より電力信号を受け取り、受け取った電力信号を復調し、復調した信号からパルス信号波を抽出する。抽出したパルス信号波を解読して、命令と情報とを抽出する。
抽出する命令には、情報受取命令が含まれ、抽出する情報には、端末識別子が含まれる。
【００７６】
また、無線部２０７は、配布部２０４より利用情報及び署名データからなる組と、利用情報配布命令と、配布開始命令とを受け取ると、受け取った利用情報及び署名データからなる組と利用情報配布命令とに基づいて、パルス信号波を生成し、生成したパルス信号波を変調記号として、変調記号に基づいて、搬送波の振幅を変化させ、配布部２０４より配布終了命令を受け取るまでの間、振幅の変化した搬送波をアンテナ部２０９へ出力する。
【００７７】
無線部２０７は、配布部２０４より応答命令と、端末識別子とを受け取ると、受け取った応答命令と、端末識別子とに基づいて、パルス信号波を生成し、生成したパルス信号波を変調記号として、変調記号に基づいて、搬送波の振幅を変化させ、配布部２０４より配布終了命令を受け取るまでの間、振幅の変化した搬送波をアンテナ部２０９へ出力する。
（９）入出力部２０８
入出力部２０８は、計測部２０３より受け取った情報を収集装置１０へ出力する。
【００７８】
また、入出力部２０８は、収集装置１０より受け取った命令を計測部２０３へ出力する。
（１０）アンテナ部２０９
アンテナ部２０９は、無線部２０７より振幅の変化した搬送波を受け取ると、受け取った振幅の変化した搬送波を電波として空間に放射する。
【００７９】
また、アンテナ部２０９は、電波を受信し、受信した電波を電力信号に変換して、電力信号を無線部２０７へ出力する。
１．４  管理装置３０の構成
管理装置３０は、図４に示すように、時刻表記憶部３００、送付情報記憶部３０１、公開鍵記憶部３０２、オッズ算出部３０３、時計部３０４、ポイント送付部３０５、無線部３０６、送受信部３０７及びアンテナ部３０８から構成されている。
【００８０】
管理装置３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置３０は、その機能を達成する。
【００８１】
（１）時刻表記憶部３００
時刻表記憶部３００は、図５及び図６にて、一例と示すように、時刻表Ｔ１００及びＴ１０１とを記憶している。
図５に示す時刻表は、Ａ駅を始発駅とし、Ｅ駅を終着駅とする時刻表であり、図６に示す時刻表は、Ｅ駅を始発駅とし、Ａ駅を終着駅とする時刻表である。
【００８２】
時刻表Ｔ１００は、列車コード及びＡ駅、Ｂ駅、Ｃ駅、Ｄ駅、・・・、Ｅ駅から構成される組を１個以上記憶する領域を有している。
列車コードは、各列車を識別するコードであり、Ａ駅、Ｂ駅、Ｃ駅、Ｄ駅、・・・、Ｅ駅は、列車コードにて示される列車が各駅を出発する時刻を示している。
なお、時刻表Ｔ１０１は、時刻表Ｔ１００と同様の構成であるため、説明は省略する。また、ここでは、便宜上、時刻表Ｔ１００を上り用の時刻表、時刻表Ｔ１０１を下り用の時刻表とする。
【００８３】
（２）送付情報記憶部３０１
送付情報記憶部３０１は、図７に示すように、オッズ情報記憶部３１０及びポイント記憶部３１１とを備えている。
＜オッズ情報記憶部３１０＞
オッズ情報記憶部３１０は、図８に一例として示すように、オッズ情報テーブルＴ１１０を有している。
【００８４】
オッズ情報テーブルＴ１１０は、日時、列車コード、区分、列車オッズ、車両オッズ、列車乗車人数及び車両乗車人数からなる組を１個以上記憶するための領域を有している。
日時は、列車オッズ及び車両オッズを算出した日時を示す。
列車コードは、列車を識別するコードであり、区分は、列車コードに対応する列車が上り列車であるか、下り列車であるかの区分を示す。
【００８５】
列車オッズは、オッズ算出の対象となった列車を利用者が利用した場合のオッズを示す。
車両オッズは、さらに、１号車、２号車、３号車及び４号車から構成され、それぞれの項目には、利用者が当該車両を利用した場合のオッズを示す。
列車乗車人数は、乗車記憶周期中に、列車コードに対応する列車より乗車した人数を示す。
【００８６】
車両乗車人数は、さらに、１号車、２号車、３号車及び４号車から構成され、それぞれの項目には、乗車記憶周期中に、当該車両へ乗車した人数を示す。
＜ポイント記憶部３１１＞
ポイント記憶部３１１は、図９に一例として示すように、ポイントテーブルＴ１１１を有している。
【００８７】
ポイントテーブルＴ１１１は、日時、列車コード、列車ポイント及び車両ポイントからなる組を１個以上記憶するための領域を有している。
日時は、列車ポイント及び車両ポイントを算出した日時を示す。
列車コードは、列車を識別するコードであり、列車ポイントは、列車コードに対応する列車を利用した利用者へ割り当てるポイントを示す。
【００８８】
車両ポイントは、さらに、１号車、２号車、３号車及び４号車から構成され、それぞれの項目には、当該車両を利用した利用者へ割り当てるポイントを示す。
（３）公開鍵記憶部３０２
公開鍵記憶部３０２は、各車両装置にて記憶している秘密鍵それぞれに対応する公開鍵を、各車両コードと対応付けて記憶している。
【００８９】
（４）時計部３０４
時計部３０４は、日時の計時を行う。
（５）オッズ算出部３０３
オッズ算出部３０３は、各列車の列車オッズ、列車の各車両における車両オッズ、及び利用者へ割り当てる列車ポイント及び車両ポイントを算出及び携帯端末６０へオッズ情報記憶部３１０に記憶しているオッズの情報の配信を行う。
【００９０】
オッズ算出部３０３は、列車ポイントを算出する際の基準となる列車基準ポイント（例えば、１０００ポイント）と、車両ポイントを算出する際の基準となる車両基準ポイント（例えば、１００ポイント）とを予め記憶している。
＜オッズ算出＞
オッズ算出部３０３は、時計部３０４にて計時される日時を監視し、オッズを算出する日時であるか否かを判断し、オッズを算出する日時であると判断する場合には、その日時を時計部３０４より取得する。
【００９１】
オッズ算出部３０３は、列車運行日における１回目のオッズ算出であるか否かを判断する。この判断方法は、例えば、始発列車が出発する１分前からオッズの算出を行うとすると、時計部３０４より取得した日時（ここでは、４時５９分）により判断することができる。
オッズ算出部３０３は、１回目のオッズ算出であると判断する場合には、以下に示す動作を行い、１回目でないと判断する場合には、乗車記憶周期中に乗車した列車乗車人数及び車両乗車人数を収集して、列車ポイント及び車両ポイントを算出して、配布するポイントを確定し、その後、以下に示す動作を行う。なお、ポイントの確定については、後述する。
【００９２】
オッズ算出部３０３は、時計部３０４にて取得した日時を用いて、先ず、現在運行中の列車及び現時刻から１０分以内に運行される列車の列車コードを時刻表Ｔ１００より抽出する。例えば、取得した日時が、「２００４年３月１日９時４分」である場合に、時刻表Ｔ１００より取得する列車コードは、「０５１」、「０５２」、「０５３」、「０５４」、「０５５」となる。なお、以降では、抽出した列車コードに対応する列車は、列車２ａ、・・・、列車２ｂとする。
【００９３】
オッズ算出部３０３は、抽出した列車コードに対して、その列車コードに対応する列車が備える収集装置１０へ、収集命令と、その列車コードとを無線部３０６を介して送信する。オッズ算出部３０３は、収集装置１０より、列車コードと列車換算情報と列車の車両ごとの車両換算情報とを、無線部３０６を介して受信し、受信した列車コード、列車換算情報及び各車両換算情報を一時的に記憶する。オッズ算出部３０３は、時刻表Ｔ１００より抽出した全ての列車コードに対して、上記動作を行う。つまり、ここでは、収集装置１０、・・・、１１に対して上記動作を行う。
【００９４】
オッズ算出部３０３は、情報の収集が完了したか否かを判断し、完了していないと判断する場合には、情報を収集していない列車コードに対して、上記に示す列車換算情報及び各車両換算情報の収集の動作を繰り返す。
情報の収集が完了したと判断する場合には、以下のようにしてオッズを算出する。オッズ算出部３０３は、先ず、一時的に記憶している全ての列車換算人数が「０」であるか否かを判断し、全てが「０」でないと判断する場合、つまり列車換算人数が「１」以上であるものが少なくとも１つ以上存在する場合には、列車換算人数が「１」以上のものを用いて、比を算出し、取得する。次に、取得した比を逆数にし、逆数にした比が、それぞれ整数となるように、各分母の最小公倍数を乗算し、乗算した結果を各列車に対する列車オッズとする。列車換算人数が「０」であるものに対しては、取得した列車オッズのうち最大となる列車オッズに「１」を加算した結果を列車換算人数が「０」である列車の列車オッズとする。
【００９５】
オッズ算出部３０３は、全ての列車換算人数が「０」であると判断する場合には、各列車の列車オッズを「１」とする。
次に、各列車における車両ごとの車両オッズを算出する。オッズ算出部３０３は、抽出した各列車コードのうち１つの列車コードに対応する列車の各車両換算人数を一時的に記憶している情報より取得する。取得した各車両換算人数が全て「０」であるか否かを判断し、全てが「０」でないと判断する場合、つまり車両換算人数が「１」以上であるものが少なくとも１つ以上存在する場合には、車両換算人数が「１」以上のものを用いて、比を算出し、取得する。次に、取得した比を逆数にし、逆数にした比が、それぞれ整数となるように、各分母の最小公倍数を乗算し、乗算した結果を各車両に対する車両オッズとする。車両換算人数が「０」であるものに対しては、取得した車両オッズのうち最大となる車両オッズに「１」を加算した結果を車両換算人数が「０」である車両の車両オッズとする。オッズ算出部３０３は、取得した各車両換算人数が全て「０」であると判断する場合には、各車両の車両オッズを「１」とする。この動作を、抽出した全ての列車コードに対して行う。
【００９６】
オッズ算出部３０３は、取得した日時と、列車コードと、区分（ここでは、「上り」を示す区分となる。）と、列車コードに対応する列車オッズ及び各車両の車両オッズとをオッズ情報テーブルＴ１１０へ書き込む。このとき、列車コードに対応する列車乗車人数及び車両乗車人数は、空白のままである。
オッズ算出部３０３は、オッズの情報を表示する指示を示す表示指示命令と、オッズ情報テーブルＴ１１０へ書き込んだ日時、列車コード、区分、列車オッズ及び車両オッズからなる組全てを情報表示装置４０、・・・、４１へ送受信部３０７を介して送信する。なお、以降では、オッズ情報テーブルＴ１１０へ書き込んだ日時、列車コード、列車オッズ及び車両オッズからなる組を表示情報という。
【００９７】
次に、オッズ算出部３０３は、取得した日時を用いて、時刻表Ｔ１０１より、現在運行中の列車及び現時刻から１０分以内に運行される列車の列車コードを抽出し、上記と同様の動作を行い、列車オッズ、各車両の車両オッズを算出、オッズ情報テーブルＴ１１０への書き込み、及び書き込んだ全てのオッズ情報を情報表示装置４０、・・・、４１へ送信する。なお、このとき、オッズ情報テーブルＴ１１０へ書き込まれる区分は、「下り」を示す区分となる。
【００９８】
（オッズ算出の具体例）
ここでは、列車２ａの各車両に対するオッズ算出の具体例を以下に示す。
車両装置２０、２１、２２、２３は、それぞれ順に１号車、２号車、３号車及び４号車に備えられている。車両装置２０、２１、２２、２３にて、生成された各車両換算情報に含まれる車両換算人数を「３０人」、「４０人」、「２０人」、「１０人」とする。
【００９９】
オッズ算出部３０３は、各車両換算人数に対する比を算出し、算出結果として、「３：４：２：１」を取得する。取得した比を逆数にして、整数比に変換して、「４：３：６：１２」という結果を取得する。この結果が、各車両の車両オッズとなる。つまり、オッズ「４」は１号車の車両オッズとなり、オッズ「３」は２号車の車両オッズとなり、オッズ「６」は３号車の車両オッズとなり、オッズ「１２」は４号車の車両オッズとなる。
【０１００】
また、車両装置２０、２１、２２、２３にて、生成された各車両換算情報に含まれる車両換算人数が「３０人」、「４０人」、「２０人」、「０人」である場合には、各車両オッズは、「４」、「３」、「６」、「７」となる。
＜ポイントの確定＞
オッズ算出部３０３は、１回目でないと判断すると、前回オッズ算出を行った列車の列車コードを抽出する。抽出方法の一例として、オッズ情報テーブルＴ１１０の日時が、時計部３０４より取得した日時より５分前である日時に対応する列車コードを全て抽出する。
【０１０１】
なお、以降では、オッズ情報テーブルＴ１１０より抽出した列車コードに対応する列車は、列車２ａ、・・・、列車２ｂとして説明する。
オッズ算出部３０３は、抽出した列車コードに対して、その列車コードに対応する列車が備える収集装置１０へ、通知命令と、その列車コードとを無線部３０６を介して送信する。オッズ算出部３０３は、収集装置１０より列車コードと、列車乗車情報と、列車の車両ごとの車両乗車情報とを、無線部３０６を介して受信し、受信した列車コード、列車乗車情報及び各車両乗車情報を、オッズ情報テーブルＴ１１０の対応する領域へ書き込む。オッズ算出部３０３は、オッズ情報テーブルＴ１１０より抽出した全ての列車コードに対して、上記動作を行う。つまり、ここでは、収集装置１０、・・・、１１に対して上記動作を行う。
【０１０２】
オッズ算出部３０３は、情報の収集が完了したか否かを判断し、完了していないと判断する場合には、情報を収集していない列車コードに対して、上記動作を繰り返す。
情報の収集が完了したと判断する場合には、今回、列車乗車情報及び各車両乗車情報の書き込みを行った全列車コードのうち、区分が「上り」である各列車コードに対して、以下のようにして利用者に割り当てるポイントを算出する。
【０１０３】
オッズ算出部３０３は、先ず、列車コードに対応する列車オッズに列車乗車人数を乗算し、各乗算結果を加算する。予め記憶している列車基準ポイント（１０００ポイント）を、加算した結果で割り算を行い、その商を算出する。なお、小数点第１位を四捨五入する。これにより、オッズ「１」当たりのポイントが算出されることになる。
さらに、オッズ算出部３０３は、算出した商に、各列車オッズをそれぞれ乗算して、乗算した各結果を、各列車オッズに対応する列車ポイントとする。
【０１０４】
次に、各列車における車両ごとの車両ポイントを算出する。オッズ算出部３０３は、今回、列車乗車情報及び各車両乗車情報の書き込みを行った各列車コードのうち１つの列車コードに対応する車両オッズと車両乗車人数とをオッズ情報テーブルＴ１１０より取得する。取得した車両オッズに対して、車両基準ポイントを用いて、次のようにして列車ポイントを算出する。先ず、車両オッズに車両乗車人数を乗算し、各乗算結果を加算する。車両基準ポイントを、加算した結果で割り算を行い、その商を算出する。なお、小数点第１位を四捨五入する。さらに、算出した商に、各車両オッズをそれぞれ乗算して、乗算した各結果を、各列車オッズに対応する列車ポイントとする。この動作を今回、列車乗車情報及び各車両乗車情報の書き込みを行った各列車コードの対して行い、時計部３０４より取得した日時、列車コード、算出した列車ポイント及び車両ポイントをポイントテーブルＴ１１１へ書き込む。この動作を抽出した全ての列車コードに対して行う。
【０１０５】
オッズ算出部３０３は、次に、列車乗車情報及び各車両乗車情報の書き込みを行った全列車コードのうち、区分が「下り」である各列車コードに対して、上記と同様の方法にて、利用者に割り当てるポイントを算出する。
（ポイント確定の具体例）
ここでは、先に示したオッズ算出の具体例を用いて、列車２ａの各車両に対するポイントの具体例を、以下に示す。
【０１０６】
車両装置２０、２１、２２、２３にて、生成された各車両乗車情報に含まれる車両乗車人数を「２人」、「０人」、「１人」、「３人」とし、オッズは、上記の具体例にて示した車両オッズ「４」、「３」、「６」、「１２」を用いる。
オッズ算出部３０３は、車両オッズに車両乗車人数を乗算し、各乗算結果を加算すると、加算結果として、「５０」を得る。次に、車両基準ポイント（１００ポイント）を加算結果「５０」で割り算を行い、商「２」を得る。オッズ算出部３０３は、商「２」に、各車両オッズをそれぞれ乗算して、各車両の車両ポイントとして、「８」、「６」、「１２」、「２４」を取得する。
【０１０７】
＜オッズの情報を携帯端末６０へ送信＞
オッズ算出部３０３は、携帯端末６０より送受信部３０７を介して、検索命令及び検索情報を受信する。オッズ算出部３０３は、受信した検索情報に含まれる上り下りを区別する情報と対応する時刻表（例えば、情報が上りを示す情報である場合には、時刻表Ｔ１００となる。）から、検索情報に含まれる利用駅において、利用時間から所定の時間内（例えば、３０分内）に、出発する列車の列車コードを全て取得する。
【０１０８】
オッズ情報記憶部３１０のオッズ情報テーブルＴ１１０にて、最近に書き込まれたオッズの情報に含まれる列車コードのうち、取得した各列車コードの何れかと一致するもののみを取得する。これにより、オッズ算出部３０３は、検索条件を満たすオッズの情報をオッズ情報記憶部３１０より取得することができる。
オッズ算出部３０３は、送受信部３０７を介して携帯端末６０へ、取得したオッズの情報と、オッズの情報を送信することを示すオッズ送信命令を送信する。
【０１０９】
（６）ポイント送付部３０５
ポイント送付部３０５は、携帯端末６０から送受信部３０７を介して、ポイント送付を要求する要求命令と、利用情報と利用情報に対応する署名データとを受信する。
ポイント送付部３０５は、利用情報に含まれる車両コードと対応する公開鍵を公開鍵記憶部３０２より取得し、取得した公開鍵と利用情報と署名データとを用いて、署名検証を行う。
【０１１０】
署名検証により、受信した利用情報が正当な利用情報であると識別した場合には、受信した利用情報に含まれる日時以降で、その日時に一番近い日時と、列車コードと、列車ポイント及び各車両ポイントとからなる組がポイントテーブルＴ１１１に存在するか否かを判断する。
組が存在すると判断する場合には、受信した利用情報の車両コードに含まれる列車コードと対応する列車ポイントを取得し、さらに、各車両ポイントのうちで受信した車両コードに含まれる車両番号に対応する車両ポイントとを取得し、取得した各ポイントと、ポイントを送付する旨を示すポイント送付命令とを、送受信部３０７を介して携帯端末６０へ送信する。
【０１１１】
組が存在しないと判断する場合には、ポイント送付部３０５は、未だポイントが確定していないとみなし、ポイントが存在しない旨を示すポイント不在情報を生成し、生成したポイント不在情報と、ポイント不在情報を送信する旨を示す不在情報送付命令とを、送受信部３０７を介して携帯端末６０へ送信する。
署名検証により、受信した利用情報が正当な利用情報でないと識別した場合、ポイント送付部３０５は、受信した情報が不正であることを示すエラー情報を生成し、生成したエラー情報と、エラー情報を送信する旨を示すエラー情報送付命令を送受信部３０７を介して携帯端末６０へ送信する。
【０１１２】
（７）無線部３０６
無線部３０６は、アンテナ部３０８より電力信号を受け取り、受け取った電力信号を復調し、復調した信号からパルス信号波を抽出する。抽出したパルス信号波を解読して、情報を抽出する。
抽出する情報には、列車コード、列車換算情報、車両換算情報、列車乗車情報及び車両乗車情報が含まれる。
【０１１３】
また、無線部３０６は、オッズ算出部３０３より収集命令と列車コードとを受け取ると、受け取った収集命令及び列車コードに基づいて、パルス信号波を生成し、生成したパルス信号波を変調記号として、変調記号に基づいて、搬送波の振幅を変化させ、振幅の変化した搬送波をアンテナ部３０８へ出力する。
また、無線部３０６は、オッズ算出部３０３より通知命令と列車コードとを受け取ると、受け取った通知命令及び列車コードに基づいて、パルス信号波を生成し、生成したパルス信号波を変調記号として、変調記号に基づいて、搬送波の振幅を変化させ、振幅の変化した搬送波をアンテナ部３０８へ出力する。
【０１１４】
（８）送受信部３０７
送受信部３０７は、携帯端末６０よりインターネットを介して、検索命令及び検索情報を受信すると、受信した検索命令及び検索情報をオッズ算出部３０３へ出力する。
送受信部３０７は、携帯端末６０よりインターネットを介して、要求命令と利用情報と利用情報に対応する署名データとを受信すると、受信した要求命令と利用情報と署名データをポイント送付部３０５へ出力する。
【０１１５】
また、送受信部３０７は、表示指示命令と、オッズ情報テーブルＴ１１０へ書き込んだ表示情報全てをオッズ算出部３０３より受け取ると、受け取った命令及び情報を情報表示装置４０、・・・、４１へインターネットを介して送信する。
送受信部３０７は、オッズ算出部３０３より、検索条件を満たすオッズの情報と、オッズ送信命令を受け取ると、受け取った命令と情報とを携帯端末６０へインターネットを介して送信する。
【０１１６】
送受信部３０７は、ポイント送付部３０５より列車ポイント及び車両ポイントと、ポイント送付命令とを受け取ると、受け取った各ポイント及びポイント送付命令を携帯端末６０へインターネットを介して送信する。
送受信部３０７は、ポイント送付部３０５よりポイント不在情報及び不在情報送付命令を受け取ると、受け取ったポイント不在情報及び不在情報送付命令を、インターネットを介して送信する。
【０１１７】
送受信部３０７は、ポイント送付部３０５よりエラー情報及びエラー情報送付命令を受け取ると、受け取ったエラー情報及びエラー情報送付命令を、インターネットを介して送信する。
（９）アンテナ部３０８
アンテナ部３０８は、無線部３０６より振幅の変化した搬送波を受け取ると、受け取った振幅の変化した搬送波を電波として空間に放射する。
【０１１８】
また、アンテナ部３０８は、電波を受信し、受信した電波を電力信号に変換して、電力信号を無線部３０６へ出力する。
１．５  情報表示装置４０の構成
情報表示装置４０、・・・、４１は同様の構成であるため、ここでは、情報表示装置４０の構成について、以下に説明する。
【０１１９】
情報表示装置４０は、図１０に示すように、時刻表記憶部４００、時計部４０１、制御部４０２、表示部４０３及び受信部４０４から構成されている。
情報表示装置４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置４０は、その機能を達成する。
【０１２０】
（１）時刻表記憶部４００
時刻表記憶部４００は、管理装置３０が備える時刻表記憶部３００と同様であるため、説明は省略する。
（２）時計部４０１
時計部４０１は、日時の計時を行う。
【０１２１】
（３）制御部４０２
制御部４０２は、管理装置３０より受信部４０４を介して、表示指示命令と、管理装置３０のオッズ算出部３０３がオッズ情報テーブルＴ１１０へ書き込んだ表示情報を１個以上受信する。
制御部４０２は、時刻表記憶部４００に記憶している時刻表を用いて、受信した１個以上の表示情報のうち、今後、当該情報表示装置４０が備えられた駅３ａを出発する列車の列車コードと対応する表示情報を全て抽出する。制御部４０２は、抽出した全ての表示情報を表示部４０３へ出力する。
【０１２２】
（４）表示部４０３
表示部４０３は、例えば、ディスプレイを備え、制御部４０２より受け取った表示情報を表示する。
（５）受信部４０４
受信部４０４は、表示指示命令と１個以上の表示情報とを、インターネットを介して管理装置３０より受信すると、受信した命令と情報とを制御部４０２へ出力する。
【０１２３】
１．６  記録媒体５０の構成
記録媒体５０は、耐タンパ性を有しており、図１１に示すように、情報記憶部５００から構成され、情報記憶部５００は、ポイント記憶部５０１、利用情報記憶部５０２及び利用日時記憶部５０３を有している。
記録媒体５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体５０は、その機能を達成する。
【０１２４】
（１）ポイント記憶部５０１
ポイント記憶部５０１は、管理装置３０より配布されたポイントを累積した合計ポイントを記憶する領域を有している。
ポイント記憶部５０１にて記憶される合計ポイントの初期値は、「０」である。
（２）利用情報記憶部５０２
利用情報記憶部５０２は、車両装置２０より送信された利用情報と、その利用情報に対する署名データと、利用情報を削除するか否かを示す削除フラグとからなる組を１個以上記憶するための領域を有している。
【０１２５】
ここで、削除フラグには、例えば、「０」及び「１」の何れかの値からなり、「０」である場合には、利用情報を削除しないことを示し、「１」である場合には、利用情報を削除することを示す。なお、削除フラグの初期値は「０」である。
（３）利用日時記憶部５０３
利用日時記憶部５０３は、利用者が列車を利用した最新の日時を記憶する領域を有している。
【０１２６】
１．７  携帯端末６０の構成
携帯端末６０は、図１２に示すように、識別子記憶部６００、制御部６０１、入力部６０２、表示部６０３、第１無線部６０４、入出力部６０５、第１アンテナ部６０６、第２無線部６０７及び第２アンテナ部６０８から構成されている。
携帯端末６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末６０は、その機能を達成する。
【０１２７】
（１）識別子記憶部６００
識別子記憶部６００は、携帯端末６０を識別する端末識別子を記憶している。
（２）制御部６０１
制御部６０１は、車両装置２０より受信した利用情報及び署名データを記録媒体５０へ書き込むか否かを判断するための基準となる基準時間（例えば、３０分）を予め記憶している。また、制御部６０１は、車両装置２０へ端末識別子と情報受取命令とを、送信する期間を示す送信期間（例えば、３分間）を予め記憶している。
【０１２８】
制御部６０１は、入力部６０２よりオッズの情報の検索指示と、検索情報とを受け取ると、検索命令と受け取った検索情報とを、第１無線部６０４を介して管理装置３０へ送信する。
制御部６０１は、第１無線部６０４を介して管理装置３０よりオッズ送信命令と、管理装置３０が取得したオッズの情報とを受信すると、受信したオッズの情報を表示部６０３へ出力する。
【０１２９】
制御部６０１は、第２無線部６０７を介して車両装置２０より利用情報及び署名データからなる組と利用情報配布命令とを受信すると、受信した利用情報に含まれる日時と、記録媒体５０の利用日時記憶部５０３にて記憶している日時とを比較して、基準時間内であるか否かを判断する。基準時間内であると判断する場合には、受信した利用情報及び署名データを破棄する。基準時間内ではないと判断する場合には、受信した利用情報及び署名データと、削除フラグ「０」とを、入出力部６０５を介して記録媒体５０の利用情報記憶部５０２へ書き込み、さらに、利用日時記憶部５０３にて記憶している日時から受信した利用情報に含まれる日時へと更新する。次に、制御部６０１は、識別子記憶部６００にて記憶している端末識別子を読み出し、読み出した端末識別子と情報受取命令とを、予め記憶している送信期間の間、第２無線部６０７を介して車両装置２０へ送信する。制御部６０１は、さらに、車両装置２０より第２無線部６０７を介して、応答命令及び端末識別子を受信すると、受信した端末識別子と、読み出した端末識別子とが一致するか否かを判断する。一致しないと判断する場合には、送信期間内か否かを判断し、送信期間内であると判断する場合には、再度、読み出した端末識別子と情報受取命令とを、車両装置２０へ送信する。送信期間内でないと判断する場合には、読み出した端末識別子と情報受取命令との送信を終了する。また、車両装置２０より受信した端末識別子と読み出した端末識別子とが一致する場合には、読み出した端末識別子と情報受取命令との送信を終了する。
【０１３０】
制御部６０１は、入力部６０２よりポイント配布の要求指示を受け取ると、記録媒体５０より入出力部６０５を介して、利用情報記憶部５０２にて記憶している利用情報及び署名データからなる組を１個取得する。制御部６０１は、取得した組及び要求命令を、第１無線部６０４を介して管理装置３０へ送信する。制御部６０１は、管理装置３０より第１無線部６０４を介して、命令と情報とからなる組を受信すると、受信した命令が、ポイント送付命令であるか否かを判断する。制御部６０１は、受信した命令がポイント送付命令であると判断する場合には、記録媒体５０のポイント記憶部５０１にて記憶している合計ポイントに、受信した各ポイントを累積することにより、合計ポイントを更新し、送信した利用情報及び署名データに対応する削除フラグを「０」から「１」へと更新する。
【０１３１】
制御部６０１は、判断結果が否定的である場合には、受信した命令がエラー情報送付命令であるか否かを判断する。エラー情報送付命令であると判断する場合には、受信したエラー情報を表示部６０３へ出力し、送信した利用情報及び署名データに対応する削除フラグを「０」から「１」へと更新する。制御部６０１は、受信した命令がエラー情報送付命令でない、つまり不在情報送付命令であると判断する場合には、受信したポイント不在情報を表示部６０３へ出力する。
【０１３２】
制御部６０１は、未送信の利用情報及び署名データが、利用情報記憶部５０２に存在するか否かを判断し、存在すると判断する場合には、未送信の利用情報及び署名データからなる組を１個取得し、上記動作を行う。未送信の利用情報及び署名データが、利用情報記憶部５０２に存在しないと判断する場合には、利用情報記憶部５０２に記憶している利用情報及び署名データと、削除フラグとからなる組のうち、削除フラグが「１」である組全てを消去する。つまり、削除フラグが「０」である利用情報及び署名データとは削除されないことになる。
【０１３３】
（３）入力部６０２
入力部６０２は、利用者よりオッズの情報の検索指示と、検索情報とを受け付けると、受け付けた検索指示及び検索情報を制御部６０１へ出力する。
入力部６０２は、利用者よりポイント配布の要求指示を受け付けると、受け付けた要求指示を制御部６０１へ出力する。
【０１３４】
（４）表示部６０３
表示部６０３は、制御部６０１よりオッズの情報を受け取ると、受け取ったオッズの情報を表示する。
表示部６０３は、制御部６０１より、エラー情報を受け取ると、管理装置３０へ送信した利用情報及び署名データが不正である旨を示すエラーメッセージを表示する。
【０１３５】
表示部６０３は、制御部６０１より、ポイント不在情報を受け取ると、管理装置３０へ送信した利用情報に対応するポイントが未確定である旨を示すポイント未確定メッセージを表示する。
（５）第１無線部６０４
第１無線部６０４は、第１アンテナ部６０６より電力信号を受け取り、受け取った電力信号を復調し、復調した信号からパルス信号波を抽出する。抽出したパルス信号波を解読して、命令及び情報を抽出し、抽出した命令及び情報を制御部６０１へ出力する。
【０１３６】
抽出する命令には、オッズ送信命令、ポイント送付命令、エラー情報送付命令及び不在情報送付命令が含まれる。
第１無線部６０４は、抽出した命令がオッズ送信命令である場合に、さらに、管理装置３０が取得したオッズの情報を抽出する。第１無線部６０４は、抽出した命令がポイント送付命令である場合に、さらに、列車ポイント及び車両ポイントを抽出する。第１無線部６０４は、抽出した命令がエラー情報送付命令である場合に、さらに、エラー情報を抽出する。第１無線部６０４は、抽出した命令が不在情報送付命令である場合に、さらに、ポイント不在情報を抽出する。
【０１３７】
第１無線部６０４は、制御部６０１より検索命令と検索情報とを受け取ると、受け取った検索命令と検索情報とに基づいて、パルス信号波を生成し、生成したパルス信号波を変調記号として、変調記号に基づいて、搬送波の振幅を変化させ、振幅の変化した搬送波を第１アンテナ部６０６へ出力する。
第１無線部６０４は、制御部６０１より要求命令と利用情報及び署名データとからなる組とを受け取ると、受け取った要求命令と利用情報及び署名データとからなる組とに基づいて、パルス信号波を生成し、生成したパルス信号波を変調記号として、変調記号に基づいて、搬送波の振幅を変化させ、振幅の変化した搬送波を第１アンテナ部６０６へ出力する。
【０１３８】
（６）第２無線部６０７
第２無線部６０７は、第２アンテナ部６０８より電力信号を受け取り、受け取った電力信号を復調し、復調した信号からパルス信号波を抽出する。抽出したパルス信号波を解読して、命令及び情報を抽出し、抽出した命令及び情報を制御部６０１へ出力する。
抽出する命令には、利用情報配布命令及び応答命令が含まれる。
【０１３９】
第２無線部６０７は、抽出した命令が利用情報配布命令である場合に、さらに、利用情報と署名データの組を抽出する。第２無線部６０７は、抽出した命令が応答命令である場合に、さらに、端末識別子を抽出する。
第２無線部６０７は、制御部６０１より情報受取命令と端末識別子とを受け取ると、受け取った情報受取命令と端末識別子とに基づいて、パルス信号波を生成し、生成したパルス信号波を変調記号として、変調記号に基づいて、搬送波の振幅を変化させ、振幅の変化した搬送波を第２アンテナ部６０８へ出力する。
【０１４０】
（７）入出力部６０５
入出力部６０５は、制御部６０１と記録媒体５０との間において、情報の入出力を行う。
（８）第１アンテナ部６０６及び第２アンテナ部６０８
第１アンテナ部６０６は、第１無線部６０４より振幅の変化した搬送波を受け取ると、受け取った振幅の変化した搬送波を電波として空間に放射する。
【０１４１】
また、第１アンテナ部６０６は、電波を受信し、受信した電波を電力信号に変換して、電力信号を第１無線部６０４へ出力する。
第２アンテナ部６０８は、第２無線部６０７より振幅の変化した搬送波を受け取ると、受け取った振幅の変化した搬送波を電波として空間に放射する。
また、第２アンテナ部６０８は、電波を受信し、受信した電波を電力信号に変換して、電力信号を第２無線部６０７へ出力する。
【０１４２】
１．８  情報収集処理の動作
ここでは、オッズ算出時に行われる情報収集処理について、図１３に示す流れ図を用いて説明する。
管理装置３０のオッズ算出部３０３は、時計部３０４にて計時される日時を監視し、オッズを算出する日時であるか否かを判断し（ステップＳ５）、オッズを算出する日時であると判断する場合には（ステップＳ５における「ＹＥＳ」）、その日時を時計部３０４より取得する（ステップＳ１０）。オッズを算出する日時でないと判断する場合には（ステップＳ５における「ＮＯ」）、時計部３０４にて計時される日時を監視する。
【０１４３】
オッズ算出部３０３は、列車運行日における１回目のオッズ算出であるか否かを判断する（ステップＳ１５）。
オッズ算出部３０３は、１回目のオッズ算出であると判断する場合には（ステップＳ１５における「ＹＥＳ」）、列車換算情報及び車両換算情報を収集対象の各列車に備えられた収集装置より収集し、収集した各情報を用いて、第１オッズ算出処理を行い（ステップＳ２５）、さらに、第２オッズ算出処理を行う（ステップＳ３０）。１回目でないと判断する場合には、乗車記憶周期中に乗車した列車乗車人数及び車両乗車人数を収集対象の各列車に備えられた収集装置より収集して、収集した各情報を用いて、ポイント確定処理を行い（ステップＳ２０）、その後、第１オッズ算出処理を行い（ステップＳ２５）、さらに、第２オッズ算出処理を行う（ステップＳ３０）。
【０１４４】
１．９  ポイント確定処理の動作
ここでは、図１３にて示すポイント確定処理について、図１４に示す流れ図を用いて説明する。
オッズ算出部３０３は、前回オッズ算出を行った全ての列車コードをオッズ情報テーブルＴ１１０より抽出する（ステップＳ５０）。なお、以降では、オッズ情報テーブルＴ１１０より抽出した列車コードに対応する列車は、列車２ａ、・・・、列車２ｂとして処理の流れを説明する。
【０１４５】
オッズ算出部３０３は、抽出した列車コードに対して、その列車コードに対応する列車が備える収集装置１０へ、通知命令と、その列車コードとを無線部３０６を介して送信する（ステップＳ５５）。なお、このとき、通知命令及び列車コードを受信した収集装置１０では、後述する乗車情報収集処理を行う。
オッズ算出部３０３は、収集装置１０より、列車コード、列車乗車情報及び列車の車両ごとの車両乗車情報を、無線部３０６を介して受信し、受信した列車コード、列車乗車情報及び各車両乗車情報を、オッズ情報テーブルＴ１１０の対応する領域へ書き込む（ステップＳ６０）。オッズ算出部３０３は、ステップＳ５０にて抽出した全ての列車コードに対応する列車、つまり収集装置１０、・・・、１１より、列車コード、列車乗車情報及び各車両乗車情報を受信したか否かを判断する（ステップＳ６５）。収集装置１０、・・・、１１より列車コード、列車乗車情報及び各車両乗車情報を受信していないと判断する場合には（ステップＳ６５における「ＮＯ」）、列車コード、列車乗車情報及び各車両乗車情報を受信していない列車の収集装置に対して、ステップＳ５５以降の動作を再度行う。
【０１４６】
収集装置１０、・・・、１１より列車コード、列車乗車情報及び各車両乗車情報を受信したと判断する場合には（ステップＳ６５における「ＹＥＳ」）、今回、列車乗車情報及び各車両乗車情報の書き込みを行った全列車コードのうち区分が「上り」である各列車コードに対して、列車ポイント及び各車両における車両ポイントを算出し、利用者に割り当てる列車ポイント及び車両ポイントを確定し、図１３におけるステップＳ１０にて取得した日時と、列車コードと、列車コードごとに確定した列車ポイント及び各車両ポイントとをポイントテーブルＴ１１１へ書き込む。次に、今回、列車乗車情報及び各車両乗車情報の書き込みを行った全列車コードのうち区分が「下り」である各列車コードに対して、列車ポイント及び各車両における車両ポイントを算出し、利用者に割り当てる列車ポイント及び車両ポイントを確定し、図１３におけるステップＳ１０にて取得した日時と、列車コードと、列車コードごとに確定した列車ポイント及び各車両ポイントとをポイントテーブルＴ１１１へ書き込む。（ステップＳ７０）。
【０１４７】
１．１０  乗車情報収集処理の動作
ここでは、収集装置１０、・・・、１１が管理装置３０より通知命令及び列車コードを受信した際に、収集装置１０、・・・、１１が行う乗車情報収集処理について、図１５に示す流れ図を用いて説明する。なお、ここでは、収集装置１０を用いて説明する。
収集装置１０の制御部１０１は、無線部１０２を介して、管理装置３０より通知命令と、列車コードを受信すると（ステップＳ１００）、受け取った列車コードと、列車コード記憶部１００にて記憶している列車コードとが一致するか否かを判断する（ステップＳ１０５）。
【０１４８】
一致しないと判断する場合には（ステップＳ１０５における「ＮＯ」）、処理を終了する。
一致すると判断する場合には（ステップＳ１０５における「ＹＥＳ」）、車両装置２０、・・・、２３に対して、乗車人数収集処理を順次実行し、各車両装置より車両乗車情報を収集する（ステップＳ１１０）。
【０１４９】
制御部１０１は、全車両装置から車両乗車情報を収集すると、収集した各車両乗車情報の車両乗車人数を全て加算して、列車乗車人数を算出し、列車コードと算出した列車乗車人数とからなる列車乗車情報を生成する（ステップＳ１１５）。制御部１０１は、生成した列車乗車情報、収集した各車両乗車情報及び列車コードを管理装置３０へ無線部１０２を介して、無線にて送信する（ステップＳ１２０）。
【０１５０】
１．１１  乗車人数収集処理の動作
ここでは、図１５にて示す乗車人数収集処理について、図１６に示す流れ図を用いて説明する。
収集装置１０の制御部１０１は、入出力部１０３を介して車両装置２０へ、乗車数通知命令を送信する（ステップＳ１５０）。
【０１５１】
車両装置２０の計測部２０３は、入出力部２０８を介して収集装置１０より、乗車数通知命令を受信すると、乗車人数記憶部２０２にて記憶している車両乗車人数を読み出し、さらに、車両コード記憶部２００より車両コードを読み出し、読み出した車両乗車人数と車両コードとからなる車両乗車情報を生成し、生成した車両乗車情報を、入出力部２０８を介して収集装置１０へ送信し（ステップＳ１５５）、乗車人数記憶部２０２にて記憶している車両乗車人数を初期値へリセットする（ステップＳ１６５）。
【０１５２】
収集装置１０の制御部１０１は、車両装置２０より入出力部１０３を介して、車両乗車情報を受信し、受信した車両乗車情報を一時的に記憶する（ステップＳ１６０）。
制御部１０１は、上記の動作を車両装置２１、・・・、２３に対して順次行い、車両装置２１、・・・、２３は、車両装置２０と同様の動作を行う。
１．１２  第１オッズ算出処理の動作
ここでは、図１３にて示す第１オッズ算出処理について、図１７に示す流れ図を用いて説明する。
【０１５３】
オッズ算出部３０３は、図１３におけるステップＳ１０にて取得した日時を用いて、現在運行中の列車及び現時刻から１０分以内に運行される列車の列車コードを時刻表Ｔ１００より抽出する（ステップＳ２００）。なお、以降では、時刻表Ｔ１００より抽出した列車コードに対応する列車は、列車２ａ、・・・、列車２ｂとして処理の流れを説明する。
オッズ算出部３０３は、抽出した列車コードに対して、その列車コードに対応する列車が備える収集装置１０へ、収集命令と、その列車コードとを無線部３０６を介して送信する（ステップＳ２０５）。なお、このとき、収集装置１０では、後述する換算情報収集処理を行う。
【０１５４】
オッズ算出部３０３は、収集装置１０より、列車コードと列車換算情報と列車の車両ごとの車両換算情報とを、無線部３０６を介して受信し、受信した列車コード、列車換算情報及び各車両換算情報を一時的に記憶する（ステップＳ２１０）。
オッズ算出部３０３は、ステップＳ２００にて抽出した全ての列車コードに対応する列車、つまり収集装置１０、・・・、１１より、列車コード、列車換算情報及び各車両換算情報を受信したか否かを判断する（ステップＳ２１５）。収集装置１０、・・・、１１より列車コード、列車換算情報及び各車両換算情報を受信していないと判断する場合には（ステップＳ２１５における「ＮＯ」）、列車コード、列車換算情報及び各車両換算情報を受信していない列車の収集装置に対して、ステップＳ２０５以降の動作を再度行う。
【０１５５】
収集装置１０、・・・、１１より列車コード、列車換算情報及び各車両換算情報を受信したと判断する場合には（ステップＳ２１５における「ＹＥＳ」）、収集対象となった各列車コードに対して、列車オッズ及び各車両における車両オッズを算出する（ステップＳ２２０）。
オッズ算出部３０３は、取得した日時と、列車コードと、列車コードに対応する列車オッズ及び各車両の車両オッズとをオッズ情報テーブルＴ１１０へ書き込み、さらに、オッズ算出部３０３は、表示指示命令と、オッズ情報テーブルＴ１１０へ書き込んだ日時、列車コード、列車オッズ及び車両オッズからなる組全てを情報表示装置４０、・・・、４１へ送受信部３０７を介して送信する（ステップＳ２２５）。
【０１５６】
なお、図１３にて示す第２オッズ算出処理は、上記に示す処理の流れを、時刻表Ｔ１０１を用いて、行うことになるため、説明は省略する。
１．１３  換算情報収集処理の動作
ここでは、収集装置１０、・・・、１１が管理装置３０より収集命令及び列車コードを受信した際に、収集装置１０、・・・、１１が行う換算情報収集処理について、図１８に示す流れ図を用いて説明する。なお、ここでは、収集装置１０を用いて説明する。
【０１５７】
収集装置１０の制御部１０１は、無線部１０２を介して、管理装置３０より収集命令と、列車コードを受信すると（ステップＳ２５０）、受け取った列車コードと、列車コード記憶部１００にて記憶している列車コードとが一致するか否かを判断する（ステップＳ２５５）。
一致しないと判断する場合には（ステップＳ２５５における「ＮＯ」）、処理を終了する。
【０１５８】
一致すると判断する場合には（ステップＳ２５５における「ＹＥＳ」）、車両装置２０、・・・、２３に対して、換算人数収集処理を順次実行し、各車両装置より車両換算情報を収集する（ステップＳ２６０）。
制御部１０１は、全車両装置から車両換算情報を収集すると、収集した各車両換算情報の車両換算人数を全て加算して、列車換算人数を算出し、列車コードと算出した列車換算人数とからなる列車換算情報を生成する（ステップＳ２６５）。制御部１０１は、生成した列車換算情報、収集した各車両換算情報及び列車コードを管理装置３０へ無線部１０２を介して、無線にて送信する（ステップＳ２７０）。
【０１５９】
１．１４  換算人数収集処理の動作
ここでは、図１８にて示す換算人数収集処理について、図１９に示す流れ図を用いて説明する。
収集装置１０の制御部１０１は、入出力部１０３を介して車両装置２０へ、計測命令を送信する（ステップＳ３００）。
【０１６０】
車両装置２０の計測部２０３は、入出力部２０８を介して収集装置１０より、計測命令を受信すると、当該車両の重量を計測して計測重量を取得し、取得した計測重量より予め記憶している車両重量を差し引いて、当該車両の乗客の総重量を算出する。算出した乗客の総重量を乗客の人数に換算し、車両換算人数を取得する。計測部２０３は、車両コード記憶部２００より記憶している車両コードを読み出し、読み出した車両コードと、取得した車両換算人数とからなる車両換算情報を生成し、生成した車両換算情報を、入出力部２０８を介して収集装置１０へ送信する（ステップＳ３０５）。
【０１６１】
収集装置１０の制御部１０１は、車両装置２０より入出力部１０３を介して、車両換算情報を受信し、受信した車両換算情報を一時的に記憶する（ステップＳ３１０）。
制御部１０１は、上記の動作を車両装置２１、・・・、２３に対して順次行い、車両装置２１、・・・、２３は、車両装置２０と同様の動作を行う。
１．１５  利用情報を配布する処理の動作
ここでは、車両装置２０から携帯端末６０へ利用情報を配布する処理の動作について、図２０及び図２１にて示す流れ図を用いて説明する。
【０１６２】
なお、車両装置２１、・・・、２７から携帯端末６０へ利用情報を配布する場合も同様の動作である。
車両装置２０の開閉検知部２０５は、ドアが開いたことを検知すると（ステップＳ３５０における「ＹＥＳ」）、開閉検知部２０５は、開状態命令を配布部２０４へ出力し、配布部２０４は、開状態命令を開閉検知部２０５から受け取ると、車両コード記憶部２００より車両コードを、時計部２０６より日時を、秘密鍵記憶部２０１より秘密鍵をそれぞれ読み出し、読み出した車両コード及び日時からなる利用情報を生成する。さらに、配布部２０４は、読み出した秘密鍵を用いて、生成した利用情報に対して、デジタル署名を施し、署名データを生成する。配布部２０４は、生成した利用情報及び署名データからなる組と、利用情報の配布を示す利用情報配布命令と、利用情報の配布開始を指示する配布開始命令とを無線部２０７へ出力する。無線部２０７は、配布部２０４より利用情報及び署名データからなる組と、利用情報配布命令と、配布開始命令とを受け取ると、受け取った利用情報及び署名データからなる組と利用情報配布命令とを、アンテナ部２０９を介して携帯端末６０へ無線にて送信する（ステップＳ３５５）。
【０１６３】
開閉検知部２０５は、ドアが閉まったことを検知すると、閉状態命令を配布部２０４へ出力し、配布部２０４は、開閉検知部２０５より閉状態命令を受け取ると、配布終了命令を無線部２０７へ出力し、無線部２０７は、配布終了命令を受け取ると、送信終了と判断し、送信を終了し（ステップＳ３６０における「ＹＥＳ」）、配布部２０４は、カウント期間の間（ステップＳ３６５における「ＹＥＳ」）、情報受取命令と、端末識別子とを受け取るための待ち受け状態となる。配布部２０４は、カウント期間を過ぎると（ステップＳ３６５における「ＮＯ」）、ステップＳ３５０へ戻る。
【０１６４】
無線部２０７は、配布開始命令を受け取ってから配布終了命令を受け取るまでの間は、送信終了ではないと判断し（ステップＳ３６０における「ＮＯ」）、ステップＳ３５５にて、利用情報及び署名データからなる組と、利用情報配布命令との送信を行う。
携帯端末６０の制御部６０１は、車両装置２０より利用情報及び署名データからなる組と、利用情報配布命令とを受信すると（ステップＳ３７０）、受信した利用情報に含まれる日時と、記録媒体５０の利用日時記憶部５０３にて記憶している日時とを比較して、基準時間内であるか否かを判断する（ステップＳ３７５）。制御部６０１は、基準時間内であると判断する場合には（ステップＳ３７５における「ＹＥＳ」）、受信した利用情報及び署名データを破棄し、処理を終了する。基準時間内ではないと判断する場合には（ステップＳ３７５における「ＮＯ」）、受信した利用情報及び署名データと、削除フラグ「０」とを、入出力部６０５を介して記録媒体５０の利用情報記憶部５０２へ書き込み、さらに、利用日時記憶部５０３にて記憶している日時から受信した利用情報に含まれる日時へと更新する（ステップＳ３８０）。
【０１６５】
制御部６０１は、予め記憶している送信期間内であると判断する場合には（ステップＳ３８５における「ＹＥＳ」）、識別子記憶部６００にて記憶している端末識別子を読み出し、読み出した端末識別子と情報受取命令とを、第２無線部６０７を介して車両装置２０へ送信する（ステップＳ３９０）。制御部６０１は、送信期間を過ぎたと判断する場合には（ステップＳ３８５における「ＮＯ」）、処理を終了する。
【０１６６】
車両装置２０の配布部２０４は、予め記憶しているカウント期間であると判断する場合には（ステップＳ３６５における「ＹＥＳ」）、携帯端末６０から無線部２０７を介して、情報受取命令と端末識別子とを受け取ると、乗車人数記憶部２０２にて記憶している車両乗車人数に「１」加算して、乗車人数記憶部２０２に記憶している内容を、加算した結果へ更新する（ステップＳ３９５）。また、配布部２０４は、応答命令と、受け取った端末識別子とを無線部２０７を介して携帯端末６０へ送信する（ステップＳ４００）。
【０１６７】
携帯端末６０の制御部６０１は、車両装置２０より第２無線部６０７を介して、応答命令及び端末識別子を受信すると（ステップＳ４０５）、受信した端末識別子と、読み出した端末識別子とが一致するか否かを判断する（ステップＳ４１０）。一致しないと判断する場合には（ステップＳ４１０における「ＮＯ」）、ステップＳ３８５へ戻り、再度処理を繰り返す。車両装置２０より受信した端末識別子と読み出した端末識別子とが一致する場合には、処理を終了する。
【０１６８】
１．１６  ポイント配布の処理概要
ここでは、携帯端末６０と管理装置３０とで行われるポイント配布の処理概要について、図２２に示す流れ図を用いて説明する。
携帯端末６０の制御部６０１は、入力部６０２よりポイント配布の要求指示を受け取ると、記録媒体５０より入出力部６０５を介して、利用情報記憶部５０２にて記憶している利用情報及び署名データからなる組を１個取得し、取得した組及び要求命令を、第１無線部６０４を介して管理装置３０へ送信する（ステップＳ４５０）。
【０１６９】
管理装置３０のポイント送付部３０５は、携帯端末６０から送受信部３０７を介して、要求命令と、利用情報及び署名データとの組を受信すると、ポイント配布処理を行い、処理結果として、命令と情報とを携帯端末６０へ送信する（ステップＳ４５５）。
携帯端末６０は、管理装置３０より第１無線部６０４を介して、ポイント配布処理の処理結果である命令と情報を受信すると、受信した命令と情報とを用いて、ポイント書込処理を行い（ステップＳ４６０）、ポイント書込処理終了後、未送信の利用情報及び署名データからなる組があるか否かを判断し、未送信の組があると判断する場合には（ステップＳ４６５における「ＹＥＳ」）、ステップＳ４５０へ戻り、処理を再度実行する。
【０１７０】
未送信の組がないと判断する場合には（ステップＳ４６５における「ＮＯ」）、削除フラグが「１」である利用情報及び署名データ全てを利用情報記憶部５０２より消去する（ステップＳ４７０）。
１．１７  ポイント配布処理の動作
ここでは、図２２にて示すポイント配布処理の動作について、図２３に示す流れ図を用いて説明する。
【０１７１】
管理装置３０のポイント送付部３０５は、携帯端末６０から送受信部３０７を介して、要求命令と、利用情報と利用情報に対応する署名データとを受信する（ステップＳ５００）。
ポイント送付部３０５は、利用情報に含まれる車両コードと対応する公開鍵を公開鍵記憶部３０２より取得し、取得した公開鍵と利用情報と署名データとを用いて、署名検証を行う（ステップＳ５０５）。
【０１７２】
署名検証により、受信した利用情報が正当な利用情報であると識別した場合には（ステップＳ５０５における「ＯＫ」）、受信した利用情報に対応するポイントが確定しているか否かを判断する（ステップＳ５１０）。つまり、受信した利用情報に含まれる日時以降で、その日時に一番近い日時と、列車コードと、列車ポイント及び各車両ポイントとからなる組がポイントテーブルＴ１１１に存在するか否かを判断する。
【０１７３】
ポイントが確定していると判断する場合には（ステップＳ５１０における「ＹＥＳ」）、受信した利用情報に含まれる車両コードを用いて、列車ポイント及び車両ポイントを読み出し（ステップＳ５１５）、読み出した列車ポイント及び車両ポイントと、ポイント送付命令とを、送受信部３０７を介して携帯端末６０へ送信する（ステップＳ５２０）。
ポイント送付部３０５は、署名検証により、受信した利用情報が正当な利用情報でないと識別した場合には（ステップＳ５０５における「ＮＧ」）、エラー情報を生成し、生成したエラー情報及びエラー情報送付命令を送受信部３０７を介して携帯端末６０へ送信する（ステップＳ５２５）。
【０１７４】
ポイント送付部３０５は、ポイントが確定していないと判断する場合には（ステップＳ５１０における「ＮＯ」）、ポイント不在情報を生成し、生成したポイント不在情報及び不在情報送付命令を送受信部３０７を介して携帯端末６０へ送信する（ステップＳ５３０）。
１．１８  ポイント書込処理の動作
ここでは、図２２にて示すポイント書込処理の動作について、図２４に示す流れ図を用いて説明する。
【０１７５】
携帯端末６０の制御部６０１は、管理装置３０より第１無線部６０４を介して、命令と情報とからなる組を受信すると（ステップＳ５５０）、受信した命令がポイント送付命令であるか否かを判断する（ステップＳ５５５）。制御部６０１は、受信した命令がポイント送付命令であると判断する場合には（ステップＳ５５５における「ＹＥＳ」）、記録媒体５０のポイント記憶部５０１にて記憶している合計ポイントに、受信した各ポイントを累積することにより、合計ポイントを更新する。さらに、制御部６０１は、図２２に示すステップＳ４５０にて送信した利用情報及び署名データに対応する削除フラグを「０」から「１」へと更新する（ステップＳ５６０）。
【０１７６】
制御部６０１は、受信した命令がポイント送付命令でないと判断する場合には（ステップＳ５５５における「ＮＯ」）、受信した命令がエラー情報送付命令であるか否かの判断を行う（ステップＳ５６５）。
制御部６０１は、受信した命令がエラー情報送付命令であると判断する場合には（ステップＳ５６５における「ＹＥＳ」）、受信したエラー情報を表示部６０３へ出力し、表示部６０３は、制御部６０１よりエラー情報を受け取ると、エラーメッセージを表示する（ステップＳ５７０）。
【０１７７】
制御部６０１は、受信した命令がエラー情報送付命令でない、つまり受信した命令が不在情報送付命令であると判断する場合には（ステップＳ５６５における「ＮＯ」）、受信したポイント不在情報を表示部６０３へ出力し、表示部６０３は、制御部６０１よりポイント不在情報を受け取ると、ポイント未確定メッセージを表示する（ステップＳ５７５）。
【０１７８】
１．１９  オッズの配信における処理概要
ここでは、携帯端末６０と管理装置３０とで行われるオッズの配信における処理概要について、図２５に示す流れ図を用いて説明する。
携帯端末６０の制御部６０１は、入力部６０２よりオッズの情報の検索指示と、検索情報とを受け取ると、検索命令と受け取った検索情報とを、第１無線部６０４を介して管理装置３０へ送信する（ステップＳ６００）。
【０１７９】
管理装置３０のオッズ算出部３０３は、携帯端末６０より送受信部３０７を介して、検索命令と検索情報とを受け取ると、オッズ配信処理を行い、検索情報の条件を満たすオッズの情報を取得し、取得したオッズの情報とオッズ送信命令とを、送受信部３０７を介して携帯端末６０へ送信する（ステップＳ６０５）。
携帯端末６０の制御部６０１は、第１無線部６０４を介して管理装置３０よりオッズ送信命令と、管理装置３０が取得したオッズの情報とを受信すると、受信したオッズの情報を表示部６０３へ出力し、表示部６０３は、制御部６０１よりオッズの情報を受け取ると、受け取ったオッズの情報を表示する（ステップＳ６１０）。
【０１８０】
１．２０  オッズ配信処理の動作
ここでは、図２５にて示すオッズ配信処理の動作について、図２６に示す流れ図を用いて説明する。
オッズ算出部３０３は、携帯端末６０より送受信部３０７を介して、検索命令及び検索情報を受信すると（ステップＳ６５０）、
オッズ算出部３０３は、受信した検索情報に含まれる上り下りを区別する情報と対応する時刻表から、検索情報に含まれる利用駅において、利用時間から所定の時間内に、出発する列車の列車コードを全て取得する。オッズ算出部３０３は、オッズ情報記憶部３１０のオッズ情報テーブルＴ１１０にて、最近に書き込まれたオッズの情報に含まれる列車コードのうち、取得した各列車コードの何れかと一致するもののみを取得して、検索条件を満たすオッズの情報を抽出する（ステップＳ６５５）。
【０１８１】
オッズ算出部３０３は、送受信部３０７を介して携帯端末６０へ、抽出したオッズの情報と、オッズの情報を送信することを示すオッズ送信命令を送信する（ステップＳ６６０）。
１．２１  ポイント配布の変形例
上記実施の形態では、列車ポイント及び車両ポイントの送付を管理装置３０より行ったが、ここでは、車両装置より携帯端末へ、各ポイントの配布を自動的に行うポイント配布システム１０００及び携帯端末の要求により車両装置から各ポイントの配布を行うポイント配布システム２０００について、それぞれ説明する。
【０１８２】
（１）ポイント配布システム１０００について
＜ポイント配布システム１０００の構成＞
ポイント配布システム１０００は、図２７にて示すように、列車１００２ａ、・・・、１００２ｂのそれぞれに備えられた収集装置１０１０、・・・、１０１１及び車両装置１０２０、１０２１、１０２２、１０２３、・・・、１０２４、１０２５、１０２６、１０２７と、管理装置１０３０と、駅１００３ａ、・・・、１００３ｂに備えられた情報表示装置１０４０、・・・、１０４１と、記録媒体１０５０と、携帯端末１０６０とから構成されている。
【０１８３】
収集装置１０１０は車両装置１０２０、１０２１、１０２２、１０２３と接続されており、収集装置１０１１は、車両装置１０２４、１０２５、１０２６、１０２７と接続されている。
車両装置１０２０は、当該車両装置１０２０が備え付けられた車両の混雑度を計測する。また、収集装置１０１０、・・・、１０１１は、列車全体の混雑度をそれぞれ計測する。
【０１８４】
管理装置１０３０は、各列車の混雑度及び各車両の混雑度により、列車ごとのオッズの算出及び各車両ごとのオッズの算出を行い、算出された各オッズに基づいて、列車ポイント及び車両ポイントを確定する。
車両装置１０２０は、車両内にて、列車ポイントと、当該車両装置１０２０が備えられた車両に対応する車両ポイントとを、携帯端末１０６０へ短距離無線にて送信する。ここで、例えば、車両装置１０２０による各ポイントの発信は、車両のドア付近（例えば、ドアより内側１ｍに位置する車両の天井）にて行われ、短距離無線の通信距離は３ｍとする。
【０１８５】
携帯端末１０６０は、列車を利用する場合には、記録媒体１０５０が装着される。携帯端末１０６０は、乗車した車両に備えられた車両装置１０２０より、列車ポイント及び車両ポイントを無線により受信すると、受信した各ポイントを記録媒体１０５０へ書き込む。
情報表示装置１０４０、・・・、１０４１は、管理装置１０３０より受信した情報を表示する。
【０１８６】
なお、車両装置１０２１、・・・、１０２７は、車両装置１０２０と同様の動作を行う。
＜収集装置１０１０の構成＞
収集装置１０１０、・・・、１０１１は同様の構成であるため、ここでは、収集装置１０１０の構成について、以下に説明する。
【０１８７】
収集装置１０１０は、図２８に示すように、列車コード記憶部１１００、制御部１１０１、無線部１１０２、入出力部１１０３及びアンテナ部１１０４から構成されている。
収集装置１０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置１０１０は、その機能を達成する。
【０１８８】
（列車コード記憶部１１００）
当該収集装置１０１０が備え付けられた列車を識別する列車コードを記憶している。
（制御部１１０１）
制御部１１０１は、無線部１１０２を介して、管理装置１０３０より列車換算人数及び車両換算人数の収集を指示する収集命令と、列車コードを受け取ると、受け取った列車コードと、列車コード記憶部１１００にて記憶している列車コードとが一致するか否かを判断する。
【０１８９】
一致しないと判断する場合には、何も行わない。
一致すると判断する場合には、先ず、車両装置１０２０へ入出力部１１０３を介して、車両換算人数の計測を指示する計測命令を送信する。制御部１１０１は、車両装置１０２０より入出力部１１０３を介して、各車両を識別する車両コード及び車両換算人数からなる車両換算情報を受信し、受信した車両換算情報を一時的に記憶する。制御部１１０１は、上記の動作を全車両装置に対して行う。なお、車両コードは、上記の実施の形態と同様である。
【０１９０】
制御部１１０１は、当該収集装置１０１０と接続された全車両装置から車両換算情報を受信すると、受信した各車両換算情報の車両換算人数を全て加算して、列車換算人数を算出し、列車コードと算出した列車換算人数とからなる列車換算情報を生成する。制御部１１０１は、生成した列車換算情報、記憶している各車両換算情報及び列車コードを管理装置１０３０へ無線部１１０２を介して、無線にて送信する。
【０１９１】
制御部１１０１は、無線部１１０２を介して管理装置１０３０より、管理装置１０３０にて確定された全ポイント情報と、ポイント情報の送信を示す送信命令とを受信する。ここで、ポイント情報とは、列車コード、列車ポイント及び各車両ごとの車両ポイントからなる情報である。
制御部１１０１は、列車コード記憶部１１００にて記憶している列車コードと一致する列車コードを含むポイント情報を、受信した全ポイント情報より抽出し、抽出したポイント情報を車両装置１０２０、１０２１、１０２２、１０２３へ出力する。
【０１９２】
（無線部１１０２）
無線部１１０２は、アンテナ部１１０４より電力信号を受け取り、受け取った電力信号を復調し、復調した信号からパルス信号波を抽出する。抽出したパルス信号波を解読して、命令と情報とを抽出する。
抽出する命令には、収集命令及び送信命令が含まれ、収集命令を抽出した場合には、抽出する情報は列車コードが含まれ、送信命令を抽出した場合には、抽出する情報は管理装置１０３０にて確定された全ポイント情報が含まれる。
【０１９３】
また、無線部１１０２は、制御部１１０１より情報を受け取ると、受け取った情報に基づいて、パルス信号波を生成し、生成したパルス信号波を変調記号として、変調記号に基づいて、搬送波の振幅を変化させ、振幅の変化した搬送波をアンテナ部１１０４へ出力する。
（入出力部１１０３）
入出力部１１０３は、入出力部１０３と同様であるため、説明は省略する。
【０１９４】
（アンテナ部１１０４）
アンテナ部１１０４は、アンテナ部１０４と同様であるため、説明は省略する。
＜車両装置１０２０の構成＞
車両装置１０２０は、図２９に示すように、車両コード記憶部１２００、計測部１２０３、配布部１２０４、開閉検知部１２０５、時計部１２０６、無線部１２０７、入出力部１２０８、アンテナ部１２０９及びポイント記憶部１２１０から構成されている。
【０１９５】
車両装置１０２０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、車両装置１０２０は、その機能を達成する。
【０１９６】
なお、車両装置１０２１、・・・、１０２７は、車両装置１０２０と同様の構成であるため、説明は省略する。
（車両コード記憶部１２００）
車両コード記憶部１２００は、当該車両装置１０２０が備え付けられた列車の車両を識別する車両コードを記憶している。
【０１９７】
（ポイント記憶部１２１０）
ポイント記憶部１２１０は、列車ポイントと、当該車両装置１０２０が備えられた車両に対応する車両ポイントとを記憶する領域を有している。
（時計部１２０６）
時計部１２０６は、日時の計時を行う。
【０１９８】
（計測部１２０３）
計測部１２０３は、当該車両の車両重量を予め記憶している。
計測部１２０３は、収集装置１０１０から入出力部１２０８を介して、計測命令を受信すると、上記実施の形態にて示す計測部２０３と同様の動作により車両換算情報を生成し、生成した車両換算情報を、入出力部１２０８を介して収集装置１０１０へ送信する。
【０１９９】
計測部１２０３は、収集装置１０１０から入出力部１２０８を介して、ポイント情報を受け取ると、車両コード記憶部１２００にて記憶している車両コードを用いて、受信したポイント情報より列車ポイント及び、当該車両装置１０２０が備えられた車両に対応する車両ポイントとを取得し、取得した列車ポイント及び車両ポイントをポイント記憶部１２１０へ書き込む。このとき、既に書き込まれている内容は上書きされる。
【０２００】
（配布部１２０４）
配布部１２０４は、開状態命令を開閉検知部１２０５から受け取ると、時計部１２０６より現在の日時を取得し、さらに、ポイント記憶部１２１０にて記憶している列車ポイント及び車両ポイントを読み出し、取得した日時と、読み出した列車ポイント及び車両ポイントと、ポイント送付命令と、ポイントの配布を開始する旨を示すポイント配布開始命令とを無線部１２０７へ出力する。
【０２０１】
配布部１２０４は、閉状態命令を開閉検知部１２０５から受け取ると、ポイントの配布を終了する旨を示すポイント配布終了命令を無線部１２０７へ出力する。
（開閉検知部１２０５）
開閉検知部１２０５は、上記実施の形態にて示す開閉検知部２０５と同様であるため、説明は、省略する。
【０２０２】
（無線部１２０７）
無線部１２０７は、配布部１２０４より日時、列車ポイント及び車両ポイントからなる組と、ポイント送付命令と、ポイント配布開始命令とを受け取ると、受け取った日時、列車ポイント及び車両ポイントからなる組と、ポイント送付命令とに基づいて、パルス信号波を生成し、生成したパルス信号波を変調記号として、変調記号に基づいて、搬送波の振幅を変化させ、配布部１２０４よりポイント配布終了命令を受け取るまでの間、振幅の変化した搬送波をアンテナ部１２０９へ出力する。
【０２０３】
（入出力部１２０８）
入出力部１２０８は、上記実施の形態にて示す入出力部２０８と同様であるため、説明は省略する。
（アンテナ部１２０９）
アンテナ部１２０９は、無線部１２０７より振幅の変化した搬送波を受け取ると、受け取った振幅の変化した搬送波を電波として空間に放射する。
【０２０４】
＜管理装置１０３０の構成＞
管理装置１０３０は、図３０に示すように、時刻表記憶部１３００、オッズ算出部１３０３、時計部１３０４、無線部１３０６、送受信部１３０７、アンテナ部１３０８及びポイント情報記憶部１３０９から構成されている。
管理装置１０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置１０３０は、その機能を達成する。
【０２０５】
（時刻表記憶部１３００）
時刻表記憶部１３００は、上記実施の形態にて示す時刻表記憶部３００と同様であるため、説明は省略する。
（ポイント情報記憶部１３０９）
ポイント情報記憶部１３０９は、図３１に一例として示すように、ポイントテーブルＴ１０００を有している。
【０２０６】
ポイントテーブルＴ１０００は、列車コード、列車ポイント及び車両ポイントからなる組を１以上記憶するための領域を有している。
列車コードは、列車を識別するコードであり、列車ポイントは、列車コードに対応する列車を利用した利用者へ割り当てるポイントを示す。
車両ポイントは、さらに、１号車、２号車、３号車及び４号車から構成され、それぞれの項目には、当該車両を利用した利用者へ割り当てるポイントを示す。
【０２０７】
（時計部１３０４）
時計部１３０４は、日時の計時を行う。
（オッズ算出部１３０３）
オッズ算出部１３０３は、各列車の列車オッズ、列車の各車両における車両オッズ、及び利用者へ割り当てる列車ポイント及び車両ポイントを算出する。
【０２０８】
オッズ算出部１３０３は、列車ポイントを算出する際の基準となる列車基準ポイント（例えば、１０００ポイント）と、車両ポイントを算出する際の基準となる車両基準ポイント（例えば、１００ポイント）とを予め記憶している。
オッズ算出部１３０３は、時計部１３０４にて計時される日時を監視し、オッズを算出する日時であるか否かを判断し、オッズを算出する日時であると判断する場合には、以下の動作を行う。
【０２０９】
オッズ算出部１３０３は、現在運行中の列車及び現時刻から１０分以内に運行される列車の列車コードを時刻表記憶部１３００にて記憶している上り用時刻表より抽出する。
オッズ算出部１３０３は、上記の実施の形態と同様の動作にて、抽出した列車コードに対応する全て列車より列車換算情報及び各車両換算情報を収集し、列車オッズ及び各車両の車両オッズを算出する。
【０２１０】
オッズ算出部１３０３は、算出した各列車オッズを加算し、列車基準ポイントを加算した結果で割り算を行い、商を算出する。なお、小数点第１位を四捨五入する。次に、オッズ算出部１３０３は、算出した商を、各列車オッズに乗算することにより、列車ポイントを算出する。
オッズ算出部１３０３は、各列車における車両ごとの車両ポイントを算出するため、列車コードに対応する各車両オッズを用いて、列車ポイントの算出と同様の方法にて、車両ポイントを算出する。
【０２１１】
次に、オッズ算出部１３０３は、現在運行中の列車及び現時刻から１０分以内に運行される列車の列車コードを時刻表記憶部１３００にて記憶している下り用時刻表より抽出して、上記と同様の方法にて、下り用時刻表より取得した全列車コードに対応する全列車に対して、列車ポイント及び各車両ポイントとを算出する。
オッズ算出部１３０３は、列車コード、算出した列車ポイント及び車両ポイントとからなるポイント情報全てをポイントテーブルＴ１０００へ書き込む。このとき、ポイントテーブルＴ１０００に書かれていた内容は、上書きされる。
【０２１２】
オッズ算出部１３０３は、ポイントテーブルＴ１０００に書き込んだ全ポイント情報を、収集装置１０１０、・・・、１０１１へ無線部１３０６を介して、無線にて送信する。さらに、オッズ算出部１３０３は、ポイントテーブルＴ１０００に書き込んだ全ポイント情報と表示指示命令とを、送受信部１３０７を介して情報表示装置１０４０、・・・、１０４１へ送信する。
【０２１３】
また、オッズ算出部１３０３は、携帯端末１０６０より送受信部１３０７を介して、検索命令及び検索情報を受信すると、受信した検索情報に含まれる上り下りを区別する情報と対応する時刻表（例えば、情報が上りを示す情報である場合には、上り用の時刻表となる。）から、検索情報に含まれる利用駅において、利用時間から所定の時間内に、出発する列車の列車コードを全て取得する。オッズ算出部１３０３は、ポイントテーブルＴ１０００にて記憶している各ポイント情報に含まれる列車コードのうち、取得した各列車コードの何れかと一致するもののみを取得する。オッズ算出部１３０３は、送受信部１３０７を介して携帯端末１０６０へ、取得した全てのポイント情報とオッズ送信命令を送信する。
【０２１４】
（無線部１３０６）
無線部１３０６は、アンテナ部１３０８より電力信号を受け取り、受け取った電力信号を復調し、復調した信号からパルス信号波を抽出する。抽出したパルス信号波を解読して、情報を抽出する。
抽出する情報には、列車コード、列車換算情報及び車両換算情報が含まれる。
【０２１５】
また、無線部１３０６は、オッズ算出部１３０３より収集命令と列車コードとを受け取ると、受け取った収集命令及び列車コードに基づいて、パルス信号波を生成し、生成したパルス信号波を変調記号として、変調記号に基づいて、搬送波の振幅を変化させ、振幅の変化した搬送波をアンテナ部１３０８へ出力する。
（送受信部１３０７）
送受信部１３０７は、携帯端末１０６０より検索命令及び検索情報を受信すると、受信した検索命令及び検索情報をオッズ算出部１３０３へ出力する。
【０２１６】
また、送受信部１３０７は、表示指示命令と、ポイントテーブルＴ１０００へ書き込んだ全ポイント情報をオッズ算出部１３０３より受け取ると、受け取った命令及び情報を情報表示装置１０４０、・・・、１０４１へインターネットを介して送信する。
送受信部１３０７は、オッズ算出部１３０３より、検索条件を満たすオッズの情報と、オッズ送信命令を受け取ると、受け取った命令と情報とを携帯端末１０６０へインターネットを介して送信する。
【０２１７】
（アンテナ部１３０８）
アンテナ部１３０８は、上記実施の形態にて示すアンテナ部３０８と同様であるため、説明は省略する。
＜情報表示装置１０４０の構成＞
情報表示装置１０４０、・・・、１０４１は同様の構成であるため、ここでは、情報表示装置１０４０の構成について、以下に説明する。
【０２１８】
情報表示装置１０４０は、図３２に示すように、時刻表記憶部１４００、時計部１４０１、制御部１４０２、表示部１４０３及び受信部１４０４から構成されている。
情報表示装置１０４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置１０４０は、その機能を達成する。
【０２１９】
（時刻表記憶部１４００）
時刻表記憶部１４００は、管理装置１０３０が備える時刻表記憶部１３００と同様であるため、説明は省略する。
（時計部１４０１）
時計部１４０１は、日時の計時を行う。
【０２２０】
（制御部１４０２）
制御部１４０２は、管理装置１０３０より受信部１４０４を介して、表示指示命令と、ポイントテーブルＴ１０００にて記憶している全ポイント情報を受信する。
制御部１４０２は、時刻表記憶部１４００に記憶している時刻表を用いて、受信した前ポイント情報のうち、今後、当該情報表示装置１０４０が備えられた駅３ａを出発する列車の列車コードと対応するポイント情報を全て抽出する。制御部１４０２は、抽出した全てのポイント情報を表示部１４０３へ出力する。
【０２２１】
（表示部１４０３）
表示部１４０３は、例えば、ディスプレイを備え、制御部１４０２より受け取ったポイント情報を表示する。
（受信部１４０４）
受信部１４０４は、表示指示命令と１個以上のポイント情報とを、インターネットを介して管理装置１０３０より受信すると、受信した命令と情報とを制御部１４０２へ出力する。
【０２２２】
＜記録媒体１０５０の構成＞
記録媒体１０５０は、耐タンパ性を有しており、図３３に示すように、情報記憶部１５００から構成され、情報記憶部１５００は、ポイント記憶部１５０１及び利用日時記憶部１５０３を有している。
記録媒体１０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体１０５０は、その機能を達成する。
【０２２３】
（ポイント記憶部１５０１）
ポイント記憶部１５０１は、車両装置１０２０、・・・、１０２７により配布されたポイントを累積した合計ポイントを記憶する領域を有している。
（利用日時記憶部１５０３）
利用日時記憶部１５０３は、列車を利用した最新の日時、つまりポイントを累積した最新の日時を記憶する領域を有している。
【０２２４】
＜携帯端末１０６０の構成＞
携帯端末１０６０は、図３４に示すように、制御部１６０１、入力部１６０２、表示部１６０３、第１無線部１６０４、入出力部１６０５、第１アンテナ部１６０６、第２無線部１６０７及び第２アンテナ部１６０８から構成されている。
携帯端末１０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末１０６０は、その機能を達成する。
【０２２５】
（制御部１６０１）
制御部１６０１は、車両装置１０２０より受信した列車ポイント及び車両ポイントを記録媒体１０５０へ書き込むか否かを判断するための基準となる基準時間を予め記憶している。
制御部１６０１は、入力部１６０２よりオッズの情報の検索指示と、検索情報とを受け取ると、検索命令と受け取った検索情報とを、第１無線部１６０４を介して管理装置１０３０へ送信する。
【０２２６】
制御部１６０１は、第１無線部１６０４を介して管理装置１０３０よりオッズ送信命令と、管理装置３０が取得したポイント情報とを受信すると、受信したポイント情報を表示部１６０３へ出力する。
制御部１６０１は、第２無線部１６０７を介して車両装置１０２０より列車ポイント、車両ポイント、日時及びポイント送付命令とを受信すると、受信した日時と、記録媒体１０５０の利用日時記憶部５０３にて記憶している日時とを比較して、基準時間内であるか否かを判断する。基準時間内であると判断する場合には、受信した各ポイント、日時及びポイント送付命令を破棄する。基準時間内ではないと判断する場合には、記録媒体１０５０のポイント記憶部１５０１にて記憶している合計ポイントに、受信した各ポイントを累積することにより、合計ポイントを更新する。
【０２２７】
さらに、制御部１６０１は、利用日時記憶部１５０３にて記憶している日時から受信した日時へと更新する。これにより、利用日時記憶部１５０３にて記憶される日時は、列車を利用した最新の日時となる。
（入力部１６０２）
入力部１６０２は、利用者よりオッズの情報の検索指示と、検索情報とを受け付けると、受け付けた検索指示及び検索情報を制御部１６０１へ出力する。
【０２２８】
（表示部１６０３）
表示部１６０３は、制御部１６０１よりポイント情報を受け取ると、受け取ったポイント情報を表示する。
（第１無線部１６０４）
第１無線部１６０４は、第１アンテナ部１６０６より電力信号を受け取り、受け取った電力信号を復調し、復調した信号からパルス信号波を抽出する。抽出したパルス信号波を解読して、命令及び情報を抽出し、抽出した命令及び情報を制御部１６０１へ出力する。
【０２２９】
抽出する命令には、オッズ送信命令が含まれる。
第１無線部１６０４は、オッズ送信命令を抽出すると、さらに、管理装置１０３０が取得した全てのポイント情報を抽出する。
第１無線部１６０４は、制御部１６０１より検索命令と検索情報とを受け取ると、受け取った検索命令と検索情報とに基づいて、パルス信号波を生成し、生成したパルス信号波を変調記号として、変調記号に基づいて、搬送波の振幅を変化させ、振幅の変化した搬送波を第１アンテナ部１６０６へ出力する。
【０２３０】
（第２無線部１６０７）
第２無線部１６０７は、第２アンテナ部１６０６より電力信号を受け取り、受け取った電力信号を復調し、復調した信号からパルス信号波を抽出する。抽出したパルス信号波を解読して、命令及び情報を抽出し、抽出した命令及び情報を制御部１６０１へ出力する。
抽出する命令には、ポイント送付命令が含まれる。
【０２３１】
第２無線部１６０７は、ポイント送付命令を抽出すると、さらに、列車ポイント、車両ポイント及び日時を抽出する。
（入出力部１６０５）
入出力部１６０５は、制御部１６０１と記録媒体１０５０との間において、情報の入出力を行う。
【０２３２】
（第１アンテナ部１６０６及び第２アンテナ部１６０８）
第１アンテナ部１６０６は、第１無線部１６０４より振幅の変化した搬送波を受け取ると、受け取った振幅の変化した搬送波を電波として空間に放射する。
また、第１アンテナ部１６０６は、電波を受信し、受信した電波を電力信号に変換して、電力信号を第１無線部１６０４へ出力する。
【０２３３】
第２アンテナ部１６０８は、電波を受信し、受信した電波を電力信号に変換して、電力信号を第２無線部１６０７へ出力する。
＜情報収集処理の動作＞
ここでは、オッズ算出時に行われる情報収集処理について、図３５に示す流れ図を用いて説明する。
【０２３４】
管理装置１０３０のオッズ算出部１３０３は、時計部１３０４にて計時される日時を監視し、オッズを算出する日時であるか否かを判断し（ステップＳ１０００）、オッズを算出する日時でないと判断する場合には（ステップＳ１０００における「ＮＯ」）、時計部１３０４にて計時される日時を監視する。
オッズ算出部１３０３は、オッズを算出する日時であると判断する場合には（ステップＳ１０００における「ＹＥＳ」）、第１オッズ算出処理を行って、上り列車に対する列車オッズ及び各車両オッズとを算出し（ステップＳ１００５）、算出した列車オッズ及び各車両オッズを用いて、上り列車に対する列車ポイント及び各車両ポイントを算出して、利用者へ配布する各ポイントを確定する（ステップＳ１０１０）。
【０２３５】
オッズ算出部１３０３は、第２オッズ算出処理を行って、下り列車に対する列車オッズ及び各車両オッズとを算出し（ステップＳ１０１５）、算出した列車オッズ及び各車両オッズを用いて、下り列車に対する列車ポイント及び各車両ポイントを算出して、利用者へ配布する各ポイントを確定する（ステップＳ１０２０）。
オッズ算出部１３０３は、列車コード、算出した列車ポイント及び車両ポイントとからなる全てのポイント情報をポイントテーブルＴ１０００へ書き込み、書き込んだ全ポイント情報と送信命令とを現在運行中の列車及び１０分以内に運行開始する列車が備える各収集装置へ送信する。さらに、オッズ算出部１３０３は、表示指示命令と書き込んだ全ポイント情報とを情報表示装置１０４０、・・・、１０４１へ送信する（ステップＳ１０２５）。なお、全ポイント情報と送信命令とを受信した収集装置は、後述するポイント情報受取処理を行う。
【０２３６】
＜第１オッズ算出処理の動作＞
ここでは、図３５にて示す第１オッズ算出処理について、図１７にて示した流れ図と異なる点のみを説明する。
オッズ算出部１３０３は、図１７に示すステップＳ２００からステップＳ２２０を実行して、処理を終了する。
【０２３７】
なお、図３５にて示す第２オッズ算出処理は、下り用の時刻表を用いて、図１７に示すステップＳ２００からステップＳ２２０を実行して処理を終了する。
＜換算情報収集処理の動作＞
収集装置１０１０、・・・、１０１１が管理装置１０３０より収集命令及び列車コードを受信した際に、収集装置１０１０、・・・、１０１１が行う換算情報収集処理の動作は、図１８に示す流れ図と同様であるため、説明は省略する。
【０２３８】
＜換算人数収集処理の動作＞
収集装置１０１０、・・・、１０１１が、それぞれと接続された各車両装置から車両換算情報を収集する換算人数収集処理の動作は、図１９に示す流れ図と同様であるため、説明は省略する。
＜ポイント情報受取処理＞
ここでは、収集装置１０１０、・・・、１０１１が管理装置１０３０より送信命令及び管理装置１０３０のオッズ算出部１３０３がポイントテーブルＴ１０００に書き込んだ全ポイント情報を受信した際に、収集装置１０１０、・・・、１０１１が行うポイント情報受取処理について、図３６に示す流れ図を用いて説明する。なお、ここでは、収集装置１０１０を用いて説明する。
【０２３９】
収集装置１０１０の制御部１１０１は、管理装置１０３０より無線部１１０２より、送信命令及び管理装置１０３０のオッズ算出部１３０３がポイントテーブルＴ１０００に書き込んだ全ポイント情報を受信すると（ステップＳ１０５０）、受信した全ポイント情報より、列車コード記憶部１１００にて記憶している列車コードと一致する列車コードを含むポイント情報を抽出し（ステップＳ１０５５）、抽出したポイント情報を車両装置１０２０、１０２１、１０２２、１０２３へ出力する（ステップＳ１０６０）。
【０２４０】
＜ポイント抽出処理＞
ここでは、車両装置１０２０、１０２１、１０２２、１０２３、・・・、１０２４、１０２５、１０２６、１０２７のそれぞれが接続された収集装置１０１０、・・・、１０１１よりポイント情報を受け取った際に、車両装置１０２０、１０２１、１０２２、１０２３、・・・、１０２４、１０２５、１０２６、１０２７が行うポイント抽出処理について、図３７に示す流れ図を用いて説明する。なお、ここでは、車両装置１０２０を用いて説明する。
【０２４１】
車両装置１０２０の計測部１２０３は、収集装置１０１０より入出力部１２０８を介して、ポイント情報を受け取ると（ステップＳ１１００）、受け取ったポイント情報に含まれる列車ポイントと、各車両ポイントのうち、車両コード記憶部１２００にて記憶している車両コードに含まれる車両番号と対応する車両ポイントとを抽出する（ステップＳ１１０５）。
【０２４２】
計測部１２０３は、抽出した列車ポイント及び車両ポイントとをポイント記憶部１２１０へ書き込む（ステップＳ１１１０）。
＜ポイント配布処理の動作＞
ここでは、車両装置１０２０から携帯端末１０６０へポイントを配布する処理の動作について、図３８にて示す流れ図を用いて説明する。
【０２４３】
なお、車両装置１０２１、・・・、１０２７から携帯端末１０６０へポイントを配布する場合も同様の動作である。
車両装置１０２０の開閉検知部１２０５は、ドアが開いたことを検知すると（ステップＳ１１５０における「ＹＥＳ」）、開閉検知部１２０５は、開状態命令を配布部１２０４へ出力し、配布部１２０４は、開状態命令を開閉検知部２０５から受け取ると、時計部１２０６より現在の日時を取得し、さらに、ポイント記憶部１２１０にて記憶している列車ポイント及び車両ポイントを読み出し、取得した日時と、読み出した列車ポイント及び車両ポイントと、ポイント送付命令と、ポイント配布開始命令とを無線部１２０７へ出力する。無線部１２０７は、配布部１２０４より、日時と、列車ポイント及び車両ポイントと、ポイント送付命令と、ポイント配布開始命令とを受け取ると、受け取った日時と、列車ポイント及び車両ポイントと、ポイント送付命令とを、アンテナ部１２０９を介して携帯端末１０６０へ無線にて送信する（ステップＳ１１５５）。
【０２４４】
開閉検知部１２０５は、ドアが閉まったことを検知すると、閉状態命令を配布部１２０４へ出力し、配布部１２０４は、開閉検知部１２０５より閉状態命令を受け取ると、ポイント配布終了命令を無線部１２０７へ出力し、無線部１２０７は、ポイント配布終了命令を受け取ると、送信終了と判断し、送信を終了する（ステップＳ１１６０における「ＹＥＳ」）。
【０２４５】
無線部１２０７は、ポイント配布開始命令を受け取ってからポイント配布終了命令を受け取るまでの間は、ドアは閉まっていないと判断し（ステップＳ１１６０における「ＮＯ」）、ステップＳ１１５５にて、日時と、列車ポイント及び車両ポイントと、ポイント送付命令との送信を行う。
携帯端末１０６０の制御部１６０１は、車両装置１０２０より日時と、列車ポイント及び車両ポイントと、ポイント送付命令とを受信すると（ステップＳ１１６５）、受信した日時と、記録媒体１０５０の利用日時記憶部１５０３にて記憶している日時とを比較して、基準時間内であるか否かを判断する（ステップＳ１１７０）。制御部１６０１は、基準時間内であると判断する場合には（ステップＳ１１７０における「ＹＥＳ」）、受信した日時と、列車ポイント及び車両ポイントと、ポイント送付命令とを破棄し、処理を終了する。基準時間内ではないと判断する場合には（ステップＳ１１７０における「ＮＯ」）、記録媒体１０５０のポイント記憶部１５０１にて記憶している合計ポイントに、受信した各ポイントを累積することにより、合計ポイントを更新する（ステップＳ１１７５）。
【０２４６】
制御部１６０１は、さらに、利用日時記憶部１５０３にて記憶している日時から受信した日時へと更新する（ステップＳ１１８０）。
＜ポイント情報の配信における処理概要＞
携帯端末１０６０と管理装置１０３０とで行われるポイントの配信における処理概要は、図２５に示す流れ図と同様の処理の流れとなるため、説明は省略する。
【０２４７】
＜ポイント情報配信処理の動作＞
管理装置１０３０から携帯端末１０６０へポイント情報を配信するポイント配信処理の動作は、図２６に示す流れ図と同様の処理の流れとなるため、説明は省略する。
（２）ポイント配布システム２０００について
＜ポイント配布システム２０００の構成＞
ポイント配布システム２０００は、図３９にて示すように、列車２００２ａ、・・・、２００２ｂのそれぞれに備えられた収集装置２０１０、・・・、２１０１１及び車両装置２０２０、２０２１、２０２２、２０２３、・・・、２０２４、２１０２５、２０２６、２０２７と、管理装置２０３０と、駅２００３ａ、・・・、２００３ｂに備えられた情報表示装置２０４０、・・・、２０４１と、記録媒体２０５０と、携帯端末２０６０とから構成されている。
【０２４８】
収集装置２０１０は車両装置２０２０、２０２１、２０２２、２０２３と接続されており、収集装置２０１１は、車両装置２０２４、２０２５、２０２６、２０２７と接続されている。
車両装置２０２０は、当該車両装置２０２０が備え付けられた車両の混雑度を計測する。また、収集装置２０１０、・・・、２０１１は、列車全体の混雑度をそれぞれ計測する。
【０２４９】
管理装置２０３０は、各列車の混雑度及び各車両の混雑度により、列車ごとのオッズの算出及び各車両ごとのオッズの算出を行い、算出された各オッズに基づいて、列車ポイント及び車両ポイントを確定する。
携帯端末２０６０は、記録媒体２０５０が装着された状態で利用される。携帯端末２０６０は、管理装置２０３０より算出された全てのポイント情報と、利用者へ配布するポイントの更新を行った最新の日時を示す更新日時と、全ポイント情報と更新日時とに対してデジタル署名を施した署名データとを受信する。利用者は、列車の利用時に、携帯端末２０６０より乗車した車両に備えられた車両装置２０２０へ要求命令と、記憶している全ポイント情報、更新日時及び署名データとを無線にて送信する。
【０２５０】
車両装置２０２０は、車両内にて、携帯端末２０６０より要求命令と、全ポイント情報、更新日時及び署名データとを短距離無線にて受信すると、署名検証を行って、全ポイント情報及び更新日時が正当なものであるか否かを判断し、正当なものであると判断する場合に、携帯端末２０６０へ列車ポイント及び車両ポイントとを短距離無線にて送信する。ここで、例えば、車両装置２０２０は携帯端末２０６０との情報の送受信は、車両のドア付近（例えば、ドアより内側１ｍに位置する車両の天井）にて行われ、短距離無線の通信距離は３ｍとする。
【０２５１】
携帯端末２０６０は、車両装置２０２０より、列車ポイント及び車両ポイントを無線により受信すると、受信した各ポイントを記録媒体２０５０へ書き込む。
情報表示装置２０４０、・・・、２０４１は、管理装置２０３０より受信した情報を表示する。
なお、車両装置２０２１、・・・、２０２７は、車両装置２０２０と同様の動作を行う。
【０２５２】
＜収集装置２０１０の構成＞
収集装置２０１０、・・・、２０１１は同様の構成であるため、ここでは、収集装置２０１０の構成について、以下に説明する。
収集装置２０１０は、図４０に示すように、列車コード記憶部２１００、制御部２１０１、無線部２１０２、入出力部２１０３及びアンテナ部２１０４から構成されている。
【０２５３】
収集装置２０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置２０１０は、その機能を達成する。
【０２５４】
（列車コード記憶部２１００）
当該収集装置２０１０が備え付けられた列車を識別する列車コードを記憶している。
（制御部２１０１）
制御部２１０１は、無線部１１０２を介して、管理装置１０３０より列車換算人数及び車両換算人数の収集を指示する収集命令と、列車コードを受け取ると、受け取った列車コードと、列車コード記憶部１１００にて記憶している列車コードとが一致するか否かを判断する。
【０２５５】
一致しないと判断する場合には、何も行わない。
一致すると判断する場合には、上記のポイント配布システム１０００にて示した収集装置１０１０の制御部１１０１と同様の動作を行い、車両装置２０２０、２０２１、２０２２、２０２３より各車両換算情報を収集し、収集した各車両換算情報と列車コードとを用いて、列車換算情報を生成し、生成した列車換算情報と、収集した車両換算情報と、列車コードとを管理装置２０３０へ無線部２１０２を介して、無線にて送信する。
【０２５６】
制御部２１０１は、無線部２１０２を介して管理装置２０３０より、管理装置２０３０にてオッズの算出して、利用者へ配布するポイントの更新を行った最新の日時を示す更新日時と、更新日時の送信を示す日時送信命令とを受信する。
制御部２１０１は、更新日時を受信すると、受信した更新日時を車両装置２０２０、２０２１、２０２２、２０２３へ出力する。
【０２５７】
（無線部２１０２）
無線部２１０２は、アンテナ部２１０４より電力信号を受け取り、受け取った電力信号を復調し、復調した信号からパルス信号波を抽出する。抽出したパルス信号波を解読して、命令と情報とを抽出する。
抽出する命令には、収集命令及び日時送信命令が含まれ、収集命令を抽出した場合には、抽出する情報は列車コードが含まれ、日時送信命令を抽出した場合には、抽出する情報は更新日時が含まれる。
【０２５８】
また、無線部２１０２は、制御部２１０１より情報を受け取ると、受け取った情報に基づいて、パルス信号波を生成し、生成したパルス信号波を変調記号として、変調記号に基づいて、搬送波の振幅を変化させ、振幅の変化した搬送波をアンテナ部２１０４へ出力する。
（入出力部２１０３）
入出力部２１０３は、入出力部１１０３と同様であるため、説明は省略する。
【０２５９】
（アンテナ部２１０４）
アンテナ部２１０４は、アンテナ部１１０４と同様であるため、説明は省略する。
＜車両装置２０２０の構成＞
車両装置２０２０は、図４１に示すように、車両コード記憶部２２００、計測部２２０３、配布部２２０４、時計部２２０６、無線部２２０７、入出力部２２０８、アンテナ部２２０９、更新日時記憶部２２１１及び公開鍵記憶部２２１２から構成されている。
【０２６０】
車両装置２０２０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、車両装置２０２０は、その機能を達成する。
【０２６１】
なお、車両装置２０２１、・・・、２０２７は、車両装置２０２０と同様の構成であるため、説明は省略する。
（車両コード記憶部２２００）
車両コード記憶部２２００は、当該車両装置２０２０が備え付けられた列車の車両を識別する車両コードを記憶している。
【０２６２】
（更新日時記憶部２２１１）
更新日時記憶部２２１１は、管理装置２０３０にて各ポイントの更新がなされた更新日時を記憶する領域を有している。
（公開鍵記憶部２２１２）
公開鍵記憶部２２１２は、署名検証を行うための公開鍵を記憶している。
【０２６３】
（時計部２２０６）
時計部２２０６は、日時の計時を行う。
（計測部２２０３）
計測部２２０３は、当該車両の車両重量を予め記憶している。
計測部２２０３は、収集装置２０１０から入出力部２２０８を介して、計測命令を受信すると、上記ポイント配布システム１０００にて示す計測部１２０３と同様の動作により車両換算情報を生成し、生成した車両換算情報を、入出力部２２０８を介して収集装置２０１０へ送信する。
【０２６４】
計測部２２０３は、収集装置２０１０から入出力部２２０８を介して、更新日時を受け取ると、受け取った更新日時を更新日時記憶部２２１１へ書き込む。このとき、既に書き込まれている内容は上書きされる。
（配布部２２０４）
配布部２２０４は、携帯端末２０６０より無線部２２０７を介して、要求命令と、携帯端末２０６０が記憶している全ポイント情報と、更新日時と署名データとを受信すると、公開鍵記憶部２２１２より公開鍵を読み出し、読み出した公開鍵と、全ポイント情報と、更新日時と署名データとを用いて、署名検証を行う。なお、署名検証については、公知であるため、ここでの説明は省略する。
【０２６５】
配布部２２０４は、署名検証にて、正当な全ポイント情報及び更新日時であると判断する場合には、受信した更新日時と、更新日時記憶部２２１１にて記憶している更新日時とを比較して、一致するか否かを判断する。
更新日時が一致すると判断する場合には、配布部２２０４は、受信した全ポイント情報が最新のものであるとみなし、車両コード記憶部２２００にて記憶している車両コードに含まれる列車コードと一致する列車コードを含むポイント情報を、受信した全ポイント情報より抽出する。配布部２２０４は、さらに、抽出したポイント情報より列車ポイントと、当該車両装置２０２０が備えられた車両に対応する車両ポイントとを取得し、時計部２２０６より現在の日時を取得する。配布部２２０４は、取得した日時、列車ポイント及び車両ポイントと、ポイント送付命令とを、無線部２２０７を介して携帯端末２０６０へ送信する。
【０２６６】
署名検証により、受信した利用情報が正当な利用情報でないと識別した場合、及び更新日時が一致しないと判断する場合には、配布部２２０４は、エラー情報を生成し、生成したエラー情報とエラー情報送付命令とを、無線部２２０７を介して携帯端末２０６０へ送信する。
（無線部２２０７）
無線部２２０７は、アンテナ部２２０９より電力信号を受け取り、受け取った電力信号を復調し、復調した信号からパルス信号波を抽出する。抽出したパルス信号波を解読して、命令と情報とを抽出する。
【０２６７】
抽出する命令には、要求命令が含まれ、抽出する情報には、携帯端末２０６０が記憶している全ポイント情報と更新日時と署名データとが含まれる。
無線部２２０７は、配布部２２０４より、時計部２２０６より取得した日時、列車ポイント及び車両ポイントからなる組と、ポイント送付命令とを受け取ると、受け取った日時、列車ポイント及び車両ポイントからなる組と、ポイント送付命令とに基づいて、パルス信号波を生成し、生成したパルス信号波を変調記号として、変調記号に基づいて、搬送波の振幅を変化させ、振幅の変化した搬送波をアンテナ部２２０９へ出力する。
【０２６８】
また、無線部２２０７は、配布部２２０４より、エラー情報送付命令及びエラー情報を受け取ると、受け取ったエラー情報送付命令及びエラー情報に基づいて、パルス信号波を生成し、生成したパルス信号波を変調記号として、変調記号に基づいて、搬送波の振幅を変化させ、振幅の変化した搬送波をアンテナ部２２０９へ出力する。
（入出力部２２０８）
入出力部２２０８は、上記実施の形態にて示す入出力部１２０８と同様であるため、説明は省略する。
【０２６９】
（アンテナ部２２０９）
アンテナ部２２０９は、無線部２２０７より振幅の変化した搬送波を受け取ると、受け取った振幅の変化した搬送波を電波として空間に放射する。
また、アンテナ部２２０９は、電波を受信し、受信した電波を電力信号に変換して、電力信号を無線部２２０７へ出力する。
【０２７０】
＜管理装置２０３０の構成＞
管理装置２０３０は、図４２に示すように、時刻表記憶部２３００、オッズ算出部２３０３、時計部２３０４、無線部２３０６、送受信部２３０７、アンテナ部２３０８、ポイント情報記憶部２３０９、更新日時記憶部２３１０及び秘密鍵記憶部２３１１から構成されている。
【０２７１】
管理装置２０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置２０３０は、その機能を達成する。
【０２７２】
（時刻表記憶部２３００）
時刻表記憶部２３００は、上記ポイント配布システム１０００にて示す時刻表記憶部１３００と同様であるため、説明は省略する。
（ポイント情報記憶部２３０９）
ポイント情報記憶部２３０９は、上記ポイント配布システム１０００にて示すポイント情報記憶部１３０９と同様であるため、説明は省略する。
【０２７３】
（更新日時記憶部２３１０）
更新日時記憶部２３１０は、更新日時を記憶する領域を有している。
（秘密鍵記憶部２３１１）
秘密鍵記憶部２３１１は、署名データを生成するための秘密鍵を記憶している。
（時計部２３０４）
時計部２３０４は、日時の計時を行う。
【０２７４】
（オッズ算出部２３０３）
オッズ算出部２３０３は、各列車の列車オッズ、列車の各車両における車両オッズ、及び利用者へ割り当てる列車ポイント及び車両ポイントを算出する。
オッズ算出部２３０３は、列車ポイントを算出する際の基準となる列車基準ポイント（例えば、１０００ポイント）と、車両ポイントを算出する際の基準となる車両基準ポイント（例えば、１００ポイント）とを予め記憶している。
【０２７５】
オッズ算出部２３０３は、時計部２３０４にて計時される日時を監視し、オッズを算出する日時であるか否かを判断し、オッズを算出する日時であると判断する場合には、その日時を時計部２３０４より取得し、更新日時として、更新日時記憶部２３１０へ書き込む。このとき、更新日時記憶部２３１０にて記憶されている内容は上書きされる。
オッズ算出部２３０３は、オッズ算出部１３０３は、現在運行中の列車及び現時刻から１０分以内に運行される列車の列車コードを時刻表記憶部１３００にて記憶している上り用時刻表より抽出し、上記ポイント配布システム１０００にて示したオッズ算出部１３０３と同様に動作を行い、抽出した全列車コードに対応する全列車に対して、列車ポイント及び各車両ポイントを算出する。
【０２７６】
次に、オッズ算出部２３０３は、現在運行中の列車及び現時刻から１０分以内に運行される列車の列車コードを時刻表記憶部２３００にて記憶している下り用時刻表より抽出して、上記と同様に、下り用時刻表より取得した全列車コードに対応する全列車に対して、列車ポイント及び各車両ポイントとを算出する。
オッズ算出部２３０３は、列車コード、算出した列車ポイント及び車両ポイントとからなるポイント情報全てをポイント情報記憶部２３０９へ書き込む。このとき、ポイント情報記憶部２３０９に書かれていた内容は、上書きされる。
【０２７７】
オッズ算出部２３０３は、ポイント情報記憶部２３０９に書き込んだ全ポイント情報と表示指示命令とを、送受信部２３０７を介して情報表示装置２０４０、・・・、２０４１へ送信する。
オッズ算出部２３０３は、携帯端末２０６０より送受信部２３０７を介して、ポイント情報記憶部２３０９にて記憶している全ポイント情報の送付を要求するポイント情報要求命令を受け取ると、ポイント情報記憶部２３０９より、記憶している全ポイント情報を読み出し、更新日時記憶部２３１０より更新日時を読み出し、さらに、秘密鍵記憶部２３１１より秘密鍵を読み出す。オッズ算出部２３０３は、読み出した秘密鍵を用いて、全ポイント情報及び更新日時に対して、デジタル署名を施し、署名データを生成し、生成した署名データ、読み出した全ポイント情報及び更新日時と、ポイント情報応答命令とを、送受信部２３０７を介して携帯端末２０６０へ送信する。
【０２７８】
（無線部２３０６）
無線部２３０６は、アンテナ部２３０８より電力信号を受け取り、受け取った電力信号を復調し、復調した信号からパルス信号波を抽出する。抽出したパルス信号波を解読して、情報を抽出する。
抽出する情報には、列車コード、列車換算情報及び車両換算情報が含まれる。
【０２７９】
また、無線部２３０６は、オッズ算出部２３０３より収集命令と列車コードとを受け取ると、受け取った収集命令及び列車コードに基づいて、パルス信号波を生成し、生成したパルス信号波を変調記号として、変調記号に基づいて、搬送波の振幅を変化させ、振幅の変化した搬送波をアンテナ部２３０８へ出力する。
（送受信部２３０７）
送受信部２３０７は、携帯端末２０６０よりインターネットを介して、ポイント情報要求命令を受信すると、受信したポイント情報要求命令をオッズ算出部２３０３へ出力する。
【０２８０】
また、送受信部２３０７は、表示指示命令と、ポイント情報記憶部２３０９へ書き込んだ全ポイント情報をオッズ算出部２３０３より受け取ると、受け取った命令及び情報を情報表示装置２０４０、・・・、２０４１へインターネットを介して送信する。
送受信部２３０７は、オッズ算出部２３０３より、署名データ、読み出した全ポイント情報及び更新日時と、ポイント情報応答命令とを受け取ると、受け取った命令と情報とを携帯端末２０６０へインターネットを介して送信する。
【０２８１】
（アンテナ部２３０８）
アンテナ部２３０８は、上記実施の形態にて示すアンテナ部３０８と同様であるため、説明は省略する。
＜情報表示装置２０４０の構成＞
情報表示装置２０４０、・・・、２０４１の構成は、上記ポイント配布システム１０００にて示した情報表示装置１０４０と同様であるため、説明は省略する。
【０２８２】
＜記録媒体２０５０の構成＞
記録媒体２０５０は、耐タンパ性を有しており、図４３に示すように、情報記憶部２５００から構成され、情報記憶部２５００は、ポイント記憶部２５０１、利用情報記憶部２５０２及び利用日時記憶部２５０３を有している。
記録媒体２０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体２０５０は、その機能を達成する。
【０２８３】
（ポイント記憶部２５０１）
ポイント記憶部２５０１は、車両装置２０２０、・・・、２０２７により配布されたポイントを累積した合計ポイントを記憶する領域を有している。
（利用情報記憶部２５０２）
利用情報記憶部２５０２は、管理装置２０３０より取得した全ポイント情報と、更新日時と、署名データとを記憶する領域を有している。
【０２８４】
（利用日時記憶部２５０３）
利用日時記憶部２５０３は、列車を利用した最新の日時、つまりポイントを累積した最新の日時を記憶する領域を有している。
＜携帯端末２０６０の構成＞
携帯端末２０６０は、図４４に示すように、制御部２６０１、入力部２６０２、表示部２６０３、第１無線部２６０４、入出力部２６０５、第１アンテナ部２６０６、第２無線部２６０７及び第２アンテナ部２６０８から構成されている。
【０２８５】
携帯端末２０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末２０６０は、その機能を達成する。
【０２８６】
（制御部２６０１）
制御部２６０１は、車両装置２０２０より受信した列車ポイント及び車両ポイントを記録媒体２０５０へ書き込むか否かを判断するための基準となる基準時間を予め記憶している。
制御部２６０１は、入力部２６０２よりポイント情報を要求する指示を受け取ると、ポイント情報要求命令を、第１無線部２６０４を介して管理装置２０３０へ送信する。
【０２８７】
制御部２６０１は、第１無線部２６０４を介して管理装置２０３０より、管理装置２０３０が記憶している全ポイント情報、更新日時、署名データ及びポイント情報応答命令を受信すると、受信した全ポイント情報、更新日時及び署名データを、入出力部２６０５を介して、記録媒体２０５０の利用情報記憶部２５０２へ書き込む。このとき、利用情報記憶部２５０２にて記憶している内容は上書きされる。
【０２８８】
制御部２６０１は、入力部２６０２よりポイント配布の要求指示を受け取ると、記録媒体２０５０より入出力部２６０５を介して、利用情報記憶部２５０２にて記憶している全ポイント情報、更新日時及び署名データを読み出し、読み出した全ポイント情報、更新日時及び署名データと、要求命令とを、第２無線部２６０７を介して車両装置２０２０へ送信する。制御部２６０１は、車両装置２０２０より第２無線部２６０７を介して、命令と情報とからなる組を受信すると、受信した命令が、ポイント送付命令であるか否かを判断する。
【０２８９】
制御部２６０１は、判断結果が肯定的である場合、つまりポイント送付命令、車両装置２０２０にて取得した日時、と列車ポイント及び車両ポイントを受信したと判断する場合には、受信した日時と、利用日時記憶部２５０３にて記憶している日時とを比較して、基準期間内であるか否かを判断する。基準期間内であると判断する場合には、受信した各ポイント、日時及びポイント送付命令を破棄し、基準期間内でないと判断する場合には、記録媒体２０５０のポイント記憶部２５０１にて記憶している合計ポイントに、受信した各ポイントを累積することにより、合計ポイントを更新する。さらに、制御部２６０１は、利用日時記憶部２５０３にて記憶している日時から受信した日時へと更新する。これにより、利用日時記憶部２５０３にて記憶される日時は、列車を利用した最新の日時となる。
【０２９０】
制御部２６０１は、受信した命令がポイント送付命令でないと判断する場合、つまりエラー情報送付命令及びエラー情報を受信したと判断する場合には、受信したポイントエラー情報を表示部２６０３へ出力する。
制御部２６０１は、利用情報記憶部２５０２に記憶している内容を消去する。
（入力部２６０２）
入力部２６０２は、利用者よりポイント情報を要求する指示を受け取ると、受け付けた指示を制御部２６０１へ出力する。
【０２９１】
入力部２６０２は、利用者よりポイント配布の要求指示を受け取ると、受け付けた指示を制御部２６０１へ出力する。
（表示部２６０３）
表示部２６０３は、制御部１６０１よりポイント情報を受け取ると、受け取ったポイント情報を表示する。
【０２９２】
表示部２６０３は、制御部２６０１より、エラー情報を受け取ると、車両装置２０２０へ送信した情報が不正である旨を示すエラーメッセージを表示する。
（第１無線部２６０４）
第１無線部２６０４は、第１アンテナ部２６０６より電力信号を受け取り、受け取った電力信号を復調し、復調した信号からパルス信号波を抽出する。抽出したパルス信号波を解読して、命令及び情報を抽出し、抽出した命令及び情報を制御部２６０１へ出力する。
【０２９３】
抽出する命令には、ポイント情報応答命令が含まれる。
第１無線部２６０４は、ポイント情報応答命令を抽出すると、さらに、全ポイント情報及び更新日時と、署名データとを抽出する。
第１無線部２６０４は、制御部２６０１よりポイント情報要求命令を受け取ると、受け取ったポイント情報要求命令に基づいて、パルス信号波を生成し、生成したパルス信号波を変調記号として、変調記号に基づいて、搬送波の振幅を変化させ、振幅の変化した搬送波を第１アンテナ部２６０６へ出力する。
【０２９４】
（第２無線部２６０７）
第２無線部２６０４は、第２アンテナ部２６０８より電力信号を受け取り、受け取った電力信号を復調し、復調した信号からパルス信号波を抽出する。抽出したパルス信号波を解読して、命令及び情報を抽出し、抽出した命令及び情報を制御部２６０１へ出力する。
抽出する命令には、ポイント送付命令及びエラー情報送付命令が含まれる。
【０２９５】
第２無線部２６０７は、抽出した命令がポイント送付命令である場合に、さらに、列車ポイント、車両ポイント及び日時を抽出する。第２無線部２６０７は、抽出した命令がエラー情報送付命令である場合に、さらに、エラー情報を抽出する。
第２無線部２６０７は、制御部２６０１から、記録媒体２０５０より読み出された全ポイント情報、更新日時及び署名データと、要求命令とを受け取ると、受け取った全ポイント情報、更新日時及び署名データと、要求命令とに基づいて、パルス信号波を生成し、生成したパルス信号波を変調記号として、変調記号に基づいて、搬送波の振幅を変化させ、振幅の変化した搬送波を第２アンテナ部２６０８へ出力する。
【０２９６】
（入出力部２６０５）
入出力部２６０５は、制御部２６０１と記録媒体２０５０との間において、情報の入出力を行う。
（第１アンテナ部２６０６及び第２アンテナ部２６０８）
第１アンテナ部２６０６は、第１無線部２６０４より振幅の変化した搬送波を受け取ると、受け取った振幅の変化した搬送波を電波として空間に放射する。
【０２９７】
また、第１アンテナ部２６０６は、電波を受信し、受信した電波を電力信号に変換して、電力信号を第１無線部２６０４へ出力する。
第２アンテナ部２６０８は、第２無線部２６０７より振幅の変化した搬送波を受け取ると、受け取った振幅の変化した搬送波を電波として空間に放射する。
また、第２アンテナ部２６０８は、電波を受信し、受信した電波を電力信号に変換して、電力信号を第２無線部２６０７へ出力する。
【０２９８】
＜情報収集処理の動作＞
ここでは、オッズ算出時に、管理装置２０３０と情報の収集対象となる各収集装置との間で行われる情報収集処理について、図３５に示す流れ図と異なる点のみを説明する。
オッズ算出部２３０３は、図３５に示すステップＳ１０００からステップＳ１０２０を実行後、列車コード、算出した列車ポイント及び車両ポイントとからなる全てのポイント情報をポイント情報記憶部２３０９へ書き込み、書き込んだ全ポイント情報と表示指示命令とを情報表示装置２０４０、・・・、２０４１へ送信する。
【０２９９】
＜ポイント情報の送受信に係る処理＞
ここでは、携帯端末２０６０と管理装置２０３０との間で行われる全ポイント情報、署名データ及び更新日時の送受信に係る処理について、図４５にて示す流れ図を用いて説明する。
携帯端末２０６０の制御部２６０１は、入力部２６０２よりポイント情報を要求する指示を受け取ると、ポイント情報要求命令を、第１無線部２６０４を介して管理装置２０３０へ送信する（ステップＳ２０００）。管理装置２０３０のオッズ算出部２３０３は、携帯端末２０６０より送受信部２３０７を介して、ポイント情報要求命令を受け取ると（ステップＳ２００５）、ポイント情報記憶部２３０９より、記憶している全ポイント情報を読み出し、更新日時記憶部２３１０より更新日時を読み出し、さらに、秘密鍵記憶部２３１１より秘密鍵を読み出す。オッズ算出部２３０３は、読み出した秘密鍵を用いて、全ポイント情報及び更新日時に対して、デジタル署名を施し、署名データを生成する（ステップＳ２０１０）。
【０３００】
オッズ算出部２３０３は、生成した署名データ、読み出した全ポイント情報及び更新日時と、ポイント情報応答命令とを、送受信部２３０７を介して携帯端末２０６０へ送信する（ステップＳ２０１５）。
制御部２６０１は、第１無線部２６０４を介して管理装置２０３０より、全ポイント情報、更新日時、署名データ及びポイント情報応答命令を受信すると、受信した全ポイント情報、更新日時及び署名データを、入出力部２６０５を介して、記録媒体２０５０の利用情報記憶部２５０２へ書き込む（ステップＳ２０２０）。
【０３０１】
＜ポイントの配布に係る処理＞
ここでは、携帯端末２０６０と車両装置２０２０との間で行われる列車ポイント及び車両ポイントの配布に係る処理について、図４６にて示す流れ図を用いて説明する。
携帯端末２０６０の制御部２６０１は、入力部２６０２よりポイント配布の要求指示を受け取ると、記録媒体２０５０より入出力部２６０５を介して、利用情報記憶部２５０２にて記憶している全ポイント情報、更新日時及び署名データを読み出し、読み出した全ポイント情報、更新日時及び署名データと、要求命令とを、第２無線部２６０７を介して車両装置２０２０へ送信する（ステップＳ２０５０）。
【０３０２】
車両装置２０２０の配布部２２０４は、携帯端末２０６０より無線部２２０７を介して、要求命令と、携帯端末２０６０が記憶している全ポイント情報と、更新日時と署名データとを受信すると、後述するポイント配布処理を行い、その処理結果である情報と命令を携帯端末２０６０へ送信する（ステップＳ２０５５）。
携帯端末２０６０は、車両装置より、ポイント配布処理の処理結果である情報と命令を受信すると、受信した情報及び命令を用いて、後述するポイント書込処理を行う（ステップＳ２０６０）。
【０３０３】
＜ポイント配布処理の動作＞
ここでは、図４６にて示したポイント配布処理の動作について、図４７に示す流れ図を用いて説明する。
車両装置２０２０の配布部２２０４は、携帯端末２０６０より無線部２２０７を介して、要求命令と、携帯端末２０６０が記憶している全ポイント情報と、更新日時と署名データとを受信すると（ステップＳ２１００）、公開鍵記憶部２２１２より公開鍵を読み出し、読み出した公開鍵と、全ポイント情報と、更新日時と署名データとを用いて、署名検証を行う（ステップＳ２１０５）。
【０３０４】
配布部２２０４は、署名検証にて、正当な全ポイント情報及び更新日時であると判断する場合には（ステップＳ２１０５における「ＯＫ」）、受信した更新日時と、更新日時記憶部２２１１にて記憶している更新日時とを比較して、一致するか否かを判断する（ステップＳ２１１０）。
更新日時が一致すると判断する場合には（ステップＳ２１１０における「ＹＥＳ」）、配布部２２０４は、受信した全ポイント情報が最新のものであるとみなし、車両コード記憶部２２００にて記憶している車両コードに含まれる列車コードと一致する列車コードを含むポイント情報を、受信した全ポイント情報より抽出する。配布部２２０４は、さらに、抽出したポイント情報より列車ポイントと、当該車両装置２０２０が備えられた車両に対応する車両ポイントとを取得し、時計部２２０６より現在の日時を取得する（ステップＳ２１１５）。配布部２２０４は、取得した日時、列車ポイント及び車両ポイントと、ポイント送付命令とを無線部２２０７を介して、携帯端末２０６０へ送信する（ステップＳ２１２０）。
【０３０５】
署名検証により、受信した利用情報が正当な利用情報でないと識別した場合（ステップＳ２１０５における「ＮＧ」）、及び更新日時が一致しないと判断する場合には（ステップＳ２１１０における「ＮＯ」）、配布部２２０４は、エラー情報を生成し、生成したエラー情報とエラー情報送付命令とを、無線部２２０７を介して携帯端末２０６０へ送信する（ステップＳ２１２５）。
【０３０６】
＜ポイント書込処理の動作＞
ここでは、図４６にて示したポイント書込処理の動作について、図４８に示す流れ図を用いて説明する。
携帯端末２０６０の制御部２６０１は、車両装置２０２０より第２無線部２６０７を介して、命令と情報とからなる組を受信すると（ステップＳ２１５０）、受信した命令が、ポイント送付命令であるか否かを判断する（ステップＳ２１５５）。
【０３０７】
制御部２６０１は、判断結果が肯定的である場合、つまりポイント送付命令、車両装置２０２０にて取得した日時、と列車ポイント及び車両ポイントを受信したと判断する場合には（ステップＳ２１５５における「ＹＥＳ」）、受信した日時と、利用日時記憶部２５０３にて記憶している日時とを比較して、基準期間内であるか否かを判断する（ステップＳ２１６０）。
【０３０８】
基準期間内でないと判断する場合には（ステップＳ２１６０における「ＮＯ」）、記録媒体２０５０のポイント記憶部２５０１にて記憶している合計ポイントに、受信した各ポイントを累積することにより、合計ポイントを更新し、さらに、利用日時記憶部２５０３にて記憶している日時から受信した日時へと更新し（ステップＳ２１６５）、利用情報記憶部２５０２に記憶している内容を消去する（ステップＳ２１７５）。
【０３０９】
基準期間内であると判断する場合には（ステップＳ２１６０における「ＹＥＳ」）、受信した各情報及び命令を破棄し、利用情報記憶部２５０２に記憶している内容を消去する（ステップＳ２１７５）。
制御部２６０１は、受信した命令がポイント送付命令でないと判断する場合、つまりエラー情報送付命令及びエラー情報を受信したと判断する場合には（ステップＳ２１５５における「ＮＯ」）、受信したポイントエラー情報を表示部２６０３へ出力する。表示部２６０３は、制御部２６０１よりエラー情報を受け取ると、エラーメッセージを表示し（ステップＳ２１７０）、制御部２６０１は、利用情報記憶部２５０２に記憶している内容を消去する（ステップＳ２１７５）。
【０３１０】
１．２２  変形例
上記に説明した実施の形態は、本発明の実施の一例であり、本発明はこの実施の形態に何ら限定されるものではなく、その旨を逸脱しない範囲において種々なる態様で実施し得るものである。以下のような場合も本発明に含まれる。
（１）車両装置２０の計測部２０３において、車両換算人数を取得する際に、計測重量を計測する代わりに、車両のドア付近に車両への乗車する人及び車両からの降車する人をそれぞれ検知する人感センサを設けて、車両換算人数を取得してもよい。計測部２０３は、最新の車両換算人数を記憶しておく。
【０３１１】
（２）上記（１）において、車両乗車人数をカウントする場合には、上記の実施の形態にて示した方法でもよいし、人感センサにより検知した乗車人数を車両乗車人数として、乗車人数記憶部２０２に記憶してもよい。
なお、人感センサにより検知した乗車人数を車両乗車人数とする場合には、携帯端末と車両装置との間では、利用情報及び署名データからなる組と、利用情報配布命令のやりとりのみを行い、他の情報及び命令のやりとりは行わない。
【０３１２】
（３）上記（２）において、人感センサにより検知した乗車人数を車両乗車人数とする場合に、収集装置が車両乗車情報を各車両装置より収集し、管理装置３０へ送信するタイミングは、上記実施の形態にて示すタイミングでもよいし、以下に示すタイミングでもよい。
管理装置３０は、オッズの算出日時と判断する場合に、現在の日時を取得するとともに、情報の収集対象となる全列車コードを取得する。なお、以下の説明では、収集対象となる列車コードに対応する列車は、列車２ａ、・・・、２ｂとする。
【０３１３】
管理装置３０は、収集装置１０へ収集命令及び列車コードを送信する。
収集装置１０は、管理装置３０より収集命令及び列車コードを受信すると、受信した列車コードが記憶している列車コードを一致する場合に、先ず、車両装置２０へ計測命令を送信する。車両装置２０は、計測命令を収集装置１０より受け取ると、記憶している最新の車両換算人数と車両コードとを用いて、車両換算情報を生成し、さらに、乗車人数記憶部２０２に記憶している乗車人数と車両コードとを用いて、車両乗車情報を生成し、生成した車両換算情報と車両乗車情報とを収集装置１０へ送信する。
【０３１４】
なお、収集装置１０は、上記の動作を車両装置２１、・・・、２３に対して順次行い、車両装置２１、・・・、２３は、車両装置２０と同様の動作を行う。
収集装置１０は、列車コードと、各車両装置より受け取った各車両換算情報及び各車両乗車情報とを用いて、列車換算情報及び列車乗車情報を生成する。収集装置１０は、先ず、列車コード、列車換算情報及び各車両換算情報を管理装置３０へ、無線にて送信する。このとき、収集装置１０は、生成した列車乗車情報及び収集した車両乗車情報は一時的に記憶しておく。
【０３１５】
管理装置３０は、列車コード、列車換算情報及び各車両換算情報を受信すると、受信した列車コード、列車換算情報及び各車両換算情報を一時的に記憶し、さらに、収集装置１０へ、通知命令及び列車コードを無線にて送信する。
収集装置１０は、管理装置３０より通知命令及び列車コードを受信すると、一時的に記憶している列車乗車情報及び各車両乗車情報と、列車コードとを管理装置３０へ送信する。
【０３１６】
管理装置３０は、列車２ａ、・・・、２ｂに備えられた収集装置１０、・・・、１１より、列車換算情報、車両換算情報、列車乗車情報及び各車両乗車情報を全て受信すると、オッズの算出、算出したオッズの書き込み、表示情報を情報表示装置へ送信、ポイントの確定及び確定したポイントの書き込みを行う。
ここで、情報収集時の処理の流れについて、図１３を用いて、変更点のみ説明する。管理装置３０は、ステップＳ１０にて日時の取得後、ステップＳ１５〜ステップＳ２５を実行する代わりに、オッズ算出及びポイント確定の処理を行う。
【０３１７】
ここで、オッズ算出及びポイント確定の処理の流れについて、図１４及び図１７を用いて、変更点のみ説明する。管理装置３０は、ステップＳ２１０を実行後、図１４にて示すステップＳ５５、及びステップＳ６０を実行し、ステップＳ２１５を実行する。管理装置３０は、ステップＳ２２５を実行後、図１４にて示すステップＳ７０、及びステップＳ７５を実行して処理を終了する。
【０３１８】
（４）上記実施の形態では、各列車に収集装置を設けたが、これに限定されない。各列車に収集装置を設けないで、各車両装置２０、・・・、２７に、管理装置３０と無線通信を行うために無線部とアンテナ部とを設けてもよい。
管理装置３０は、オッズ算出時において、情報収集の対象となる全列車コードを抽出する。なお、以下の説明では、収集対象となる列車コードに対応する列車は、列車２ａ、・・・、２ｂとする。
【０３１９】
管理装置３０は、車両装置２０へ収集命令及び列車コードを送信する。
車両装置２０は、管理装置３０より収集命令及び列車コードを受信すると、受信した列車コードが記憶している車両コードに含まれる列車コードを一致する場合に、車両換算人数を取得し、取得した車両換算人数と車両コードとからなる車両換算情報を生成し、生成した車両換算情報と列車コードとを管理装置３０へ送信する。
【０３２０】
管理装置３０は、車両装置２０より車両換算情報と列車コードとを受信すると、受信した車両換算情報と列車コードとを一時的に記憶する。
なお、管理装置３０は、上記の動作を車両装置２１、・・・、２３に対して順次行い、車両装置２１、・・・、２３は、車両装置２０と同様の動作を行う。
管理装置３０は、各車両装置より受け取った列車コードごとに、その列車コードに対応する各車両換算情報を用いて列車換算情報を生成する。
【０３２１】
管理装置３０は、列車換算情報及び各車両換算情報を用いて、オッズを算出し、算出したオッズをオッズ情報テーブルＴ１１０へ書き込む。
管理装置３０は、ポイント確定時において、情報収集の対象となる全列車コードを抽出する。なお、以下の説明では、収集対象となる列車コードに対応する列車は、列車２ａ、・・・、２ｂとする。
【０３２２】
管理装置３０は、車両装置２０へ通知命令及び列車コードを送信する。
車両装置２０は、管理装置３０より通知命令及び列車コードを受信すると、受信した列車コードが記憶している車両コードに含まれる列車コードを一致する場合に、車両乗車人数を取得し、取得した車両乗車人数と車両コードとからなる車両乗車情報を生成し、生成した車両乗車情報と列車コードとを管理装置３０へ送信する。
【０３２３】
管理装置３０は、車両装置２０より車両乗車情報と列車コードとを受信すると、受信した車両乗車情報と列車コードとを一時的に記憶する。
なお、管理装置３０は、上記の動作を車両装置２１、・・・、２３に対して順次行い、車両装置２１、・・・、２３は、車両装置２０と同様の動作を行う。
管理装置３０は、各車両装置より受け取った列車コードごとに、その列車コードに対応する各車両乗車情報を用いて列車乗車情報を生成する。
【０３２４】
管理装置３０は、列車乗車情報及び各車両乗車情報を用いて、利用者に割り当てる列車ポイント及び各車両ポイントを確定し、確定した各ポイントをポイントテーブルＴ１１１へ書き込む。
（５）上記実施の形態では、管理装置３０にて、情報を収集する日時の監視を行ったが、これに限定されない。
【０３２５】
収集装置１０、・・・、１１にて、日時を計時する時計部を設けて、管理装置３０へ情報を送信する日時であるか否かを監視してもよい。
収集装置１０、・・・、１１及び管理装置３０の動作について、以下に説明するが、収集装置１０、・・・、１１は同様の動作を行うため、ここでは、収集装置１０及び管理装置３０を用いて説明する。
【０３２６】
収集装置１０は、管理装置３０へ情報を送信する日時であると判断する場合に、車両装置２０、２１、２２、２３それぞれから、車両換算情報を収集する。収集装置１０は、収集した各車両換算情報を用いて、列車換算情報を生成し、生成した列車換算情報、収集した各車両換算情報と列車コードとを管理装置３０へ送信する。
管理装置３０は、各収集装置１０、・・・、１１より列車換算情報、各車両換算情報と列車コードとを受信すると、受信した全列車コードのうち、時刻表を用いて、現在運行中の列車の列車コード及び所定時間内に運行を開始する列車の列車コードの何れかに対応する列車コードと、その列車コードに対応する列車換算情報及び各車両換算情報を抽出する。管理装置３０は、抽出した列車コード、列車換算情報及び各車両換算情報を用いて、オッズを算出する。
【０３２７】
収集装置１０は、情報の収集が２回目以上であると判断する場合には、車両装置２０、２１、２２、２３それぞれから、車両乗車情報を収集する。収集装置１０は、収集した各車両乗車情報を用いて、列車乗車情報を生成し、生成した列車乗車情報、収集した各車両乗車情報と列車コードとを管理装置３０へ送信する。
管理装置３０は、各収集装置１０、・・・、１１より列車乗車情報、各車両乗車情報と列車コードとを受信すると、受信した全列車コードのうち、前回の情報収集時にオッズを算出した各列車コードの何れかに対応する列車コードと、その列車コードに対応する列車乗車情報及び各車両乗車情報を抽出する。管理装置３０は、抽出した列車コード、列車乗車情報及び各車両乗車情報を用いて、利用者に割り当てる列車ポイント及び各車両ポイントを確定する。
【０３２８】
または、管理装置３０へ情報を送信する日時であるか否かを監視を車両装置２０、２１、２２、２３、・・・、２４、２５、２６、２７にて行ってもよい。
このとき、各車両装置は、管理装置３０へ情報を送信する日時であると判断する場合に、車両換算情報をそれぞれ生成する。各車両装置は、生成した車両換算情報を接続された各収集装置へそれぞれ送信する。
【０３２９】
各収集装置は、接続された各車両装置より車両換算情報をそれぞれ受信すると、受信した各車両換算情報を用いて、列車換算情報を生成し、生成した列車換算情報、受信した各車両換算情報と列車コードとを管理装置３０へ送信する。
各車両装置は、情報の収集が２回目以上であると判断する場合には、車両乗車情報を生成し、生成した車両乗車情報を接続された各収集装置へそれぞれ送信する。
【０３３０】
各収集装置は、接続された各車両装置より車両乗車情報をそれぞれ受信すると、受信した各車両乗車情報を用いて、列車乗車情報を生成し、生成した列車乗車情報、受信した各車両乗車情報と列車コードとを管理装置３０へ送信する。
（６）上記実施の形態では、管理装置を１台としたが、各駅に管理装置を備えてもよい。または、管理装置と情報表示装置とを１つの装置として、各駅に備えてもよい。
【０３３１】
（７）上記実施の形態にて示す情報表示装置４０、・・・、４１に、携帯端末６０へ表示情報を無線にて送信するための無線部とアンテナ部とを設けてもよい。
このとき、携帯端末６０は、情報表示装置より表示情報を受信する場合には、インターネットを介して受信するようにしてもよいし、携帯端末６０と情報表示装置との間で、直接無線通信により受信するようにしてもよい。
【０３３２】
（８）上記実施の形態では、合計ポイントを記録媒体５０にて記憶し、管理したが、これに限定されない。
管理装置３０に、端末識別子と対応付けられた記憶領域を有する管理記憶部を備えて、携帯端末ごとに合計ポイントを記憶し、管理してもよい。
このとき、携帯端末６０は、管理装置３０へ送信する命令及び情報として、要求命令、利用情報及び署名データに加えて、端末識別子を送信する。
【０３３３】
管理装置３０は、実施の形態と同様の動作にて、列車ポイント及び車両ポイントを読み出した場合には、受信した端末識別子と対応付けられた記憶領域へ、読み出した各ポイントを累積することにより、合計ポイントを更新する。管理装置３０は、合計ポイントの更新後、合計ポイントの更新が完了した旨の更新完了命令を携帯端末６０へ送信する。また、実施の形態と同様の動作にて、ポイント不在情報を生成した場合には、ポイント不在情報及び不在情報送付命令を携帯端末６０へ送信し、エラー情報を生成した場合には、エラー情報及びエラー情報送付命令を携帯端末６０へ送信する。
【０３３４】
携帯端末６０は、管理装置３０より受信した命令が、更新完了命令であるか否かを判断し、更新完了命令を受信したと判断するには、未送信の利用情報が存在するか否かを判断し、存在する場合には、未送信の利用情報及び署名データと、要求命令と端末識別子とを管理装置３０へ送信する。携帯端末６０は、更新完了命令を受信していないと判断する場合には、受信した命令がエラー情報送付命令であるか否かを判断し、エラー情報送付命令を受信したと判断する場合には、携帯端末６０は、エラー情報送付命令とともに受信したエラー情報を用いてエラーメッセージを表示する。エラー情報送付命令を受信していないと判断する場合、つまり、ポイント不在情報及び不在情報送付命令を受信したと判断する場合には、携帯端末６０は、受信したポイント不在情報を用いてポイント不在メッセージを表示する。
【０３３５】
（９）上記実施の形態では、車両換算情報の生成及び送信と、利用情報の配布とを１つの車両装置で行ったが、これに限定されない。車両装置を、車両換算情報の生成及び送信を行う装置と、利用情報の配布を行う装置とに分けてもよい。
（１０）上記実施の形態では、記録媒体５０と携帯端末６０とをそれぞれ個別の構成としたが、これに限定されない。
【０３３６】
携帯端末を、上記に示す記録媒体５０と携帯端末６０とからなる端末としてもよい。これは、携帯端末６０に、情報記憶部５００と同様の構成からなり、耐タンパ性を有する記憶部を設けることで、実現できる。
（１１）列車オッズの算出を以下のようにしてもよい。
オッズ算出部３０３は、一時的に記憶している全ての列車換算人数に対して、それぞれに「１」以上である所定の数値（例えば、「１」）を加算し、加算した各結果を用いて、比を算出し、取得する。取得した比を逆数にし、逆数にした比が、それぞれ整数となるように、各分母の最小公倍数を乗算し、乗算した結果を各列車に対する列車オッズとする。ポイントの確定については、上記実施の形態と同様である。
【０３３７】
一時的に記憶している全ての列車換算人数に所定の数値を加算することにより列車換算人数が「０」であるものがなくなり、この場合においても、算出される列車オッズは、混雑度が低いほど高くなる。
なお、この算出方法を、車両換算人数を用いた車両オッズの算出に適用してもよい。
（１２）列車オッズ及び列車ポイントの算出を以下のようにしてもよい。
【０３３８】
オッズ算出部３０３は、一時的に記憶している全ての列車換算人数のうち列車換算人数が「１」以上のもののみで、比を算出し、取得する。次に、取得した比を逆数にし、逆数にした比が、それぞれ整数となるように、各分母の最小公倍数を乗算し、乗算した結果を各列車に対する列車オッズとする。列車換算人数が「０」であるものについては、列車オッズを「０」とする。これにより、各列車の列車オッズが算出されることになる。
【０３３９】
オッズ算出部３０３は、列車オッズが「０」でない各列車コードにて、列車コードに対応する列車オッズに列車乗車人数を乗算し、各乗算結果を加算する。予め記憶している列車基準ポイントを、加算した結果で割り算を行い、その商を算出する。なお、小数点第１位を四捨五入する。さらに、算出した商に、各列車オッズをそれぞれ乗算して、乗算した各結果を、各列車オッズに対応する列車ポイントとする。列車オッズが「０」である列車コードに対しては、列車基準ポイント（１０００ポイント）を列車乗車人数で割り算を行い、商を算出して、その商を列車ポイントとする。なお、小数点第１位を四捨五入する。
【０３４０】
なお、この算出方法を、車両換算人数を用いた車両オッズの算出に適用してもよい。
（１３）ポイント配布システム１０００において、上記（１２）にて示す方法にて列車オッズを算出後、列車ポイントの算出を以下のようにしてもよい。
オッズ算出部１３０３は、列車オッズが「０」である列車オッズを除く各列車オッズを加算し、列車基準ポイントを加算した結果で割り算を行い、商を算出する。なお、小数点第１位を四捨五入する。次に、オッズ算出部１３０３は、算出した商を、各列車オッズに乗算することにより、列車ポイントを算出する。列車オッズが「０」である場合には、その列車オッズに対する列車ポイントは、列車基準ポイントとする。
【０３４１】
なお、この算出方法を、車両オッズを用いた車両ポイントの算出に適用してもよい。
また、上記の算出方法を、ポイント配布システム１０００において、上記（１２）にて示す方法にて列車オッズ及び車両オッズを算出して、列車ポイント及び車両ポイントを算出する際に用いてもよい。
（１４）上記実施の形態において、携帯端末６０は、受信した利用情報に含まれる日時と、記録媒体５０の利用日時記憶部５０３にて記憶している日時とを比較して、基準時間内であると判断する場合には、受信した利用情報及び署名データを破棄したが、これに限定されない。
【０３４２】
携帯端末６０は、以下のような動作を行ってもよい。
携帯端末６０は、基準時間内であると判断する場合には、さらに、受信した利用情報に含まれる車両コードと、利用情報記憶部５０２にて記憶している利用情報のうち利用日時記憶部５０３にて記憶している日時に対応する利用情報に含まれる車両コードとを用いて、各車両コードに含まれる列車コードが一致するか否かを判断する。一致すると判断する場合には、受信した利用情報及び署名データを破棄し、一致しないと判断する場合には、受信した利用情報及び署名データと、削除フラグ「０」とを、利用情報記憶部５０２へ書き込み、さらに、利用日時記憶部５０３にて記憶している日時から受信した利用情報に含まれる日時へと更新する。
【０３４３】
（１５）ポイント配布システム１０００において、利用日時記憶部１５０３は、列車を利用した最新の日時と、利用した列車の車両を示す車両コードとを対応付けて記憶してもよい。
このとき、携帯端末１０６０は、利用者が利用した車両装置より列車ポイント、車両ポイント、日時及びポイント送付命令に加えて、車両コードをも受信する。携帯端末１０６０は、受信した日時と、記録媒体１０５０の利用日時記憶部５０３にて記憶している日時とを比較して、基準時間内であるか否かを判断する。
【０３４４】
基準時間内であると判断する場合には、さらに、利用日時記憶部５０３にて記憶している日時と対応付けて記憶している車両コードと、受信した車両コードとを用いて、各車両コードに含まれる列車コードが一致するか否かを判断する。一致すると判断する場合には、受信した利用情報及び署名データを破棄する。
基準時間内でないと判断する場合、及び各車両コードに含まれる列車コードが一致しないと判断する場合には、記録媒体１０５０のポイント記憶部１５０１にて記憶している合計ポイントに、受信した各ポイントを累積することにより、合計ポイントを更新し、利用日時記憶部１５０３にて記憶している日時及び車両コードから受信した日時及び車両コードへと更新する。
【０３４５】
また、ポイント配布システム２０００においても上記と同様にしてもよい。
（１６）ポイント配布システム１において、利用情報に対する署名データを生成したが、利用情報に含まれる車両コードのみに対して、デジタル署名を施し、署名データを生成してもよい。
また、ポイント配布システム２０００において、全ポイント情報及び更新日時に対する署名データを生成したが、全ポイント情報に対して、デジタル署名を施し、署名データを生成してもよい。
【０３４６】
（１７）上記実施の形態において、管理装置３０は、携帯端末６０より検索命令及び検索情報を受信し、受信した検索情報を満たすオッズの情報のみを携帯端末６０へ送信したが、これに限定されない。管理装置３０は、携帯端末６０より検索命令のみを受信し、最近に算出した全てのオッズの情報を取得し、取得した全てのオッズの情報とオッズ送信命令を送信してもよい。なお、携帯端末６０では、受信した全てのオッズの情報を表示する。
【０３４７】
また、情報表示装置４０において、受信した全ての表示情報を表示してもよい。
（１８）上記実施の形態において、列車毎に、その列車における車両の車両換算情報を用いて車両オッズを算出し、算出したオッズに基づいて車両ポイントを算出したが、これに限定されない。各収集装置より収集した全ての車両の車両換算情報を用いて、車両オッズを算出し、算出したオッズに基づいて車両ポイントを算出してもよい。
【０３４８】
（１９）ポイント配布システム１０００にて示すポイントの確定方法を、ポイント配布システム１に適用してもよい。
（２０）上記実施の形態では、複数の車両及び複数の列車の各混雑度を比較することにより、オッズ算出し、オッズに基づいたポイントを算出したが、これに限定されない。
他の車両の混雑度と比較することなく、１の車両に対して、当該車両の混雑度に応じたポイントを算出してもよい。
【０３４９】
この場合におけるポイントの算出の一例を以下に示す。
管理装置は、車両換算人数の範囲と、その範囲に対応するポイントとからなる組を複数個記憶している車両ポイントテーブルを予め記憶している。
テーブルは、例えば、車両換算人数「１０１名〜」に対しては、ポイント「１」を対応付け、車両換算人数「８１名〜１００名」に対しては、ポイント「１０」を対応付けている。以下、「６１名〜９０名」に対しては、ポイント「２０」を、「４１名〜６０名」に対しては、ポイント「３０」を、「２１名〜４０名」に対しては、ポイント「４０」を、「０名〜２０名」に対しては、ポイント「５０」を、それぞれ対応付けている。
【０３５０】
管理装置は、列車より収集した車両換算情報に含まれる車両換算人数に基づいて、記憶している車両ポイントテーブルより車両に対するポイントを取得することにより、算出する。
これにより、１の車両に対して、当該車両の混雑度に応じて、ポイントを算出することができる。
【０３５１】
また、列車に対しても同様に、他の列車の混雑度と比較することなく、１の列車に対して、当該列車の混雑度に応じたポイントを算出してもよい。
この場合も、上記と同様に、管理装置は、列車換算人数の範囲と、その範囲に対応するポイントとからなる組を複数個記憶しているテーブルとを予め記憶することで、実現できる。
【０３５２】
（２１）上記実施の形態及び上記変形例をそれぞれ組み合わせるとしてもよい。
１．２３  第１の実施の形態のまとめ
以上説明したように、ポイント配布システム１を用いることで、鉄道会社は、混雑度の低い列車及び車両へ乗客を誘導することができ、効率のよい列車運行が可能となる。
また、鉄道会社は、ポイント配布システム１０００及び２０００を用いても、混雑度の低い列車及び車両へ乗客を誘導することができるため、効率のよい列車運行が可能となる。
【０３５３】
２．第２の実施の形態
ここでは、第２の実施の形態として、本発明のポイント配布システムを高速道路利用に関するサービス（以下、「道路サービス」という。）へ適用した場合について説明する。
２．１  ポイント配布システム３０００の概要
道路サービスへの適用した場合のポイント配布システム３０００を図４９にて示す。
【０３５４】
ポイント配布システム３０００は、道路サービスを行う会社にて提供されるシステムであり、収集装置３０１０、３０１１、管理装置３０３０、情報表示装置３０４０、記録媒体３０５０及び携帯端末３０６０から構成されている。
管理装置３０３０は、収集装置３０１０、３０１１及び情報表示装置３０４０とインターネットを介してネットワーク接続されている。
【０３５５】
携帯端末３０６０は、収集装置３０１０、３０１１と無線による通信が可能であり、さらに、管理装置３０３０とインターネットを介してネットワーク接続することができる。また、携帯端末３０６０は、収集装置３０１０、３０１１と無線通信を行う際、及び管理装置３０３０とネットワーク接続を行う際には、記録媒体３０５０が装着される。
管理装置３０３０は、高速道路及び迂回路のそれぞれの混雑度を定期的に収集装置３０１０、３０１１より収集して、収集した情報を用いてオッズを算出する。また、携帯端末３０６０へポイントの配布を行う。
【０３５６】
収集装置３０１０は、高速道路の入口（例えば、料金所）のゲートに備えられ、高速道路を利用する車の混雑度を計測し、車３００１がゲートを通過することを検知すると、携帯端末３０６０へ、ゲートを通過した日時及び装置識別子からなる利用情報と、その利用情報に対してデジタル署名を施した署名データとを短距離無線により送信する。ここで、短距離無線による通信距離を３ｍとする。
【０３５７】
また、収集装置３０１１は、迂回路の主要位置のゲートに備えられ、迂回路を利用する車の混雑度を計測し、車３００１がゲートを通過することを検知すると、携帯端末３０６０へ、ゲートを通過した日時及び装置識別子からなる利用情報とその利用情報に対する署名データとを無線により送信する。
情報表示装置３０４０は、高速道路と迂回路との分岐点に備えられ、高速道路利用時のオッズ及び迂回路利用時のオッズを表示する。これにより、利用者は高速道路を利用するか若しくは迂回路をりようするかの選択ができるようになる。
【０３５８】
２．２  収集装置３０１０
ここでは、収集装置３０１０について説明する。なお、収集装置３０１１は、収集装置３０１０と同様であるため、説明は省略する。
収集装置３０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置３０１０は、その機能を達成する。
【０３５９】
収集装置３０１０は、日時を計時する時計部を備えている。
収集装置３０１０は、当該収集装置３０１０を識別する装置識別子と、上記実施の形態と同様に署名データを生成するための秘密鍵とを記憶している。
収集装置３０１０は、管理装置３０３０にて定期的に行われるオッズの算出において、オッズ算出から次のオッズ算出までの期間に高速道路を利用した車の台数をカウントして、カウントした結果を記憶し、さらに、利用情報とその利用情報に対する署名データとを送付した件数、つまりポイントを配布する人数をカウントして、記憶する。
【０３６０】
車の台数のカウントは、例えば、当該収集装置３０１０に車が通過したことを検知するセンサを備えることで可能となる。また、ポイントを配布する人数のカウントは、上記実施の形態と同様に、利用情報及び署名データを配布後、携帯端末３０６０より情報受取命令を無線にて受信することにより可能となる。
収集装置３０１０は、管理装置３０３０よりインターネットを介して、通知命令を受信すると、それまでにカウントしていた人数と装置識別子とを管理装置３０３０へインターネットを介して送信し、カウントした人数を「０」にリセットする。
【０３６１】
収集装置３０１０は、管理装置３０３０よりインターネットを介して、収集命令を受信すると、それまでにカウントしていた車の台数と装置識別子とを管理装置３０３０へインターネットを介して送信し、カウントした台数を「０」にリセットする。
収集装置３０１０は、車が通過したことを検知すると、上記に示す車の台数をカウント及び記憶を行い、さらに、時計部より日時を取得し、取得した日時と記憶しいている装置識別子とを用いて、利用情報を生成し、秘密鍵を用いて、生成した利用情報に対して、デジタル署名を施して、署名データを生成し、生成した利用情報と署名データとを無線にて送信する。
【０３６２】
収集装置３０１０は、携帯端末３０６０より情報受信命令と、携帯端末３０６０を識別する端末識別子とを受信すると、ポイントを配布する人数としてカウントし、カウントの結果を記憶する。さらに、収集装置３０１０は、端末識別子と応答命令とを携帯端末３０６０へ無線により送信する。
２．３  管理装置３０３０
ここでは、管理装置３０３０について説明する。
【０３６３】
管理装置３０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置３０３０は、その機能を達成する。
【０３６４】
管理装置３０３０は、オッズ算出日時、装置識別子、オッズからなる組を１個以上記憶するためのオッズ記憶領域と、ポイント確定日時、装置識別子、ポイントからなる組を１個以上記憶するためのポイント記憶領域とを有しており、さらに、上記実施の形態と同様に、署名検証を行うために公開鍵を記憶している。
オッズ算出日時は、オッズを算出した日時を、装置識別子は、収集装置を識別する識別子を、オッズは装置識別子に対応する収集装置が備えられた道路を利用する際のオッズをそれぞれ示す。
【０３６５】
ポイント確定日時は、ポイントが確定した日時を、装置識別子は、上記と同様であり、ポイントは装置識別子に対応する収集装置が備えられた道路を利用した利用者へ割り当てるポイントをそれぞれ示す。
管理装置３０３０は、上記実施の形態と同様に、オッズを算出する日時であるか否かを判断し、オッズを算出する日時であると判断する場合には、その日時を取得する。次に、管理装置３０３０は、通知命令を収集装置３０１０、３０１１へ送信し、収集装置３０１０、３０１１より前回オッズ算出時から今回までにカウントした人数と装置識別子とを受信し、受信したそれぞれの装置識別子及び人数と、前回算出した各オッズとを用いて、上記実施の形態と同様のポイント算出方法にて、各装置識別子に対応するポイントを算出し、利用者へ割り当てるポイントを確定し、ポイントが確定した日時と装置識別子と装置識別子に対応するポイントとからなる組をポイント記憶領域へ書き込む。
【０３６６】
管理装置３０３０は、さらに、収集命令を収集装置３０１０、３０１１へ送信し、収集装置３０１０、３０１１より前回オッズ算出時から今回までにカウントした車の台数と装置識別子とを受信し、受信したそれぞれの装置識別子及び車の台数を用いて、上記実施の形態と同様のオッズ算出方法にて、各装置識別子に対応するオッズを算出し、オッズを算出した日時と、装置識別子と、装置識別子に対応するオッズとからなる組をオッズ記憶領域へ書き込む。また、管理装置３０３０は、オッズ記憶領域へ書き込んだ各組を、インターネットを介して情報表示装置３０４０へ送信する。
【０３６７】
管理装置３０３０は、携帯端末３０６０よりインターネットを介して、オッズの配信を要求するオッズ配信命令を受信すると、オッズ記憶領域より、受信した日時に一番近いオッズ算出日時に対応する装置識別子及びオッズからなる組を全て取得し、取得した全ての組を携帯端末３０６０へインターネットを介して送信する。
管理装置３０３０は、携帯端末３０６０よりインターネットを介して、要求命令と、利用情報と利用情報に対応する署名データとを受信すると、署名検証を行い、正当な利用情報であると判断する場合に、受信した利用情報に含まれる日時以降で、その日時に一番近いオッズ算出日時と、装置識別子と、ポイントとからなる組がポイント記憶領域に存在するか否かを判断する。
【０３６８】
組が存在すると判断する場合には、受信した利用情報に含まれる装置識別子と一致するポイントを取得し、取得したポイントとポイント送付命令とを、インターネットを介して携帯端末３０６０へ送信する。
組が存在しないと判断する場合には、上記実施の形態と同様に、ポイント不在情報を生成し、生成したポイント不在情報と不在情報送付命令とを、インターネットを介して携帯端末３０６０へ送信する。また、署名検証により、受信した利用情報が正当な利用情報でないと識別した場合には、上記実施の形態と同様にエラー情報を生成し、生成したエラー情報とエラー情報送付命令とを、インターネットを介して携帯端末３０６０へ送信する。
【０３６９】
２．４  情報表示装置３０４０
ここでは、情報表示装置３０４０の構成について、以下に説明する。
情報表示装置３０４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置３０４０は、その機能を達成する。
【０３７０】
情報表示装置３０４０は、管理装置３０３０よりインターネットを介して、オッズ算出日時と装置識別子と装置識別子に対応するオッズとからなる組を受信すると、受信した組を表示する。
２．５  記録媒体３０５０
ここでは、記録媒体３０５０について説明する。
【０３７１】
記録媒体３０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体３０５０は、その機能を達成する。
記録媒体３０５０は、耐タンパ性を有している。
【０３７２】
また、記録媒体３０５０は、管理装置３０３０より配布されたポイントを累積した合計ポイントを記憶する合計ポイント記憶領域と、収集装置３０１０及び３０１１の何れかより送信された利用情報及びその利用情報に対する署名データと、削除フラグとからなる組を１個以上記憶するための利用情報記憶領域と、利用者が高速道路及び迂回路の何れかを利用した日時を記憶する利用日時記憶領域を有している。
【０３７３】
２．６  携帯端末３０６０
携帯端末３０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末３０６０は、その機能を達成する。
【０３７４】
携帯端末３０６０は、当該携帯端末３０６０を識別する端末識別子を、収集装置３０１０より受信した利用情報及び署名データを記録媒体３０５０へ書き込むか否かを判断するための基準となる基準時間を、収集装置３０１０へ端末識別子と情報受取命令とを送信する期間を示す送信期間を、それぞれ予め記憶している。
携帯端末３０６０は、利用者よりオッズの配信要求の指示を受け付けると、管理装置３０３０へインターネットを介して、オッズ配信命令を送信する。携帯端末３０６０は、オッズ算出日時、装置識別子及びオッズからなる組を１個以上受信すると、受信した１個以上の組を表示する。
【０３７５】
携帯端末３０６０は、収集装置３０１０より利用情報及び署名データからなる組を無線にて受信すると、受信した利用情報に含まれる日時と、記録媒体３０５０の利用日時記憶領域にて記憶している日時とを比較して、基準時間内であるか否かを判断する。基準時間内であると判断する場合には、受信した利用情報及び署名データを破棄する。基準時間内ではないと判断する場合には、受信した利用情報及び署名データと、削除フラグ「０」とを、記録媒体３０５０の利用情報記憶領域へ書き込み、さらに、利用日時記憶領域にて記憶している日時を受信した利用情報に含まれる日時へ更新する。次に、携帯端末３０６０は、予め記憶している端末識別子を読み出し、読み出した端末識別子と情報受取命令とを、予め記憶している送信期間の間、収集装置３０１０へ無線にて送信する。携帯端末３０６０は、さらに、収集装置３０１０より無線にて、応答命令及び端末識別子を受信すると、受信した端末識別子と、読み出した端末識別子とが一致するか否かを判断する。一致しないと判断する場合には、送信期間内か否かを判断し、送信期間内であると判断する場合には、再度、読み出した端末識別子と情報受取命令とを、収集装置３０１０へ送信する。送信期間内でないと判断する場合には、読み出した端末識別子と情報受取命令との送信を終了する。また、収集装置３０１０より受信した端末識別子と読み出した端末識別子とが一致する場合には、読み出した端末識別子と情報受取命令との送信を終了する。
【０３７６】
携帯端末３０６０は、利用者よりポイント配布の要求指示を受け付けると、記録媒体３０５０より、利用情報領域にて記憶している利用情報及び署名データからなる組を１個取得する。携帯端末３０６０は、取得した組を、インターネットを介して管理装置３０３０へ送信する。携帯端末３０６０は、管理装置３０３０より、命令と情報とからなる組を受信すると、受信した命令がポイント送付命令であるか否かを判断する。携帯端末３０６０は、受信した命令がポイント送付命令であると判断する場合には、記録媒体３０５０のポイント記憶領域にて記憶している合計ポイントに、受信したポイントを累積することにより、合計ポイントを更新し、送信した利用情報及び署名データに対応する削除フラグを「０」から「１」へと更新する。携帯端末３０６０は、判断結果が否定的である場合には、受信した命令がエラー情報送付命令であるか否かを判断する。エラー情報送付命令であると判断する場合には、受信したエラーメッセージを表示し、送信した利用情報及び署名データに対応する削除フラグを「０」から「１」へと更新する。携帯端末３０６０は、受信した命令がエラー情報送付命令でない、つまり不在情報送付命令であると判断する場合には、ポイント未確定メッセージ表示する。携帯端末３０６０は、未送信の利用情報及び署名データが、利用情報記憶領域に存在するか否かを判断し、存在すると判断する場合には、未送信の利用情報及び署名データからなる組を１個取得し、上記動作を行う。未送信の利用情報及び署名データが、利用情報記憶領域に存在しないと判断する場合には、利用情報記憶領域に記憶している利用情報及び署名データと、削除フラグとからなる組のうち、削除フラグが「１」である組全てを消去する。
【０３７７】
２．７  ポイント配布システム３０００の変形例
なお、以下の場合も本発明に含まれる。
（１）上記に示す携帯端末３０６０は、車に予め備えられた車載機であってもよい。
または、携帯端末を、上記に示す記録媒体３０５０と携帯端末３０６０とからなる端末としてもよい。
【０３７８】
（２）上記に示す収集装置は、３台以上あってもよい。
（３）高速道路の混雑度の計測は、渋滞の計測を行う従来方法を用いて、混雑度を計測してもよい。従来の方法とは、道路に埋めこまれた車両検知器の磁気センサで車の流れを検知する方法である。
このとき、例えば、収集装置は、渋滞の距離に応じた混雑度のレベルを記憶しておき、車両検知器を高速道路の各所に設置し、各車両検知器の検知状況に基づいて、渋滞の距離を算出し、算出した渋滞の距離よりを混雑度のレベルを取得する。管理装置は、収集装置にて取得された混雑度のレベルを用いてオッズを算出する。
【０３７９】
または、渋滞の距離を用いて、車の台数を換算してもよい。管理装置は、収集装置にて換算された車の台数を用いてオッズを算出する。
（４）ポイントの配布方法は、ポイント配布システム１０００及び２０００にて示した方法を用いてもよい。
（５）ポイント配布システム３０００では、混雑度の計測と、利用情報の配布とを１つの収集装置で行ったが、これに限定されない。収集装置を、混雑度の計測及び結果の送信を行う装置と、利用情報の配布を行う装置とに分けてもよい。
【０３８０】
（５）上記実施の形態及び上記変形例をそれぞれ組み合わせるとしてもよい。
２．８  第２の実施の形態のまとめ
以上説明したように、ポイント配布システム３０００を用いることで、道路サービスを提供する会社は、高速道路及び迂回路のうち空いている道路へ、運転手を誘導することができる。そのため、ポイント配布システム３０００により、道路の渋滞を緩和することができる
３．第３の実施の形態
ここでは、第３の実施の形態として、本発明のポイント配布システムをレストランなどにおける飲食に関するサービス（以下、「レストランサービス」という。）へ適用した場合について説明する。
【０３８１】
３．１  ポイント配布システム４０００の概要
レストランサービスへの適用した場合のポイント配布システム４０００を図５０にて示す。
ポイント配布システム４０００は、レストランサービスを行う会社にて提供されるシステムであり、当該会社により経営されているレストラン店舗４００１ａ、４００１ｂ、・・・、４００１ｃのそれぞれに備えられた収集装置４０１０、４０１１、・・・、４０１２及び情報表示装置４０４０、４０４１、・・・、４０４２と、管理装置４０３０と、記録媒体４０５０及び携帯端末４０６０とから構成されている。
【０３８２】
管理装置４０３０は、収集装置４０１０、４０１１、・・・、４０１２及び情報表示装置４０４０、４０４１、・・・、４０４２と、インターネットを介してネットワーク接続されている。
携帯端末４０６０は、収集装置４０１０、４０１１、・・・、４０１２と無線による通信が可能であり、さらに、管理装置４０３０とインターネットを介してネットワーク接続することができる。また、携帯端末４０６０は、収集装置４０１０、４０１１、・・・、４０１２と無線通信を行う際、及び管理装置４０３０とネットワーク接続を行う際には、記録媒体４０５０が装着される。
【０３８３】
管理装置４０３０は、レストラン店舗４００１ａ、４００１ｂ、・・・、４００１ｃのそれぞれの混雑度を定期的に収集装置４０１０、４０１１、・・・、４０１２より収集して、収集した情報を用いてオッズを算出する。また、携帯端末４０６０へポイントの配布を行う。
収集装置４０１０は、利用者の出入りを検知することにより混雑度を計測し、利用者が入店したことを検知すると、当該利用者が付帯する携帯端末４０６０へ、入店した日時及び装置識別子からなる利用情報と、その利用情報に対してデジタル署名を施した署名データとを短距離無線により送信する。ここで、利用情報及び署名データの発信源を店舗の出入り口付近（例えば、出入り口より内側１ｍに位置する店舗の天井）とし、通信距離を３ｍとする。また、収集装置４０１１、・・・、４０１２も、収集装置４０１０と同様の動作を行う。
【０３８４】
情報表示装置４０４０は、レストラン店舗４００１ａ、４００１ｂ、・・・、４００１ｃにおける利用時のオッズを表示する。これにより、利用者はレストラン店舗４００１ａ、４００１ｂ、・・・、４００１ｃのうちどのレストラン店舗を利用するかを選択することができるようになる。
３．２  収集装置４０１０
ここでは、収集装置４０１０について説明する。なお、収集装置４０１１、・・・、４０１２は、収集装置４０１０と同様であるため、説明は省略する。
【０３８５】
収集装置４０１０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、収集装置４０１０は、その機能を達成する。
【０３８６】
収集装置４０１０は、日時を計時する時計部を備えている。
収集装置４０１０は、当該収集装置４０１０を識別する装置識別子と、上記実施の形態と同様に署名データを生成するための秘密鍵とを記憶している。
収集装置４０１０は、管理装置４０３０にて定期的に行われるオッズの算出において、オッズ算出から次のオッズ算出までの期間に、入場した利用者数と退場した利用者数のそれぞれをカウントして、レストラン店舗４００１ａ内にいる利用者の店内利用者数を算出して記憶する。さらに、利用情報とその利用情報に対する署名データとを送付した件数、つまりポイントを配布する人数をカウントして、記憶する。
【０３８７】
店内利用者数のカウントは、例えば、当該収集装置４０１０に利用者の入退場を検知する人感センサを備えることで可能となる。また、ポイントを配布する配布人数のカウントは、上記実施の形態と同様に、利用情報及び署名データを配布後、携帯端末４０６０より情報受取命令を無線にて受信することにより可能となる。
収集装置４０１０は、管理装置４０３０よりインターネットを介して、通知命令を受信すると、それまでにカウントして記憶していた配布人数と装置識別子とを管理装置４０３０へインターネットを介して送信し、カウントした人数を「０」にリセットする。
【０３８８】
収集装置４０１０は、管理装置４０３０よりインターネットを介して、収集命令を受信すると、それまでに記憶していた店内利用者数と装置識別子とを管理装置４０３０へインターネットを介して送信し、カウントした台数を「０」にリセットする。
収集装置４０１０は、利用者がレストラン店舗４００１ａへ入場したことを検知すると、上記に示す店内利用者の算出及び記憶を行い、さらに、時計部より日時を取得し、取得した日時と記憶しいている装置識別子とを用いて、利用情報を生成し、秘密鍵を用いて生成した利用情報に対して、デジタル署名を施して、署名データを生成し、生成した利用情報と署名データとを無線にて送信する。
【０３８９】
収集装置４０１０は、携帯端末４０６０より情報受信命令と、携帯端末４０６０を識別する端末識別子とを受信すると、ポイントを配布する配布人数としてカウントし、カウントの結果を記憶する。さらに、収集装置４０１０は、端末識別子と応答命令とを携帯端末４０６０へ無線により送信する。
３．３  管理装置４０３０
ここでは、管理装置４０３０について説明する。
【０３９０】
管理装置４０３０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置４０３０は、その機能を達成する。
【０３９１】
管理装置４０３０は、オッズ算出日時、装置識別子、オッズからなる組を１個以上記憶するためのオッズ記憶領域と、ポイント確定日時、装置識別子、ポイントからなる組を１個以上記憶するためのポイント記憶領域とを有しており、さらに、上記実施の形態と同様に、署名検証を行うために公開鍵を記憶している。
オッズ算出日時は、オッズを算出した日時を、装置識別子は、収集装置を識別する識別子を、オッズは装置識別子に対応する収集装置が備えられた道路を利用する際のオッズをそれぞれ示す。
【０３９２】
ポイント確定日時は、ポイントが確定した日時を、装置識別子は、上記と同様であり、ポイントは装置識別子に対応する収集装置が備えられた道路を利用した利用者へ割り当てるポイントをそれぞれ示す。
管理装置４０３０は、上記実施の形態と同様に、オッズを算出する日時であるか否かを判断し、オッズを算出する日時であると判断する場合には、その日時を取得する。次に、管理装置４０３０は、通知命令を収集装置４０１０、４０１１、・・・、４０１２へ送信し、収集装置４０１０、４０１１、・・・、４０１２のそれぞれから、配布人数と装置識別子とを受信し、受信したそれぞれの装置識別子及び配布人数と、前回算出した各オッズとを用いて、上記実施の形態と同様のポイント算出方法にて、各装置識別子に対応するポイントを算出し、利用者へ割り当てるポイントを確定し、ポイントが確定した日時と装置識別子と装置識別子に対応するポイントとからなる組をポイント記憶領域へ書き込む。
【０３９３】
管理装置４０３０は、さらに、収集命令を収集装置４０１０、４０１１、・・・、４０１２へ送信し、収集装置４０１０、４０１１、・・・、４０１２のそれぞれから、店内利用者数と装置識別子とを受信し、受信したそれぞれの装置識別子及び店内利用者数を用いて、上記実施の形態と同様のオッズ算出方法にて、各装置識別子に対応するオッズを算出し、オッズを算出した日時と、装置識別子と、装置識別子に対応するオッズとからなる組をオッズ記憶領域へ書き込む。また、管理装置４０３０は、オッズ記憶領域へ書き込んだ各組を、インターネットを介して情報表示装置４０４０へ送信する。
【０３９４】
管理装置４０３０は、携帯端末４０６０よりインターネットを介して、オッズの配信を要求するオッズ配信命令を受信すると、オッズ記憶領域より、受信した日時に一番近いオッズ算出日時に対応する装置識別子及びオッズからなる組を全て取得し、取得した全ての組を携帯端末４０６０へインターネットを介して送信する。
管理装置４０３０は、携帯端末４０６０よりインターネットを介して、要求命令と、利用情報と利用情報に対応する署名データとを受信すると、署名検証を行い、正当な利用情報であると判断する場合に、受信した利用情報に含まれる日時以降で、その日時に一番近いオッズ算出日時と、装置識別子と、ポイントとからなる組がポイント記憶領域に存在するか否かを判断する。
【０３９５】
組が存在すると判断する場合には、受信した利用情報に含まれる装置識別子と一致するポイントを取得し、取得したポイントとポイント送付命令とを、インターネットを介して携帯端末４０６０へ送信する。
組が存在しないと判断する場合には、上記実施の形態と同様に、ポイント不在情報を生成し、生成したポイント不在情報と不在情報送付命令とを、インターネットを介して携帯端末４０６０へ送信する。また、署名検証により、受信した利用情報が正当な利用情報でないと識別した場合には、上記実施の形態と同様にエラー情報を生成し、生成したエラー情報とエラー情報送付命令とを、インターネットを介して携帯端末４０６０へ送信する。
【０３９６】
３．４  情報表示装置４０４０
ここでは、情報表示装置４０４０の構成について、以下に説明する。
情報表示装置４０４０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置４０４０は、その機能を達成する。
【０３９７】
情報表示装置４０４０は、管理装置４０３０よりインターネットを介して、オッズ算出日時と装置識別子と装置識別子に対応するオッズとからなる組を受信すると、受信した組を表示する。
なお、情報表示装置４０４１、・・・、４０４２は、情報表示装置４０４０と同様であるため、説明は省略する。
【０３９８】
３．５  記録媒体４０５０
ここでは、記録媒体４０５０について説明する。
記録媒体４０５０は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体４０５０は、その機能を達成する。
【０３９９】
記録媒体４０５０は、耐タンパ性を有している。
また、記録媒体４０５０は、管理装置４０３０より配布されたポイントを累積した合計ポイントを記憶する合計ポイント記憶領域と、収集装置４０１０、４０１１、・・・、４０１２の何れかより送信された利用情報及びその利用情報に対する署名データと、削除フラグとからなる組を１個以上記憶するための利用情報記憶領域と、利用者がレストラン店舗４００１ａ、４００１ｂ、・・・、４００１ｃの何れかを利用した日時を記憶する利用日時記憶領域を有している。
【０４００】
３．６  携帯端末４０６０
ここでは、携帯端末４０６０について説明する。
携帯端末４０６０は、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、携帯端末４０６０は、その機能を達成する。
【０４０１】
携帯端末４０６０は、当該携帯端末４０６０を識別する端末識別子を、収集装置４０１０より受信した利用情報及び署名データを記録媒体４０５０へ書き込むか否かを判断するための基準となる基準時間を、収集装置４０１０へ端末識別子と情報受取命令とを送信する期間を示す送信期間を、それぞれ予め記憶している。
携帯端末４０６０は、利用者よりオッズの配信要求の指示を受け付けると、管理装置４０３０へインターネットを介して、オッズ配信命令を送信する。携帯端末４０６０は、オッズ算出日時、装置識別子及びオッズからなる組を１個以上受信すると、受信した１個以上の組を表示する。
【０４０２】
携帯端末４０６０は、収集装置４０１０より利用情報及び署名データからなる組を無線にて受信すると、受信した利用情報に含まれる日時と、記録媒体４０５０の利用日時記憶領域にて記憶している日時とを比較して、基準時間内であるか否かを判断する。基準時間内であると判断する場合には、受信した利用情報及び署名データを破棄する。基準時間内ではないと判断する場合には、受信した利用情報及び署名データと、削除フラグ「０」とを、記録媒体４０５０の利用情報記憶領域へ書き込み、さらに、利用日時記憶領域にて記憶している日時を受信した利用情報に含まれる日時へ更新する。次に、携帯端末４０６０は、予め記憶している端末識別子を読み出し、読み出した端末識別子と情報受取命令とを、予め記憶している送信期間の間、収集装置４０１０へ無線にて送信する。携帯端末４０６０は、さらに、収集装置４０１０より無線にて、応答命令及び端末識別子を受信すると、受信した端末識別子と、読み出した端末識別子とが一致するか否かを判断する。一致しないと判断する場合には、送信期間内か否かを判断し、送信期間内であると判断する場合には、再度、読み出した端末識別子と情報受取命令とを、収集装置４０１０へ送信する。送信期間内でないと判断する場合には、読み出した端末識別子と情報受取命令との送信を終了する。また、収集装置４０１０より受信した端末識別子と読み出した端末識別子とが一致する場合には、読み出した端末識別子と情報受取命令との送信を終了する。
【０４０３】
携帯端末４０６０は、利用者よりポイント配布の要求指示を受け付けると、記録媒体４０５０より、利用情報領域にて記憶している利用情報及び署名データからなる組を１個取得する。携帯端末４０６０は、取得した組を、インターネットを介して管理装置４０３０へ送信する。携帯端末４０６０は、管理装置４０３０より、命令と情報とからなる組を受信すると、受信した命令がポイント送付命令であるか否かを判断する。携帯端末４０６０は、受信した命令がポイント送付命令であると判断する場合には、記録媒体４０５０のポイント記憶領域にて記憶している合計ポイントに、受信したポイントを累積することにより、合計ポイントを更新し、送信した利用情報及び署名データに対応する削除フラグを「０」から「１」へと更新する。携帯端末４０６０は、判断結果が否定的である場合には、受信した命令がエラー情報送付命令であるか否かを判断する。エラー情報送付命令であると判断する場合には、受信したエラーメッセージを表示し、送信した利用情報及び署名データに対応する削除フラグを「０」から「１」へと更新する。携帯端末４０６０は、受信した命令がエラー情報送付命令でない、つまり不在情報送付命令であると判断する場合には、ポイント未確定メッセージ表示する。携帯端末４０６０は、未送信の利用情報及び署名データが、利用情報記憶領域に存在するか否かを判断し、存在すると判断する場合には、未送信の利用情報及び署名データからなる組を１個取得し、上記動作を行う。未送信の利用情報及び署名データが、利用情報記憶領域に存在しないと判断する場合には、利用情報記憶領域に記憶している利用情報及び署名データと、削除フラグとからなる組のうち、削除フラグが「１」である組全てを消去する。
【０４０４】
３．７  ポイント配布システム４０００の変形例
なお、以下の場合も本発明に含まれる。
（１）ポイントの配布方法は、ポイント配布システム１０００及び２０００にて示した方法を用いてもよい。
（２）ポイント配布システム４０００では、混雑度の計測と、利用情報の配布とを１つの収集装置で行ったが、これに限定されない。収集装置を、混雑度の計測及び結果の送信を行う装置と、利用情報の配布を行う装置とに分けてもよい。
【０４０５】
（３）ポイント配布システム４０００をレストランサービスに適用したが、これに限定されない。ポイント配布システム４０００をテーマパークや遊園地などにおける娯楽に関するサービス（以下、「テーマパークサービス」という。）へ適用してもよい。
テーマパークサービスへの適用する場合には、テーマパークの設置された各アトラクションが、収集装置及び情報表示装置を備えるようにすればよい。
【０４０６】
これにより、ある特定のアトラクションだけへの集中を避けて、他の空いているアトラクションへ客を誘導することができる。
（４）上記実施の形態では、記録媒体４０５０と携帯端末４０６０とをそれぞれ個別の構成としたが、これに限定されない。
携帯端末を、上記に示す記録媒体４０５０と携帯端末４０６０とからなる端末としてもよい。
【０４０７】
（５）上記実施の形態及び上記変形例をそれぞれ組み合わせるとしてもよい。
３．８  第３の実施の形態のまとめ
以上説明したように、ポイント配布システム４０００を用いることで、レストラン店舗４００１ａ、４００１ｂ、・・・、４００１ｃを経営する会社は、ある一つのレストラン店舗に客が集中するのを避けて、客に対して、空いているレストラン店舗の利用を促すことができる。
【０４０８】
４．  ポイント使用時の変形例
上記第１の実施の形態において、鉄道会社の提供する特典を受ける際に、ポイントを利用するとしたが、これに限定されない。
集めたポイントを、商品の購入に利用してもよい。例えば、蓄積したポイントを電子マネーに変換して、商品の購入に利用する。
【０４０９】
また、蓄積したポイントを鉄道の利用料金決済時に利用してもよい。
なお、本発明には、商品の購入の概念に、特典等によるサービスの享受が含まれるものとする。
以下に、集めたポイントを、電子マネーとして利用する場合の変形例と、利用料金の決済時に利用する場合の変形例について説明する。
【０４１０】
４．１  電子マネーとして利用する場合
本変形例において、ポイントが配布されるまでの動作は、第１の実施の形態と同様であるため、説明は省略する。
ここでは、第１の実施の形態と異なる点を中心に説明する。
本変形例では、記録媒体の構成が、第１の実施の形態とは異なり、他の装置については、第１の実施の形態と同様であるため、以降の説明において、必要であれば第１の実施の形態にて示した装置を用いて説明する。
【０４１１】
電子マネー利用時のシステムは、図５１に示すように、記録媒体５０Ａ、決済装置７０Ａ及び鉄道会社が管理するサーバ装置７５Ａから構成されている。
決済装置７０Ａは、電子マネーの利用が可能な店舗に設置され、ユーザが購入する商品に対して、電子マネーによる決済を行う。また、決済装置７０Ａは、サーバ装置７５Ａとインターネットによりネットワーク接続されている。
【０４１２】
（１）概要
記録媒体５０Ａは、列車を利用する場合及びポイントの配布を要求する場合には、携帯端末６０に装着される。携帯端末６０は、乗車した車両に備えられた車両装置より、利用情報を無線により受信すると、受信した利用情報を記録媒体５０Ａへ書き込む。また、携帯端末６０は、管理装置３０よりポイントを受信すると、受信したポイントとポイント書込命令を記録媒体５０Ａへ出力することにより、受信したポイントをこれまでに集めたポイントに累積する。また、携帯端末６０は、図２２に示すステップＳ４７０の処理の後、ポイント書込終了命令を記録媒体５０Ａへ出力する。
【０４１３】
ユーザは、電子マネーを利用する場合には、記録媒体５０Ａを、決済装置７０Ａに備え付けられた、短距離無線を行うセンサ７００Ａに近づけることにより、記録媒体５０Ａに記録されている電子マネーを利用する。
なお、記録媒体５０Ａは、携帯端末６０に装着された場合には、携帯端末６０より電力は供給される。また、電子マネー利用時には、記録媒体５０Ａは、決済装置７０Ａから短距離無線により電力信号を受け取り、受け取った電力信号を電荷して、内部に電力供給する。
【０４１４】
（２）記録媒体５０Ａ
記録媒体５０Ａは、図５２にて示すように、情報記憶部５００Ａ、電子マネー記憶部５１０Ａ、識別子記憶部５１１Ａ、ポイント変換部５１２Ａ、入出力部５１３Ａ、支払制御部５１４Ａ及び無線制御部５１５Ａから構成されている。
記録媒体５０Ａは、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体５０Ａは、その機能を達成する。
【０４１５】
＜情報記憶部５００Ａ＞
情報記憶部５００Ａは、耐タンパ性を有しており、図示はしていないが、ポイント記憶部５０１Ａ、利用情報記憶部５０２Ａ及び利用日時記憶部５０３Ａを有している。
ポイント記憶部５０１Ａ、利用情報記憶部５０２Ａ及び利用日時記憶部５０３Ａのそれぞれは、第１の実施の形態にて示すポイント記憶部５０１、利用情報記憶部５０２及び利用日時記憶部５０３と同様であるため、説明は省略する。
【０４１６】
＜電子マネー記憶部５１０Ａ＞
電子マネー記憶部５１０Ａは、耐タンパ性を有しており、管理テーブルＴ５００を有している。
管理テーブルＴ５００は、一例として図５３に示すように、金額種別と、個数とからなる組を複数記憶する領域を有している。
【０４１７】
金額種別は、管理する電子マネーの金額を示す。ここでは、管理する電子マネーの金額は、１００００円、５０００円、１０００円、５００円、１００円及び１円である。
個数は、対応する金額種別にて示される金額を１個とした場合の数を示す。例えば、金額種別「１０００円」の個数が「２」である場合には、２０００円分の電子マネーが管理されていることを示す。ここで、各個数の初期値は、０である。図５３にて示す管理テーブルＴ５００は、電子マネーとして利用できる金額がないことを示している。
【０４１８】
＜識別子記憶部５１１Ａ＞
識別子記憶部５１１Ａは、耐タンパ性を有しており、当該記録媒体５０Ａを識別する記録媒体ＩＤを予め記憶している。
＜ポイント変換部５１２Ａ＞
ポイント変換部５１２Ａは、耐タンパ性を有しており、ポイントの書き込み、及び合計ポイントから電子マネーへの変換を行う。
【０４１９】
ポイント変換部５１２Ａは、ポイント書込命令とポイントとを、入出力部５１３Ａを介して携帯端末６０より受け取ると、受け取ったポイントを、ポイント記憶部５０１Ａに記憶しているポイントに加算する。
ポイント変換部５１２Ａは、携帯端末６０よりポイント書込完了命令を受け取ると、ポイント記憶部５０１Ａにて記憶している合計ポイント数が、所定のポイント数（例えば、１０００ポイント）以上であるか否かを判断する。所定のポイント数以上であると判断する場合には、所定のポイント数（１０００ポイント）ごとに所定の金額（例えば、１０００円）へと変換し、変換結果に基づいて、管理テーブルＴ５００を更新する。
【０４２０】
また、ポイント変換部５１２Ａは、電子マネーに変換されたポイント数を、記憶しているポイント数から減算し、減算結果をポイント記憶部５０１Ａに記憶する。
ポイント変換部５１２Ａは、記憶しているポイント数が、所定のポイント数以上でないと判断する場合には、電子マネーへの変換は行わない。
例えば、ポイント記憶部５０１Ａにて記憶しているポイントが１３００ポイントである場合について説明する。ポイント変換部５１２Ａは、１０００ポイントを、電子マネー「１０００円」に変換し、金額種別「１０００円」の個数に「１」を加算し、管理テーブルＴ５００を更新する。ポイント変換部５１２Ａは、電子マネーの変換に使用した１０００ポイントを、記憶している１３００ポイントから減算し、ポイント記憶部５０１Ａの記憶内容を減算結果「３００」に更新する。ここで、図５４にて示す管理テーブルＴ５０１は、１０００ポイントが電子マネー「１０００円」に変換された場合に、図５３にて示す管理テーブルＴ５００からの更新結果である。
【０４２１】
なお、ここでは、合計ポイント数から電子マネーへ変換する際に、ポイント変換部５１２Ａは、管理テーブルＴ５００を更新するとしたが、これに限定されない。少なくとも１つ以上の金額種別に対する個数が１以上である管理テーブルに対して更新を行ってもよい。
＜入出力部５１３Ａ＞
入出力部５１３Ａは、携帯端末６０より受け取った情報を、ポイント変換部５１２Ａを介して、情報記憶部５００Ａへ出力する。
【０４２２】
入出力部５１３Ａは、情報記憶部５００Ａにて記憶している情報を、携帯端末６０へ出力する。
＜支払制御部５１４Ａ＞
支払制御部５１４Ａは、電子マネーの利用時における動作の制御を行う。
支払制御部５１４Ａは、決済装置７０Ａから無線制御部５１５Ａを介して、利用した金額を示す金額情報と、支払いの要求を示す支払要求命令とを受け取る。
【０４２３】
支払制御部５１４Ａは、受け取った金額情報にて示される金額が、電子マネー記憶部５０１Ａにて記憶している金額以下であるか否か、つまり金額情報にて示される金額の支払いが、記憶している電子マネーを用いて支払い可能であるか否かを判断する。
金額情報にて示される金額が、記憶している金額以下であると判断する、つまり支払い可能であると判断する場合に、支払制御部５１４Ａは、識別子記憶部５１１Ａにて記憶している記録媒体ＩＤを読み出し、読み出した記録媒体ＩＤと、電子マネーによる支払いが可能であることを示す支払応答命令とを、無線制御部５１５Ａを介して決済装置７０Ａへ送信する。支払制御部５１４Ａは、電子マネー記憶部５０１Ａにて記憶している金額から、金額情報にて示される金額を減算し、電子マネー記憶部５０１Ａの記憶内容を、減算結果となるように更新する。
【０４２４】
金額情報にて示される金額が、記憶している金額より多いと判断する、つまり支払い不可能であると判断する場合に、支払制御部５１４Ａは、電子マネーによる支払いが不可能であることを示す支払不能命令を、無線制御部５１５Ａを介して決済装置７０Ａへ送信する。
ここで、電子マネーを利用する場合の具体例を以下に示す。
【０４２５】
記録媒体５０Ａは、図５５（ａ）に示す管理テーブルＴ５０２を、電子マネー記憶部５０１Aにて記憶している。管理テーブルＴ５０２は、電子マネーとして、３０００円を管理していることを示している。
ユーザが、１５７５円分の買い物をし、電子マネーにてその支払いを行う。
支払制御部５１４Ａは、決済装置７０Ａから、金額「１５７５円」を示す金額情報と、支払要求命令とを受け取ると、電子マネーによる支払いが可能であるか否かを判断する。この場合、金額情報にて示される金額「１５７５円」は、記憶している金額「３０００円」以下であるので、支払制御部５１４Ａは、電子マネーによる支払いが可能であると判断する。
【０４２６】
支払制御部５１４Ａは、記録媒体ＩＤと、支払応答命令とを決済装置７０Ａへ送信する。支払制御部５１４Ａは、電子マネー記憶部５０１Ａにて記憶している金額「３０００円」から、金額情報にて示される金額「１５７５円」を減算し、電子マネー記憶部５０１Ａの記憶内容を、減算結果「１４２５円」となるように更新する。つまり、支払制御部５１４Ａは、金額種別「１０００円」の個数が「１」、金額種別「１００円」の個数が「４」、及び金額種別「１円」の個数が「２５」となるように、管理テーブルＴ５０２から図５５（ｂ）にて示す管理テーブルT５０３へと更新する。
【０４２７】
＜無線制御部５１５Ａ＞
無線制御部５１５Ａは、例えば、無線ＩＤタグであり、アンテナ部５１６Ａを具備している。
アンテナ部５１６Ａは、受信アンテナであり、電波を受信し、受信した電波を電力信号に変換する。また、受信した電波を反射（再放射）する。
【０４２８】
無線制御部５１５Ａは、アンテナ部５１６Ａにて変換された電力信号から、支払要求命令と、金額情報とを抽出し、抽出した支払要求命令と、金額情報とを支払制御部５１４Ａへ出力する。
無線制御部５１５Ａは、支払制御部５１４Ａより支払応答命令と記録媒体ＩＤとを受け取ると、支払応答命令と記録媒体ＩＤとからなるビット列を生成し、生成したビット列に含まれるビット（０又は１）に応じて、アンテナ部５１６Ａが有するインピーダンスを切り換える。これにより、無線制御部５１５Ａは、アンテナ部５１６Ａを用いて、決済装置７０Ａへ、支払応答命令と記録媒体ＩＤとを送信することができる。
【０４２９】
無線制御部５１５Ａは、支払制御部５１４Ａより支払不能命令を受け取ると、支払不能命令からなるビット列を生成し、生成したビット列に含まれるビット（０又は１）に応じて、アンテナ部５１６Ａが有するインピーダンスを切り換える。これにより、無線制御部５１５Ａは、アンテナ部５１６Ａを用いて、決済装置７０Ａへ、支払不能命令を送信することができる。
【０４３０】
（３）決済装置７０Ａ
決済装置７０Ａは、短距離無線を行うセンサ７００Ａを用いて、記録媒体５０Ａへ金額情報と支払要求命令とを送信する。
決済装置７０Ａは、センサ７００Ａを用いて、記録媒体５０Ａから支払応答命令と記録媒体ＩＤとを受け取ると、支払い金額の決済を行い、決済された金額と記録媒体ＩＤとを対応付けて記憶する。
【０４３１】
決済装置７０Ａは、センサ７００Ａを用いて、記録媒体５０Ａから支払不能命令を受け取ると、電子マネーによる支払いができない旨を示すメッセージを表示し、決済装置の操作者へ通知する。
決済装置７０Ａは、記憶している決済された金額と記録媒体ＩＤとを、例えば、毎月所定日に、鉄道会社にて管理されるサーバ装置７５Ａへ通知する。
【０４３２】
（４）サーバ装置７５Ａ
サーバ装置７５Ａは、記録媒体ＩＤと、記録媒体ＩＤにより識別される記録媒体の所有者（購入者）の情報とを対応付けて管理している。ここで、所有者の情報とは、例えば、所有者の名前、住所、年齢などである。
サーバ装置７５Ａは、決済装置７０Ａより通知された、決済された金額と記録媒体ＩＤを管理している。
【０４３３】
所有者の情報及び決済された金額のそれぞれは、記録媒体ＩＤと対応付けがされているため、サーバ装置７５Ａは、決済された金額と所有者の情報とを対応付けることができる。つまり、サーバ装置７５Ａは、ユーザ毎に、利用した電子マネーの金額を管理することができる。
なお、上記に示すサーバ装置７５Ａの機能を、管理装置３０に含ませてもよい。
【０４３４】
（５）電子マネーへの変換する際の動作
ここでは、蓄積されたポイントを電子マネーに変換する際に行われる変換処理について、図５６にて示す流れ図を用いて説明する。なお、変換処理に動作は、例えば、図２２に示すステップＳ４７０の後に行われる。
ポイント変換部５１２Ａは、携帯端末６０よりポイント書込完了命令を受け取ると（ステップＳ３０００）、ポイント記憶部５０１Ａにて記憶しているポイント数が、所定数（例えば、１０００ポイント）以上であるか否かを判断する（ステップＳ３００５）。所定数以上であると判断する場合には（ステップＳ３００５における「ＹＥＳ」）、所定のポイント数（１０００ポイント）ごとに所定の金額（例えば、１０００円）へと変換する（ステップＳ３０１０）。
【０４３５】
ポイント変換部５１２Ａは、変換結果に基づいて、管理テーブルＴ５００を更新する（ステップＳ３０１５）。
また、ポイント変換部５１２Ａは、電子マネーに変換されたポイント数を、記憶しているポイント数から減算し、減算結果をポイント記憶部５０１Ａに記憶する（ステップＳ３０２０）。
【０４３６】
ポイント変換部５１２Ａは、記憶しているポイント数が、所定のポイント数以上でないと判断する場合には（ステップＳ３００５における「ＮＯ」）、処理を終了する。
なお、ここでは、合計ポイント数から電子マネーへ変換する際に、ポイント変換部５１２Ａは、管理テーブルＴ５００を更新するとしたが、これに限定されない。少なくとも１つ以上の金額種別に対する個数が１以上である管理テーブルに対して更新を行ってもよい。
【０４３７】
（６）電子マネー利用時の動作
ここでは、蓄積された電子マネーを利用する際に行われる電子マネー利用処理について、図５７にて示す流れ図を用いて説明する。
支払制御部５１４Ａは、決済装置７０Ａから無線制御部５１５Ａを介して、金額情報と、支払要求命令とを受け取る（ステップＳ３５００）。
【０４３８】
支払制御部５１４Ａは、電子マネー記憶部５１０Ａにて記憶している電子マネーを用いて支払い可能であるか否かを判断する（ステップＳ３５０５）。
支払い可能であると判断する場合に（ステップＳ３５０５における「ＹＥＳ」）、支払制御部５１４Ａは、識別子記憶部５１１Ａにて記憶している記録媒体ＩＤを読み出し（ステップＳ３５１０）、読み出した記録媒体ＩＤと、支払応答命令とを、無線制御部５１５Ａを介して決済装置７０Ａへ送信する（ステップＳ３５１５）。支払制御部５１４Ａは、電子マネー記憶部５０１Ａにて記憶している金額から、金額情報にて示される金額を減算し、電子マネー記憶部５０１Ａの記憶内容を、減算結果となるように更新する（ステップＳ３５２０）。
【０４３９】
支払い不可能であると判断する場合に（ステップＳ３５０５における「ＮＯ」）、支払制御部５１４Ａは、支払不能命令を、無線制御部５１５Ａを介して決済装置７０Ａへ送信する（ステップＳ３５２５）。
（７）変形例
鉄道会社が運営する列車の運賃の支払いを電子マネーにて行ってもよい。
【０４４０】
蓄積されたポイント数を電子マネーへと変換する動作は、上記と同様であるため、説明は省略する。
ここでは、電子マネーの利用時の動作について、上記と異なる点を中心に、以下に説明する。
鉄道会社が運営する各駅には、改札装置が備え付けられている。
【０４４１】
改札装置は、ユーザが駅の改札へ入場する際に、記録媒体５０Ａへ当該駅の名称を識別する駅ＩＤを書き込む書込装置と、改札口の出場側には、列車の運賃を決済する運賃決済装置とゲートとから構成されている。
ユーザに対して改札の通過が許可される場合には、ゲートは開かれ、通過が拒否される場合には、ゲートは閉じられる。
【０４４２】
また、記録媒体５０Ａは、駅ＩＤを記憶する領域を有している。
ユーザは、改札口からプラットホームへ入場する際には、記録媒体５０Ａを書込装置のセンサへ近づける。
書込装置は、記録媒体５０Ａへ駅ＩＤを送信することにより、記録媒体５０Ａへ駅ＩＤを書き込む。
【０４４３】
記録媒体５０Ａは、書込装置より駅ＩＤを受け取ると、受け取った駅ＩＤを記憶する。
ユーザは、プラットホームから改札口を通過する際には、記録媒体５０Ａを運賃決済装置のセンサへ近づける。
記録媒体５０Ａは、記憶している駅ＩＤを運賃決済装置へ送信する。
運賃決済装置は、記録媒体５０Ａより駅ＩＤを受け取ると、受け取った駅ＩＤにて示される駅から当該運賃決済装置が備えられた駅までの運賃（金額）を決定し、決定された金額を示す金額情報と、支払要求情報とを送信する。
【０４４４】
記録媒体５０Ａは、金額情報及び支払要求情報とを受け取ると、上記と同様の動作を行う。
運賃決済装置は、記録媒体５０Ａより支払応答命令と記録媒体ＩＤとを受け取ると、上記と同様の動作を行い、さらに、改札装置に備え付けられたゲートを開き、ユーザの通過を許可する。運賃決済装置は、記録媒体５０Ａより支払不能命令を受け取ると、上記と同様の動作を行い、さらに、ゲートを閉め、ユーザの通過を拒否する。
【０４４５】
４．２  鉄道の利用料金決済時に利用する場合
本変形例において、ポイントが配布されるまでの動作は、第１の実施の形態と同様であるため、説明は省略する。
ここでは、第１の実施の形態と異なる点を中心に説明する。
本変形例では、記録媒体の構成が、第１の実施の形態とは異なり、他の装置については、第１の実施の形態と同様であるため、以降の説明において、必要であれば第１の実施の形態にて示した装置を用いて説明する。
【０４４６】
本変形例におけるシステムは、図５８にて示すように記録媒体５０Ｂ、決済装置７０Ｂ及び改札装置８０Ｂから構成される。
決済装置７０Ｂは、鉄道の利用料金の決済を行う。改札装置８０Ｂは、ユーザが改札口からプラットホームへ入場する際、入場に係る動作の制御と、ユーザがプラットホームから出場する際、出場に係る動作の制御とを行う。また、改札装置８０Ｂは、決済装置７０Ｂとインターネットによりネットワーク接続されている。
【０４４７】
（１）概要
記録媒体５０Ｂは、列車を利用する場合及びポイントの配布を要求する場合には、携帯端末６０に装着される。携帯端末６０は、乗車した車両に備えられた車両装置より、利用情報を無線により受信すると、受信した利用情報を記録媒体５０Ｂへ書き込む。また、携帯端末６０は、管理装置３０よりポイントを受信すると、受信したポイントとポイント書込命令を記録媒体５０Ｂへ出力することにより、受信したポイントをこれまでに集めたポイントに累積する。
【０４４８】
ユーザは、駅の改札からプラットホームへ入場する場合には、記録媒体５０Ｂを、改札装置８０Ｂに備え付けられた、短距離無線を行う第１センサ８００Ｂに近づけることにより、改札装置８０Ｂは、当該装置が備え付けられた駅を識別する駅ＩＤを記録媒体５０Ａに記録する。
ユーザは、プラットホームから改札口を通過する際には、記録媒体５０Ｂを改札装置８０Ｂの第２センサ８０１Ｂへ近づけることにより、記録媒体５０Ｂは、記憶している合計ポイントと、記憶している駅ＩＤと、当該記録媒体５０Ｂを識別する記録媒体ＩＤとを改札装置８０Ｂへ送信する。
【０４４９】
改札装置８０Ｂは、記録媒体５０Ｂから合計ポイントと、駅ＩＤと、記録媒体ＩＤとを受け取ると、受け取った駅ＩＤと、当該改札装置８０Ｂが備え付けられた駅に対応する駅ＩＤとからなる利用区間情報を生成し、生成した利用区間情報と、合計ポイントと、記録媒体ＩＤとを利用料金の決済を行う決済装置７０Ｂへ送信する。
決済装置７０Ｂは、記録媒体ＩＤごとに、合計ポイントと、所定の期間内に鉄道を利用した際の利用料金とを記録している。決済装置７０Ｂは、改札装置８０Ｂから、利用区間情報と、合計ポイントと、記録媒体ＩＤとを受信すると、受信した利用区間情報から利用料金を決定し、決定した利用料金を、受信した記録媒体ＩＤに対応付けて記録する。また、決済装置７０Ｂは、記録している合計ポイントに、受信したポイントを加算し、記憶内容を加算結果へと更新する。
【０４５０】
決済装置７０Ｂは、毎月所定の日に、記録している利用料金の決済を行う。このとき、記録している合計ポイントに応じて利用料金の割引を行う。
なお、記録媒体５０Ｂは、携帯端末６０に装着された場合には、携帯端末６０より電力は供給される。また、記録媒体５０Ｂは、改札装置８０Ｂから短距離無線により電力信号を受け取り、受け取った電力信号を電荷して、内部に電力供給する。
【０４５１】
（２）記録媒体５０Ｂ
記録媒体５０Ｂは、図５９にて示すように、情報記憶部５００Ｂ、駅ＩＤ記憶部５２０Ｂ、識別子記憶部５２１Ｂ、ポイント書込部５２２Ｂ、入出力部５２３Ｂ、制御部５２４Ｂ及び無線制御部５１５Ｂから構成されている。
記録媒体５０Ｂは、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、記録媒体５０Ｂは、その機能を達成する。
【０４５２】
＜情報記憶部５００Ｂ＞
情報記憶部５００Ｂは、耐タンパ性を有し、図示はしていないが、ポイント記憶部５０１Ｂ、利用情報記憶部５０２Ｂ及び利用日時記憶部５０３Ｂを有している。
ポイント記憶部５０１Ｂ、利用情報記憶部５０２Ｂ及び利用日時記憶部５０３Ｂのそれぞれは、第１の実施の形態にて示すポイント記憶部５０１、利用情報記憶部５０２及び利用日時記憶部５０３と同様であるため、説明は省略する。
【０４５３】
＜駅ＩＤ記憶部５２０Ｂ＞
駅ＩＤ記憶部５２０Ｂは、耐タンパ性を有し、改札装置８０Ｂの第１センサ８００Ｂから送信された駅ＩＤを記憶するための領域を有している。
＜識別子記憶部５２１Ｂ＞
識別子記憶部５２１Ｂは、耐タンパ性を有し、当該記録媒体５０Ｂを識別する記録媒体ＩＤを予め記憶している。
【０４５４】
＜ポイント書込部５２２Ｂ＞
ポイント書込部５２２Ｂは、耐タンパ性を有し、ポイントの書き込みを行う。
ポイント書込部５２２Ｂは、ポイント書込命令とポイントとを、入出力部５２３Ｂを介して携帯端末６０より受け取ると、受け取ったポイントを、ポイント記憶部５０１Ｂに記憶しているポイントに加算する。
【０４５５】
＜入出力部５２３Ｂ＞
入出力部５２３Ｂは、携帯端末６０より受け取った情報を、ポイント書込部５２２Ｂを介して、情報記憶部５００Ｂへ出力する。
入出力部５２３Ｂは、情報記憶部５００Ｂにて記憶している情報を、携帯端末６０へ出力する。
【０４５６】
＜制御部５２４Ｂ＞
制御部５２４Ｂは、列車利用時における動作の制御を行う。
制御部５２４Ｂは、改札装置８０Ｂの第１センサ８００Ｂから無線制御部５２５Ｂを介して、駅ＩＤと、ＩＤ送信命令とを受け取ると、受け取った駅ＩＤを駅ＩＤ記憶部５２０Ｂへ書き込む。
【０４５７】
制御部５２４Ｂは、改札装置８０Ｂの第２センサ８０１Ｂから、駅ＩＤの送信を要求する駅ＩＤ要求命令を受け取ると、駅ＩＤ、記録媒体ＩＤ及び合計ポイントのそれぞれを、駅ＩＤ記憶部５２０Ｂ、識別子記憶部５２１Ｂ及びポイント記憶部５０１Ｂから読み出し、読み出した駅ＩＤ、記録媒体ＩＤ及び合計ポイントと、駅ＩＤ応答命令とを、無線制御部５２５Ｂを介して改札装置８０Ｂへ送信する。
【０４５８】
＜無線制御部５２５Ｂ＞
無線制御部５２５Ｂは、例えば、無線ＩＤタグであり、アンテナ部５２６Ｂを具備している。
アンテナ部５２６Ｂは、受信アンテナであり、電波を受信し、受信した電波を電力信号に変換する。また、受信した電波を反射（再放射）する。
【０４５９】
無線制御部５２５Ｂは、アンテナ部５２６Ｂにて変換された電力信号から、駅ＩＤと、ＩＤ送信命令とを抽出すると、抽出した駅ＩＤとＩＤ送信命令とを制御部５２４Ｂへ出力する。
無線制御部５２５Ｂは、アンテナ部５２６Ｂにて変換された電力信号から、駅ＩＤ要求命令を抽出すると、抽出した駅ＩＤ要求命令とを制御部５２４Ｂへ出力する。
【０４６０】
無線制御部５２５Ｂは、制御部５２４Ｂより駅ＩＤ応答命令と、駅ＩＤ、記録媒体ＩＤ及び合計ポイントとを受け取ると、受け取った命令と情報とからなるビット列を生成し、生成したビット列に含まれるビット（０又は１）に応じて、アンテナ部５２６Ｂが有するインピーダンスを切り換える。これにより、無線制御部５２５Ｂは、アンテナ部５２６Ｂを用いて、改札装置８０Ｂへ、駅ＩＤ応答命令と、駅ＩＤ、記録媒体ＩＤ及び合計ポイントとを送信することができる。
【０４６１】
（３）改札装置８０Ｂ
改札装置８０Ｂは、当該装置が備え付けられた駅を示す駅ＩＤを予め記憶している。
改札装置８０Ｂは、第１センサ８００Ｂを用いて、記録媒体５０Ｂへ駅ＩＤと、ＩＤ送信命令とを送信する。
改札装置８０Ｂは、第２センサ８０１Ｂを用いて、記録媒体５０Ｂへ駅ＩＤ要求命令を送信する。
【０４６２】
改札装置８０Ｂは、記録媒体５０Ｂから第２センサ８０１Ｂを用いて、駅ＩＤ、記録媒体ＩＤ及び合計ポイントと、駅ＩＤ応答命令とを受信すると、当該装置にて記憶している駅ＩＤを読み出し、読み出した駅ＩＤと受信した駅ＩＤとからなる利用区間情報を生成し、生成した利用区間情報と、受信した記録媒体ＩＤと、合計ポイントを決済装置７０Ｂへ送信する。
【０４６３】
（５）決済装置７０Ｂ
決済装置７０Ｂは、図６０に示すように、割引情報記憶部７０１Ｂ、履歴情報記憶部７０２Ｂ、時計部７０３Ｂ、制御部７０４Ｂ及び通信部７０５Ｂから構成されている。
決済装置７０Ｂは、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、決済装置７０Ｂは、その機能を達成する。
【０４６４】
なお、決済装置７０Ｂは、記録媒体ＩＤと、記録媒体ＩＤにより識別される記録媒体５０Ｂの所有者（購入者）の情報とを対応付けて管理しているとする。ここで、所有者の情報とは、所有者の名前、住所、決済された利用料金を支払うために予め指定された銀行の口座などである。
＜割引情報記憶部７０１Ｂ＞
割引情報記憶部７０１Ｂは、図６１に示すように、割引テーブルＴ６００を有している。
【０４６５】
割引テーブルＴ６００は、ポイント数と割引率とからなる組を複数記憶する領域を有している。
ポイント数は、蓄積されたポイント数の範囲を示しており、ここでは、０〜５００、５０１〜１０００、１００１〜１５００、１５０１〜２０００及び２００１〜の５つの範囲により区分けされている。
【０４６６】
割引率は、蓄積されたポイント数に応じて利用料金の割引を行う際の割り引きの割合を示している。例えば、蓄積されたポイント数が、０〜５００ポイントの範囲にある場合には、利用料金の割引率は「０％」であり、割引はされない。また、蓄積されたポイント数が、５０１〜１０００ポイントの範囲にある場合には、利用料金の割引率は「５％」となる。
【０４６７】
＜履歴情報記憶部７０２Ｂ＞
履歴情報記憶部７０２Ｂは、図６２にて示すように、記録媒体ＩＤ毎に合計ポイント及び利用金額を管理する履歴情報テーブルＴ７００を有している。
履歴情報テーブルＴ７００は、管理対象である記録媒体ＩＤを記録する領域Ｔ７０１と、領域Ｔ７０１に対応する累積ポイント数を記録する領域Ｔ７０２と、利用状況を記録する領域Ｔ７０３とから構成される。ここで、領域Ｔ７０２に記録される初期値は、０である。
【０４６８】
領域Ｔ７０３は、利用日及び利用料金とからなる組を複数記憶するための領域を有している。なお、以降において、利用日及び利用料金とからなる組を利用状況という。
利用日は、改札装置８０Ｂから各情報を受信した日付を示し、利用料金は、改札装置から受信した利用区間情報に対応する金額を示す。
なお、以降では、記録媒体５０Ｂの記録媒体ＩＤを「ＩＤ１」として説明する。
【０４６９】
＜時計部７０３Ｂ＞
時計部７０３Ｂは、日時の計時を行う。
＜制御部７０４Ｂ＞
制御部７０４Ｂは、履歴情報テーブルＴ７００の更新、及び毎月の所定日に利用料金の決済に係る動作を行う。
【０４７０】
制御部７０４Ｂは、改札装置８０Ｂより通信部７０５Ｂを介して、利用区間情報と、受信した記録媒体ＩＤと、合計ポイントとを受信する。
制御部７０４Ｂは、受信した記録媒体ＩＤに対応する履歴情報テーブルＴ７００を、履歴情報記憶部７０２Ｂから読み出す。
制御部７０４Ｂは、受信した利用区間情報に基づいて、利用区間における利用料金を決定する。
【０４７１】
制御部７０４Ｂは、時計部７０３Ｂから現在の日付を取得し、取得した日付を利用日として、決定した利用料金と対応付けて、読み出した履歴情報テーブルＴ７００の領域Ｔ７０３に記録する。
制御部７０４Ｂは、受信した合計ポイントを、読み出した履歴情報テーブルＴ７００の累積ポイント数に加算し、領域Ｔ７０２に記録されている内容を、加算結果へと更新する。
【０４７２】
これにより、受信した記録媒体ＩＤに対応する履歴情報テーブルＴ７００の更新を行うことができる。
また、制御部７０４Ｂは、時計部７０３Ｂにて計時される日時を監視しており、毎月、所定の日時（例えば、毎月１日の午前２時）になると、前月分の利用料金の決済に係る処理を行う。
【０４７３】
以下に、決済に係る処理について、図６２に示す履歴情報テーブルＴ７００を用いて、説明する。
制御部７０４Ｂは、前月分の利用状況群を取得する。例えば、前月分（例えば、２月分）の決済に係る処理を行う場合には、利用状況群Ｔ７０４を取得する。
制御部７０４Ｂは、取得した利用状況群Ｔ７０４を用いて、利用金額の合計（５４００円）を算出する。
【０４７４】
さらに、制御部７０４Ｂは、履歴情報テーブルＴ７００より累積ポイント数（５２０ポイント）を取得する。
制御部７０４Ｂは、取得した累積ポイント（５２０ポイント）と、割引テーブルＴ６００とを用いて、割引率を決定する。この場合、割引率は、５％となる。
制御部７０４Ｂは、決定された割引率と、算出した合計金額とを用いて、決済される金額（５１３０円）を算出する。
【０４７５】
制御部７０４Ｂは、決済される金額の算出後、累積ポイント数を初期値「０」に更新する。
以降、鉄道会社は、決済装置７０Ｂにて算出された決済金額を、記録媒体ＩＤ「ＩＤ１」にて示される記録媒体５０Ｂの所有者に請求するための手続きを行う。若しくは、所有者より予め指定された銀行の口座より、決済された金額を引き落とすための手続きを行う。
【０４７６】
＜通信部７０５Ｂ＞
通信部７０５Ｂは、改札装置８０Ｂよりインターネットを介して、利用区間情報と、受信した記録媒体ＩＤと、合計ポイントとを受け取ると、受け取った利用区間情報と、受信した記録媒体ＩＤと、合計ポイントとを制御部７０４Ｂへ出力する。
（６）変形例
上記の変形例では、累積したポイント数を利用料金の決済時に利用したが、これに限定されない。
【０４７７】
記録媒体５０Ｂに記録されている合計ポイントを利用して、所定ポイント数以上のポイントを持つ利用者のみが通過できる優先改札を通過できるようにしてもよい。これにより、混雑時でも、スムーズな改札の通過が可能となる。このとき、合計ポイントから所定のポイント数を減算して合計ポイントを更新してもよいし、更新しなくてもよい。
または、記録媒体５０Ｂに記録されている合計ポイントを利用して、所定ポイント数以上のポイントを持つ利用者のみが通過できる優先乗り換えゲートを通過できるようにしてもよい。このとき、上記と同様に、合計ポイントを更新してもよいし、更新しなくてもよい。
【０４７８】
または、記録媒体５０Ｂに記録されている合計ポイントを用いて、鉄道会社が運用する駐輪場を利用できるようにしてもよい。このとき、上記と同様に、合計ポイントを更新してもよいし、更新しなくてもよい。
または、合計ポイントを電子マネーに変換し、変換した電子マネーを用いて、駐輪場を利用できるようにしてもよい。合計ポイントを電子マネーへ変換する方法は、上記４．１にて示しているため、説明は省略する。
【０４７９】
また、決済装置７０Ｂの機能を、管理装置３０に含ませてもよい。
４．３  その他の変形例
以下のような場合も、本発明に含まれる。
（１）上記にて示した割引テーブルＴ６００において、予め定められたポイント数の範囲と割引率とを対応付けたが、これに限定されない。
【０４８０】
予め定められたポイント数と割引率とを対応付けてもよい。このとき、決済装置７０Ｂは、決済金額を算出後、累積ポイントから、決済金額の算出の際に適用した割引率に対応するポイント数を減算し、その結果を累積ポイントとして更新する。
例えば、５００ポイント、１０００ポイント、１５００ポイント及び２０００ポイントのそれぞれに対して、割引率「５％」、「１０％」、「１５％」及び「２０％」を対応付ける。履歴情報テーブルＴ７００の累積ポイントが５２０ポイントである場合には、割引率「５％」が適用され、決済金額が算出された後、決済装置７０Ｂは、５２０ポイントから５００ポイントを減算し、減算結果「２０ポイント」を累積ポイントとして更新する。
【０４８１】
（２）上記にて示した割引テーブルＴ６００において、予め定められたポイント数の範囲と割引率とを対応付けたが、これに限定されない。
ポイント数の範囲と値引きする金額とを対応付けてもよい。
例えば、０〜５００、５０１〜１０００、１００１〜１５００、１５０１〜２０００及び２００１〜のそれぞれに、値引きする金額０円、１００円、２００円、３００円及び４００円を対応付けてもよい。
【０４８２】
または、予め定められたポイント数と、値引きする金額とを対応付けてもよい。
（３）上記にて示す記録媒体５０Ａが、支払可否の判断を行ったが、これに限定されない。支払可否の判断を、決済装置７０Ａにて行ってもよい。
このとき、記録媒体５０Ａは、支払要求命令を決済装置７０Ａから受け取ると、電子マネー記憶部５１０Ａにて記憶している電子マネーの金額と、識別子記憶部５１１Ａにて記憶している記録媒体ＩＤとを、決済装置７０Ａへ送信する。
【０４８３】
決済装置７０Ａは、電子マネーによる支払いが可能であるか否かを判断する。
支払いが可能であると判断する場合には、決済を行い、電子マネーよる支払い後の残金を算出し、算出した残金を記録媒体５０Ａへ送信し、決済された金額と記録媒体ＩＤとを対応付けて記憶する。支払いが不能であるとあると判断する場合には、その旨のメッセージを、決済装置７０Ａの操作者へ通知する。
【０４８４】
記録媒体５０Ａは、残金を受け取ると、電子マネー記憶部５１０Ａの記録内容を受け取った残金へと更新する。
（４）上記にて示す決済装置７０Ｂにおいて、利用区間に対する利用料金を算出したが、これに限定されない。
改札装置８０Ｂにて利用料金を算出してもよい。このとき、改札装置８０Ｂは、算出した利用料金と、記録媒体５０Ｂより受け取った合計ポイント及び記録媒体ＩＤとを、決済装置７０Ｂへ送信する。
【０４８５】
決済装置７０Ｂは、改札装置８０Ｂより、利用料金と合計ポイントと記録媒体ＩＤとを受け取ると、受け取った各情報を用いて、履歴情報テーブルＴ７００を更新する。
（５）上記実施の形態において、情報記憶部は、耐タンパ性を有しているとしたが、これに限定されない。
情報記憶部は、耐タンパ性を有していなくてもよい。このとき、情報記憶部にて記憶される各情報の安全性を高めるために、記憶される各情報を、共通鍵暗号により暗号化して記憶する。記録媒体は、共通鍵暗号に用いる秘密鍵を、耐タンパ性を有する記憶領域に記憶する。記録媒体は、秘密鍵を用いて、暗号化された情報を復号することにより、情報記憶部にて記憶されている情報を利用することができる。
【０４８６】
また、電子マネー記憶部も同様に、耐タンパ性を有しなくてもよい。このとき、電子マネー記憶部の記憶内容の安全性を高めるために、上記と同様の構成を用いてもよい。
また、識別子記憶部も同様に、耐タンパ性を有しなくてもよい。このとき、識別子記憶部に記憶の記憶内容の安全性を高めるために、上記と同様の構成を用いてもよい。
（６）記録媒体５０Ｂと携帯端末６０とをそれぞれ個別の構成としたが、これに限定されない。携帯端末を、記録媒体５０Ｂと携帯端末６０とからなる端末としてもよい。
【０４８７】
（７）電子マネーによる支払いを行う際に、記録媒体５０Ａを決済装置７０Ａのセンサ７００Ａへ近づけたが、これに限定されない。
記録媒体５０Ａが装着された携帯端末６０を決済装置７０Ａへ近づけることにより、電子マネーによる支払いを行ってもよい。
このとき、無線制御部５１５Ａは、携帯端末６０が有してもよい。または、無線制御部５１５Ａ及び支払制御部５１４Ａは、携帯端末６０が有してもよい。
【０４８８】
また、ポイント変換部５１２Ａは、携帯端末６０が有してもよい。
（８）記録媒体５０Ｂを改札装置８０Ｂの第１センサ８００Ｂ及び第２センサ８０１Ｂへ近づけることにより、改札の入出場を行ったが、これに限定されない。
記録媒体５０Ｂが装着された携帯端末６０を改札装置８０Ｂの第１センサ８００Ｂ及び第２センサ８０１Ｂへ近づけることにより、改札の入出場を行ってもよい。
【０４８９】
このとき、無線制御部５２５Ｂは、携帯端末６０が有してもよい。または、無線制御部５２５Ａ及び制御部５２４Ｂは、携帯端末６０が有してもよい。
また、ポイント書込部５２２Ｂは、携帯端末６０が有してもよい。
（９）電子マネーの利用時のシステムにおいて、記録媒体５０Ａが行う、合計ポイントから電子マネーへの変換の動作は、ユーザ操作によって、その動作を開始してもよい。ユーザの操作は、記録媒体５０Ａが携帯端末６０へ装着された後、携帯端末６０から行われる。
【０４９０】
（１０）記録媒体５０Ａにおいて、支払い不可能であると判断する場合に、支払不能命令を決済装置７０Ａへ送信したが、これに限定されない。
記録媒体５０Ａは、支払不可能であると判断する場合には、金額情報にて示される金額から、記憶している電子マネーの金額を減算し、その結果を不足金額として、支払不能命令と、記録媒体ＩＤともに決済装置７０Ａへ送信する。記録媒体５０Ａは、電子マネー記憶部５０１Ａにて記憶している金額を「０」へと更新する。
【０４９１】
決済装置５０Ａは、記録媒体５０Ａより受信した不足金額を、操作者へ通知する。
操作者は、不足金額分の現金を利用者から受け取ると、決済装置７０Ａを操作することにより、受け取った旨の受取指示を決済装置７０Ａへ与える。
決済装置７０Ａは、受取指示を操作者より受け取ると、支払い金額の決済を行い、決済に使われた電子マネーの金額と記録媒体ＩＤとを対応付けて記憶する。なお、決済に使われた電子マネーの金額は、決済される金額から不足金額を減算することで得られる。
【０４９２】
５．その他の変形例
なお、本発明を上記の実施の形態に基づいて説明してきたが、本発明は、上記の実施の形態に限定されないのはもちろんである。以下のような場合も本発明に含まれる。
（１）本発明における施設の概念は、上記の実施の形態にて示す鉄道サービスにおける列車及び車両、道路サービスにおける高速道路と迂回路、レストランサービスにおけるレストラン店舗及びテーマパークサービスにおけるアトラクションを含むものとする。
【０４９３】
（２）上記に示す携帯端末の一例としてＰＤＡとしたが、これに限定されない。携帯端末の他の例として、携帯電話機や、ポイント配布システムに用いられる専用端末などであってもいよい。
（３）上記実施の形態において、管理装置は、ある時間における各施設の混雑度に対するポイントを算出したが、これに限定されない。
【０４９４】
管理装置は、１施設にて、１日の運用時間内における所定時間毎の時間帯（例えば、３時間毎の時間帯）における混雑度によるポイントを算出するとしてもよい。管理装置は、１施設にて計測した混雑度を時間帯毎に記憶しておき、施設の運用当日に、前日に計測され、記憶している１施設の各時間帯の混雑度を用いて、１施設の各時間帯におけるポイントを算出してもよい。
【０４９５】
（４）上記実施の形態及び変形例において、ネットワーク接続の一例として、インターネットを利用したが、これに限定されない。各装置間において情報の伝送が可能な電気通信回線であればよい。
（５）ポイント配布システム１は、対象となる交通機関を列車としたが、これに限定されない。
【０４９６】
対象となる交通機関は、路線バスなど定期的に運行される交通機関であればよい。
また、ポイント配布システム１０００、及び２０００に適用する交通機関も同様に、路線バスなど定期的に運行される交通機関であってもよい。
（６）上記実施の形態及び変形例において、管理装置は、交通機関の混雑度が高くなると配布するポイントを低くしたが、これに限定されない。管理装置は、混雑度が高くなると、配布するポイントを高くしてもよい。
【０４９７】
（７）上記第１の実施の形態において、管理装置は、「上り／下り」の区分ごとに、配布するポイントを算出したが、これに限定されない。管理装置は、他の区分ごとに配布するポイントを算出してもよい。
例えば、管理装置は、同じ種類の列車（普通／急行／特急などの区分）ごとに配布するポイントを算出してもよいし、同一の停車駅を持つ列車ごとに配布するポイントを算出するとしてもよい。
【０４９８】
（８）上記ポイント使用時の変形例において、ポイント変換部は、１０００ポイントごとに、１０００円の電子マネーに変換したが、これに限定されない。
ポイント変換部は、蓄積したポイントをそのまま電子マネーに変換してもよい。つまり、ポイント変換部は、１ポイントを１円の電子マネーとして変換してもよい。
また、ポイント変換部は、蓄積したポイントを電子マネーへ変換する際に、予め定められた変換レートに従って、蓄積したポイントを電子マネーへ変換してもよい。
【０４９９】
（９）上記実施の形態において、ユーザに配布するポイントを列車等の混雑度のみで判断したが、これに限定されない。
例えば、乗ることのできる列車を見過ごし、以降に到着する列車に乗った場合により、高いポイントを付与するとしてもよい。これにより、偶然空いている列車の乗車したユーザと、空いている列車を待ったユーザとに付与するポイントに差をつけることができ、ポイントをより公平に配布することができる。
【０５００】
以下、第１の実施の形態を基に、本変形例について説明する。なお、以下において、ユーザは駅３ａより上り列車２ａの車両装置２０が設置されている車両に乗車するものとする。
先ず、携帯端末６０は、ユーザが駅３ａに到着すると、駅３ａに設置された計時装置より駅到着時刻情報を受信する。ここで、計時装置は、例えば、情報表示装置４０や改札装置の一部として実現してもよいし、独立した１つの装置として実現してもよい。以下では、計時装置は、情報表示装置４０の一部であるとして説明する。
【０５０１】
本変形例におけるポイント配布システム１ａは、図６３にて示すように、第１の実施の形態にて示すポイント配布システム１の構成のうち、情報表示装置４０を、計時装置を含む情報表示装置４０ａに置き換えた構成である。ポイント配布システム１と異なる点は、携帯端末６０は、情報表示装置４０ａと通信を行う点である。
本変形例における情報表示装置４０ａは、図６４に示すように、時刻表記憶部４００ａ、時計部４０１ａ、制御部４０２ａ、表示部４０３ａ、受信部４０４ａ及び通信部４０５ａから構成されている。
【０５０２】
情報表示装置４０ａは、具体的には、マイクロプロセッサ、ＲＯＭ、ＲＡＭ、ハードディスクユニット、ディスプレイユニット、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、情報表示装置４０ａは、その機能を達成する。
【０５０３】
なお、時刻表記憶部４００ａ、時計部４０１ａ、制御部４０２ａ、表示部４０３ａ及び受信部４０４ａは、それぞれ第１の実施の形態にて示す時刻表記憶部４００、時計部４０１、制御部４０２、表示部４０３及び受信部４０４と同様であるため、説明は省略する。
通信部４０５ａはアンテナを有しており、携帯端末６０と通信を行う。通信部４０５ａは、携帯端末６０から時刻送信命令を受信すると、時計部４０１ａから現在の時刻情報を取得して、取得した時刻情報を携帯端末６０へ送信する。
【０５０４】
携帯端末６０は、時刻送信命令を情報表示装置４０ａへ送信すると、情報表示装置４０ａから、時刻情報を受信し、受信した時刻情報を駅到着時刻情報として、記録媒体５０へ記憶する。
携帯端末６０は、ユーザが列車２ａに乗車する際に、車両装置２０より利用情報を取得して記録媒体５０へ記録する。なお、この動作については、第１の実施の形態と同様であるため、説明は省略する。
【０５０５】
以下、ポイント配布時の動作ついて、説明する。
携帯端末６０は、駅到着時刻情報と、利用情報とを、管理装置３０へ送信する。
管理装置３０は、携帯端末６０から駅到着時刻情報を利用情報とを受信すると、受信した利用情報より、車両装置２０が設置されている車両を利用した日時（以下、「利用時刻情報」という。）を取得する。管理装置３０は、取得した利用時刻情報と、受信した駅到着時刻情報との差分を算出し、差分が大きいほどユーザに配布するポイントが高くなるように、予め記憶しているポイントに所定に重み付けを行い配布するポイントを算出する。管理装置３０は、算出されたポイントを携帯端末６０へ送信する。重み付けの具体例としては、差分、つまり駅到着から列車を利用するまでの待ち時間が１０分である場合には、通常の２倍のポイントをユーザに配布し、差分が１５分である場合には、通常の３倍のポイントをユーザに配布する等である。
【０５０６】
携帯端末６０は、ポイント（この場合、重み付けがなされたポイント）を受信すると、受信したポイントを記録媒体５０へ記録する。
なお、情報表示装置４０ａは、重み付けを考慮したオッズを表示してもよい。具体的には、駅３ａより出発する列車のそれぞれについて、その列車を待てば何倍のポイントが付与されるのかという情報を表示してもよいし、表示されるオッズの数値自体を何倍かして表示してもよい。
【０５０７】
また、上記変形例では、ユーザが列車を待った時間に応じて重み付けを行ったが、これに限定されない。例えば、駅に到着してから、何本の列車を待ったかによって重み付けを行ってもよい。この場合、情報表示装置４０ａは、駅到着時刻情報を、携帯端末６０へ送信する代わりに、ユーザが駅３ａに到着した時点で、最初に乗ることのできる列車の列車コード（以下、「乗車可能列車コード」という。）を携帯端末６０へ送信する。携帯端末６０は、情報表示装置４０ａから乗車可能列車コードを受信すると、受信した乗車可能列車コードを、記録媒体５０へ記録する。ポイント配布時において、携帯端末６０は、乗車可能列車コードと、利用情報とを管理装置３０へ送信する。管理装置３０は、携帯端末６０から乗車可能列車コードと、利用情報とを受信すると、受信した利用情報に含まれる列車コードを取得し、取得した列車コードと、受信した乗車可能列車コードとを、時刻表（ここでは、時刻表Ｔ１００）を用いて比較することにより、ユーザが駅に到着してから何本の列車を待ったのかを算出する。
【０５０８】
また、上記変形例において、管理装置３０は算出した待ち時間や、待った列車の本数に応じたポイントの配布要求の正当性を検証してもよい。具体的には、待ち時間が現実的にはありえない時間である場合には（待ち時間がマイナスの値である場合や、２４時間以上である場合）、配布の要求を拒絶するなどである。
また、上記変形例において、所定時間列車を待っていないユーザや、待った列車の本数が０本であるユーザに対してはポイントを配布しないとしてもよい。
【０５０９】
また、上記変形例において、重み付けの例としてポイントを整数倍する方法をとっているが、これに限定されない。所定のポイント数を加えたポイントを配布するなどとしてもよい。さらに、重みの付け方を、列車の利用時刻に応じて変化させてもよい。この場合、例えば、列車が空いている昼間に待つよりも、混雑している朝に待ったユーザへ高いポイントを配布するなどの制御が可能となる。
【０５１０】
また、上記変形例では、ポイントの重み付けをポイント配布時に行ったが、これに限定されない。ポイントの確定処理時に、算出したポイントに待ち時間ごとの重み付けを行い、待ち時間と重み付けされたポイントとを対応付けて記憶する。ポイント配布処理時には、算出した待ち時間に対応するポイントを検索して配布するとしてもよい。
また、上記変形例では、携帯端末６０は、駅到着時間情報及び利用時刻情報を管理装置３０へ送信したが、これに限定されない。携帯端末６０は、駅到着時間情報及び利用時刻情から待ち時間を算出し、算出した時間を待ち時間情報として、利用時刻情報の代わりに待ち時間情報が付与された利用情報を管理装置３０に送信してもよい。
【０５１１】
また、上記の変形例は、第１の実施の形態の変形として説明したが、これらに限られるものではなく、第２の実施の形態や他の変形例にも適用できることは言うまでもない。
（１０）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０５１２】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０５１３】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０５１４】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１１）上記実施の形態及び上記変形例をそれぞれ組み合わせるとしてもよい。
６．まとめ
以上、説明したように、本発明のポイント配布システムは、利用者が利用する施設の混雑度が低いほどオッズが高くなるように、各施設の利用に対するオッズを算出し、算出したオッズに基づいて、利用者へ割り当てるポイントを設定し、設定したポイントを利用者へ配布する。これにより、利用者をオッズが高い施設、つまり混雑度が低い施設へ誘導することができ、各施設間での混雑度が均一化されるようになるため、各施設の効率のよい利用がなされることになる。
【０５１５】
また、本発明は、提供者が運用する施設の混雑状況に応じたポイントを配布するポイント配布システムであって、前記施設に設置され、当該施設の混雑度を定期的に計測する計測装置と、前記計測装置から前記混雑度を取得し、取得した各混雑度に基づいて、混雑度が低いほど配布するポイントが高くなるように、配布する時間帯毎にポイントを算出するポイント算出装置と、前記施設に設置され、配布する時間帯に対応して算出されるポイントを示す施設ポイント情報を、前記配布する時間帯の間、短距離無線により配信する配信装置と、前記配信装置から配布する時間帯に対応する施設ポイント情報を、前記配布する時間帯内において短距離無線により受信する携帯型の端末装置とを備えることを特徴とする。
【０５１６】
この構成によると、ポイント配布システムは、ポイント算出装置を用いて配布する時間帯毎に対応するポイントを算出し、配信装置を用いて配布する時間帯に対応するポイントを示す施設ポイント情報を端末装置へ当該施設内にて短距離無線により送信することができる。これにより、端末装置を付帯する利用者は、より高いポイントの配布を受けようとするため、配布されるポイントが高い時間帯、つまり混雑度が低い時間帯に訪れるようになる。
【０５１７】
また、本発明は、提供者が運用する複数の施設の混雑が緩和されるように利用者を誘導する利用者誘導システムであって、施設毎に設置され、当該施設の混雑度を計測する計測装置と、各計測装置から前記混雑度を取得し、取得した各混雑度に基づいて、混雑度が低いほど配布するポイントが高くなるように、前記複数の施設毎にポイントを算出するポイント算出装置と、施設毎に設置され、当該施設に対応して算出されるポイントを示す施設ポイント情報を短距離無線により配信する配信装置と、前記配信装置から施設ポイント情報を、短距離無線により受信する携帯型の端末装置とを備えることを特徴とする。
【０５１８】
この構成によると、利用者誘導システムは、配信装置を用いて、ポイント算出装置にて施設毎に算出されたポイントのうち当該配信装置が設置された施設に対応するポイントを示す施設ポイント情報を端末装置へ当該施設内にて短距離無線により送信することができる。これにより、端末装置を付帯する利用者は、より高いポイントの配布を受けようとするため、配布されるポイントが高い施設、つまり混雑度が低い施設へ訪れるようになる。そのため、提供者は、利用者誘導システムを用いることにより、混雑度の低い施設へ利用者を誘導することができる。
【産業上の利用可能性】
【０５１９】
上記において説明したポイント配布システムは、利用者に対して施設利用のサービスを提供する産業において、経営的、つまり反復的かつ継続的に利用されうる。
【図面の簡単な説明】
【００４７】
【図１】  ポイント配布システム１の全体の概要を示す図である。
【図２】  収集装置１０の構成を示すブロック図である。
【図３】  車両装置２０の構成を示すブロック図である。
【図４】  管理装置３０の構成を示すブロック図である。
【図５】  時刻表記憶部３００が有する時刻表Ｔ１００のデータ構造の一例を示す。
【図６】  時刻表記憶部３００が有する時刻表Ｔ１０１のデータ構造の一例を示す。
【図７】  送付情報記憶部３０１の構成を示すブロック図である。
【図８】  オッズ情報記憶部３１０が有するオッズ情報テーブルＴ１１０のデータ構造の一例を示す。
【図９】  ポイント記憶部３１１が有するポイントテーブルＴ１１１のデータ構造の一例を示す。
【図１０】  情報表示装置４０の構成を示すブロック図である。
【図１１】  記録媒体５０の構成を示すブロック図である。
【図１２】  携帯端末６０の構成を示すブロック図である。
【図１３】  ポイント配布システム１における情報収集処理の動作を示す流れ図である。
【図１４】  ポイント配布システム１におけるポイント確定処理の動作を示す流れ図である。
【図１５】  ポイント配布システム１における乗車情報収集処理の動作を示す流れ図である。
【図１６】  ポイント配布システム１における乗車人数収集処理の動作を示す流れ図である。
【図１７】  ポイント配布システム１における第１オッズ算出処理の動作を示す流れ図である。
【図１８】  ポイント配布システム１における換算情報収集処理の動作を示す流れ図である。
【図１９】  ポイント配布システム１における換算人数収集処理の動作を示す流れ図である。
【図２０】  ポイント配布システム１における利用情報の配布する処理の動作を示す流れ図である。図２１へ続く。
【図２１】  ポイント配布システム１における利用情報の配布する処理の動作を示す流れ図である。図２０から続く。
【図２２】  ポイント配布システム１におけるポイントを配布する処理概要の動作を示す流れ図である。
【図２３】  ポイント配布システム１におけるポイント配布処理の動作を示す流れ図である。
【図２４】  ポイント配布システム１におけるポイント書込処理の動作を示す流れ図である。
【図２５】  ポイント配布システム１におけるオッズを配信する処理概要の動作を示す流れ図である。
【図２６】  ポイント配布システム１におけるオッズ配信処理の動作を示す流れ図である。
【図２７】  ポイント配布システム１０００の全体の概要を示す図である。
【図２８】  収集装置１０１０の構成を示すブロック図である。
【図２９】  車両装置１０２０の構成を示すブロック図である。
【図３０】  管理装置１０３０の構成を示すブロック図である。
【図３１】  ポイント情報記憶部１３０９が有するポイントテーブルＴ１０００のデータ構造の一例を示す。
【図３２】  情報表示装置１０４０の構成を示すブロック図である。
【図３３】  記録媒体１０５０の構成を示すブロック図である。
【図３４】  携帯端末１０６０の構成を示すブロック図である。
【図３５】  ポイント配布システム１０００における情報収集処理の動作を示す流れ図である。
【図３６】  ポイント配布システム１０００におけるポイント情報受取処理の動作を示す流れ図である。
【図３７】  ポイント配布システム１０００におけるポイント抽出処理の動作を示す流れ図である。
【図３８】  ポイント配布システム１０００におけるポイント配布処理の動作を示す流れ図である。
【図３９】  ポイント配布システム２０００の全体の概要を示す図である。
【図４０】  収集装置２０１０の構成を示すブロック図である。
【図４１】  車両装置２０２０の構成を示すブロック図である。
【図４２】  管理装置２０３０の構成を示すブロック図である。
【図４３】  記録媒体２０５０の構成を示すブロック図である。
【図４４】  携帯端末２０６０の構成を示すブロック図である。
【図４５】  ポイント配布システム２０００における全ポイント情報の送信に係る処理の動作を示す流れ図である。
【図４６】  ポイント配布システム２０００におけるポイントの配布に係る処理の動作を示す流れ図である。
【図４７】  ポイント配布システム２０００におけるポイント配布処理の動作を示す流れ図である。
【図４８】  ポイント配布システム２０００におけるポイント書込処理の動作を示す流れ図である。
【図４９】  ポイント配布システム３０００の全体の概要を示す図である。
【図５０】  ポイント配布システム４０００の全体の概要を示す図である。
【図５１】  電子マネーの利用時におけるシステムの全体の概要を示す図である。
【図５２】  記録媒体５０Ａの構成を示すブロック図である。
【図５３】  電子マネー記憶部５１０Ａが有する管理テーブルＴ５００のデータ構造の一例を示す。
【図５４】  合計ポイントを電子マネーに変換した場合、管理テーブルＴ５００から更新された管理テーブルＴ５０１の内容の一例を示す。
【図５５】  電子マネーを利用する際に、利用前における管理テーブルＴ５０２の内容の一例と、利用後における管理テーブルＴ５０３の内容の一例を示す。
【図５６】  変換処理の動作を示す流れ図である。
【図５７】  電子マネー利用処理の動作を示す流れ図である。
【図５８】  累積ポイントを利用料金の決済に用いるシステムの全体の概要を示す図である。
【図５９】  記録媒体５０Ｂの構成を示すブロック図である。
【図６０】  決済装置７０Ｂの構成を示すブロック図である。
【図６１】  割引情報記憶部７０１Ｂが有する割引テーブルＴ６００のデータ構造の一例を示す。
【図６２】  履歴情報記憶部７０２Ｂが有する履歴情報テーブルＴ７００データ構造の一例を示す。
【図６３】  ポイント配布システム１ａの全体の概要を示す図である。
【図６４】  情報表示装置４０ａの構成を示すブロック図である。
【符号の説明】
【００４８】
１  ポイント配布システム
１０、１１  収集装置
２０〜２７  車両装置
３０  管理装置
４０、４１  情報表示装置
５０  記録媒体
６０  携帯端末
１００  列車コード記憶部
１０１  制御部
１０２  無線部
１０３  入出力部
１０４  アンテナ部
２００  車両コード記憶部
２０１  秘密鍵記憶部
２０２  乗車人数記憶部
２０３  計測部
２０４  配布部
２０５  開閉検知部
２０６  時計部
２０７  無線部
２０８  入出力部
２０９  アンテナ部
３００  時刻表記憶部
３０１  送付情報記憶部
３０２  公開鍵記憶部
３０３  オッズ算出部
３０４  時計部
３０５  ポイント送付部
３０６  無線部
３０７  送受信部
３０８  アンテナ部
３１０  オッズ情報記憶部
３１１  ポイント記憶部
４００  時刻表記憶部
４０１  時計部
４０２  制御部
４０３  表示部
４０４  受信部
５００  情報記憶部
５０１  ポイント記憶部
５０２  利用情報記憶部
５０３  利用日時記憶部
６００  識別子記憶部
６０１  制御部
６０２  入力部
６０３  表示部
６０４  第１無線部
６０５  入出力部
６０６  第１アンテナ部
６０７  第２無線部
６０８  第２アンテナ部
【手続補正３】
【補正対象書類名】図面
【補正対象項目名】全図
【補正方法】変更
【補正の内容】
【図１】
2005098697.tif 000066
【図２】
2005098697.tif 000067
【図３】
2005098697.tif 000068
【図４】
2005098697.tif 000069
【図５】
2005098697.tif 000070
【図６】
2005098697.tif 000071
【図７】
2005098697.tif 000072
【図８】
2005098697.tif 000073
【図９】
2005098697.tif 000074
【図１０】
2005098697.tif 000075
【図１１】
2005098697.tif 000076
【図１２】
2005098697.tif 000077
【図１３】
2005098697.tif 000078
【図１４】
2005098697.tif 000079
【図１５】
2005098697.tif 000080
【図１６】
2005098697.tif 000081
【図１７】
2005098697.tif 000082
【図１８】
2005098697.tif 000083
【図１９】
2005098697.tif 000084
【図２０】
2005098697.tif 000085
【図２１】
2005098697.tif 000086
【図２２】
2005098697.tif 000087
【図２３】
2005098697.tif 000088
【図２４】
2005098697.tif 000089
【図２５】
2005098697.tif 000090
【図２６】
2005098697.tif 000091
【図２７】
2005098697.tif 000092
【図２８】
2005098697.tif 000093
【図２９】
2005098697.tif 000094
【図３０】
2005098697.tif 000095
【図３１】
2005098697.tif 000096
【図３２】
2005098697.tif 000097
【図３３】
2005098697.tif 000098
【図３４】
2005098697.tif 000099
【図３５】
2005098697.tif 000100
【図３６】
2005098697.tif 000101
【図３７】
2005098697.tif 000102
【図３８】
2005098697.tif 000103
【図３９】
2005098697.tif 000104
【図４０】
2005098697.tif 000105
【図４１】
2005098697.tif 000106
【図４２】
2005098697.tif 000107
【図４３】
2005098697.tif 000108
【図４４】
2005098697.tif 000109
【図４５】
2005098697.tif 000110
【図４６】
2005098697.tif 000111
【図４７】
2005098697.tif 000112
【図４８】
2005098697.tif 000113
【図４９】
2005098697.tif 000114
【図５０】
2005098697.tif 000115
【図５１】
2005098697.tif 000116
【図５２】
2005098697.tif 000117
【図５３】
2005098697.tif 000118
【図５４】
2005098697.tif 000119
【図５５】
2005098697.tif 000120
【図５６】
2005098697.tif 000121
【図５７】
2005098697.tif 000122
【図５８】
2005098697.tif 000123
【図５９】
2005098697.tif 000124
【図６０】
2005098697.tif 000125
【図６１】
2005098697.tif 000126
【図６２】
2005098697.tif 000127
【図６３】
2005098697.tif 000128
【図６４】
2005098697.tif 000129
【国際調査報告】
2005098697.tif 000130
2005098697.tif 000131
2005098697.tif 000132
2005098697.tif 000133